(57)【要約】【課題】複数のスケジューラを使用して動作するＷＴＲＵ用のシステム及び方法を提供する。【解決手段】ＷＴＲＵは１つよりも多くのデータ経路を通じてネットワークとデータを交換できる。各データ経路は異なるネットワークノードに接続された無線インターフェースを使用し、各ノードは独立のスケジューラと関連付けられ得る。例えばＷＴＲＵはＷＴＲＵとネットワークとの間にＲＲＣ接続を確立し得る。ＲＲＣ接続はＷＴＲＵとネットワークの第１のサービングサイトとの間に第１の無線インターフェースを、ＷＴＲＵとネットワークの第２のサービングサイトとの間に第２の無線インターフェースを確立し得る。ＲＲＣ接続はＷＴＲＵとＭｅＮＢとの間に、制御機能はＷＴＲＵとＳＣｅＮＢとの間に確立できる。ＷＴＲＵは第１の無線インターフェース又は第２の無線インターフェースを通じてネットワークからデータを受信できる。【選択図】図３
2020058082.tif 000002
【特許請求の範囲】
【請求項１】
ワイヤレス送受信ユニット（ＷＴＲＵ）のための方法であって、
無線リソース制御（ＲＲＣ）接続を確立するステップであって、前記ＲＲＣ接続は、少なくとも第１の無線アクセスノードの１つまたは複数のセルの第１のグループに関連付けられた第１の媒体アクセス制御（ＭＡＣ）インスタンスと第２の無線アクセスノードの１つまたは複数のセルの第２のグループに関連付けられた第２のＭＡＣインスタンスとの間で共通である、ステップと、
第１のシグナリング無線ベアラ（ＳＲＢ）に関連付けられた第１のＲＲＣメッセージを、前記第１のＭＡＣインスタンスを介して受信するステップであって、前記第１のＳＲＢは、ＲＲＣ接続情報を前記第１のＭＡＣインスタンスを介して通信するのに使用される、ステップと、
第２のＳＲＢに関連付けられた第２のＲＲＣメッセージを、前記第２のＭＡＣインスタンスを介して受信するステップであって、前記第２のＳＲＢは、ＲＲＣ接続情報を前記第２のＭＡＣインスタンスを介して通信するのに使用される、ステップと
を備えることを特徴とする方法。
【発明の詳細な説明】
【技術分野】
【０００１】
本発明は、無線通信に関する。
【背景技術】
【０００２】
（関連出願の相互参照）
本出願は、２０１２年８月２３日に出願された米国仮特許出願第６１／６９２，５４８号、２０１２年１１月１４日に出願された米国仮特許出願第６１／７２６，４４８号、２０１３年１月１６日に出願された米国仮特許出願第６１／７５３，３２３号、２０１３年１月１６日に出願された米国仮特許出願第６１／７５３，３３４号、２０１３年５月８日に出願された米国仮特許出願第６１／８２１，０７１号、２０１３年５月８日に出願された米国仮特許出願第６１／８２１，１８６号、および２０１３年８月７日に出願された米国仮特許出願第６１／８６３，３１１号の利益を主張し、これらの内容の全体が参照によって本明細書に組み込まれる。
【０００３】
ワイヤレス通信システムが、音声、データなどのような様々なタイプの通信コンテンツを提供するために広く展開されている。これらのシステムは、利用可能なシステムリソース（たとえば、帯域幅、送信電力など）を共有することによって、複数のユーザとの通信をサポートすることが可能な多元接続システムであり得る。そのような多元接続システムの例は、符号分割多元接続（ＣＤＭＡ）システム、広帯域符号分割多元接続（ＷＣＤＭＡ（登録商標））システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および直交周波数分割多元接続（ＯＦＤＭＡ）システムなどを含み得る。
【０００４】
これらの多元接続技術は、様々なワイヤレスデバイスが、都市レベルで、国レベルで、地域レベルで、さらには世界レベルで通信することを可能にする、共通のプロトコルを提供するように採用されている。登場しつつある遠隔通信規格の例がＬＴＥである。ＬＴＥは、３ＧＰＰによって公表されたユニバーサル移動体通信システム（ＵＭＴＳ）モバイル規格に対する増強のセットである。ＬＴＥは、スペクトル効率を改善し、コストを下げ、サービスを改善し、新たなスペクトルを利用し、ダウンリンク（ＤＬ）でのＯＦＤＭＡ、アップリンク（ＵＬ）でのＳＣ−ＦＤＭＡ、および多入力多出力（ＭＩＭＯ）アンテナ技術を使用する他のオープン規格とより良好に統合することによって、モバイルブロードバンドインターネットアクセスをより良好にサポートするように設計される。
【発明の概要】
【０００５】
複数のスケジューラを利用するワイヤレス通信システムにおいて動作するためのワイヤレス送信／受信ユニット（ＷＴＲＵ）のための、システムおよび方法が開示される。たとえば、いくつかの複数のスケジューラシステムでは、スケジューラは、同じＷＴＲＵと関連付けられるスケジューリング動作を調整するための低レイテンシの通信インターフェースを欠いていることがある。ＷＴＲＵは、１つよりも多くのデータ経路を通じてネットワークとデータを交換し得るので、各データ経路は異なるネットワークノードに接続される無線インターフェースを使用することがあり、各ノードは独立したスケジューラと関連付けられることがある。たとえば、ＷＴＲＵは、ＷＴＲＵとネットワークとの間に無線リソース制御（ＲＲＣ）接続を確立し得る。ＲＲＣ接続は、ＷＴＲＵとネットワークの第１のサービングサイトとの間に第１の無線インターフェースを、ＷＴＲＵとネットワークの第２のサービングサイトとの間に第２の無線インターフェースを確立し得る。第１のサービングサイトはマクロｅＮｏｄｅＢ（ＭｅＮＢ）であってよく、第２のサービングサイトはスモールセルｅＮｏｄｅＢ（ＳＣｅＮＢ）であってよい。ＲＲＣ接続がＷＴＲＵとＭｅＮＢとの間に確立されることがあり、制御機能がＷＴＲＵとＳＣｅＮＢとの間に確立されることがある。ＷＴＲＵは、第１の無線インターフェースまたは第２の無線インターフェースを通じてネットワークからデータを受信し得る。
【０００６】
例として、方法およびシステムは、独立にスケジューリングされる複数のレイヤを使用して動作するための説明されるＷＴＲＵである。たとえば、ＷＴＲＵは、第１のサービングサイトとの無線リソース制御（ＲＲＣ）接続を確立することができる。ＷＴＲＵは、第１のサービングサイトから再構成メッセージを受信することができる。再構成メッセージは、第２のサービングサイトと関連付けられる１つまたは複数のセルに接続するためのＷＴＲＵのための構成を含み得る。再構成メッセージは、第２のサービングサイトにおいてＷＴＲＵによって使用されるべき少なくとも１つの無線ベアラ（ＲＢ）を示すことができる。ＷＴＲＵは、第２のサービングサイトへの接続をアクティブ化することを決定することができる。ＷＴＲＵは、第２のサービングサイトへの接続をアクティブ化すると決定したことに基づいて、第２のサービングサイトと関連付けられる１つまたは複数のセルの少なくとも１つの制御チャネルを監視することができる。たとえば、再構成メッセージは、ＲＲＣ接続再構成メッセージであってよく、少なくとも１つのＲＢは、第２のサービングサイトにおける使用のために確立される新たなＲＢであってよい。例では、再構成メッセージは、モビリティ制御情報要素を含むＲＲＣ接続再構成メッセージであってよく、少なくとも１つのＲＢは、第１のサービングサイトに以前にマッピングされたＲＢであってよく、ＲＲＣ接続再構成メッセージは、第１のサービングサイトに以前にマッピングされたＲＢを第２のサービングサイトと関連付けることを始めるようにＷＴＲＵをトリガすることができる。
【０００７】
例では、再構成メッセージは、第２のサービングサイトと関連付けられる所与のセルのための複数の無線リソース管理（ＲＲＭ）構成を含み得る。第２のサービングサイトへの接続をアクティブ化すると、ＷＴＲＵは、複数のＲＲＭ構成のデフォルトのＲＲＭ構成を適用することができる。ＷＴＲＵは、物理レイヤのシグナリングまたはレイヤ２のシグナリングの１つまたは複数を受信することができる。物理レイヤのシグナリングまたはレイヤ２のシグナリングの１つまたは複数は、ＷＴＲＵが第２のサービングサイトの所与のセルにおいて適用すべき複数のＲＲＭ構成の別のＲＲＭ構成を示すものであり得る。ＷＴＲＵは次いで、第２のサービングサイトの所与のセルに接続されるとき、別のＲＲＭ構成を適用することができる。たとえば、物理レイヤのシグナリングまたはレイヤ２のシグナリングの１つまたは複数は、物理ダウンリンク制御チャネル（ＰＤＣＣＨ）送信または媒体アクセス制御（ＭＡＣ）の制御要素（ＣＥ）の１つまたは複数を含み得る。ＷＴＲＵは、物理レイヤのシグナリングまたはレイヤ２のシグナリングの１つまたは複数において受信されたインデックスに基づいて、複数のＲＲＭ構成のいずれを適用するかを決定することができる。複数のＲＲＭ構成の少なくとも１つのＲＲＭ構成は、物理レイヤ構成、チャネル品質インジケーション（ＣＱＩ）を報告する構成（以下、チャネル品質インジケーション報告構成）、またはＭＡＣ構成の１つまたは複数を含み得る。
【０００８】
例では、制御プレーンは、サービングサイトにわたって分散されてよく、サービングサイトの間で調整されてよく、かつ／または１つまたは複数のサービングサイトに集約されてよい。たとえば、第１のサービングサイトと第２のサービングサイトの両方と関連付けられるネットワークＲＲＣエンティティが、第２のサービングサイトに位置され得る。第１のサービングサイトにおけるＲＲＣエンティティで終端される１つまたは複数のシグナリング無線ベアラは、第２のサービングサイトを介してＷＴＲＵに送信され得る。たとえば、第２のサービングサイトを介してＷＴＲＵに送信される、第１のサービングサイトにおけるＲＲＣエンティティで終端される１つまたは複数のシグナリング無線ベアラは、ＷＴＲＵと第２のサービングサイトとの間の無線リソースを管理するための制御情報と関連付けられ得る。ＷＴＲＵは、第２のサービングサイトと関連付けられる少なくとも１つの、または１つまたは複数のセルの１つまたは複数の測定を実行することができる。ＷＴＲＵは、１つまたは複数の測定を第１のサービングサイトに報告することができる。
【０００９】
ＷＴＲＵは、半分調整された方式で、かつ／または独立の方式で、第１のサービングサイトおよび／または第２のサービングサイトと関連付けられる送信のためのセキュリティを扱うことができる。たとえば、第１のサービングサイトと第２のサービングサイトの各々が、ＷＴＲＵのための独立したパケットデータコンバージェンスプロトコル（ＰＤＣＰ）インスタンスと関連付けられ得る。ＷＴＲＵは、第１のサービングサイトと関連付けられる第１のＰＤＣＰインスタンスと第２のサービングサイトと関連付けられる第２のＰＤＣＰインスタンスのいずれかに送信されるべきＰＤＣＰパケットを暗号化するために、同じセキュリティ鍵を利用するように構成され得る。たとえば、ＷＴＲＵは、第１のサービングサイトと関連付けられる第１のＰＤＣＰインスタンスと第２のサービングサイトと関連付けられる第２のＰＤＣＰインスタンスの各々に対して、異なるＢＥＡＲＥＲパラメータを使用するように構成され得る。たとえば、第２のサービングサイトにおける第２のＰＤＣＰエンティティへの送信を暗号化するために使用されるそれぞれのＢＥＡＲＥＲパラメータは、第２のサービングサイトと関連付けられるレイヤの識別情報に基づいて決定され得る。
【００１０】
ＷＴＲＵは、制御プレーンおよび／またはデータプレーンのために２つ以上のセットのプロトコルスタックを実装することができる。たとえば、ＷＴＲＵは、第１のサービングサイトと関連付けられるセルにアクセスするように構成される第１の媒体アクセス制御（ＭＡＣ）インスタンスと、第２のサービングサイトと関連付けられるセルにアクセスするように構成される第２のＭＡＣインスタンスとを含み得る。ＷＴＲＵは、第１のＭＡＣインスタンスまたは第２のＭＡＣインスタンスのいずれかを使用して、少なくとも１つの論理チャネルと関連付けられるデータ構成され得る。ＷＴＲＵは、第２のサービングサイトへの接続をアクティブ化したことに基づいて、第１のサービングサイトと関連付けられる少なくとも１つのベアラを非アクティブ化するように構成され得る。ＷＴＲＵは、第２のサービングサイトと関連付けられる少なくとも１つのセルを測定し、測定に基づいて少なくとも１つのセルを自律的にアクティブ化することを決定するように構成され得る。ＲＲＣ再構成メッセージは、少なくとも１つのセルのための事前構成を含んでよく、ＷＴＲＵは、ランダムアクセスチャネル（ＲＡＣＨ）の手順を使用して、少なくとも１つのセルを自律的にアクティブ化するように構成され得る。
【００１１】
ＷＴＲＵのためのＲＲＣ接続は、ＷＴＲＵとネットワークとの間に１つまたは複数のＳＲＢを確立し得るので、確立されたＳＲＢの各々が、第１の無線インターフェースおよび第２の無線インターフェースの少なくとも１つに割り当てられ得る。受信された／送信されたＲＲＣ  ＰＤＵは、１つまたは複数のＳＲＢの１つと関連付けられ得る。ＲＲＣ  ＰＤＵは、その関連付けられるＳＲＢとは関係なく、第１の無線インターフェースまたは第２の無線インターフェースのいずれかを通じて受信され得る。ＲＲＣ接続は、ネットワークによって制御され得る。ＷＴＲＵは、ＷＴＲＵがマルチスケジューリング動作をサポートすることを示す指示を、ネットワークに送信することができる。
【図面の簡単な説明】
【００１２】
【図１Ａ】１つまたは複数の開示される実施形態が実装され得る例示的な通信のシステム図である。
【図１Ｂ】図１Ａに示される通信システム内で使用され得る例示的なワイヤレス送信／受信ユニット（ＷＴＲＵ）のシステム図である。
【図１Ｃ】図１Ａに示される通信システム内で使用され得る例示的な無線アクセスネットワークおよび例示的なコアネットワークのシステム図である。
【図１Ｄ】図１Ａに示される通信システム内で使用され得る別の例示的な無線アクセスネットワークおよび別の例示的なコアネットワークのシステム図である。
【図１Ｅ】図１Ａに示される通信システム内で使用され得る別の例示的な無線アクセスネットワークおよび別の例示的なコアネットワークのシステム図である。
【図２Ａ】マルチスケジューラのアーキテクチャを実装し得る例示的な参照アーキテクチャを示す図である。
【図２Ｂ】マルチスケジューラのアーキテクチャを実装し得る別の例示的な参照アーキテクチャを示す図である。
【図３】集約された制御プレーンの例示的な実装を示す図である。
【図４】集約された制御プレーンの別の例示的な実装を示す図である。
【図５】ＲＲＣインスタンスがネットワーク側のＭｅＮＢで終端されるときにＭｅＮＢを含むデータ経路を介して交換される、ＳＲＢのための例示的な制御プレーンのプロトコルスタックを示す図である。
【図６】ＲＲＣインスタンスがネットワーク側のＭｅＮＢで終端されるときにＳＣｅＮＢを含むデータ経路を介して交換される、ＳＲＢのための例示的な制御プレーンのプロトコルスタックを示す図である。
【図７】第１のＲＲＣインスタンスが第１のサービングサイトで終端され第２のＲＲＣインスタンスが第２のサービングサイトで終端される、調整された制御プレーンのための例示的な制御プレーンのプロトコルスタックを示す図である。
【図８】ＲＲＣインスタンスがネットワーク側の第１のサービングサイトで終端されるときに第１のサービングサイトを含むデータ経路を介して交換される、ＳＲＢのための例示的な制御プレーンのプロトコルスタックを示す図である。
【図９】ＲＲＣインスタンスがネットワーク側の第２のサービングサイトで終端されるときに第２のサービングサイトを含むデータ経路を介して交換される、ＳＲＢのための例示的な制御プレーンのプロトコルスタックを示す図である。
【図１０】ＲＲＣインスタンスが第１のサービングサイトで終端される、分散された制御プレーンのための例示的な制御プレーンのプロトコルスタックを示す図である。
【図１１】第１のサービングサイトで終端されるＲＲＣインスタンスのＳＲ０、ＳＲ１、およびＳＲ２のための分散された手法を備える制御プレーンのプロトコルスタックの例を示す図である。
【図１２】第２のサービングサイトと関連付けられるＳＲＢのための分散された手法を備える制御プレーンのプロトコルスタックの例を示す図である。
【図１３】データ経路がネットワークの中のＰＤＣＰレイヤの上で分割されるときのユーザプレーンのデータ経路のために使用され得る例示的なプロトコルスタックを示す図である。
【図１４】ＳＲＢが単一のＳＡＰと関連付けられ得る、かつ、データ経路が集約された制御プレーンを使用してネットワークの中のＰＤＣＰレイヤの上で分割される、例示的なプロトコルスタックを示す図である。
【図１５】複数のＤＲＢ  ＳＡＰが利用される、ユーザプレーンのためのＰＤＣＰレイヤの上で分割されるデータ経路の例を示す図である。
【図１６】ＳＲＢが複数のＳＡＰと関連付けられ得る、かつ、データ経路が集約された制御プレーンを使用してネットワークの中のＰＤＣＰレイヤの上で分割される、例示的なプロトコルスタックを示す図である。
【図１７】ユーザプレーンのプロトコルスタックの例を示す図である。
【図１８】ユーザプレーンのプロトコルスタックの例を示す図である。
【図１９】ＰＤＣＰ  ＰＤＵが複数のデータ経路を通じて転送され得る、ＲＬＣの上で分割されるデータ経路の例示的な制御プレーンのプロトコルスタックを示す図である。
【図２０】データ分割がＰＤＣＰレイヤの下で（たとえば、ＲＬＣレイヤの上で）起こるときの二次レイヤと関連付けられるデータ経路の例を示す図である。
【図２１】データ経路がＭＡＣレイヤの上で分割される場合に利用され得る例示的な制御プレーンのプロトコルスタックを示す図である。
【図２２】データ経路がＭＡＣレイヤの上で分割される場合に利用され得る例示的なユーザプレーンのプロトコルスタックを示す図である。
【図２３】分離されたＵＬ送信方式を実装し得る、アップリンクの複数サイトでの動作のための例示的なレイヤ２構造を示す図である。
【図２４】分割されたＲＬＣ送信方式が利用される、アップリンクの複数サイトでの動作のための例示的なレイヤ２構造を示す図である。
【図２５】所与の論理チャネルのためのデータが複数のトランスポートチャネルにマッピングされ得る、かつ、トランスポートチャネルが複数の異なるサービングサイトと関連付けられ得る、例示的なレイヤ２構造を示す図である。
【図２６】分離されたＤＬ送信方式のために使用され得るダウンリンクの複数サイトでの動作のためのレイヤ２構造の例を示す図である。
【図２７】分割されたＲＬＣ  ＤＬ送信方式のために使用され得るダウンリンクの複数サイトでの動作のためのレイヤ２構造の例を示す図である。
【図２８】所与の論理チャネルのためのダウンリンクデータが複数のトランスポートチャネルにマッピングされ得る、かつ、トランスポートチャネルが異なる複数のサービングサイトと関連付けられ得る、例示的なレイヤ２構造を示す図である。
【発明を実施するための形態】
【００１３】
説明のための実施形態の詳細な説明が、ここで、様々な図面を参照して説明される。この説明は可能な実装の詳細な例を提供するが、詳細は例示的であることが意図され、本出願の範囲を何ら限定することは意図されていないことに留意されたい。
【００１４】
図１Ａは、１つまたは複数の開示された実施形態が実装され得る、例示的な通信システム１００の図である。通信システム１００は、音声、データ、ビデオ、メッセージング、ブロードキャストなどのようなコンテンツを複数のワイヤレスユーザに提供する、多元接続システムであり得る。通信システム１００は、複数のワイヤレスユーザが、ワイヤレス帯域幅を含むシステムリソースの共有を通じてそのようなコンテンツにアクセスすることを可能にし得る。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および同様のもののような、１つまたは複数のチャネルアクセス方法を利用し得る。
【００１５】
図１Ａに示されるように、通信システム１００は、ワイヤレス送信／受信ユニット（ＷＴＲＵ）１０２ａ、１０２ｂ、１０２ｃ、および／または１０２ｄ（これらは全般にまたはまとめてＷＴＲＵ  １０２と呼ばれ得る）、無線アクセスネットワーク（ＲＡＮ）１０３／１０４／１０５、コアネットワーク１０６／１０７／１０９、公衆交換電話網（ＰＳＴＮ）１０８、インターネット１１０、および他のネットワーク１１２を含み得るが、開示される実施形態は、任意の数のＷＴＲＵ、基地局、ネットワーク、および／またはネットワーク要素を企図することが了解されるだろう。ＷＴＲＵ  １０２ａ、１０２ｂ、１０２ｃ、１０２ｄの各々は、ワイヤレス環境で動作および／または通信するように構成される任意のタイプのデバイスであり得る。例として、ＷＴＲＵ  １０２ａ、１０２ｂ、１０２ｃ、１０２ｄは、ワイヤレス信号を送信および／または受信するように構成されてよく、ユーザ機器（ＵＥ）、移動局、固定されたまたは移動式の加入者ユニット、ページャ、携帯電話、携帯情報端末（ＰＤＡ）、スマートフォン、ラップトップ、ネットブック、パーソナルコンピュータ、ワイヤレスセンサ、家電機器、および同様のものを含み得る。
【００１６】
通信システム１００はまた、基地局１１４ａおよび基地局１１４ｂを含み得る。基地局１１４ａ、１１４ｂの各々は、ＷＴＲＵ  １０２ａ、１０２ｂ、１０２ｃ、１０２ｄの少なくとも１つとワイヤレスにインターフェースして、コアネットワーク１０６／１０７／１０９、インターネット１１０、および／またはネットワーク１１２のような１つまたは複数の通信ネットワークへのアクセスを容易にするように構成される、任意のタイプのデバイスであり得る。例として、基地局１１４ａ、１１４ｂは、ベース送受信機局（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、ワイヤレスルータ、および同様のものであり得る。基地局１１４ａ、１１４ｂは各々単一の要素として図示されるが、基地局１１４ａ、１１４ｂは、任意の数の相互接続された基地局および／またはネットワーク要素を含み得ることが了解されるだろう。
【００１７】
基地局１１４ａは、ＲＡＮ  １０３／１０４／１０５の一部であってよく、これらはまた、基地局コントローラ（ＢＳＣ）、無線ネットワークコントローラ（ＲＮＣ）、中継ノードなどのような、他の基地局および／またはネットワーク要素（図示されず）を含み得る。基地局１１４ａおよび／または基地局１１４ｂは、セル（図示されず）とも呼ばれ得る、特定の地理的な領域の中でワイヤレス信号を送信および／または受信するように構成され得る。セルはさらに、セルセクタに分割され得る。たとえば、基地局１１４ａと関連付けられるセルは、３つのセクタに分割され得る。したがって、一実施形態では、基地局１１４ａは、３つの送受信機を、すなわち、セルの各セクタに対して１つずつの送受信機を含み得る。別の実施形態では、基地局１１４ａは、多入力多出力（ＭＩＭＯ）技術を利用することができ、したがって、セルの各セクタのために複数の送受信機を利用することができる。
【００１８】
基地局１１４ａ、１１４ｂは、任意の適切なワイヤレス通信リンク（たとえば、高周波（ＲＦ）、マイクロ波、赤外線（ＩＲ）、紫外線（ＵＶ）、可視光など）であり得る、エアインターフェース１１５／１１６／１１７を通じて、ＷＴＲＵ  １０２ａ、１０２ｂ、１０２ｃ、１０２ｄの１つまたは複数と通信することができる。エアインターフェース１１５／１１６／１１７は、任意の適切な無線アクセス技術（ＲＡＴ）を使用して確立され得る。
【００１９】
より具体的には、上で述べられたように、通信システム１００は、多元接続システムであってよく、ＣＤＭＡ、ＴＤＭＡ、ＦＤＭＡ、ＯＦＤＭＡ、ＳＣ−ＦＤＭＡ、および同様のもののような、１つまたは複数のチャネルアクセス方式を利用することができる。たとえば、ＲＡＮ  １０３／１０４／１０５の中の基地局１１４ａおよびＷＴＲＵ  １０２ａ、１０２ｂ、１０２ｃは、広帯域ＣＤＭＡ（ＷＣＤＭＡ）を使用してエアインターフェース１１５／１１６／１１７を確立し得る、ユニバーサル移動体通信システム（ＵＭＴＳ）地上無線アクセス（ＵＴＲＡ）のような無線技術を実装することができる。ＷＣＤＭＡは、高速パケットアクセス（ＨＳＰＡ）および／または進化型ＨＳＰＡ（Evolved HSPA）（ＨＳＰＡ＋）のような通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００２０】
別の実施形態では、基地局１１４ａおよびＷＴＲＵ  １０２ａ、１０２ｂ、１０２ｃは、ロングタームエボリューション（ＬＴＥ）および／またはＬＴＥ−Ａｄｖａｎｃｅｄ（ＬＴＥ−Ａ）を使用してエアインターフェース１１５／１１６／１１７を確立することができる、進化型ＵＭＴＳ地上無線アクセス（Evolved UMTS Terrestrial Radio Access）（Ｅ−ＵＴＲＡ）のような無線技術を実装することができる。
【００２１】
他の実施形態では、基地局１１４ａおよびＷＴＲＵ  １０２ａ、１０２ｂ、１０２ｃは、ＩＥＥＥ  ８０２．１６（すなわち、ワールドワイドインターオペラビリティフォアマイクロウェーブアクセス（Worldwide Interoperability for Microwave Access）（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、汎欧州デジタル移動通信方式（ＧＳＭ（登録商標））、エンハンストデータレートフォアＧＳＭエボリューション（Enhanced Data rates for GSM Evolution）（ＥＤＧＥ）、ＧＳＭ  ＥＤＧＥ（ＧＥＲＡＮ）、および同様のもののような、無線技術を実装することができる。
【００２２】
図１Ａの基地局１１４ｂは、ワイヤレスルータ、ホームＮｏｄｅ  Ｂ、ホームｅＮｏｄｅ  Ｂ、またはアクセスポイントであってよく、たとえば、事業所、家庭、車両、キャンパス、および同様のもののような、限局された領域におけるワイヤレス接続を容易にするための、任意の適切なＲＡＴを利用することができる。一実施形態では、基地局１１４ｂおよびＷＴＲＵ  １０２ｃ、１０２ｄは、ＩＥＥＥ  ８０２．１１（たとえば、８０２．１１ａｃ、８０２．１１ａｆ、および同様のもの）のような無線技術を実装して、ワイヤレスローカルエリアネットワーク（ＷＬＡＮ）を確立することができる。別の実施形態では、基地局１１４ｂおよびＷＴＲＵ  １０２ｃ、１０２ｄは、ＩＥＥＥ  ８０２．１５のような無線技術を実装して、ワイヤレスパーソナルエリアネットワーク（ＷＰＡＮ）を確立することができる。さらに別の実施形態では、基地局１１４ｂおよびＷＴＲＵ  １０２ｃ、１０２ｄは、セルラーベースのＲＡＴ（たとえば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接接続を有し得る。したがって、基地局１１４ｂは、コアネットワーク１０６／１０７／１０９を介してインターネット１１０にアクセスすることを要求されないことがある。
【００２３】
ＲＡＮ  １０３／１０４／１０５は、コアネットワーク１０６／１０７／１０９と通信していてよく、これらは、音声、データ、アプリケーション、および／またはボイスオーバーインターネットプロトコル（voice over internet protocol）（ＶｏＩＰ）サービスをＷＴＲＵ  １０２ａ、１０２ｂ、１０２ｃ、１０２ｄの１つまたは複数に提供するように構成される任意のタイプのネットワークであり得る。たとえば、コアネットワーク１０６／１０７／１０９は、呼制御、請求書作成サービス、モバイルの位置に基づくサービス、プリペイド通話、インターネット接続、ビデオ配信などを提供し、かつ／または、ユーザ認証のような高レベルのセキュリティ機能を実行することができる。図１Ａには示されないが、ＲＡＮ  １０３／１０４／１０５および／またはコアネットワーク１０６／１０７／１０９は、ＲＡＮ  １０３／１０４／１０５と同じＲＡＴまたは異なるＲＡＴを利用する他のＲＡＮと、直接的または間接的な通信状態にあることが了解されるだろう。たとえば、Ｅ−ＵＴＲＡ無線技術を利用している可能性があるＲＡＮ  １０３／１０４／１０５に接続されることに加えて、コアネットワーク１０６／１０７／１０９はまた、ＧＳＭ無線技術を利用する別のＲＡＮ（図示されず）と通信状態にあってもよい。
【００２４】
コアネットワーク１０６／１０７／１０９はまた、ＰＳＴＮ  １０８、インターネット１１０、および／または他のネットワーク１１２にアクセスするための、ＷＴＲＵ  １０２ａ、１０２ｂ、１０２ｃ、１０２ｄのためのゲートウェイとして機能し得る。ＰＳＴＮ  １０８は、従来型電話サービス（ＰＯＴＳ）を提供する回線交換電話網を含み得る。インターネット１１０は、ＴＣＰ／ＩＰインターネットプロトコルスイートの中の送信制御プロトコル（ＴＣＰ）、ユーザデータグラムプロトコル（ＵＤＰ）、およびインターネットプロトコル（ＩＰ）のような、共通の通信プロトコルを使用する、相互接続されたコンピュータネットワークおよびデバイスの世界的なシステムを含み得る。ネットワーク１１２は、他のサービス提供者によって所有および／または運営される、有線のまたはワイヤレスの通信ネットワークを含み得る。たとえば、ネットワーク１１２は、ＲＡＮ  １０３／１０４／１０５と同じＲＡＴまたは異なるＲＡＴを利用し得る、１つまたは複数のＲＡＮに接続される別のコアネットワークを含み得る。
【００２５】
通信システム１００の中のＷＴＲＵ  １０２ａ、１０２ｂ、１０２ｃ、１０２ｄの一部またはすべてがマルチモード能力を含んでよく、すなわち、ＷＴＲＵ  １０２ａ、１０２ｂ、１０２ｃ、１０２ｄは、異なるワイヤレスリンクを通じて異なるワイヤレスネットワークと通信するための複数の送受信機を含み得る。たとえば、図１Ａに示されるＷＴＲＵ  １０２ｃは、セルラーベースの無線技術を利用し得る基地局１１４ａ、および、ＩＥＥＥ  ８０２無線技術を利用し得る基地局１１４ｂと通信するように構成され得る。
【００２６】
図１Ｂは、例示的なＷＴＲＵ  １０２のシステム図である。図１Ｂに示されるように、ＷＴＲＵ  １０２は、プロセッサ１１８、送受信機１２０、送信／受信要素１２２、スピーカー／マイクロフォン１２４、キーパッド１２６、ディスプレイ／タッチパッド１２８、取り外し不可能のメモリ１３０、取り外し可能のメモリ１３２、電源１３４、全地球測位システム（ＧＰＳ）チップセット１３６、および他の周辺機器１３８を含み得る。ＷＴＲＵ  １０２は、実施形態と矛盾しないままでありながら、前述の要素の任意の副次的な組合せを含み得ることが了解されるだろう。また、実施形態は、基地局１１４ａおよび１１４ｂ、ならびに／または、限定はされないが、とりわけ、送受信機局（ＢＴＳ）、Ｎｏｄｅ−Ｂ、サイトコントローラ、アクセスポイント（ＡＰ）、ホームｎｏｄｅ−Ｂ、進化型ホームｎｏｄｅ−Ｂ（ｅＮｏｄｅＢ）、ホーム進化型ｎｏｄｅ−Ｂ（ＨｅＮＢ）、ホーム進化型ｎｏｄｅ−Ｂゲートウェイ、およびプロキシノードのような、基地局１１４ａおよび１１４ｂが表し得るノードは、図１Ｂで図示され本明細書で説明される要素の一部またはすべてを含み得ることを企図している。
【００２７】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアと関連のある１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および同様のものであり得る。プロセッサ１１８は、信号の符号化、データ処理、電力制御、入力／出力の処理、および／または、ＷＴＲＵ  １０２がワイヤレス環境で動作することを可能にする任意の他の機能を実行することができる。プロセッサ１１８は、送受信機１２０に結合されてよく、送受信機１２０は、送信／受信要素１２２に結合されてよい。図１Ｂは、プロセッサ１１８および送受信機１２０を別々のコンポーネントとして図示するが、プロセッサ１１８および送受信機１２０は、電子パッケージまたはチップの中で一緒に統合されてよいことが了解されるだろう。
【００２８】
送信／受信要素１２２は、エアインターフェース１１５／１１６／１１７を通じて、基地局（たとえば、基地局１１４ａ）へ信号を送信し、または基地局から信号を受信するように構成され得る。たとえば、一実施形態では、送信／受信要素１２２は、ＲＦ信号を送信および／または受信するように構成されるアンテナであってよい。別の実施形態では、送信／受信要素１２２は、たとえば、ＩＲ、ＵＶ、または可視光の信号を送信および／または受信するように構成される、放出器／検出器であってよい。さらに別の実施形態では、送信／受信要素１２２は、ＲＦ信号と光信号の両方を送信および受信するように構成されてよい。送信／受信要素１２２は、ワイヤレス信号の任意の組合せを送信および／または受信するように構成されてよいことが、了解されるだろう。
【００２９】
加えて、送信／受信要素１２２は図１Ｂでは単一の要素として図示されるが、ＷＴＲＵ  １０２は、任意の数の送信／受信要素１２２を含み得る。より具体的には、ＷＴＲＵ  １０２は、ＭＩＭＯ技術を利用し得る。したがって、一実施形態では、ＷＴＲＵ  １０２は、エアインターフェース１１５／１１６／１１７を通じてワイヤレス信号を送信および受信するために、２つ以上の送信／受信要素１２２（たとえば、複数のアンテナ）を含み得る。
【００３０】
送受信機１２０は、送信／受信要素１２２によって送信されるべき信号を変調し、送信／受信要素１２２によって受信される信号を復調するように構成され得る。上で述べられたように、ＷＴＲＵ  １０２は、マルチモード能力を有し得る。したがって、送受信機１２０は、ＷＴＲＵ  １０２が、たとえばＵＴＲＡおよびＩＥＥＥ  ８０２．１１のような複数のＲＡＴを介して通信することを可能にするための、複数の送受信機を含み得る。
【００３１】
ＷＴＲＵ  １０２のプロセッサ１１８は、スピーカー／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）へ結合されてよく、それらからのユーザ入力データを受信することができる。プロセッサ１１８はまた、スピーカー／マイクロフォン１２４、キーパッド１２６、および／またはディスプレイ／タッチパッド１２８にユーザデータを出力することができる。加えて、プロセッサ１１８は、取り外し不可能のメモリ１３０および／または取り外し可能のメモリ１３２のような任意のタイプの適切なメモリからの情報にアクセスし、それらにデータを記憶することができる。取り外し不可能のメモリ１３０は、ランダムアクセスメモリ（ＲＡＭ）、読取り専用メモリ（ＲＯＭ）、ハードディスク、または任意の他のタイプのメモリ記憶デバイスを含み得る。取り外し可能のメモリ１３２は、加入者識別モジュール（ＳＩＭ）カード、メモリスティック、セキュアデジタル（ＳＤ）メモリカード、および同様のものを含み得る。他の実施形態では、プロセッサ１１８は、サーバまたは家庭のコンピュータ（図示されず）上のメモリのような、ＷＴＲＵ  １０２上に物理的に位置されていないメモリからの情報にアクセスし、それらにデータを記憶することができる。
【００３２】
プロセッサ１１８は、電源１３４から電力を受けとることができ、ＷＴＲＵ  １０２の中の他のコンポーネントに電力を分配し、かつ／またはそれらへの電力を制御するように構成され得る。電源１３４は、ＷＴＲＵ  １０２に電力供給するための任意の適切なデバイスであってよい。たとえば、電源１３４は、１つまたは複数の乾電池（たとえば、ニッケルカドミウム（ＮｉＣｄ）、ニッケル亜鉛（ＮｉＺｎ）、ニッケル金属水素（ＮｉＭＨ）、リチウムイオン（Ｌｉ−ｉｏｎ）など）、太陽電池、燃料電池、および同様のものを含み得る。
【００３３】
プロセッサ１１８はまた、ＷＴＲＵ  １０２の現在の位置に関する位置情報（たとえば、経度および緯度）を提供するように構成され得る、ＧＰＳチップセット１３６に結合され得る。ＧＰＳチップセット１３６からの情報に加えて、またはその代わりに、ＷＴＲＵ  １０２は、基地局（たとえば、基地局１１４ａ、１１４ｂ）からエアインターフェース１１５／１１６／１１７を通じて位置情報を受信し、かつ／または、２つ以上の近くの基地局から受信されている信号のタイミングに基づいてその位置を決定することができる。ＷＴＲＵ  １０２は、実施形態と矛盾しないままでありながら、任意の適切な位置決定の実装によって、位置情報を取得できることが了解されるだろう。
【００３４】
プロセッサ１１８はさらに、追加の特徴、機能、および／または、有線もしくはワイヤレスの接続を提供する、１つまたは複数のソフトウェアおよび／またはハードウェアモジュールを含み得る、他の周辺機器１３８に結合され得る。たとえば、周辺機器１３８は、加速度計、電子コンパス、衛星送受信機、デジタルカメラ（写真またはビデオのための）、ユニバーサルシリアルバス（ＵＳＢ）ポート、バイブレーションデバイス、テレビジョン送受信機、ハンズフリーヘッドセット、Ｂｌｕｅｔｏｏｔｈ（登録商標）モジュール、周波数変調（ＦＭ）無線ユニット、デジタル音楽プレーヤー、メディアプレーヤー、ビデオゲームプレーヤーモジュール、インターネットブラウザ、および同様のものを含み得る。
【００３５】
図１Ｃは、実施形態による、ＲＡＮ  １０３およびコアネットワーク１０６のシステム図である。上で述べられたように、ＲＡＮ  １０３は、ＵＴＲＡ無線技術を利用して、エアインターフェース１１５を通じてＷＴＲＵ  １０２ａ、１０２ｂ、１０２ｃと通信することができる。ＲＡＮ  １０３はまた、コアネットワーク１０６と通信していてよい、図１Ｃに示されるように、ＲＡＮ  １０３は、エアインターフェース１１５を通じてＷＴＲＵ  １０２ａ、１０２ｂ、１０２ｃと通信するための１つまたは複数の送受信機を各々含み得る、Ｎｏｄｅ−Ｂ  １４０ａ、１４０ｂ、１４０ｃを含み得る。Ｎｏｄｅ−Ｂ  １４０ａ、１４０ｂ、１４０ｃは、ＲＡＮ  １０３の中の特定のセル（図示されず）と各々関連付けられ得る。ＲＡＮ  １０３はまた、ＲＮＣ  １４２ａ、１４２ｂを含み得る。ＲＡＮ  １０３は、実施形態と矛盾しないままでありながら、任意の数のＮｏｄｅ−ＢおよびＲＮＣを含み得ることが了解されるだろう。
【００３６】
図１Ｃに示されるように、Ｎｏｄｅ−Ｂ  １４０ａ、１４０ｂは、ＲＮＣ  １４２ａと通信状態にあってよい。加えて、Ｎｏｄｅ−Ｂ  １４０ｃは、ＲＮＣ  １４２ｂと通信状態にあってよい。Ｎｏｄｅ−Ｂ  １４０ａ、１４０ｂ、１４０ｃは、Ｉｕｂインターフェースを介してそれぞれのＲＮＣ  １４２ａ、１４２ｂと通信し得る。ＲＮＣ  １４２ａ、１４２ｂは、Ｉｕｒインターフェースを介して互いに通信状態にあってよい。ＲＮＣ  １４２ａ、１４２ｂの各々は、それが接続されているそれぞれのＮｏｄｅ−Ｂ  １４０ａ、１４０ｂ、１４０ｃを制御するように構成され得る。加えて、ＲＮＣ  １４２ａ、１４２ｂの各々は、外側ループの電力制御、負荷制御、許可制御、パケットのスケジューリング、ハンドオーバー制御、マクロダイバーシティ、セキュリティ機能、データの暗号化、および同様のもののような、他の機能を実行またはサポートするように構成され得る。
【００３７】
図１Ｃに示されるコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。前述の要素の各々はコアネットワーク１０６の一部として図示されるが、これらの要素のいずれも、コアネットワークの運営者以外のエンティティによって所有および／または運営され得ることが了解されるだろう。
【００３８】
ＲＡＮ  １０３の中のＲＮＣ  １４２ａは、ＩｕＣＳインターフェースを介して、コアネットワーク１０６の中のＭＳＣ  １４６に接続され得る。ＭＳＣ  １４６は、ＭＧＷ  １４４に接続され得る。ＭＳＣ  １４６およびＭＧＷ  １４４は、ＰＳＴＮ  １０８のような回線交換ネットワークへのアクセスをＷＴＲＵ  １０２ａ、１０２ｂ、１０２ｃに提供して、ＷＴＲＵ  １０２ａ、１０２ｂ、１０２ｃと従来の固定回線の通信デバイスとの間の通信を容易にすることができる。
【００３９】
ＲＡＮ  １０３の中のＲＮＣ  １４２ａはまた、ＩｕＰＳインターフェースを介してコアネットワーク１０６の中のＳＧＳＮ  １４８に接続され得る。ＳＧＳＮ  １４８は、ＧＧＳＮ  １５０に接続され得る。ＳＧＳＮ  １４８およびＧＧＳＮ  １５０は、インターネット１１０のようなパケット交換ネットワークへのアクセスをＷＴＲＵ  １０２ａ、１０２ｂ、１０２ｃに提供して、ＷＴＲＵ  １０２ａ、１０２ｂ、１０２ｃとＩＰ対応デバイスとの間の通信を容易にすることができる。
【００４０】
上で述べられたように、コアネットワーク１０６はまた、他のサービス提供者によって所有および／または運営される、他の有線のまたはワイヤレスのネットワークを含み得る、ネットワーク１１２に接続され得る。
【００４１】
図１Ｄは、実施形態による、ＲＡＮ  １０４およびコアネットワーク１０７のシステム図である。上で述べられたように、ＲＡＮ  １０４は、Ｅ−ＵＴＲＡ無線技術を利用して、エアインターフェース１１６を通じてＷＴＲＵ  １０２ａ、１０２ｂ、１０２ｃと通信することができる。ＲＡＮ  １０４はまた、コアネットワーク１０７と通信状態にあってよい。
【００４２】
ＲＡＮ  １０４は、ｅＮｏｄｅ−Ｂ  １６０ａ、１６０ｂ、１６０ｃを含み得るが、ＲＡＮ  １０４は、実施形態と矛盾しないままでありながら、任意の数のｅＮｏｄｅ−Ｂを含み得ることが了解されるだろう。ｅＮｏｄｅ−Ｂ  １６０ａ、１６０ｂ、１６０ｃは各々、エアインターフェース１１６を通じてＷＴＲＵ  １０２ａ、１０２ｂ、１０２ｃと通信するための１つまたは複数の送受信機を含み得る。一実施形態では、ｅＮｏｄｅ−Ｂ  １６０ａ、１６０ｂ、１６０ｃは、ＭＩＭＯ技術を実装することができる。したがって、ｅＮｏｄｅ−Ｂ  １６０ａは、たとえば、複数のアンテナを使用して、ＷＴＲＵ  １０２ａへワイヤレス信号を送信し、ＷＴＲＵ  １０２ａからワイヤレス信号を受信することができる。
【００４３】
ｅＮｏｄｅ−Ｂ  １６０ａ、１６０ｂ、１６０ｃの各々は、特定のセル（図示されず）と関連付けらてよく、無線リソース管理の判断、ハンドオーバーの判断、アップリンクおよび／またはダウンリンクにおけるユーザのスケジューリング、および同様のものを扱うように構成されてよい。図１Ｄに示されるように、ｅＮｏｄｅ−Ｂ  １６０ａ、１６０ｂ、１６０ｃは、Ｘ２インターフェースを通じて互いに通信することができる。
【００４４】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含み得る。前述の要素の各々は、コアネットワーク１０７の一部として図示されるが、これらの要素のいずれも、コアネットワークの運営者以外のエンティティによって所有および／または運営され得ることが了解されるだろう。
【００４５】
ＭＭＥ  １６２は、Ｓ１インターフェースを介してＲＡＮ  １０４の中のｅＮｏｄｅ−Ｂ  １６０ａ、１６０ｂ、１６０ｃの各々に接続されてよく、制御ノードとして機能し得る。たとえば、ＭＭＥ  １６２は、ＷＴＲＵ  １０２ａ、１０２ｂ、１０２ｃのユーザを認証すること、ベアラのアクティブ化／非アクティブ化、ＷＴＲＵ  １０２ａ、１０２ｂ、１０２ｃの最初の接続の間に特定のサービングゲートウェイを選択すること、および同様のことを担い得る。ＭＭＥ  １６２はまた、ＲＡＮ  １０４と、ＧＳＭまたはＷＣＤＭＡのような他の無線技術を利用する他のＲＡＮ（図示されず）とを切り替えるための、制御プレーン機能を提供することができる。
【００４６】
サービングゲートウェイ１６４は、Ｓ１インターフェースを介して、ＲＡＮ  １０４の中のｅＮｏｄｅ−Ｂ  １６０ａ、１６０ｂ、１６０ｃの各々に接続され得る。サービングゲートウェイ１６４は一般に、ＷＴＲＵ  １０２ａ、１０２ｂ、１０２ｃへ／から、ユーザデータパケットをルーティングし、転送することができる。サービングゲートウェイ１６４はまた、ｅＮｏｄｅＢ間のハンドオーバーの間にユーザプレーンを固定すること、ダウンリンクデータがＷＴＲＵ  １０２ａ、１０２ｂ、１０２ｃに対して利用可能であるときに呼出しをトリガすること、ＷＴＲＵ  １０２ａ、１０２ｂ、１０２ｃのコンテキストを管理し記憶すること、および同様のことのような、他の機能を実行することができる。
【００４７】
サービングゲートウェイ１６４はまた、ＰＤＮゲートウェイ１６６に接続されてよく、ＰＤＮゲートウェイ１６６は、インターネット１１０のようなパケット交換ネットワークへのアクセスをＷＴＲＵ  １０２ａ、１０２ｂ、１０２ｃに提供して、ＷＴＲＵ  １０２ａ、１０２ｂ、１０２ｃとＩＰ対応デバイスとの間の通信を容易にすることができる。
【００４８】
コアネットワーク１０７は、他のネットワークとの通信を容易にすることができる。たとえば、コアネットワーク１０７は、ＰＳＴＮ  １０８のような回線交換ネットワークへのアクセスをＷＴＲＵ  １０２ａ、１０２ｂ、１０２ｃに提供して、ＷＴＲＵ  １０２ａ、１０２ｂ、１０２ｃと従来の固定回線の通信デバイスとの間の通信を容易にすることができる。たとえば、コアネットワーク１０７は、コアネットワーク１０７とＰＳＴＮ  １０８との間のインターフェースとして機能するＩＰゲートウェイ（たとえば、ＩＰマルチメディアサブシステム（ＩＭＳ）サーバ）を含んでよく、またはそれと通信してよい。加えて、コアネットワーク１０７は、他のサービス提供者によって所有および／または運営される他の有線のまたはワイヤレスのネットワークを含み得る、ネットワーク１１２へのアクセスをＷＴＲＵ  １０２ａ、１０２ｂ、１０２ｃに提供することができる。
【００４９】
図１Ｅは、実施形態による、ＲＡＮ  １０５およびコアネットワーク１０９のシステム図である。ＲＡＮ  １０５は、ＩＥＥＥ  ８０２．１６無線技術を利用してエアインターフェース１１７を通じてＷＴＲＵ  １０２ａ、１０２ｂ、１０２ｃと通信する、アクセスサービスネットワーク（ＡＳＮ）であり得る。以下でさらに論じられるように、ＷＴＲＵ  １０２ａ、１０２ｂ、１０２ｃ、ＲＡＮ  １０５、およびコアネットワーク１０９の異なる機能エンティティの間の通信リンクが、参照点として定義され得る。
【００５０】
図１Ｅに示されるように、ＲＡＮ  １０５は、基地局１８０ａ、１８０ｂ、１８０ｃ、およびＡＳＮゲートウェイ１８２を含み得るが、ＲＡＮ  １０５は、実施形態と矛盾しないままでありながら、任意の数の基地局およびＡＳＮゲートウェイを含み得ることが了解されるだろう。基地局１８０ａ、１８０ｂ、１８０ｃは、ＲＡＮ  １０５の中の特定のセル（図示されず）と各々関連付けられてよく、エアインターフェース１１７を通じてＷＴＲＵ  １０２ａ、１０２ｂ、１０２ｃと通信するための１つまたは複数の送受信機を各々含み得る。一実施形態では、基地局１８０ａ、１８０ｂ、１８０ｃは、ＭＩＭＯ技術を実装することができる。したがって、基地局１８０ａは、たとえば、複数のアンテナを使用して、ＷＴＲＵ  １０２ａにワイヤレス信号を送信し、ＷＴＲＵ  １０２ａからワイヤレス信号を受信することができる。基地局１８０ａ、１８０ｂ、１８０ｃはまた、ハンドオフをトリガすること、トンネルの確立、無線リソース管理、トラフィックの分類、サービス品質（ＱｏＳ）ポリシーの施行、および同様のもののような、モビリティ管理機能を提供することができる。ＡＳＮゲートウェイ１８２は、トラフィックの集合点として機能することができ、呼出し、加入者プロファイルのキャッシング、コアネットワーク１０９へのルーティング、および同様のことを担い得る。
【００５１】
ＷＴＲＵ  １０２ａと、１０２ｂと、１０２ｃと、ＲＡＮ  １０５との間のエアインターフェース１１７は、ＩＥＥＥ  ８０２．１６仕様を実装するＲ１参照点として定義され得る。加えて、ＷＴＲＵ  １０２ａ、１０２ｂ、１０２ｃの各々が、コアネットワーク１０９との論理インターフェース（図示されず）を確立することができる。ＷＴＲＵ  １０２ａと、１０２ｂと、１０２ｃと、コアネットワーク１０９との間の論理インターフェースは、認証、認可、ＩＰホスト構成の管理、および／またはモビリティ管理のために使用され得る、Ｒ２参照点として定義され得る。
【００５２】
基地局１８０ａ、１８０ｂ、１８０ｃの各々の間の通信リンクは、ＷＴＲＵのハンドオーバーおよび基地局間のデータの転送を容易にするためのプロトコルを含む、Ｒ８参照点として定義され得る。基地局１８０ａと、１８０ｂと、１８０ｃと、ＡＳＮゲートウェイ１８２との間の通信リンクは、Ｒ６参照点として定義され得る。Ｒ６参照点は、ＷＴＲＵ  １０２ａ、１０２ｂ、１０２ｃの各々と関連付けられるモビリティイベントに基づくモビリティ管理を容易にするためのプロトコルを含み得る。
【００５３】
図１Ｅに示されるように、ＲＡＮ  １０５はコアネットワーク１０９に接続され得る。ＲＡＮ  １０５とコアネットワーク１０９との間の通信リンクは、たとえば、データ転送およびモビリティ管理能力を容易にするためのプロトコルを含むＲ３参照点として定義され得る。コアネットワーク１０９は、モバイルＩＰホームエージェント（ＭＩＰ−ＨＡ）１８４、認証、許可、アカウンティング（ＡＡＡ）サーバ１８６、およびゲートウェイ１８８を含み得る。前述の要素の各々はコアネットワーク１０９の一部として図示されるが、これらの要素のいずれも、コアネットワークの運営者以外のエンティティによって所有および／または運営され得ることが了解されるだろう。
【００５４】
ＭＩＰ−ＨＡは、ＩＰアドレス管理を担ってよく、ＷＴＲＵ  １０２ａ、１０２ｂ、１０２ｃが、様々なＡＳＮおよび／または様々なコアネットワークの間をローミングすることを可能にし得る。ＭＩＰ−ＨＡ  １８４は、インターネット１１０のようなパケット交換ネットワークへのアクセスをＷＴＲＵ  １０２ａ、１０２ｂ、１０２ｃに提供して、ＷＴＲＵ  １０２ａと、１０２ｂと、１０２ｃと、ＩＰ対応デバイスとの間の通信を容易にすることができる。ＡＡＡサーバ１８６は、ユーザ認証およびユーザサービスのサポートを担い得る。ゲートウェイ１８８は、他のネットワークとの連携動作を容易にすることができる。たとえば、ゲートウェイ１８８は、ＰＳＴＮ  １０８のような回線交換ネットワークへのアクセスをＷＴＲＵ  １０２ａ、１０２ｂ、１０２ｃに提供して、ＷＴＲＵ  １０２ａ、１０２ｂ、１０２ｃと従来の固定回線の通信デバイスとの間の通信を容易にすることができる。加えて、ゲートウェイ１８８は、他のサービス提供者によって所有および／または運営される他の有線のまたはワイヤレスのネットワークを含み得る、ネットワーク１１２へのアクセスをＷＴＲＵ  １０２ａ、１０２ｂ、１０２ｃに提供することができる。
【００５５】
図１Ｅには示されないが、ＲＡＮ  １０５は他のＡＳＮに接続されてよく、コアネットワーク１０９は他のコアネットワークに接続されてよいことが了解されるだろう。ＲＡＮ  １０５と他のＡＳＮとの間の通信リンクは、ＲＡＮ  １０５と他のＡＳＮとの間でＷＴＲＵ  １０２ａ、１０２ｂ、１０２ｃのモビリティを調整するためのプロトコルを含み得る、Ｒ４参照点として定義され得る。コアネットワーク１０９と他のコアネットワークとの間の通信リンクは、ホームコアネットワークと訪問されるコアネットワークとの連携動作を容易にするためのプロトコルを含み得る、Ｒ５参照として定義され得る。
【００５６】
マルチノードスケジューリングを利用するためのシステムおよび方法が開示され、この方法によって、ＷＴＲＵは、１つよりも多くのデータ経路を使用してワイヤレス通信ネットワークを通じてデータを交換することができる。たとえば、異なるエアインターフェースの送信／受信点は、データ経路の各々と関連付けられ得る（たとえば、各データ経路は、異なるネットワークノードと関連付けられる無線インターフェースを使用し得る）。異なるデータ経路と関連付けられる異なる送信／受信点は、それらのそれぞれのデータ経路を通じてＷＴＲＵ送信を独立にスケジューリングすることができる。言い換えると、第１のスケジューラは、第１のデータ経路を通じてＷＴＲＵへ／からの送信をスケジューリングすることができ、第２のスケジューラは、第２のデータ経路を通じてＷＴＲＵへ／からの送信をスケジューリングすることができる。ネットワークの中の異なる送信／受信点は、互いに通信していてよいが、異なる送信／受信点の間のデータリンクは、比較的高いレイテンシと関連付けられ得る。したがって、異なる送信／受信点が調整された方式でデータ経路を通じた送信をスケジューリングすることは、困難または非現実的であり得る。したがって、各送信／受信点は、それぞれの送信経路を通じて送信および／または受信するように、ＷＴＲＵを独立にスケジューリングし得る。そのような送信／受信点は、サービングサイトと呼ばれ得る。
【００５７】
本明細書で説明される例は、進化型ユニバーサル地上無線アクセスネットワーク（evolved universal terrestrial radio access network）（Ｅ−ＵＴＲＡＮ）において実装される例に関して説明され得る。しかしながら、本明細書で開示される方法およびシステムは、他のネットワークアーキテクチャに適用可能であってよく、かつ／または他のネットワークノードによって使用されてよい。ＷＴＲＵのためにサービングサイトに送信される（またはそれから受信される）データは、コアネットワーク（たとえば、サービングゲートウェイ（Ｓ−ＧＷ））に提供され得る（またはそれから渡され得る）。サービングサイトは、所与の無線ベアラに対して１つまたは複数のレイヤ２のプロトコル（たとえば、ＭＡＣ、ＲＬＣ、および／またはＰＤＣＰ）をサポートすることができる。
【００５８】
たとえば、ＷＴＲＵは、ＷＴＲＵとワイヤレス通信ネットワークとの間の無線リソース制御（ＲＲＣ）接続を確立することができる。ＲＲＣ接続は、ＷＴＲＵとネットワークの第１のノードとの間の第１の無線インターフェース、および、ＷＴＲＵとネットワークの第２のノードとの間の第２の無線インターフェースを確立または構成することができる。第１のノードはマクロｅＮｏｄｅＢ（ＭｅＮＢ）であってよく、第２のノードはスモールセルｅＮｏｄｅＢ（ＳＣｅＮＢ）であってよい。例では、ＲＲＣ接続がＷＴＲＵとＭｅＮＢとの間で確立されてよく、制御機能がＷＴＲＵとＳＣｅＮＢとの間で確立されてよい。ＷＴＲＵは、第１の無線インターフェースおよび／または第２の無線インターフェースを通じてネットワークからデータを受信することができる。本明細書で説明される例は、ＭｅＮＢと関連付けられる第１のデータ経路（たとえば、第１のレイヤ、一次データ経路、一次レイヤなどとも呼ばれ得る）および第２のデータ経路（たとえば、第２のレイヤ、二次データ経路、二次レイヤなどとも呼ばれ得る）を利用する動作に関して説明され得るが、本明細書で説明される方法およびシステムは、独立にスケジューリングされる他のネットワーク送信／受信点（たとえば、２つよりも多くの独立にスケジューリングされるｅＮＢ、２つよりも多くの独立にスケジューリングされるＮＢ、２つよりも多くの独立にスケジューリングされるＲＡＮアクセスノードなど）に等しく適用可能であり得る。
【００５９】
本明細書で説明されるシステムおよび方法は、１つまたは複数のマルチスケジューラフレームワークに適用可能であってよく、異なるネットワークノードは、異なるデータ経路に対する送信／受信点として機能する。複数のデータ経路の使用が、ベアラ、無線ベアラ、および／または同様のものの間の関係を切り離すことによって、容易にされ得る。たとえば、マルチスケジューラフレームワークが利用されるとき、進化型パケットサービス（evolved packet service）（ＥＰＳ）ベアラが複数の無線ベアラと関連付けられ得る。マルチスケジューラ動作が利用されるとき、ＷＴＲＵは、１つまたは複数のデータ経路を通じて制御シグナリングおよび／またはユーザプレーンデータを交換するように構成され得る。
【００６０】
データ経路は、データ経路と関連付けられるデータを送信するために使用される１つまたは複数のサービスアクセスポイント（ＳＡＰ）の識別情報に基づいて、データ経路と関連付けられるデータを送信するために使用される１つまたは複数のネットワークインターフェースもしくはノードの識別情報に基づいて、データ経路と関連付けられるデータを送信するために使用される１つまたは複数の無線インターフェース（たとえば、Ｘ２、Ｘ２ｂｉｓ、Ｘ２'、Ｕｕなど）に基づいて、および／または同様のものに基づいて定義され得る。さらに、データ経路は、データ経路と関連付けられる情報を転送するための処理シーケンスを定義するために使用され得る、通信プロトコルスタック（たとえば、パケットデータコンバージェンスプロトコル（ＰＤＣＰ）レイヤ、無線リンク制御（ＲＬＣ）レイヤ、媒体アクセス制御（ＭＡＣ）レイヤ、物理（ＰＨＹ）レイヤなどの１つまたは複数を含む）に基づいて定義され得る。データ経路を通じて送信される情報またはデータは、制御プレーンデータ（たとえば、非アクセス層（ＮＡＳ）シグナリング、ＲＲＣシグナリングなど）および／またはユーザプレーンデータ（たとえば、ＩＰパケットなど）の１つまたは複数を含み得る。データ経路は、他のデータ経路から独立にスケジューリングされ得る。
【００６１】
たとえば、ＬＴＥリリース１１では、データ転送はＷＴＲＵとネットワークとの間の単一のデータ経路を通じて実行され得る。制御プレーンでは、ＳＲＢと、単一のＵｕインターフェース（たとえば、ＷＴＲＵとｅＮＢとの間のインターフェース）の上の論理チャネル（ＬＣＨ）との間に直接のマッピングがあり得る。ユーザプレーンについては、ＥＰＳベアラと、データ無線ベアラ（ＤＲＢ）と、同じＵｕインターフェースの上の論理チャネル（ＬＣＨ）との間の直接のマッピングがあり得る。
【００６２】
しかしながら、複数の独立のスケジューラの存在下で、ＷＴＲＵは、１つよりも多くのデータ経路を利用するように構成されてよく、たとえば、各データ経路は、異なるＵｕインターフェースを使用して、ＷＴＲＵとネットワークノードとの間で確立され得る。データ経路は、レイヤとも呼ばれ得る。たとえば、ＷＴＲＵは、複数のレイヤの上でデータを送信および／または受信するように構成されてよく、各レイヤは異なるデータ経路と関連付けられる。各レイヤは、他のレイヤとは独立にスケジューリングされ得る。各レイヤは、ＷＴＲＵのための異なるエアインターフェースと関連付けられ得る。各レイヤは、ネットワークの中のデータ経路のための送信および／または受信点として機能するサービングサイトと関連付けられ得る。
【００６３】
複数のレイヤの上での送信をサポートするために、複数のＭＡＣインスタンスがＷＴＲＵにおいて確立され得る。たとえば、ＷＴＲＵは、物理レイヤのパラメータの対応するセットおよび／またはレイヤ固有の無線ベアラと各々関連付けられる複数のＭＡＣインスタンスにより構成され得る。例として、ＷＴＲＵは、一次レイヤ情報のセット（たとえば、マクロレイヤ／ＭｅＮＢ／マクロサービングサイトと関連付けられ得る）および二次レイヤ情報の１つまたは複数のセット（たとえば、スモールセルレイヤ／ＳＣｅＮＢ／スモールセルサービングサイトと関連付けられ得る）により構成され得る。ＷＴＲＵは、各レイヤのための１つまたは複数のサービングセルにより構成され得る。たとえば、ＷＴＲＵは、所与のレイヤの中の複数のセルからの送信および／または受信が発生し得るように、レイヤの各々においてキャリアアグリゲーションを実行することができる。
【００６４】
たとえば、ＷＴＲＵは、ダウンリンクおよび／またはアップリンクの中の１つまたは複数のサービングサイト（たとえば、サービングｅＮＢとも呼ばれる）により動作するように構成され得る。各サービングサイトは、１つまたは複数のサービングセルと関連付けられ得る。たとえば、ＷＴＲＵは、第１のサービングサイト（たとえば、ＭｅＮＢ）における単一のサービングセル（たとえば、コンポーネントキャリア）を使用して動作することができ、第２のサービングサイト（たとえば、ＳＣｅＮＢ）における複数のサービングセル（たとえば、複数のコンポーネントキャリア）を使用して動作することができる。したがって、サービングサイトは、複数のサービングセルと関連付けられ得る。所与のサービングサイトの各サービングセルは、対応するコンポーネントキャリア（ＣＣ）における動作のために構成され得る。サービングサイトは、１つまたは複数のＣＣをサポートし得る。サービングサイトの中の各ＣＣは、サービングサイトの他のＣＣとは異なる周波数範囲を使用して動作することができるので、所与のサービングサイトと関連付けられるサービングセルの各々は、異なるＣＣを使用して送信され得る。しかしながら、異なるサービングサイトからのサービングセルは、同じＣＣを使用して送信され得る。したがって、サービングセルは、同じＣＣと、しかし異なるサービングサイトと関連付けられ得る。ＷＴＲＵは、ＷＴＲＵがその上で動作し得るサービングサイトの最大の数（たとえば、１、２、３、４など）により構成され得る。ＷＴＲＵが利用することが許され得るサービングサイトの最大の数の指示は、ＷＴＲＵの能力情報の一部としてネットワークへＷＴＲＵによりシグナリングされてよく、かつ／または、ＷＴＲＵの動作クラスに基づいてネットワークによって決定されてよい。
【００６５】
サービングサイトは、１つまたは複数のトランスポートチャネルと関連付けられ得る。たとえば、アップリンクでは、ＷＴＲＵは、特定のサービングサイトと関連付けられるサービングセルと関連付けられるトランスポートチャネル（たとえば、ＵＬ−ＳＣＨ）を使用して物理レイヤにデータを配信するように構成され得る。例では、各トランスポートチャネルは、所与のサービングサイト／レイヤに固有であり得るが、トランスポートチャネルは、そのサービングサイトの中の複数のサービングセルおよび／またはコンポーネントキャリアと関連付けられ得る。たとえば、ＵＬ−ＳＣＨは、特定のサービングサイト（たとえば、ＭｅＮＢを含むデータ経路と関連付けられるサービングサイト）、および、そのサービングサイトと関連付けられる１つまたは複数のコンポーネントキャリア（たとえば、ＭｅＮＢと関連付けられる複数のコンポーネントキャリア）と関連付けられ得る。そのサービングサイトに配信されるべきトランスポートブロックは、そのサービングサイトにマッピングされるトランスポートチャネルと関連付けられるデータを与えられ得る。ダウンリンクでは、ＷＴＲＵは、物理レイヤにおいてデータを受信し、特定のサービングサイトと関連付けられるサービングセルと関連付けられるトランスポートチャネル（たとえば、ＤＬ−ＳＣＨ）にデータを配信するように構成され得る。たとえば、ＤＬ−ＳＣＨは、特定のサービングサイト（たとえば、ＳＣｅＮＢを含むデータ経路と関連付けられるサービングサイト）、および、そのサービングサイトと関連付けられる１つまたは複数のコンポーネントキャリア（たとえば、ＳＣｅＮＢと関連付けられる複数のコンポーネントキャリア）と関連付けられ得る。物理レイヤにおいて受信されるトランスポートブロックは、トランスポートブロックがそこから受信される、そのサービングサイトと関連付けられるトランスポートチャネルにマッピングされ得る。所与のサービングサイトは、０個、１個、または１個よりも多くのＵＬ−ＳＣＨ、および、０個、１個、または１個よりも多くのＤＬ−ＳＣＨと関連付けられ得る。
【００６６】
各サービングサイトは、ＷＴＲＵにおける対応するＭＡＣインスタンスと関連付けられ得る。ＷＴＲＵは、複数のＭＡＣインスタンスにより構成され得る。各々のＭＡＣインスタンスは、特定のサービングサイトと関連付けられ得る。サービングサイト、レイヤ、データ経路、ＭＡＣインスタンスなどの用語は、本明細書では交換可能に使用され得る。各々のＭＡＣインスタンスは、１つまたは複数の構成されたサービングセルと関連付けられてよく、１つまたは複数のＣＣをサポートしてよい。各ＵＬ−ＳＣＨおよび／またはＤＬ−ＳＣＨは、所与のＭＡＣインスタンスと関連付けられ得る（たとえば、トランスポートチャネルとＭＡＣインスタンスとの間の１対１のインスタンス）。
【００６７】
ＭＡＣインスタンスは、一次セル（ＰＣｅｌｌ）により構成され得る。各サービングサイト（および／またはＭＡＣインスタンス）対して、その関連付けられるサービングセルの１つが、レガシーの（たとえば、単一サイトの）システムにおいて一次サービングセル（ＰＣｅｌｌ）によってサポートされる機能の少なくともサブセットをサポートすることができる。たとえば、所与のＭＡＣインスタンスのサービングセルの１つまたは複数は、対応するサービングサイトにマッピングされたＵＬ−ＳＣＨおよび／またはＤＬ−ＳＣＨに関する、スケジューリング要求、ＨＡＲＱフィードバック、ＣＳＩフィードバック、および／または同様のものを送信するために利用され得る、ＰＵＣＣＨ送信をサポートすることができる。サービングサイトのトランスポートチャネルと関連付けられるアップリンク制御情報（ＵＣＩ）を受信するように構成されるサービングセルは、「サイトＰｃｅｌｌ」および／または「ＭＡＣ一次セル」と呼ばれ得る。各々のＭＡＣインスタンスは、１個のＰｃｅｌｌおよび０個以上のＳｃｅｌｌにより構成され得る。さらに、一次ＭＡＣインスタンス（たとえば、ＭｅＮＢと関連付けられるＭＡＣインスタンス）のＰｃｅｌｌは、そのＭＡＣインスタンスに固有の追加の機能を有し得る。サービングサイトは、データ経路と関連付けられ得る。サービングサイトは、単一のデータ経路に対応し得る。
【００６８】
ＲＲＣは、複数のＭＡＣインスタンスを構成するために利用され得る。たとえば、ＲＲＣが動作のためにＭＡＣインスタンスを構成するとき、ＷＴＲＵは、受信された構成またはパラメータが所与のＭＡＣインスタンスと関連付けられるかどうかを、構成情報を含む情報要素（ＩＥ）のフィールドに含まれる明示的な指示に基づいて決定することができる。例では、複数の構成が受信される場合、ＷＴＲＵは、各構成がそれぞれのＭＡＣインスタンスに当てはまると暗黙的に決定することができる。たとえば、複数のｒａｄｉｏＲｅｓｏｕｒｃｅＣｏｎｆｉｇＤｅｄｉｃａｔｅｄ  ＩＥがＲＲＣ接続セットアップ／修正メッセージで受信される場合、ＷＴＲＵは、第１のｒａｄｉｏＲｅｓｏｕｒｃｅＣｏｎｆｉｇＤｅｄｉｃａｔｅｄ  ＩＥが第１のＭＡＣインスタンスと関連付けられ、第２のｒａｄｉｏＲｅｓｏｕｒｃｅＣｏｎｆｉｇＤｅｄｉｃａｔｅｄ  ＩＥが第２のＭＡＣインスタンスと関連付けられると決定することができる。例では、異なるタイプのＩＥが、二次ＭＡＣインスタンス（たとえば、ｒａｄｉｏＲｅｓｏｕｒｃｅＣｏｎｆｉｇＤｅｄｉｃａｔｅｄＳｅｃｏｎｄａｒｙＭＡＣＩｎｓｔａｎｃｅ  ＩＥ）を構成するために定義され得る。ＷＴＲＵは、受信された構成／ＩＥが二次ＭＡＣインスタンスに当てはまることを、受信されるＩＥのタイプに基づいて決定することができる。ＷＴＲＵは、受信された構成／ＩＥが二次ＭＡＣインスタンスに当てはまることを、（たとえば、ｍｏｂｉｌｉｔｙＣｏｎｔｒｏｌ  ＩＥと同様の）ＩＥにおけるアクセス層（ＡＳ）構成の存在に基づいて、決定することができる。たとえば、あるＡＳ構成情報が受信された構成情報において存在する場合、ＷＴＲＵは、その構成が二次ＭＡＣインスタンスに当てはまると決定することができる。ＡＳ構成情報が受信された構成情報において存在しない場合、ＷＴＲＵは、構成が一次ＭＡＣインスタンスに当てはまると決定することができる。ＷＴＲＵは、構成メッセージがその上で受信されるＳＲＢの識別情報に基づいて（たとえば、ＳＲＢ３は二次ＭＡＣインスタンスのための構成情報を示し得る）、たとえば、そのようなＳＲＢがＷＴＲＵのために以前に構成されていた場合、所与の構成がどのＭＡＣインスタンスに適用可能かを決定することができる。個々のＲＲＣインスタンス／エンティティが異なるサービングサイトと関連付けられる場合、ＷＴＲＵは、構成がそこから受信されたＲＲＣエンティティに基づいて、構成がどのＭＡＣインスタンスに当てはまるかを決定することができる。
【００６９】
ＷＴＲＵによって利用される異なるレイヤは、異なるタイプの無線アクセスノードおよび／または異なるタイプのセルと関連付けられ得る。たとえば、一次レイヤは、ＭｅＮＢによってサービスされるマクロセルと関連付けられてよく、二次レイヤは、ＳＣｅＮＢによってサービスされるスモールセルと関連付けられてよい。ネットワーク構成はＷＴＲＵに対して透過的であり得る。異なるレイヤと関連付けられるスケジューラが異なるＲＡＮノード（たとえば、異なるｅＮＢ）において実装される例が説明され得るが、本明細書で説明されるシステムおよび方法は、複数のスケジューラが単一のＲＡＮノードで実装される構成に適用可能であり得る。
【００７０】
図２Ａは、送信／受信のためのＷＴＲＵの複数のレイヤを提供することができる、例示的なネットワークアーキテクチャを示すシステム図である。たとえば、ＭｅＮＢ  ２０２は、ワイヤレスカバレッジの第１のレイヤ（たとえば、マクロレイヤ）をＷＴＲＵに提供することができる。ＳＣｅＮＢ  ２０４はおよび／またはＳＣｅＮＢ  ２０６は、ワイヤレスカバレッジの追加のレイヤ（たとえば、第２のレイヤ、第３のレイヤなど）をＷＴＲＵに提供することができる。ＳＣｅＮＢ  ２０４および／またはＳＣｅＮＢは、ＷＴＲＵのための「スモールセル」カバレッジの１つまたは複数のレイヤを提供することができる。１つまたは複数のＳＣｅＮＢは、ＳＣｅＮＢのクラスタを形成するように論理的にグループ化され得る。これは、クラスタと呼ばれ得る。たとえば、ＳＣｅＮＢ  ２０４およびＳＣｅＮＢ  ２０６は、クラスタに含まれ得る。
【００７１】
ＭｅＮＢ  ２０２は、Ｘ２ｂｉｓインターフェースと呼ばれ得る論理通信インターフェースを介して、ＳＣｅＮＢ  ２０４および／またはＳＣｅＮＢ  ２０６の１つまたは複数と通信することができる。ＭｅＮＢ  ２０２は、Ｘ２ｂｉｓインターフェースを使用して、１つまたは複数のＳＣｅＮＢのクラスタと通信することができる。クラスタ構成の中のＳＣｅＮＢは、クラスタの中の他のＳＣｅＮＢと通信することができ、かつ／または、中央コントローラ（たとえば、クラスタコントローラ、スモールセルゲートウェイ（ＳＣＧＷ）など）と通信することができる。たとえば、ＳＣＧＷは、対応するスモールセルレイヤと関連付けられるベアラのためのＳ１−Ｕを終端し得る。Ｘ２ｂｉｓインターフェースは、Ｘ２インターフェース（たとえば、他のｅＮＢと通信するためにｅＮＢによって使用されるインターフェース）の拡張であってよく、Ｘ２インターフェースと同じであってよく、かつ／または、Ｘ２ｂｉｓは（たとえば、Ｘ２インターフェースに加えて）別個の論理インターフェースであってよい。Ｘ２ｂｉｓインターフェースは、有線インターフェースであってよく、かつ／またはワイヤレスインターフェースであってよい。例では、Ｘ２ｂｉｓインターフェースは、比較的レイテンシの高い通信媒体（たとえば、および／または、比較的低いレイテンシが保証され得ない通信媒体）を通じて実装されてよく、たとえば、ＭｅＮＢとＳＣｅＮＢとの間の調整されたスケジューリングを実装することを実質的に難しくする。
【００７２】
図２Ｂは、送信／受信のためのＷＴＲＵの複数のレイヤを提供することができる、別の例示的なネットワークアーキテクチャを示すシステム図である。図２Ｂに示されるように、ＭｅＮＢは、Ｘ２'インターフェースを介して別のＭｅＮＢと、かつ、Ｘ２ｂｉｓインターフェースを介してＳＣｅＮＢと通信することができる。Ｘ２'インターフェースは、Ｘ２インターフェースの拡張であってよく、Ｘ２インターフェースと同じであってよく、かつ／または、（たとえば、Ｘ２インターフェースに加えて）別個の論理インターフェースであってよい。
【００７３】
マルチスケジューリングによって、ＷＴＲＵは、データが１つまたは複数のデータ経路を使用して交換され得るように、接続を確立することができ、各経路は、異なるネットワークノード（たとえば、ＭｅＮＢまたはＳＣｅＮｏｄｅＢ）と関連付けられる無線インターフェース（たとえば、Ｕｕ）を使用することができる。異なるデータ経路のためのエアインターフェースは、それぞれのネットワークノード（たとえば、ＭｅＮＢまたはＳＣｅＮｏｄｅＢ）によって独立にスケジューリングされ得る。
【００７４】
第１のＲＲＣ接続は、ＷＴＲＵとＭｅＮＢとの間で確立され得る。第１のＲＲＣ接続は、シグナリング無線ベアラＳＲＢ０、ＳＲＢ１、およびＳＲＢ２を確立することができる。たとえば、この接続は、ＬＴＥリリース１１の原則に従って確立され得る。第１のＲＲＣ接続のＲＲＣ接続確立の間に、ＷＴＲＵは、ＷＴＲＵがマルチスケジューラの原理に従った動作をサポートするかどうかを示し得る。たとえば、ＷＴＲＵは、ＷＴＲＵの動作クラスを示すとき、および／または別様にＷＴＲＵの能力を示すときに、それがマルチスケジュール／マルチレイヤ動作をサポートするかどうかを示すことができる。
【００７５】
ＷＴＲＵがマルチスケジューラの原理に従って動作するとき、制御プレーンは、マルチレイヤ動作をサポートするために拡張され得る。たとえば、複数のレイヤを利用して動作するＷＴＲＵと関連付けられる制御プレーンは、集約された制御プレーン／エンティティ、調整された制御プレーン／エンティティ、および／または分散された制御プレーン／エンティティを使用して実装され得る。
【００７６】
たとえば、ネットワークの観点からは、集約された制御プレーン／エンティティは、ネットワークの中の終端するノードとＳＣｅＮＢとの間の制御機能によって補強される、単一の終端するＲＲＣインスタンス（たとえば、ＭｅＮＢ、別のネットワークノード／エンティティなど）によって特徴付けられ得る。例では、集約された制御プレーンを利用するとき、たとえば、ＲＲＣ接続の終端するインスタンスがＭｅＮＢとは論理的に別個である場合、制御機能は、ＲＲＣインスタンスの終端するノードとＭｅＮＢとの間で確立され得る。ＷＴＲＵの観点からは、集約された制御プレーン／エンティティは、単一のＲＲＣエンティティによって特徴付けられ得る。ＷＴＲＵはまた、１つまたは複数の拡張を実装して、構成されたサービングセル／レイヤのサブセット（たとえば、ＳＣｅＮＢに対応するもの）に固有のマルチスケジューラの態様（たとえば、１つまたは複数のＳＲＢ）を制御することができる。
【００７７】
ネットワークの観点からは、調整された制御プレーン／エンティティは、対応する終端するノードの間で実装される制御機能によって補強され得る、複数の終端するＲＲＣインスタンス（たとえば、ＭｅＮＢのような第１のネットワークノードの中の第１の終端するインスタンス、ＳＣｅＮＢのような第２のネットワークノードの中の第２の終端するインスタンス）によって特徴付けられ得る。ＲＲＣインスタンスの各々は、ＳＲＢの対応するセットおよび／または制御機能の対応するセット（たとえば、接続の確立、モビリティ制御およびＲＲＭ、接続の解放など）を実装することができる。ＷＴＲＵの観点からは、調整された制御プレーン／エンティティは、複数のＲＲＣエンティティによって特徴付けられ得る。ＷＴＲＵはまた、第２のＲＲＣインスタンスの確立をトリガし得る、制御マルチスケジューラの態様（たとえば、第１のＲＲＣインスタンスを介して受信されるシグナリング）への１つまたは複数の拡張を実装することができる。モビリティ制御は、レイヤごとに実行され得る。例として、モビリティは、ＳＣｅＮＢのクラスタが利用される場合、レイヤごとに実行され得る。レイヤごとのモビリティ制御は、互いに独立に構成可能である各ＲＲＣインスタンスを含み得る。
【００７８】
ネットワークの観点からは、分散された制御プレーン／エンティティは、終端するノードの間（たとえば、ＭｅＮＢとＳＣｅＮＢの間）の制御機能によって補強され得る、複数の終端するＲＲＣインスタンス（たとえば、ＭｅＮＢのような第１のネットワークノードの中の第１の終端するインスタンス、ＳＣｅＮＢのような第２のネットワークノードの中の第２の終端するインスタンス）によって特徴付けられ得る。各ＲＲＣインスタンスは、異なるセットの機能を実装することができる（たとえば、ＭｅＮＢは、接続の確立、ＲＬＭモビリティ制御、ＮＡＳトランスポートなどをサポートすることができるが、ＳＣｅＮＢは、それらの機能の１つまたは複数のサポートを欠いていることがある）。いくつかのＲＲＣ機能（たとえば、適用可能なサービングセルのための無線リソースの管理、たとえば、ＲＲＣ接続再構成を使用した）は、ＲＲＣインスタンスの各々によってサポートされ得る。モビリティ制御は、たとえば、ＳＣｅＮＢのクラスタを伴う展開の場合、レイヤごとに実行されてよく、この場合、モビリティ制御は１つまたは複数のＲＲＣインスタンスによってサポートされ得る。ＷＴＲＵの観点からは、分散された制御プレーン／エンティティは、単一のＲＲＣエンティティによって特徴付けられ得る。ＷＴＲＵはまた、マルチスケジューラの態様の制御に固有の１つまたは複数の拡張を実装することができる。たとえば、１つまたは複数のＳＲＢは、構成されるサービングセル／レイヤのサブセットに固有であり得る（たとえば、ＳＲＢ０、ＳＲＢ１、およびＳＲＢ２は、ＭｅＮＢに対応するサービングセル／レイヤの制御に固有であり得るが、ＳＲＢ３は、ＳＣｅＮＢに対応するサービングセル／レイヤに固有であり得る）。いくつかの機能は、ＳＲＢに固有であってよく（たとえば、無線リソースの再構成および／またはモビリティ管理）、これはレイヤごとに適用され得る。
【００７９】
図３は、集約された制御プレーンの例示的な実装を示す。たとえば、集約された制御プレーンは、ネットワーク側における（たとえば、無線クラウドネットワークコントローラ（ＲＣＮＣ）３０２における）単一の終端するＲＲＣインスタンスと、ＷＴＲＵ  ３０４における単一のＲＲＣインスタンスと、Ｘ２ｂｉｓ制御の使用とを含み得る。たとえば、ＷＴＲＵ  ３０４は、ネットワークへの単一のＲＲＣ接続を確立することができる。ＲＲＣ接続は、ＲＣＮＣ  ３０２のような集約されたネットワークコントローラによって制御され得る。
【００８０】
ネットワークの中で、ＲＲＣインスタンスが終端される集約されたネットワークコントローラは、別個の論理ネットワークノード（たとえば、ＲＣＮＣ  ３０２）であってよく、かつ／または、ＲＡＮノード（たとえば、ｅＮＢ）の中で実装されてよい。たとえば、集約されたネットワークコントローラは、ＭｅＮＢ  ３０６および／またはＳＣｅＮＢ  ３０８において実装され得る。ＲＣＮＣ  ３０２は、ＳＣｅＮＢ  ３０８を構成するために、Ｘ２ｂｉｓインターフェース（たとえば、および／またはいくつかの他のインターフェース）を介して通信することができる。たとえば、ＲＣＮＣ  ３０２は、Ｘ２ｂｉｓインターフェースを介して、ＳＣｅＮＢ  ３０８のために、１つまたは複数のセキュリティパラメータ、進化型パケットコア（evolved packet core）（ＥＰＳ）ベアラ、無線リソース管理（ＲＲＭ）機能などを構成することができる。ＲＣＮＣ  ３０２は、Ｘ２ｂｉｓインターフェースを介して、ＳＣｅＮＢ  ３０８のための構成パラメータ（たとえば、ＳＣｅＮＢの１つまたは複数のサービングセルのための、ＰＨＹ、ＭＡＣ、ＲＬＣ、ＰＤＣＰ、ＲＲＣなどの１つまたは複数のためのＷＴＲＵ構成情報）を送信することができる。ＷＴＲＵ  ３０４において、単一のＲＲＣインスタンスおよび単一のＲＲＣ接続が、集約された制御プレーンを実装するために使用され得る。
【００８１】
集約された制御プレーンを利用するとき、１つまたは複数のＳＲＢと関連付けられる情報は、複数のレイヤ／データ経路を介して交換され得る。たとえば、ＳＲＢと関連付けられるいくつかのデータは、ＭｅＮＢ  ３０６を含むレイヤ／データ経路を介して交換されてよく、ＳＲＢと関連付けられる他のデータは、ＳＣｅＮＢ  ３０８を含むレイヤ／データ経路を介して交換されてよい。図３に示されるように、ＳＲＢ（ｘ）に対応するＲＲＣ  ＰＤＵは、ＭｅＮＢの無線ベアラ（および／または論理チャネル（ＬＣＨ））および／またはＳＣｅＮＢの無線ベアラ（および／またはＬＣＨ）に対応するデータ経路を通じて交換され得る。ＳＲＢ（ｘ）に対応するＲＲＣ  ＰＤＵは、マクロレイヤと関連付けられる第１のＭＡＣインスタンスおよび／またはスモールセルレイヤと関連付けられる第２のＭＡＣインスタンスと関連付けられるトランスポートブロックに含まれ得る。集約された制御プレーンは、レイヤ２のプロトコルがＲＣＮＣとＭｅＮＢ／ＳＣｅＮＢの間でどのように分割されるかに関係なく実装され得る。
【００８２】
例では、各ＳＲＢが所与のデータ経路／レイヤと関連付けられる、集約された制御プレーンが実装され得る。たとえば、図４は、ＳＲＢが単一のデータ経路／レイヤと関連付けられる、集約された制御プレーンの例示的な実装を示す。図４に示されるように、ＷＴＲＵ  ４０４は、ＭｅＮＢ  ４０６の無線ベアラ（および／またはＬＣＨ）と関連付けられる第１のデータ経路／レイヤを介して、第１のＳＲＢ（たとえば、ＳＲＢ（０，１，２，またはｘ））と関連付けられるＲＲＣ  ＰＤＵをＲＣＮＣ  ４０２に通信し、ＳＣｅＮＢ  ４０８の無線ベアラ（および／またはＬＣＨ）と関連付けられる第２のデータ経路／レイヤを介して、第２のＳＲＢ（たとえば、ＳＲＢ（ｙ））と関連付けられるＲＲＣ  ＰＤＵをＲＣＮＣ  ４０２に通信するように構成され得る。ＲＲＣ  ＰＤＵは、適切なＬＣＨ（たとえば、ＳＲＢと関連付けられるＭＡＣインスタンスのＬＣＨ）と関連付けられるトランスポートブロックにマッピングされ得る。ここで、集約された制御プレーンの各ＳＲＢは、所与のデータ経路／レイヤと関連付けられ、レイヤ２のプロトコルがＲＣＮＣとＭｅＮＢ／ＳＣｅＮＢとの間でどのように分割されるかに関係なく実装され得る。
【００８３】
了解され得るように、いくつかのＳＲＢ、たとえばＳＲＢ０、ＳＲＢ１、およびＳＲＢ２が単一のデータ経路（たとえば、ＭｅＮＢと関連付けられるデータ経路）にマッピングされ得るが、他のＳＲＢは両方のデータ経路にマッピングされ得る実装を、例は含み得る。別の例では、すべてのＳＲＢが単一のレイヤを介して送信され得る。たとえば、ＳＣｅＮＢのためのデータ経路／レイヤと関連付けられるＳＲＢはないことがある。
【００８４】
例では、ＲＣＮＣは、ＭｅＮＢと同じ場所に位置されてよく、かつ／またはＭｅＮＢによって実装されてよい。図５は、ＲＲＣインスタンスがネットワーク側のＭｅＮＢにおいて終端されるときに、ＭｅＮＢを含むデータ経路を介して交換されるＳＲＢのための例示的な制御プレーンのプロトコルスタックを示す。ＲＣＮＣがＭｅＮＢと同じ場所に位置される、かつ／またはＭｅＮＢによって実装される場合、ＳＲＢ０、ＳＲＢ１、ＳＲＢ２、および／またはＳＲＢ３の１つまたは複数は、ＭｅＮＢを含むデータ経路を介して交換され得る。たとえば、ＷＴＲＵは、たとえばＬＴＥリリース１１の手順に従って、ＭｅＮＢとのＲＲＣ接続を確立することができる。ＭｅＮＢは、ＷＴＲＵがマルチスケジューラ／マルチレイヤ動作をサポートすることを示したＷＴＲＵから、ＷＴＲＵの能力情報を受信することができる。ＭｅＮＢは、スモールセルレイヤに対応する周波数の測定（たとえば、帯域内測定、帯域間測定など）を実行するようにＷＴＲＵを構成することができる。ＭｅＮＢは、ＷＴＲＵから測定報告を受信することができ、ＳＣｅＮＢのどのサービングセルがＷＴＲＵへ／からのトラフィックをオフロードするのに適切であり得るかを決定することができる。ＭｅＮＢは、ＳＣｅＮＢを含むＷＴＲＵのためのデータ経路を確立することができる。ＭｅＮＢは、ＷＴＲＵのコンテキスト情報をＳＣｅＮＢに提供するために、選択されたＳＣｅＮＢへの接続を確立することができる。たとえば、ＭｅＮＢは、ＷＴＲＵのためのＱｏＳ／ＱＣＩ情報のような、１つまたは複数のＥＰＳベアラをセットアップするためのパラメータ、暗号化および／もしくは認証のためのセキュリティパラメータ、ならびに／または同様のものによって、ＳＣｅＮＢを構成することができる。ＭｅＮＢは、ＳＣｅＮＢの１つまたは複数のサービングセルのためのアクセス層構成（ＡＳ構成）情報を含み得る応答メッセージをＳＣｅＮＢから受信することができる。
【００８５】
ＭｅＮＢは、ＳＣｅＮＢから受信された１つまたは複数のＡＳ構成パラメータを含み得るＲＲＣ接続再構成メッセージをＷＴＲＵに送信して、ＳＣｅＮＢの１つまたは複数の適用可能なセルへのアクセスのためにＷＴＲＵを構成することができる。ＭｅＮＢは、ＷＴＲＵから、それが構成を受信したこと、および／またはＳＣｅＮＢへと成功裏に接続されたことを示す、応答を受信することができる。ＭｅＮＢは、ＷＴＲＵがＳＣｅＮＢの１つまたは複数のサービングセルへと成功裏にアクセスしたことを示す確認をＳＣｅＮＢから受信することができる。ＷＴＲＵは、ランダムアクセスを使用してＳＣｅＮＢにアクセスすることができ、かつ／または、ＳＣｅＮＢ（たとえば、ＳＲＢ３）を含むデータ経路を介して制御データを交換するために確立されたＳＲＢを通じて１つまたは複数のＲＲＣメッセージを交換することができる。例では、ＳＲＢ３は、ＷＴＲＵとＳＣｅＮＢ（たとえば、および／または二次データ経路と関連付けられるＲＡＮノード）の間の無線リンクを制御することのために確立され、かつ／またはそのことに専用とされる、ＳＲＢであり得る。
【００８６】
図６は、ＲＲＣインスタンスがネットワーク側のＭｅＮＢにおいて終端されるときにＳＣｅＮＢを含むデータ経路を介して交換されるＳＲＢのための例示的な制御プレーンのプロトコルスタックを示す。図６に示されるように、１つまたは複数のＳＲＢ（たとえば、ＳＲＢ３であり得るＳＲＢ（ｘ））は、ＳＣｅＮＢを含む経路を通じて交換され得る。そのような制御プレーンのためのプロトコルスタックは、ＳＣｅＮＢで終端されているＰＨＹ、ＭＡＣ、および／またはＲＬＣレイヤと、ＭｅＮＢで終端されているＰＤＣＰおよび／またはＲＲＣレイヤとを含み得る。
【００８７】
二重のレイヤ接続を確立するために、ＷＴＲＵはまず、たとえばＬＴＥリリース１１の手順に従って、ＭｅＮＢとのＲＲＣ接続を確立することができる。ＲＲＣ接続を確立するとき、ＷＴＲＵは、それが、たとえばＷＴＲＵの能力情報の一部としてマルチスケジューラ／マルチレイヤ動作をサポートすることを示し得る。ＷＴＲＵは、ＭｅＮＢから測定構成情報を受信することができる。測定構成情報は、スモールセルレイヤに対応する周波数のための測定情報（たとえば、帯域内測定、帯域間測定など）を含み得る。ＷＴＲＵは、構成されたトリガ基準に従って、測定を報告することができる。ＷＴＲＵは、ＭｅＮＢからＲＲＣ接続再構成メッセージを受信することができ、ＲＲＣ接続再構成情報は、ＳＣｅＮＢの１つまたは複数のサービングセルにアクセスするためのＡＳ構成パラメータを含み得る。ＷＴＲＵは、ＳＣｅＮＢの示されたキャリア周波数での動作のために、その無線の少なくとも一部分を再構成することができる。ＷＴＲＵは、ＳＣｅＮＢのサービングセルへの最初のアクセス手順（たとえば、ＳＣｅＮＢからブロードキャストされるシステム情報を受信すること）を実行することを試み得る。ＷＴＲＵは、（たとえば、他のＳＲＢに対するものと同じセキュリティコンテキストを使用して）ＳＲＢ３を確立するための要求を示すＲＲＣメッセージ（たとえば、ＲＲＣ接続再構成要求）を送信することができ、この要求は、ＳＣｅＮＢを含むデータ経路を介して交換され得る。ＷＴＲＵは、ＳＲＢ３を介して応答を受信し、かつ／または、ＳＲＢ３接続に対応する１つまたは複数のセルを構成する、ＳＲＢ３を介して（たとえば、ＳＣｅＮＢを含むデータ経路を通じて）交換されるＲＲＣ接続再構成メッセージを受信することができる。ＷＴＲＵは、再構成を実行し、ＲＲＣ接続再構成完了応答メッセージを送信することができる。
【００８８】
例では、ＳＲＢ０、ＳＲＢ１、および／またはＳＲＢ２は、ＲＣＮＣ／ＭｅＮＢの中およびＷＴＲＵの中で終端してよく、ＭｅＮＢを含むデータ経路を介して交換され得る。たとえば、ＳＲＢ０、ＳＲＢ１、および／またはＳＲＢ２は、図５に示される制御プレーンのプロトコルスタックの構成と関連付けられ得る。例では、ＳＲＢ３（および／または他の補足的なＳＲＢ）は、ＲＣＮＣ／ＭｅＮＢの中およびＷＴＲＵの中で終端してよく、ＳＣｅＮＢを含むデータ経路を介して交換され得る。たとえば、ＳＲＢ３は、図６に示される制御プレーンのプロトコルスタックの構成と関連付けられ得る。ＳＲＢ３は、無線リソースの再構成（たとえば、解放）および／またはスモールセルレイヤのモビリティ構成のために使用され得る。
【００８９】
調整された制御プレーンは、ネットワークの中の複数の終端するＲＲＣインスタンス、１つまたは複数のＳＲＢセット、および／または制御データのＸ２ｂｉｓ交換によって特徴付けられ得る。たとえば、ＷＴＲＵは、ネットワークへの複数のＲＲＣ接続を確立することができる。ＲＲＣ接続は、階層的な方式で構成され得る。
【００９０】
たとえば、ネットワークの観点からは、ＭｅＮＢとＳＣｅＮＢの両方がそれぞれのＲＲＣエンティティと関連付けられ得る。ＭｅＮＢは、Ｘ２ｂｉｓインターフェース（および／またはいくつかの他のインターフェース）を使用して、ＷＴＲＵと関連付けられる様々なパラメータによって（たとえば、セキュリティ情報、ＥＰＳベアラ情報、ＱｏＳ情報、ＲＲＭ情報などによって）ＳＣｅＮＢを構成することができる。ＭｅＮＢは、ＳＣｅＮＢのサービングセルへの二次ＲＲＣ接続を確立するようにＷＴＲＵに指示し得る。ＳＣｅＮＢは、ＷＴＲＵとの二次ＲＲＣ接続を確立することができ、ＷＴＲＵにＲＲＣ接続再構成メッセージを送信することができる。ＲＲＣ接続再構成メッセージは、ＳＣｅＮＢの適用可能なセルのためのＡＳ構成（たとえば、ＳＣｅＮＢの１つまたは複数のサービングセルのための、ＰＨＹ、ＭＡＣ、ＲＬＣ、ＰＤＣＰ、ＲＲＣなどの１つまたは複数のためのＷＴＲＵ構成情報）を含み得る。
【００９１】
ＷＴＲＵの観点からは、ＷＴＲＵがＭｅＮＢとのＲＲＣ接続を確立すると、ＷＴＲＵは、ＷＴＲＵがＳＣｅＮＢへの二次ＲＲＣ接続を確立できることを示す制御シグナリングをネットワークから受信することができる。そのような制御シグナリングは、ＭｅＮＢとの確立されたＲＲＣ接続を使用して、専用の方式で受信され得る。例では、ＳＣｅＮＢのセルの中でブロードキャストされる呼出しメッセージは、それがＳＣｅＮＢへの二次ＲＲＣ接続を確立できることをＷＴＲＵに示すことができる。呼出しは、ＳＣｅＮＢのクラスタ（またはグループ）から送信され得る。ＷＴＲＵがＳＣｅＮＢのセルを使用してマルチレイヤ動作を実行できることを示す呼出しを受信しようと試みる前に、ＷＴＲＵは、所与の周波数帯域（たとえば、ＳＣｅＮＢによって利用される周波数帯域に対応する）の１つまたは複数のセルに対するＩＤＬＥモードのモビリティ手順を実行するように、ＷＴＲＵにおける二次ＲＲＣインスタンスを構成する、専用のＲＲＣシグナリングをＭｅＮＢから受信することができる。二次ＲＲＣインスタンスのためのＲＲＣ接続確立手順は、確立されている接続が二次接続のためのものであることの指示を含み得る。
【００９２】
図７は、第１のＲＲＣインスタンスがＭｅＮＢにおいて終端され第２のＲＲＣインスタンスがＳＣｅＮＢにおいて終端される、調整された制御プレーンのための例示的な制御プレーンのプロトコルスタックを示す。図７に示されるように、第１のＲＲＣ接続（たとえば、ＭｅＮＢとの接続）のためのデータ経路は、ＭｅＮＢにマッピングされる無線ベアラ（および／またはＬＣＨ）を含み得る。たとえば、ＳＲＢ０、ＳＲＢ１、および／またはＳＲＢ２は、ＭｅＮＢを含むデータ経路と関連付けられる第１のＲＲＣ接続を介して確立され得る。第２のＲＲＣ接続（たとえば、ＳＣｅＮＢとの接続）のためのデータ経路は、ＳＣｅＮＢにマッピングされた無線ベアラ（および／またはＬＣＨ）を含み得る。たとえば、第２のＲＲＣ接続（たとえば、図７でＳＣ−ＳＲＢ０，１，２として示される）と関連付けられるインスタンスＳＲＢ０、ＳＲＢ１、および／またはＳＲＢ２は、ＳＣｅＮＢを含むデータ経路と関連付けられる第２のＲＲＣ接続を介して確立され得る。
【００９３】
一次接続（たとえば、ＭｅＮＢと確立される接続）は、追加のＳＲＢ（たとえば、図７でＳＲＢ（ｘ）として示される）を含むように補強されてよく、この追加のＳＲＢは、二次ＲＲＣ接続（たとえば、ＳＣｅＮＢと関連付けられる接続）のいくつかの態様を制御するために使用されるベアラであり得る。たとえば、追加のＳＲＢは、接続確立手順をトリガするために、かつ／または、二次データ経路／レイヤを通じた解放手順をトリガするために使用され得る。補足的なベアラに対応するＲＲＣ  ＰＤＵは、ＭｅＮＢの無線ベアラ（および／またはＬＣＨ）に対応するデータ経路を通じて交換され得る。
【００９４】
二次接続（たとえば、ＳＣｅＮＢと確立される接続）は、追加のＳＲＢ（たとえば、図７には示されないが、ＳＲＢ（ｙ））を含むように補強されてよく、この追加のＳＲＢは、一次ＲＲＣ接続（たとえば、ＭｅＮＢと関連付けられる接続）と関連付けられるデータを送信するために使用されるベアラであり得る。たとえば、補足的なＳＲＢ（ｙ）（および／またはＲＲＣ  ＰＤＵの多重化のための同様の実装）は、ＳＣｅＮＢにおいて終端してよく、ＭｅＮＢにおける一次ＲＲＣインスタンスにＲＲＣ  ＰＤＵをリダイレクトおよび／または転送するために使用されるＳＲＢであり得る。たとえば、一次ＲＲＣインスタンスのＳＲＢ０、ＳＲＢ１、またはＳＲＢ２のためのデータは、ＳＲＢ（ｙ）を介してＳＣｅＮＢに送信されてよく、ＳＣｅＮＢは、たとえばＸ２ｂｉｓインターフェースを介して、データをＭｅＮＢに転送することができる。
【００９５】
図８は、ＲＲＣインスタンスがネットワーク側のＭｅＮＢにおいて終端されるときにＭｅＮＢを含むデータ経路を介して交換されるＳＲＢのための例示的な制御プレーンのプロトコルスタックを示す。調整制御プレーンの動作の例では、ＭｅＮＢは、たとえばＬＴＥリリース１１の手順に従って、ＷＴＲＵとの一次ＲＲＣ接続を確立することができる。ＭｅＮＢは、ＷＴＲＵがマルチスケジューラ／マルチレイヤ動作をサポートすることを示した、ＷＴＲＵの能力情報をＷＴＲＵからの受信することができる。ＭｅＮＢは、スモールセルレイヤに対応する周波数のための測定（たとえば、帯域内測定、帯域間測定など）を実行するようにＷＴＲＵを構成することができる。ＭｅＮＢは、ＷＴＲＵから測定報告を受信することができ、ＳＣｅＮＢのどのサービングセルがＷＴＲＵへ／からのトラフィックをオフロードするのに適切であり得るかを決定することができる。
【００９６】
図９は、ＲＲＣインスタンスがネットワーク側のＳＣｅＮＢにおいて終端されるときにＳＣｅＮＢを含むデータ経路を介して交換されるＳＲＢのための例示的な制御プレーンのプロトコルスタックを示す。ＷＴＲＵおよび／またはＭｅＮＢは、二次ＲＲＣ接続、たとえば、ＳＣｅＮＢにおいて終端される二次接続を確立するように、ＷＴＲＵをトリガし得る。例として、ＭｅＮＢは、一次ＲＲＣ接続を使用して、ＳＣｅＮＢとの二次ＲＲＣ接続を確立するようにＷＴＲＵに指示することができる。例では、ＭｅＮＢは、ＷＴＲＵが問題とされるＳＣｅＮＢとの二次ＲＲＣ接続を確立する前に、ＳＣｅＮＢとの接続の確立を開始することができる。たとえば、ＭｅＮＢは、ＷＴＲＵのコンテキストを（たとえば、Ｘ２ｂｉｓを介して）転送するために、選択されたＳＣｅＮＢへのデータ経路および制御接続を確立することができる。ＭｅＮＢは、ＷＴＲＵのためのＱｏＳ／ＱＣＩ情報、暗号化および／もしくは認証のためのセキュリティパラメータ、ならびに／または同様のもののような、１つまたは複数のＥＰＳベアラをセットアップするためのパラメータによってＳＣｅＮＢを構成することができる。ＭｅＮＢは、ＳＣｅＮＢの１つまたは複数のサービングセルのためのＡＳ構成情報（たとえば、システム情報パラメータ、モビリティ制御情報要素を伴うＲＲＣ接続再構成のものと同様のハンドオーバー命令パラメータ）を含み得る応答メッセージを、ＳＣｅＮＢから受信することができる。ＭｅＮＢは、ＳＣｅＮＢの適用可能なセルの構成のためのＳＣｅＮＢから受信されるＡＳ構成情報（たとえば、モビリティ制御情報要素）を含み得るＲＲＣ接続再構成メッセージを、ＷＴＲＵに送信することができる。
【００９７】
例では、ＷＴＲＵは、ＳＣｅＮＢへの二次ＲＲＣ接続を確立することができ、次いで、ＳＣｅＮＢは、（たとえば、二次ＲＲＣ接続の確立の後で）ＭｅＮＢへの接続の確立を開始することができる。たとえば、ＷＴＲＵとの二次ＲＲＣ接続を確立した後で、ＳＣｅＮＢは、ＭｅＮＢからＷＴＲＵのコンテキスト情報を受信するために、関連付けられたＭｅＮＢへのデータ経路および制御接続の確立を要求することができる。二次接続が（たとえば、ＷＴＲＵから送信されたＲＲＣ接続要求を受信した後／受信したことに基づいて）ＷＴＲＵによって確立されている間に、ＷＴＲＵのコンテキストに対する要求がＳＣｅＮＢによって送信され得る。たとえば、ＭｅＮＢは、ＷＴＲＵのためのＱｏＳ／ＱＣＩ情報のような１つまたは複数のＥＰＳベアラをセットアップするためのパラメータによって、ＳＣｅＮＢを構成することができる。ＭｅＮＢおよびＳＣｅＮＢは、同じＷＴＲＵに対して異なるセキュリティ構成を利用することができる。ＭｅＮＢは、ＷＴＲＵのコンテキスト情報が受信されたこと、および／または二次ＲＲＣ接続が成功裏に確立されたことを示す応答メッセージを、ＳＣｅＮＢから受信することができる。ＭｅＮＢは、ＷＴＲＵがＳＣｅＮＢへの二次接続を確立したことを示し得る、ＷＴＲＵからの接続完了応答および／またはＳＣｅＮＢからの確認を受信することができる。
【００９８】
調整された制御プレーンを使用する動作の例では、ＷＴＲＵは、（たとえば、ＬＴＥリリース１１の手順に従って）ＭｅＮＢとのＲＲＣ接続を確立することができる。ＲＲＣ接続を確立するとき、ＷＴＲＵは、それがマルチスケジューラ／マルチレイヤ動作をサポートすることを、たとえばＷＴＲＵの能力情報の一部として示し得る。ＷＴＲＵは、ＭｅＮＢから測定構成情報を受信することができる。測定構成情報は、スモールセルレイヤに対応する周波数のための測定情報（たとえば、帯域内測定、帯域間測定など）を含み得る。ＷＴＲＵは、構成されたトリガ基準に従って測定を報告することができる。ＷＴＲＵは、ＭｅＮＢからＲＲＣ接続再構成メッセージを受信することができ、ＲＲＣ接続再構成情報は、ＳＣｅＮＢの１つまたは複数のサービングセルにアクセスするためのＡＳ構成パラメータを含み得る。ＷＴＲＵは、ＳＣｅＮＢのための示されたキャリア周波数での動作のために、その無線の少なくとも一部分を再構成することができる。ＷＴＲＵは、ＳＣｅＮＢのサービングセルへの最初のアクセス手順（たとえば、ＳＣｅＮＢからブロードキャストされるシステム情報を受信すること）を実行することを試み得る。ＷＴＲＵは、たとえばＬＴＥリリース１１の手順に従って、ＳＣｅＮＢとのＲＲＣ接続を確立することができる。ＷＴＲＵは、二次ＲＲＣ接続が成功裏に確立すると、ＲＲＣ再構成完了応答をＭｅＮＢおよび／またはＳＣｅＮＢの１つまたは複数に送信することができる。
【００９９】
調整された制御プレーンが利用されるとき、１つまたは複数の独立のＳＲＢはＲＡＮノード（たとえば、ＭｅＮＢおよびＳＣｅＮＢ）の各々で終端し得る。一次ＲＲＣ接続では、ＳＲＢの第１のセット（たとえば、ＳＲＢ０の第１のインスタンス、ＳＲＢ１の第１のインスタンス、および／またはＳＲＢ２の第１のインスタンスを含む）はＭｅＮＢで終端し得る。二次ＲＲＣ接続では、ＳＲＢの第１のセット（たとえば、ＳＲＢ０の第１のインスタンス、ＳＲＢ１の第１のインスタンス、および／またはＳＲＢ２の第１のインスタンスを含む）はＳＣｅＮＢで終端し得る。
【０１００】
分散された制御プレーンは、ネットワーク側における単一の終端するＲＲＣインスタンス、ＳＲＢ０、ＳＲＢ１、および／またはＳＲＢ２の単一のセット、異なるレイヤのノードの間のＸ２ｂｉｓ制御、および、レイヤの間で制御データを交換するためのＳＲＢ（たとえば、ＳＲＢ３）の使用によって特徴付けられ得る。
【０１０１】
たとえば、分散された制御プレーンを利用するとき、ＷＴＲＵは、ＭｅＮＢを介してネットワークへの単一のＲＲＣ接続を確立することができる。ＲＲＣ接続はＭｅＮＢ（たとえば、マクロレイヤ）と確立されるが、ＳＣｅＮＢに対応するサービングセルの無線リソースの管理に関するいくつかのＲＲＣ機能は、ＳＣｅＮＢによって実行または実装され得る。ＳＣｅＮＢがＳＣｅＮＢのクラスタのメンバーである場合、ＳＣｅＮＢは、いくつかのモビリティに関連する機能を実行することができる。たとえば、ＳＣｅＮＢがＳＣｅＮＢと関連付けられるサービングセルのための１つまたは複数のＲＲＣ機能および／またはＲＲＭ機能（たとえば、ＲＲＣ機能および／またはＲＲＭ機能のサブセット）を実装する場合、ＷＴＲＵとネットワークとの間で確立されるＲＲＣ接続は、ＳＣｅＮＢとＷＴＲＵとの間のデータ経路を制御するために利用される１つまたは複数のＳＲＢ（たとえば、ＳＲＢ３）を含み得る。
【０１０２】
ネットワーク側において、ＭｅＮＢは、ＲＲＣ接続の終端点であり得るＲＲＣエンティティを有し得る。たとえば、ＳＲＢ０、ＳＲＢ１、およびＳＲＢ２は、ＷＴＲＵの中およびＭｅＮＢの中で終端し得る。ＭｅＮＢは、Ｘ２ｂｉｓインターフェース（または同様のもの）を使用して、ＷＴＲＵとの通信のためにＳＣｅＮＢを構成することができる（たとえば、セキュリティ情報、ＥＰＳベアラセットアップ情報、ＱｏＳ／ＱＣＩ情報など）。ＭｅＮＢは、ＳＣｅＮＢのサービングセルにアクセスするようにＷＴＲＵに指示し得る。ＳＣｅＮＢは、たとえば、ＳＣｅＮＢと関連付けられるサービングセルのＲＲＭ機能を実行するために、１つまたは複数の補足的なＳＲＢ（たとえば、ＳＲＢ３）を確立することができる。そのような補足的なＳＲＢは、ＳＣｅＮＢにおけるいくつかのモビリティに関連する機能を容易にするために使用され得る。補足的なＳＲＢ（たとえば、ＳＲＢ３）は、たとえば、ＲＲＣ接続がＳＣｅＮＢではなくＭｅＮＢにおいて終端されるときでも、ＷＴＲＵの中およびＳＣｅＮＢの中で終端し得る。補足的なＳＲＢは、ＳＣｅＮＢに対応する１つまたは複数のサービングセルを再構成する制御シグナリング（たとえば、ＳＣｅＮＢの１つまたは複数のサービングセルのための、ＰＨＹ、ＭＡＣ、ＲＬＣ、ＰＤＣＰなどの１つまたは複数のためのＷＴＲＵ構成情報）のために使用され得る。
【０１０３】
ＷＴＲＵの観点からは、ＷＴＲＵがＭｅＮＢとのＲＲＣ接続を確立すると、ＷＴＲＵは、ＷＴＲＵがＳＣｅＮＢへの二次ＲＲＣ接続を確立できることを示す制御シグナリングをネットワークから受信することができる。そのような制御シグナリングは、ＭｅＮＢとの確立されたＲＲＣ接続を使用して、専用の方式で受信され得る。例では、ＳＣｅＮＢのセルの中でブロードキャストされる呼出しメッセージは、それがＳＣｅＮＢへの二次ＲＲＣ接続を確立できることをＷＴＲＵに示すことができる。呼出しは、ＳＣｅＮＢのクラスタ（またはグループ）から送信され得る。ＷＴＲＵがＳＣｅＮＢのセルを使用してマルチレイヤ動作を実行できることを示す呼出しを受信しようと試みる前に、ＷＴＲＵは、ＳＣｅＮＢ所与の周波数帯域の適切なセルの呼出しチャネルを監視するようにＷＴＲＵを構成する専用のシグナリングを、ＭｅＮＢから受信することができる。ＷＴＲＵは、ランダムアクセス手順を使用してＳＣｅＮＢのセルにアクセスすることができる。ランダムアクセスは、ＭｅＮＢから送信される専用の制御シグナリングで受信されるＲＡＣＨパラメータ（たとえば、専用のＲＡＣＨプリアンブル）を使用するための、専用のランダムアクセスであり得る。ＷＴＲＵは、たとえばＳＲＢ３を介して、ＳＣｅＮＢに対応するサービングセルを再構成するＲＲＣシグナリングを受信することができる。
【０１０４】
図１０は、ＲＲＣインスタンスがＭｅＮＢにおいて終端される、分散された制御プレーンのための例示的な制御プレーンのプロトコルスタックを示す。図１０に示されるように、ＲＲＣ接続の所与のＳＲＢのための送信に対応するＲＲＣ  ＰＤＵは、ＭｅＮＢの無線ベアラ（および／もしくはＬＣＨ）ならびに／またはＳＣｅＮＢの無線ベアラ（および／もしくはＬＣＨ）に対応するデータ経路を通じて交換され得る。たとえば、ＳＲＢ０、１、および２のための送信に対応するＲＲＣ  ＰＤＵは、ＭｅＮＢの無線ベアラ（および／またはＬＣＨ）に対応するデータ経路を通じて交換され得る。これは、図１０ではＳＲＢ０、１、２として表され得る。補足的なＳＲＢ（たとえば、ＳＲＢ３）のための送信に対応するＲＲＣ  ＰＤＵは、ＳＣｅＮＢの無線ベアラ（および／またはＬＣＨ）に対応するデータ経路を通じて交換され得る。これは、図１０ではＳＲＢ（ｘ）として表され得る。ＳＣｅＮＢは、Ｘ２ｂｉｓインターフェースを介して、ＳＲＢ３と関連付けられる制御データをＭｅＮＢに転送することができる。したがって、分散された制御プレーンのアーキテクチャのための例では、いくつかのＲＲＣに関連する機能は、ＲＲＣ接続および／またはＳＲＢがスモールセルレイヤにおいて終端されなくても、ＳＣｅＮＢ（たとえば、ＳＲＢ３に関連する）によって実装され得る。ＲＲＣ機能のそのようなサブセットが、（たとえば、スモールセルにおいて実装される制限されたＲＲＣ機能を表す）図１０のプロトコルスタックのＳＣ−ＲＲＣレイヤを含むＳＣｅＮＢによって示される。
【０１０５】
分散された制御プレーンの場合のネットワーク側の機能の例では、ＭｅＮＢは、たとえば、ＬＴＥ  Ｒ１１の手順に従って、ＷＴＲＵとのＲＲＣ接続を確立することができる。そのような例が図１１に示され得る。図１１は、ＭｅＮＢ  ＲＲＣのＳＲＢ０、ＳＲＢ１、およびＳＲＢ２のための分散された手法を備える、制御プレーンのプロトコルスタックの例を示す図である。ＭｅＮＢは、接続確立手順の一部としてのマルチスケジューラ動作に対するサポートについてのＷＴＲＵの能力を受信することができる。ＭｅＮＢは、スモールセル増強レイヤに対応する周波数のための測定（たとえば、帯域内または帯域間測定）によってＷＴＲＵを構成することができる。ＭｅＮＢは、ＷＴＲＵから測定報告を受信することができ、ＳＣｅＮＢのどのサービングセルがＷＴＲＵへ／からのトラフィックをオフロードするのに適切であり得るかを決定することができる。ＭｅＮＢは、ＷＴＲＵのコンテキストのために選択されたＳＣｅＮＢへのデータ経路および制御接続を確立することができる。ＭｅＮＢは、たとえば、ＷＴＲＵのためのＱｏＳ／ＱＣＩ情報とともに１つまたは複数のＥＰＳベアラをセットアップするためのパラメータ、ならびに、暗号化および認証のためのセキュリティパラメータによって、ＳＣｅＮＢを構成することができる。ＭｅＮＢは、ＳＣｅＮＢの少なくとも１つのサービングセルのためのＡＳ構成を含み得る応答メッセージをＳＣｅＮＢから受信することができる。ＭｅＮＢは、ＳＣｅＮＢの適用可能なセルの構成のためにＳＣｅＮＢから受信される構成パラメータを含み得る、ＲＲＣ接続再構成メッセージをＷＴＲＵに送信することができる。ＭｅＮＢは、ＷＴＲＵからの完了応答またはＳＣｅＮＢからの確認を受信することができ、この応答は、ＷＴＲＵがＳＣｅＮＢの少なくとも１つのサービングセルにアクセスしたことを示し得る（たとえば、ＳＲＢ３を通じた少なくとも１つのＲＲＣメッセージの成功したランダムアクセスおよび／または交換）。ＳＲＢ３はＳＣｅＮＢにおいて終端し得る。たとえば、これは図１２に示され得る。図１２は、ＳＣｅＮＢのＳＲＢ３のための分散された手法を備える、制御プレーンのプロトコルスタックの例を示す図である。
【０１０６】
実装では、ＷＴＲＵは、たとえば、ＬＴＥ  Ｒ１１の手順に従って、ＭｅＮＢとのＲＲＣ接続を確立することができる。たとえば、これは図１１に示され得る。ＷＴＲＵは、それがそのＷＴＲＵの能力においてマルチスケジューラ動作をサポートするかどうかを含み得る。ＷＴＲＵは、スモールセル増強レイヤに対応する周波数のための測定（たとえば、帯域内または帯域間測定）を含む測定構成をＭｅＮＢから受信することができる。ＷＴＲＵは、構成されたトリガ基準に従って測定を報告することができる。ＷＴＲＵは、ＡＳ構成パラメータとともにＭｅＮＢからＲＲＣ接続再構成メッセージを受信して、ＳＣｅＮＢの１つまたは複数のサービングセルにアクセスすることができる。ＷＴＲＵは、選択されたキャリア周波数での動作のためにその無線の少なくとも一部を再構成して、サービングセルへの最初のアクセス（たとえば、システムブロードキャストの受信）を実行することができる。ＷＴＲＵは、限定はされないが、ＳＣｅＮＢで終端するＳＲＢ３を確立するための要求のような、最初のＲＲＣメッセージを含み得る。これは、他のＳＲＢに対するものと同じセキュリティコンテキストを使用して行われ得る。たとえば、これは図１２に示され得る。ＷＴＲＵは、ＳＲＢ３接続に対応する１つまたは複数のセルを構成する、ＳＲＢ３上での応答および／またはＳＲＢ３上でのＲＲＣ接続再構成メッセージを受信することができる。ＷＴＲＵは、再構成を実行し、ＳＣｅＮＢからの構成要求への応答として、ＳＲＢ３を通じて完了応答を送信することができる。ＷＴＲＵは、ＳＣｅＮＢにアクセスするための要求に応答して、ＳＲＢ１またはＳＲＢ２を通じて完了応答をＭｅＮＢに送信することができる。
【０１０７】
ＳＲＢ３は、ＷＴＲＵの中およびＳＣｅＮＢの中で終端し得る。補足的なＳＲＢはセキュリティが開始されると使用され得る。ＳＲＢ３は、ＳＣｅＮＢと関連付けられるサービングセルのＲＲＭ（たとえば、構成、再構成）のために、かつ／または、スモールセル増強レイヤにおけるモビリティ制御のために使用され得る。
【０１０８】
複数のスケジューラが複数のデータ経路を通じて送信するために利用されるとき、ＤＲＢ／ＳＲＢと複数のデータ経路との間のマッピングは、データを送信するためのプロトコルスタックが異なるネットワークノードの間でどのように分割されるかに依存して変化し得る。たとえば、第１のデータ経路は、ＭｅＮＢ（たとえば、マクロレイヤ）を介してＷＴＲＵからネットワークへ確立されてよく、追加のデータ経路は、１つまたは複数のＳＣｅＮＢを介してＷＴＲＵからネットワークへ確立されてよい。１つまたは複数のプロトコルスタックが、マルチレイヤ（たとえば、マルチスケジューラ）送信をサポートするために、ユーザプレーンのために、かつ／または制御プレーンのために定義され得る。
【０１０９】
たとえば、ＭｅＮＢとＳＣｅＮＢとの間のＸ２ｂｉｓインターフェースおよび／またはいくつかの他のインターフェースは、マルチスケジューラ動作をサポートする様々なプロトコルスタック構成を実装するために使用され得る。所与のＷＴＲＵに対して、ユーザプレーンのためのデータ経路および制御プレーンのためのデータ経路が、Ｘ２ｂｉｓインターフェースを介して交換される通信に少なくとも一部基づいて実現され得る。
【０１１０】
たとえば、所与のＷＴＲＵのための複数のデータ経路は、データ経路がＰＤＣＰレイヤの上のネットワークの中で分割されるように確立され得る。そのようなアーキテクチャは、ＰＨＹレイヤ、ＭＡＣレイヤ、ＲＬＣレイヤ、およびＰＤＣＰレイヤに対応する機能を含むＭｅＮＢおよびＳＣｅＮＢの各々をもたらし得る。所与の無線ベアラ（たとえば、ＤＲＢおよび／またはＳＲＢ）と関連付けられるＰＤＣＰエンティティが、制御データを送信および／または受信するネットワークエンティティの中に位置され得るように、制御プレーンは実装され得る。たとえば、ＳＣｅＮＢを介して制御データを送信するために使用されるＰＤＣＰエンティティはＳＣｅＮＢに位置されてよく、ＭｅＮＢを介してデータを送信するために使用されるＰＤＣＰエンティティはＭｅＮＢに位置されてよい。例では、ユーザプレーンのデータおよび／または制御プレーンのデータは、単一のデータ経路に（たとえば、単一のＳＡＰを伴うＤＲＢ／ＳＲＢに）マッピングされ得る無線ベアラを通じて搬送され得る。別の例では、ユーザプレーンのデータおよび／または制御プレーンのデータは、複数のデータ経路に（たとえば、複数のＳＡＰを伴うＤＲＢ／ＳＲＢに）マッピングされ得る無線ベアラを通じて搬送され得る。各ＰＤＣＰエンティティ（たとえば、ＳＣｅＮＢのＰＤＣＰエンティティ、ＭｅＮＢのＰＤＣＰエンティティ）は、そのそれぞれのデータ経路のためのセキュリティ状態機械を含み得る。
【０１１１】
例では、ネットワークの中でＰＤＣＰレイヤの上で分割される複数のデータ経路は、ネットワークにおいて単一のＳＡＰと関連付けられる１つまたは複数の無線ベアラ（たとえば、ＭｅＮＢまたはＳＣｅＮＢ）を使用して実装され得る。マルチスケジューラ動作をサポートするために、１つまたは複数のＤＲＢおよび／もしくはＳＲＢは、データ経路の間で転送され得る（たとえば、ＤＲＢ／ＳＲＢモビリティ）。たとえば、ＭｅＮＢと関連付けられるＳＲＢはＳＣｅＮＢにオフロードされ得る。分散された制御プレーンが利用される場合（たとえば、ＭｅＮＢとＳＣｅＮＢの両方にいくつかのＲＲＣ機能があることがある）ＳＲＢ３またはいくつかの他のＳＲＢがモビリティに関連する制御情報を交換するために使用され得る。
【０１１２】
たとえば、所与の無線ベアラがネットワークの中の単一のＳＡＰと関連付けられる場合、ユーザプレーンでは、ＥＰＳ無線アクセスベアラ（ＲＡＢ）が単一のＤＲＢ  ＳＡＰを使用して実装され得る。たとえば、図１３は、データ経路がネットワークの中のＰＤＣＰレイヤの上で分割されるときに、ユーザプレーンのデータ経路（たとえば、ＷＴＲＵ−ＭｅＮＢのデータ経路およびＷＴＲＵ−ＳＣｅＮＢのデータ経路）のために使用され得る例示的なプロトコルスタックを示す。
【０１１３】
制御プレーンでは、ＮＡＳシグナリングおよび／またはＲＲＣシグナリングが、単一のＳＡＰと関連付けられる単一のＳＲＢを通じて送信され得る。集約された制御プレーンが利用されるか、調整された制御プレーンが利用されるか、および／または分散された制御プレーンが利用されるかに応じて、データ経路へのＳＲＢのマッピング、ＳＲＢのモビリティ、および／またはネットワークの中での制御プレーンのためのプロトコルスタックの実現が変えられ得る。
【０１１４】
たとえば、集約された制御プレーンは、単一のＳＲＢ  ＳＡＰがＮＡＳおよび／またはＲＲＣシグナリングのために利用されるように実装され得る。たとえば、ＳＲＢ０、ＳＲＢ１、および／またはＳＲＢ２のためのＲＲＣ  ＰＤＵは、ＭｅＮＢにおいて実装され得るＲＣＮＣエンティティによって生成され得る。追加の拡張および／または追加の情報要素は、ＷＴＲＵとＳＣｅＮＢとの間の無線接続を管理する（たとえば、二次ＲＲＣ接続の確立、モビリティ、および／または解放をトリガする）ために、ＭｅＮＢを介して交換され得る。ＳＲＢ０、ＳＲＢ１、および／またはＳＲＢ２のためのＲＲＣ  ＰＤＵは、ＭｅＮＢのサービングセルからＷＴＲＵに送信され得る。例では、ＳＲＢ０、ＳＲＢ１、および／またはＳＲＢ２のためのＲＲＣ  ＰＤＵは、（たとえば、マルチスケジューラ／マルチレイヤ動作を開始する前に）ＷＴＲＵがＲＲＣ接続を最初に確立したＲＡＮノードを介して交換され得る。ＳＣｅＮＢ（たとえば、ＳＲＢ３）に専用のＳＲＢに対応するＲＲＣ  ＰＤＵは、ＳＣｅＮＢのサービングセルにおいて交換され得る。
【０１１５】
図１４は、ＳＲＢが単一のＳＡＰと関連付けられ得る、かつ、データ経路が集約された制御プレーンを使用してネットワークにおいてＰＤＣＰレイヤの上で分割される、例示的なプロトコルスタックを示す。たとえば、所与のＳＲＢのためのＲＲＣ  ＰＤＵは、単一のデータ経路を通じて送信され得る（たとえば、ＭｅＮＢと関連付けられるデータ経路の上のＳＲＢ０、ＳＲＢ１、および／またはＳＲＢ２、ならびに、ＳＣｅＮＢと関連付けられるデータ経路の上のＳＲＢ３）。異なるデータ経路のための無線ベアラは、異なる／別個のＰＤＣＰエンティティと関連付けられ得る。ネットワークの観点からは、ＷＴＲＵへの接続と関連付けられるＰＤＣＰレイヤは、ＭｅＮＢの中およびＳＣｅＮＢ（たとえば、図１４に示されない）の中に位置されてよく、または、ＲＣＮＣ（たとえば、図１４に示されるような）の中に位置されてよい。例では、ネットワーク側のＰＤＣＰレイヤとＲＬＣレイヤの両方がＲＣＮＣに位置され得る。
【０１１６】
例では、調整された制御プレーンは、単一のＳＲＢ  ＳＡＰがＮＡＳおよび／またはＲＲＣシグナリングのために利用されるように実装され得る。たとえば、ＲＲＣ接続が調整された制御プレーンを使用するとき、所与のＳＲＢ（たとえば、ＳＲＢ０、ＳＲＢ、および／またはＳＲＢ２）のためのＲＲＣ  ＰＤＵは、ＭｅＮＢと関連付けられるデータ経路のような単一のデータ経路を通じて送信され得る。二次ＲＲＣ接続の確立、モビリティ、および／または解放をトリガするように設計された他の制御データはまた、ＭｅＮＢと関連付けられる単一のデータ経路を介して（たとえば、ＭｅＮＢのサービングセルを介して）交換され得る。例では、ＳＲＢ０、ＳＲＢ１、および／またはＳＲＢ２のためのＲＲＣ  ＰＤＵは、（たとえば、マルチスケジューラ／マルチレイヤ動作を開始する前に）ＷＴＲＵが最初にＲＲＣ接続を確立したＲＡＮノードを介して交換され得る。調整された制御プレーンについて、ＳＲＢ０、ＳＲＢ１、および／またはＳＲＢ２のためのＲＲＣ  ＰＤＵは、ＳＣｅＮＢによって生成されてよく、ＳＣｅＮＢは、ＳＣｅＮＢのサービングセルを介してローカルに生成されたＲＲＣ  ＰＤＵを交換することができる。たとえば、所与の無線ベアラについて、図８および図９は、各々の対応する無線ベアラが調整された制御プレーンを利用する各ＲＲＣインスタンスのための別個のＰＤＣＰエンティティを有する例を示し得る。
【０１１７】
例では、分散された制御プレーンは、単一のＳＲＢ  ＳＡＰがＮＡＳおよび／またはＲＲＣシグナリングのために利用されるように実装され得る。たとえば、ＲＲＣ接続が分散された制御プレーンを使用するとき、ＳＲＢ０、ＳＲＢ１、および／またはＳＲＢ２のためのＲＲＣ  ＰＤＵは、ＭｅＮＢエンティティによって生成され得る。追加の拡張および／または追加の情報要素が、ＷＴＲＵとＳＣｅＮＢとの間の無線接続を管理する（たとえば、二次ＲＲＣ接続の確立、モビリティ、および／または解放をトリガする）ために、ＭｅＮＢを介して交換され得る。ＳＲＢ０、ＳＲＢ１、および／またはＳＲＢ２のためのＲＲＣ  ＰＤＵは、ＭｅＮＢのサービングセルからＷＴＲＵに送信され得る。例では、ＳＲＢ０、ＳＲＢ１、および／またはＳＲＢ２のためのＲＲＣ  ＰＤＵは、（たとえば、マルチスケジューラ／マルチレイヤ動作を開始する前に）ＷＴＲＵが最初にＲＲＣ接続を確立したＲＡＮノードを介して交換され得る。ＳＣｅＮＢ（たとえば、ＳＲＢ３）に専用のＳＲＢに対応するＲＲＣ  ＰＤＵは、ＳＣｅＮＢのサービングセルで交換され得る。たとえば、ＳＲＢ３のためのＲＲＣ  ＰＤＵは、ＳＣｅＮＢにおいて生成され、ＳＣｅＮＢのサービングセルを介してＷＴＲＵに転送され得る。図１０は、分散された制御プレーンを利用する各ＲＲＣインスタンスのために各々の対応する無線ベアラが別個のＰＤＣＰエンティティを有する例を示し得る。
【０１１８】
例では、所与の無線ベアラを単一のＳＡＰにマッピングするのではなく、またはそれに加えて、単一のＲＢが（たとえば、複数の論理チャネルを通じて）複数のＳＡＰにマッピングされ得る。たとえば、ユーザプレーンでは、複数のＤＲＢ  ＳＡＰを伴うＥＰＳ  ＲＡＢが使用され得る。複数のＥ−ＵＴＲＡ  ＤＲＢを通じた単一のＥＰＳ  ＲＡＢのマッピングは、たとえば、データがデータプレーンのためのものか制御プレーンのためのものかに依存する、かつ／または、集約された制御プレーンが利用されるか、調整された制御プレーンが利用されるか、または分散された制御プレーンが利用されるかに依存する、種々の技法を使用して実装され得る。たとえば、ユーザプレーンのためのデータは、複数のデータ経路の１つを通じて交換され得る。所与のＥＰＳベアラに対応するデータは１つまたは複数のＳＡＰを通じてマッピングされてよく、各ＳＡＰは、異なるＭＡＣインスタンスのＤＲＢおよび／またはＬＣＨに対応し得る。図１５は、複数のＤＲＢ  ＳＡＰが利用される、ユーザプレーンのためのＰＤＣＰレイヤの上で分割されるデータ経路の例を示す。たとえば、所与のＥＰＳベアラのためのＩＰパケットは、いずれかのデータ経路（たとえば、ＭｅＮＢと関連付けられる経路またはＳＣｅＮＢと関連付けられる経路）を通じて交換され得る。
【０１１９】
複数の無線ベアラＳＡＰが利用される場合、制御プレーンでは、ＮＡＳおよび／またはＲＲＣシグナリングが複数のＳＲＢ  ＳＡＰを通じて送信され得る。たとえば、単一のＳＲＢが複数のＳＡＰを通じて（たとえば、複数の論理チャネルを通じて）マッピングされ得る。所与のＳＲＢ（たとえば、ＳＲＢ０、ＳＲＢ１、ＳＲＢ２、および／またはＳＲＢ３のような補足的なＳＲＢの１つ）に対応するデータは１つまたは複数のＳＡＰを通じてマッピングされてよく、各ＳＡＰは、異なるＭＡＣインスタンスに対応してよく、異なるＲＡＮノード（たとえば、ＭｅＮＢまたはＳＣｅＮＢ）を介して送信されてよい。
【０１２０】
図１６は、ＳＲＢが複数のＳＡＰと関連付けられ得る、かつ、データ経路が集約された制御プレーンを使用してネットワークの中のＰＤＣＰレイヤの上で分割される、例示的なプロトコルスタックを示す。たとえば、所与のＳＲＢのためのＲＲＣ  ＰＤＵは、複数のデータ経路（たとえば、ＭｅＮＢと関連付けられるデータ経路および／またはＳＣｅＮＢと関連付けられるデータ経路）を通じて送信され得る。所与の無線ベアラは、複数のＰＤＣＰエンティティ（たとえば、ＳＣｅＮＢにおけるＰＤＣＰエンティティおよびＭｅＮＢにおけるＰＤＣＰエンティティ）のサービスを利用することができる。ネットワークの観点からは、ＷＴＲＵへの接続と関連付けられるＰＤＣＰレイヤは、（たとえば、図１６に示されるように）ＭｅＮＢの中およびＳＣｅＮＢの中に位置されてよく、または、ＲＣＮＣの中に位置されてよい（たとえば、図１６には示されない）。例では、ネットワーク側のＰＤＣＰレイヤとＲＬＣレイヤの両方がＲＣＮＣに位置され得る。ネットワークの観点では、所与の無線ベアラと関連付けられる各ＳＡＰは、異なるスケジューラによって管理される論理チャネルに対応し得る。ＷＴＲＵは、異なるＭＡＣインスタンスの異なる論理チャネルを通じて、所与のＳＲＢに対応する制御データを受信することができる。
【０１２１】
例では、調整された制御プレーンは、無線ベアラ（たとえば、ＳＲＢ）が複数のＰＤＣＰエンティティのサービスを使用できるように実装され得る。たとえば、ＲＲＣ接続が調整された制御プレーンを使用するとき、所与のＳＲＢ（たとえば、ＳＲＢ０、ＳＲＢ１、および／またはＳＲＢ２）のためのＲＲＣ  ＰＤＵは、複数のデータ経路を通じて送信され得る。たとえば、第１のＲＲＣエンティティの所与のＳＲＢと関連付けられるＲＲＣ  ＰＤＵと、第２のＲＲＣエンティティのＳＲＢと関連付けられるＲＲＣ  ＰＤＵとの多重化および／または多重分離化が実行され得る。
【０１２２】
例では、分散された制御プレーンは、無線ベアラ（たとえば、ＳＲＢ）が複数のＰＤＣＰエンティティのサービスを使用できるように実装され得る。たとえば、ＭｅＮＢの中のＲＲＣエンティティと関連付けられる無線ベアラは、ＳＣｅＮＢの中に位置されたＰＤＣＰエンティティのサービスを使用することができる。図３は、所与のＳＲＢが複数の無線ベアラＳＡＰにマッピングされ得る、分散された制御プレーンの例を示し得る。
【０１２３】
例では、ネットワークの中のＰＤＣＰプロトコルスタックの上でデータ経路を分割するのではなく、ＷＴＲＵによって利用されるデータ経路／レイヤは、ＲＬＣレイヤの上で分割され得る。したがって、ＰＤＣＰレイヤは、ネットワークの中の単一のノードに含まれてよく、ＷＴＲＵに送信されるべきＰＤＣＰレイヤのＰＤＵは、複数のＲＬＣ  ＳＡＰに（たとえば、複数の論理チャネルを通じて）マッピングされ得る。ＰＤＣＰレイヤは、複数のＰＤＣＰエンティティの機能を含み得る。たとえば、ＰＤＣＰエンティティは、ＷＴＲＵに割り振られた特定のＤＲＢおよび／またはＳＲＢと関連付けられ得る。したがって、ＷＴＲＵが複数のＤＲＢを割り振られた場合、特定のエンティティと関連付けられるＤＲＢ／ＳＲＢに対応するＰＤＣＰパケット（たとえば、ＳＤＵおよびＰＤＵ）を処理する、複数のＰＤＣＰエンティティが（たとえば、ＷＴＲＵの中とネットワークの中の両方に）あり得る。
【０１２４】
複数のＲＬＣインスタンスがネットワークの中で利用される場合（たとえば、ＭｅＮＢにおける第１のＲＬＣインスタンス、ＳＣｅＮＢにおける第２のＲＬＣインスタンス）、所与のＰＤＣＰエンティティへ／からのパケットは、種々の方法で異なる送信サイトにおけるＲＬＣインスタンスの１つまたは複数にマッピングされ得る。たとえば、所与のＰＤＣＰエンティティと関連付けられるデータ（たとえば、所与のＤＲＢと関連付けられるユーザプレーンのデータ）は、ＰＤＣＰエンティティが単一のＲＬＣ  ＳＡＰを通じて（たとえば、所与のＲＬＣインスタンスにおけるＰＤＣＰエンティティとＲＬＣエンティティとの直接のマッピングを使用して）関連付けられるＰＤＣＰ  ＰＤＵを転送できるようにマッピングされ得る。別の例では、ＰＤＣＰエンティティ（たとえば、所与のＤＲＢに対応し得る）は、複数のＲＬＣ  ＳＡＰの１つまたは複数を使用して関連付けられるＰＤＣＰ  ＰＤＵを転送するように構成されてよく、たとえば、ＰＤＣＰエンティティからのデータは、あるときには（たとえば、ＭｅＮＢにおける）第１のＲＬＣインスタンスを使用して転送されてよく、他のときには（たとえば、ＳＣｅＮＢにおける）第２のＲＬＣインスタンスを使用して転送されてよい。ネットワークの中でデータを転送するために使用されるＰＤＣＰエンティティは、データを送信するために利用されるＲＬＣエンティティと同じノードと同じ場所に位置されていることもいないこともある。
【０１２５】
たとえば、ユーザプレーンでは、ＰＤＣＰエンティティ（たとえば、ネットワークの中の、ＷＴＲＵの中の、など）は、複数のＲＬＣ  ＳＡＰを使用してデータを送信および／または受信するように構成され得る。複数のＲＬＣ  ＳＡＰの利用は、所与のＤＲＢのためのデータが複数のデータ経路を通じて交換されることをもたらす可能性があり、このときデータ経路はネットワークの中のＰＤＣＰレイヤの下で分岐する。所与のＥＰＳベアラに対応するＰＤＣＰ  ＰＤＵは、１つまたは複数のＲＬＣ  ＳＡＰを通じてマッピングされてよく、このとき各ＳＡＰは、異なるＭＡＣインスタンスのＬＣＨに対応し得る。たとえば、図１７および図１８は、データ経路がネットワークの中のＰＤＣＰレイヤの下で分割されるときにユーザプレーンのデータを転送するために利用され得る例示的なプロトコルスタックを示す。
【０１２６】
ＰＤＣＰエンティティは、制御データ（たとえば、１つまたは複数のＳＲＢのデータ）を転送するために複数のデータ経路（たとえば、異なるネットワークエンティティに位置される異なるＲＬＣインスタンスと関連付けられる）を利用することができる。たとえば、所与のＰＤＣＰエンティティと関連付けられるデータ（たとえば、所与のＳＲＢと関連付けられる制御プレーンのデータ）は、ＰＤＣＰエンティティが単一のＲＬＣ  ＳＡＰを通じて（たとえば、所与のＲＬＣインスタンスにおけるＰＤＣＰエンティティとＲＬＣエンティティとの直接のマッピングを使用して）関連付けられるＰＤＣＰ  ＰＤＵを転送することができるようにマッピングされ得る。別の例では、ＰＤＣＰエンティティ（たとえば、所与のＳＲＢに対応し得る）は、複数のＲＬＣ  ＳＡＰの１つまたは複数を使用して関連付けられるＰＤＣＰ  ＰＤＵを転送するように構成されてよく、たとえば、このときＰＤＣＰエンティティからのデータは、あるときには（たとえば、ＭｅＮＢにおける）第１のＲＬＣインスタンスを使用して転送されてよく、他のときには（たとえば、ＳＣｅＮＢにおける）第２のＲＬＣインスタンスを使用して転送されてよい。たとえば、所与のＳＲＢ（たとえば、ＳＲＢ０、ＳＲＢ１、ＳＲＢ２、または補足的なＳＲＢの１つ）と関連付けられるＰＤＣＰ  ＰＤＵは、１つまたは複数のＲＬＣ  ＳＡＰを通じてマッピングされ得る。
【０１２７】
図１９は、ＰＤＣＰ  ＰＤＵが複数のデータ経路を通じて転送され得る、ＲＬＣの上で分割されたデータ経路の例示的な制御プレーンのプロトコルスタックを示す。たとえば、図１９に示されるように、ＳＲＢ（ｘ）と関連付けられるＰＤＣＰ  ＰＤＵは、ＭｅＮＢと関連付けられるデータ経路を介して（たとえば、ＭｅＮＢに位置されるＲＬＣエンティティを使用して）転送されてよく、かつ／または、ＳＣｅＮＢと関連付けられるデータ経路を介して（たとえば、ＳＣｅＮＢに位置されるＲＬＣエンティティを使用して）転送されてよい。例では、そのような構成は、本明細書で説明されるような集約された制御プレーンの手法を実装するために利用され得る。所与のＳＲＢのためのＰＤＣＰエンティティは、ＭｅＮＢに位置され得る。ＰＤＣＰエンティティのためのデータを送信するのに利用される第１のＲＬＣエンティティは、ＭｅＮＢの中のＰＤＣＰエンティティと同じ場所に位置され得る。ＰＤＣＰエンティティのためのデータを送信するのに利用される第２のＲＬＣエンティティは、ＳＣｅＮＢに位置され得る。図２０は、データ分割がＰＤＣＰレイヤの下で（たとえば、ＲＬＣレイヤの上で）発生するときのＳＣｅＮＢと関連付けられるデータ経路の例を示す。
【０１２８】
例では、調整された制御プレーンは、無線ベアラ（たとえば、ＳＲＢ）が複数のＲＬＣエンティティのサービスを使用できるように実装され得る。たとえば、ＲＲＣ接続が調整された制御プレーンを使用するとき、所与のＳＲＢ（たとえば、ＳＲＢ０、ＳＲＢ１、および／またはＳＲＢ２）のためのＲＲＣ  ＰＤＵは、複数のデータ経路を通じて送信され得る。たとえば、第１のＲＬＣエンティティを介して転送される所与のＳＲＢと関連付けられるＲＲＣ  ＰＤＵと、第２のＲＬＣエンティティを介して転送される第２のＲＲＣエンティティのＳＲＢと関連付けられるＲＲＣ  ＰＤＵとの多重化および／または多重分離化が実行され得る。
【０１２９】
分散された制御プレーンでは、ＭｅＮＢに位置されるＰＤＣＰエンティティと関連付けられるＲＲＣ  ＰＤＵは、ＳＣｅＮＢに位置されるＲＬＣエンティティによって提供されるサービスを利用することができる。たとえば、そのようなアーキテクチャは、ＰＤＣＰレイヤの上でデータ分割が発生する（たとえば、図１６）ときの、分散された制御プレーンに関して説明されたものと同様の方法を使用することができる。
【０１３０】
例では、データ経路の分割は、ＭＡＣレイヤの上で（たとえば、ＲＬＣレイヤの下で）発生し得る。そのようなアーキテクチャでは、ネットワークの中のＰＤＣＰレイヤおよびＲＬＣレイヤは、ネットワークの中の（たとえば、ＭｅＮＢの中の）同じノードで実装され得る。しかしながら、各データ経路は、複数のデータ経路の１つと関連付けられるその固有のＭＡＣインスタンスと関連付けられ得る。図２１は、データ経路がＭＡＣレイヤの上で分割される場合に利用され得る例示的な制御プレーンのプロトコルスタックを示す。図２２は、データ経路がＭＡＣレイヤの上で分割される場合に利用され得る例示的なユーザプレーンのプロトコルスタックを示す。
【０１３１】
マルチスケジューラアーキテクチャ（たとえば、異なるサービングサイトを介して送信される独立にスケジューリングされたデータ経路を介した送信および／または受信）をサポートするために、アップリンクおよび／またはダウンリンクにおけるレイヤ２の構造は、単一のデータ経路を介した送信／受信のために利用される構造から修正され得る。たとえば、ＷＴＲＵにおいて、論理チャネルからのアップリンクデータ（たとえば、ＲＬＣ、ＰＤＵ、ＭＡＣ  ＳＤＵなど）が、サービングサイトまたはＭＡＣインスタンスと関連付けられる設定されたトランスポートチャネルの１つ（たとえば、ＵＬ−ＳＣＨ）へ配信されるトランスポートブロックへと多重化され得る。図２３は、アップリンクの複数サイトでの動作（たとえば、分離されたＵＬを利用した）のための例示的なレイヤ２の構造を示す。特定の無線ベアラ（たとえば、ＰＤＣＰ  ＰＤＵ）と関連付けられるデータは、ＲＬＣインスタンスによって単一の論理チャネルにマッピングされ得る。無線ベアラから単一のＲＬＣインスタンスへのデータのマッピングは、分離されたＵＬ送信方式と呼ばれ得る。分離されたＵＬ送信方式が利用されるとき、所与の無線ベアラは、ＭＡＣインスタンスの１つと関連付けられる所与の論理チャネルにマッピングされ得る。データは複数のトランスポートチャネルを介してネットワークに送信され得るが（たとえば、ＭＡＣインスタンスの各コンポーネントキャリアのためのＵＬ−ＳＣＨトランスポートチャネルがあり得る）、所与の論理チャネルにマッピングされるデータは、分離されたＵＬ送信方式が利用される場合、同じＭＡＣインスタンスを介してネットワークにトランスポートされ得る。例として、分離されたＵＬ送信方式は、単一の無線ベアラＳＡＰ（たとえば、単一のＲＬＣ  ＳＡＰ）が、ＰＤＣＰレイヤの上で分割されるプロトコルスタックとともに利用される場合に、ユーザプレーンのデータ転送のために使用され得るが、分離されたＵＬ送信方式は、他のアーキテクチャでも使用され得る。
【０１３２】
特定の無線ベアラ（たとえば、ＰＤＣＰ  ＰＤＵ）からのデータは、１つよりも多くの論理チャネルにマッピングされてよく、かつ／または複数のサブ論理チャネルにマッピングされてよい。複数の論理チャネルの間で分割される無線ベアラからのデータは、異なるＲＬＣインスタンスによって処理され得る（たとえば、このとき、各ＲＬＣインスタンスはネットワークの中の異なる送信／受信サイトと関連付けられ、かつ／またはそこに位置される）。たとえば、複数のＲＬＣインスタンスは、所与の無線ベアラと関連付けられるデータをセグメント化および／または再送信するように構成され得る。各ＲＬＣインスタンスは、無線ベアラのための異なる論理チャネルまたはサブ論理チャネルと関連付けられ得る。別個のＲＬＣインスタンスが単一の無線ベアラと関連付けられるデータを処理するために利用され得るので、そのような方式は、分割されたＲＬＣ  ＵＬ送信方式と呼ばれ得る。図２４は、分割されたＲＬＣ送信方式が利用される、アップリンクの複数サイトでの動作のための例示的なレイヤ２の構造を示す。ＷＴＲＵにおいて、所与のＲＬＣインスタンスと関連付けられる論理チャネルからのデータは、特定のＭＡＣインスタンスと関連付けられ得る。データは複数のトランスポートチャネルを介してネットワークに送信され得るが（たとえば、ＭＡＣインスタンスの各コンポーネントキャリアのためのＵＬ−ＳＣＨトランスポートチャネルがあり得る）、所与の論理チャネルにマッピングされるデータは、同じＭＡＣインスタンスを介してネットワークにトランスポートされ得る。例として、ＲＬＣレイヤの上で分割されるプロトコルスタックとともに複数のＳＡＰが利用される場合に、分割されたＲＬＣ  ＵＬ送信方式がユーザプレーンのデータを送信するために使用され得るが、分割されたＲＬＣ  ＵＬ送信方式は、他のアーキテクチャでも使用され得る。
【０１３３】
例では、ＷＴＲＵにおいて、所与の論理チャネルと関連付けられるアップリンクデータは、複数のサービングサイトのためのトランスポートチャネルと関連付けられるトランスポートブロックへと多重化され得る。たとえば、特定の論理チャネルからのアップリンクデータは、サービングサイトのいずれか（たとえば、ネットワークの中の任意の送信／受信点）と関連付けられるトランスポートチャネルに配信されるトランスポートブロックへと多重化されることが許可され得る。図２５は、所与の論理チャネルのためのデータが複数のトランスポートチャネルにマッピングされ得る、かつ、トランスポートチャネルが異なるサービングサイトと関連付けられ得る、例示的なレイヤ２の構造を示す。論理チャネルから、ネットワークの中の異なる送信／受信サイトと関連付けられるトランスポートチャネルへのデータのマッピングは、プールされたＵＬ送信方式と呼ばれ得る。プールされたＵＬ送信方式が使用されるとき、所与の無線ベアラからのアップリンクデータ（たとえば、ＲＬＣ  ＳＤＵ）は、無線ベアラのために構成される複数の論理チャネルの１つに配信され得る。複数のＭＡＣインスタンスおよび／または複数の対応する論理チャネルは、（たとえば、ベアラ構成において規定される）ベアラによる使用のために構成され得る。例として、プールされたＵＬ送信方式は、任意のＭＡＣ  ＰＤＵが任意のＲＬＣ  ＰＤＵをトランスポートするために使用され得る場合、ユーザプレーンのデータ転送のために使用され得る。たとえば、プールされたＵＬ送信方式は、送信経路がＭＡＣレイヤの上で分割されるアーキテクチャに適用され得るが、プールされたＵＬ送信方式は、他のアーキテクチャでも利用され得る。
【０１３４】
ネットワーク側において、ＭＡＣ  ＳＤＵは、送信に使用されるＵＬ−ＳＣＨと関連付けられるサービングサイトで復号されるトランスポートブロックから多重分離化され得る。ＭＡＣ  ＳＤＵは、サービングサイトにおけるＲＬＣエンティティによって処理されてよく、かつ／または、第２のサイト（たとえば、一次サービングサイト）におけるＲＬＣエンティティによる処理のために第２のサイトに中継され得る。プールされたＵＬが利用される場合、１つまたは複数のサービングサイトが、問題とされる論理チャネルと関連付けられるデータを処理するように構成されるＲＬＣエンティティが位置されるサービングサイトに、データ（たとえば、ＭＡＣ  ＳＤＵ）を中継することができる。
【０１３５】
図２６は、分離されたＤＬ送信方式のために使用され得るダウンリンクの複数サイトでの動作のためのレイヤ２の構造の例を示す。ネットワーク側において、論理チャネルからのダウンリンクデータは、サービングサイトまたはＭＡＣインスタンスと関連付けられる設定されたトランスポートチャネル（たとえば、ＤＬ−ＳＣＨ）の１つに配信されるトランスポートブロックへと多重化され得る。ＷＴＲＵ側において、所与の論理チャネルと関連付けられるダウンリンクデータは、特定のサービングサイトまたはＭＡＣインスタンスと関連付けられるトランスポートチャネルのセット（たとえば、ＤＬ−ＳＣＨ）の１つを介して受信されるトランスポートブロックから多重分離化され得る。無線ベアラから単一のＲＬＣインスタンスへのデータのマッピングは、分離されたＤＬ送信方式と呼ばれ得る。分離されたＤＬ送信方式が利用されるとき、所与の無線ベアラが、ＭＡＣインスタンスの１つと関連付けられる所与の論理チャネルにマッピングされ得る。データは複数のトランスポートチャネルを介してＷＴＲＵに送信され得るが（たとえば、ＭＡＣインスタンスの各コンポーネントキャリアのためのＤＬ−ＳＣＨトランスポートチャネルがあり得る）、所与の論理チャネルにマッピングされるデータは、分離されたＤＬ送信方式が利用される場合、同じＭＡＣインスタンスを介してＷＴＲＵにトランスポートされ得る。
【０１３６】
図２７は、分割されたＲＬＣ  ＤＬ送信方式のために使用され得るダウンリンクの複数サイトでの動作のためのレイヤ２の構造の例を示す。特定の無線ベアラ（たとえば、ＰＤＣＰ  ＰＤＵ）からのデータは、１つよりも多くの論理チャネルにマッピングされてよく、かつ／または複数のサブ論理チャネルにマッピングされてよい。複数の論理チャネルの間で分割される無線ベアラからのデータは、異なるＲＬＣインスタンスによって処理され得る（たとえば、このとき、各ＲＬＣインスタンスはネットワークの中の異なる送信／受信サイトと関連付けられ、かつ／またはそこに位置される）。たとえば、複数のＲＬＣインスタンスは、所与の無線ベアラと関連付けられるデータをセグメント化および／または再送信するように構成され得る。各ＲＬＣインスタンスは、無線ベアラのための異なる論理チャネルまたはサブ論理チャネルと関連付けられ得る。別個のＲＬＣインスタンスが単一の無線ベアラと関連付けられるデータを処理するために利用され得るので、そのような方式は、分割されたＲＬＣ  ＤＬ送信方式と呼ばれ得る。ネットワークにおいて、所与のＲＬＣインスタンスと関連付けられる論理チャネルからのデータは、特定のＭＡＣインスタンスと関連付けられ得る。データは複数のトランスポートチャネルを介してＷＴＲＵに送信され得るが、（たとえば、ＭＡＣインスタンスの各コンポーネントキャリアのためのＤＬ−ＳＣＨトランスポートチャネルがあり得る）、所与の論理チャネルにマッピングされるデータは、同じＭＡＣインスタンスを介してＷＴＲＵにトランスポートされ得る。
【０１３７】
例では、ネットワークにおいて、所与の論理チャネルと関連付けられるダウンリンクデータは、複数のサービングサイトのためのトランスポートチャネルと関連付けられるトランスポートブロックへと多重化され得る。たとえば、特定の論理チャネルからのダウンリンクデータは、サービングサイトのいずれか（たとえば、ネットワークの中の任意の送信／受信点）と関連付けられるトランスポートチャネルに配信されるトランスポートブロックへと多重化されることが許可され得る。図２８は、所与の論理チャネルのためのダウンリンクデータが複数のトランスポートチャネルにマッピングされ得る、かつ、トランスポートチャネルが異なるサービングサイトと関連付けられ得る、例示的なレイヤ２の構造を示す。論理チャネルから、ネットワークの中の異なる送信／受信サイトと関連付けられるトランスポートチャネルへのダウンリンクデータのマッピングは、プールされたＤＬ送信方式と呼ばれ得る。プールされたＤＬ送信方式が使用されるとき、所与の無線ベアラからのダウンリンクデータ（たとえば、ＲＬＣ  ＳＤＵ）は、無線ベアラのために構成される複数の論理チャネルの１つに配信され得る。複数のＭＡＣインスタンスおよび／または複数の対応する論理チャネルは、（たとえば、ベアラ構成において規定される）ベアラによる使用のために構成され得る。例として、プールされるＤＬ送信方式は、任意のＭＡＣ  ＰＤＵが任意のＲＬＣ  ＰＤＵをトランスポートするために使用され得る場合、ユーザプレーンのデータ転送のために使用され得る。
【０１３８】
１つまたは複数の双方向論理チャネル（たとえば、専用制御チャネル（ＤＣＣＨ）および／または双方向専用トラフィックチャネル（ＤＴＣＨ））が利用される場合、アップリンク送信方式とダウンリンク送信方式の様々な組合せが利用され得る。たとえば、所与の論理チャネルに対して、分離されたＤＬ送信方式およびプールされたＵＬ送信方式が使用され得る。例では、ＤＬにおいて論理チャネルと関連付けられるサービングサイトは、ＵＬにおいて論理チャネルと関連付けられるサービングサイトとは異なり得る。たとえば、所与の論理チャネルに対して、分離されたＤＬ送信方式および分離されたＵＬ送信方式が使用され得る。ネットワーク側におけるＲＬＣエンティティは、ネットワークの中の第１のサービングサイトにおいて動作していてよく、ＤＬ−ＳＣＨは、第１のサービングサイトから送信され得る。しかしながら、第２のサービングサイトにおいてＲＬＣエンティティがないことがあるが、ＵＬ  ＭＡＣ  ＳＤＵはそれでも、第２のサービングサイトに送信されそこで復号され得る。第２のサービングサイトに送信されるＵＬ  ＭＡＣ  ＳＤＵは、ＲＬＣエンティティによる処理のために第１のサイトに中継され得る。第１のサービングサイトがＲＬＣエンティティを含む（たとえば、かつ／または、ＤＬ−ＳＣＨが第１のサービングサイトから送信される）が、ＵＬ  ＭＡＣ  ＳＤＵがそれでも第２のサービングサイトに送信され得る（たとえば、第２のサービングサイトがＲＬＣエンティティを欠いており、復号の後でＵＬ  ＭＡＣ  ＳＤＵを第２のサービングサイトに転送する）、そのような方式は、「切り離されたＵＬ／ＤＬ」と呼ばれ得る。例では、分離されたＤＬ送信方式および分離されたＵＬ送信方式が、１つまたは複数の双方向論理チャネルのために使用され得る。たとえば、論理チャネルのためのＤＬ送信サイトに対応するサービングサイトと、双方向論理チャネルのためのＵＬ受信点に対応するサービングサイトとは同じサービングサイトであってよく、ＲＬＣエンティティは、ＭＡＣ  ＳＤＵを別のサービングサイトに中継することなく、このサービングサイトで動作することができる。
【０１３９】
より高次のレイヤ（たとえば、ＲＲＣ）が、所与の送信サイトのために、かつ／または所与の論理チャネルのために利用されるべきアップリンクおよび／またはダウンリンク送信方式を構成するために使用され得る。たとえば、ＷＴＲＵが所与の論理チャネルを構成するＲＲＣシグナリングを受信するとき、ＲＲＣシグナリングは、論理チャネルに対して、プールされた送信方式（たとえば、ＵＬおよび／またはＤＬ）が使用されるべきか、または分離された送信方式（たとえば、ＵＬおよび／またはＤＬ）が使用されるべきかを示すことができる。たとえば、分離されたＤＬ送信方式および／または分離されたＵＬ送信方式が利用される場合、ＲＲＣシグナリングは、１つまたは複数のサービングサイトのいずれに論理チャネルが送信されるべきか、および／または、１つまたは複数のサービングサイトのいずれから論理チャネルが受信されるべきかを示す、マッピングを示すことができる。例では、論理チャネルのサービングサイトへのマッピングは、１つまたは複数の論理チャネルに対して事前に決定されていてよく、ＷＴＲＵは、明示的なマッピングを受信することなく、論理チャネルがどのサービングサイトと関連付けられるかを暗黙的に知っていることがある。たとえば、論理制御チャネル（たとえば、ＤＣＣＨ）は、一次サービングサイトと関連付けられるトランスポートチャネルにマッピングされ得る。論理トラフィックチャネル（たとえば、ＤＴＣＨ）は、二次サービングサイトと関連付けられるトランスポートチャネルにマッピングされ得る。
【０１４０】
分離されたＤＬ送信方式および／または分離されたＵＬ送信方式が利用される場合、ＲＲＣシグナリングが、論理チャネルと関連付けられるサービングサイトとの間のマッピングを構成するために使用され得る。たとえば、ＷＴＲＵによる使用のために論理チャネルを構成するために使用されるＲＲＣシグナリングは、論理チャネルの識別情報およびサービングサイトの識別情報（たとえば、および／またはＭＡＣインスタンスの識別情報）の指示を含み得るので、ＷＴＲＵは、どのサービングサイトが論理チャネルのために使用されるべきかを知る。例では、サービングサイトの識別情報（たとえば、および／またはＭＡＣインスタンスの識別情報）を使用するのではなく、またはそのことに加えて、論理チャネルを構成するために使用されるＲＲＣシグナリングは、論理チャネルの識別情報およびサービングセルの識別情報を含めることによってマッピングを特定することができる（たとえば、このとき、サービングセルがサービングサイトの１つと関連付けられる）。複数の論理チャネルが、あるサービングサイトと関連付けられるように一緒に構成されることがある。たとえば、論理チャネルのグループが、論理チャネルのグループの識別情報およびサービングサイトの識別情報（および／またはサービングセルの識別情報）によってと特定され得る。例では、ＷＴＲＵは、所与の論理チャネルがどのサービングサイトと関連付けられるかを、その論理チャネルに対する論理チャネルの識別情報に基づいて、暗黙的に決定することが可能であり得る。たとえば、いくつかの論理チャネルの識別情報が一次サービングサイトと関連付けられてよく、他の論理チャネルの識別情報が二次サービングサイトと関連付けられてよい。
【０１４１】
例では、特定のサービングサイト（たとえば、および／またはＭＡＣインスタンス）と関連付けられる１つまたは複数のトランスポートチャネルのトランスポートブロックへとそこからのデータが多重化され得る、論理チャネルのサブセットは、サービングサイトまたはＭＡＣインスタンスのための「論理チャネルスケジューリンググループ」と呼ばれ得る。上記のレイヤ２の構造から、異なるサービングサイトのＵＬ（および／またはＤＬ）論理チャネルスケジューリンググループは、たとえば分離されたＵＬ送信方式（たとえば、および／または分離されたＤＬ送信方式）が使用される場合、互いに独立であってよい（たとえば、より高次のレイヤにおける処理は重複しない）。同様に、分割されたＲＬＣ  ＵＬ送信方式（たとえば、および／または分割されたＲＬＣ  ＤＬ送信方式）が利用される場合、レイヤ２の上の処理経路は互いに独立であり得る。
【０１４２】
二次サービングサイトの例示的な使用事例は、ＤＬデータ送信のオフロードの場合であり得る。たとえば、ＷＴＲＵは、最初は一次サービングサイト（たとえば、ＭｅＮＢに対応し得る）に接続し得るが、二次サービングサイトへ送信されるように、かつ／または二次サービングサイトから受信されるように、１つまたは複数の無線ベアラ（たとえば、および／または論理チャネル）を再構成する、一次サービングサイトからの再構成を受信することがある。例として、１つまたは複数のダウンリンクデータチャネルは、二次サービングサイトを介して受信されるように再構成され得る。そのような方式は、たとえばＷＴＲＵが１つまたは複数のスモールセルによって良好にサービスされ得る期間、一次サービングサイトがそれだけのデータをＷＴＲＵへ送信する必要をなくし得る。スモールセルはマクロセルにおいてサービスされるＷＴＲＵよりも少数のＷＴＲＵをサービスできるので、スモールセルへのＤＬデータ送信のオフロードは、ネットワークリソースを節約し得るが、ＷＴＲＵに対する望まれるサービスのレベルを依然として維持する。例では、ＷＴＲＵに配信されるべきダウンリンクデータは、ＭｅＮＢによって受信され、ＷＴＲＵへの配信のためにＳＣｅＮＢに転送または中継され得る。ダウンリンクデータがＷＴＲＵへの配信のために二次サービングサイト（たとえば、ＳＣｅＮＢ）へ一次サービングサイト（たとえば、ＭｅＮＢ）により中継されるときにダウンリンクデータを処理するための例が、本明細書で説明される。
【０１４３】
ＷＴＲＵに配信されるべきＤＬデータがどのようにネットワークおよび／またはＷＴＲＵによって処理されるかは、ネットワークの中のＤＬデータと関連付けられるＲＬＣエンティティの位置に依存し得る。たとえば、無線ベアラのためのダウンリンクデータを処理するＲＬＣエンティティは、二次サービングサイトで（たとえば、ＳＣｅＮＢで）動作していることがある。ＲＬＣエンティティが二次サービングサイトに位置される場合、ネットワークの中のＲＬＣエンティティは、そのサイズが現在の無線条件に適用可能なトランスポートブロックサイズへと適合され得る、ＲＬＣ  ＰＤＵとそのセグメントを生成することができる。生成されたＲＬＣ  ＰＤＵと関連付けられる対応する論理チャネルは、たとえば分離されたＤＬ送信方式を使用して、二次サービングサイトからＤＬ−ＳＣＨにマッピングされ得る。
【０１４４】
双方向論理チャネルでは、ネットワーク側のＲＬＣエンティティが二次サービングサイトに位置される場合、双方向論理チャネルと関連付けられるＤＬ送信は二次サービングサイトから送信されてよく、双方向論理チャネルと関連付けられるＵＬデータを送信するための１つまたは複数の選択肢が、ＷＴＲＵによって使用され得る。たとえば、双方向論理チャネルのためのＵＬデータは、二次サービングサイトと関連付けられるＵＬ−ＳＣＨにマッピングされ得る（たとえば、二次サービングサイトに対する分離されたＵＬ送信方式）。ＵＬデータがＷＴＲＵによって二次サービングサイトに送信される場合、ネットワーク側の同じＲＬＣエンティティが、双方向論理チャネルのためのアップリンクデータとダウンリンクデータの両方を処理することができる。双方向論理チャネルのためのアップリンクおよび／またはダウンリンクデータを処理するために使用されるＰＤＣＰエンティティはまた、二次サービングサイトにおいて動作することができる。
【０１４５】
例では、双方向論理チャネルのためのＵＬデータは、一次サービングサイトと関連付けられるＵＬ−ＳＣＨにマッピングされ得る（たとえば、一次サービングサイトに対する分離されたＵＬ送信方式）。別の例では、双方向論理チャネルのためのＵＬデータは、一次サービングサイトおよび／または二次サービングサイト（たとえば、プールされたＵＬ送信方式）のいずれかと関連付けられるＵＬ−ＳＣＨにマッピングされ得る。
【０１４６】
たとえば、双方向論理チャネルのためのＵＬデータは、たとえば二次サービングサイトへのＵＬ送信がＷＴＲＵによって実行されない場合、一次サービングサイトと関連付けられるＵＬ−ＳＣＨにマッピングされてよい。しかしながら、ネットワーク側のＲＬＣエンティティは、ＵＬ送信が二次サービングサイトに対して実行されないときであっても、二次サービングサイトに依然として位置され得る。双方向論理チャネルのためのＵＬデータが一次サービングサイトと関連付けられるＵＬ−ＳＣＨにマッピングされる場合、一次サービングサイトで復号されるアップリンクトランスポートブロックから多重分離化されたＲＬＣ  ＰＤＵは、二次サービングサイトにおけるＲＬＣエンティティによる処理のために、一次サービングサイトによって二次サービングサイトに中継され得る。
【０１４７】
例では、そのＤＬデータが二次サービングサイトを介して送信される、双方向論理チャネルと関連付けられるＷＴＲＵによって送信されるＲＬＣ  ＰＤＵは、一次サービングサイトによって受信されそこで復号され得るアップリンクトランスポートブロックから多重分離化され得る。これらのＲＣＬ  ＰＤＵは、一次サービングサイトにおいて動作するＲＬＣ受信エンティティによって処理され得る。一次サービングサイトにおけるＲＬＣ受信エンティティは、二次サービングサイトにおいて同じ論理チャネルを扱うＲＬＣエンティティに、（たとえば、Ｘ２ｂｉｓのようなネットワークインターフェースを通じて）制御情報を提供することができる。たとえば、ＷＴＲＵからＲＬＣ  ＰＤＵを受信する一次サービングサイトにおけるＲＬＣエンティティは、二次サービングサイトにおけるＲＬＣエンティティが状態報告および他の制御情報を生成しそれらをＷＴＲＵ側のピアＲＬＣエンティティに（たとえば、ダウンリンク送信を介して）提供することを可能にするために、二次サービングサイトにおけるＲＬＣエンティティに成功裏に受信された、および／または受信されなかったＲＬＣ  ＰＤＵの識別情報／シーケンス番号に関する情報を送信することができる。例では、二次サービングサイトにおいて受信されそれにより復号されるアップリンクトランスポートブロックから多重分離化されたＲＬＣ  ＰＤＵは、二次サービングサイトにおけるＲＬＣエンティティによる処理を伴わずに、一次サービングサイトにおけるＲＬＣ受信エンティティに中継され得る。二次サービングサイトによりＵＬにおいて受信されるＲＬＣ  ＰＤＵは、プールされた送信方式が利用されるとき、処理のために一次サービングサイトのＲＬＣインスタンスに転送され得る。
【０１４８】
例では、ＷＴＲＵは、アップリンクの中でＲＬＣ制御ＰＤＵを二次サービングサイトに送信することができるが、ＲＬＣデータＰＤＵは一次サービングサイトに送信され得る。たとえば、ＷＴＲＵにおけるＲＬＣエンティティによって生成されるＲＬＣ制御ＰＤＵは、二次サービングサイトと関連付けられるトランスポートチャネルで配信されるトランスポートブロックへと多重化され得るが、ＲＬＣデータＰＤＵは、一次サービングサイトと関連付けられるトランスポートチャネルで配信されるトランスポートブロックへと多重化され得る。例では、所与の双方向論理チャネルは、２つの双方向サブ論理チャネルに分割され得る。双方向論理チャネルの第１のサブ論理チャネルは、第１のサービングサイト（たとえば、一次サービングサイト）へＷＴＲＵによって送信されるＲＬＣデータＰＤＵ、および一次サービングサイトから受信されるＲＬＣ制御ＰＤＵと関連付けられ得る。双方向論理チャネルの第２のサブ論理チャネルは、第２のサービングサイト（たとえば、二次サービングサイト）からＷＴＲＵによって受信されるＲＬＣデータＰＤＵ、および、二次サービングサイトに送信されるＲＬＣ制御ＰＤＵと関連付けられ得る。
【０１４９】
例では、ＲＬＣエンティティは一次サービングサイトに位置され得る。たとえば、ダウンリンクにおいてＷＴＲＵに送信されるべきＲＬＣ  ＰＤＵは、ネットワークインターフェース（たとえば、Ｘ２ｂｉｓ）を使用して、一次サービングサイトにおけるＲＬＣエンティティから二次サービングサイトに転送され得る。たとえば、二次サービングサイトにおけるＭＡＣエンティティは、一次サービングサイトにおけるＲＬＣエンティティからＲＬＣ  ＰＤＵを受信し、１つまたは複数の二次サービングサイトのセルを通じてＲＬＣ  ＰＤＵをＷＴＲＵに送信することができる。一次サービングサイトに位置されるＲＬＣエンティティは、一次および／または二次サービングサイトと関連付けられるＲＬＣ  ＰＤＵを生成するように構成される単一のＲＬＣエンティティに対応し得る。例では、ＷＴＲＵに送信されるダウンリンクデータは二次サービングサイトを介して送信され得るので、一次サービングサイトに位置されるＲＬＣエンティティは、ＷＴＲＵに配信されるべきあらゆるＲＬＣ  ＰＤＵを、送信のために二次サービングサイトに提供するように構成される。
【０１５０】
一次サービングサイトは二次サービングサイトを介して配信されるべきＲＬＣ  ＰＤＵを生成することができ、一次サービングサイトに位置されるＲＬＣエンティティは、ＲＬＣ  ＰＤＵの生成の時点で二次サービングサイトにおいて経験されるほぼリアルタイムのチャネル条件を認識していないことがあり、いくつかのセグメント化および／または他のスケジューリングの判断が、二次サービングサイトにおいて、それが一次サービングサイトからＷＴＲＵに配信されるべきＲＬＣ  ＰＤＵを受信した後で、実行され得る。たとえば、ＲＬＣエンティティのデータを配信するためのスケジューリングの判断を行うノードとは異なるノードに位置されるＲＬＣエンティティは（たとえば、ＲＬＣエンティティは一次サービングサイトに位置されるが、スケジューリングを実行するＭＡＣインスタンスは二次サービングサイトに位置される）は、スケジューリングを実行するＭＡＣインスタンスによって割り振られるトランスポートブロックサイズのもとでは適切なサイズではない、１つまたは複数のＲＬＣ  ＰＤＵを生成することがある。たとえば、一次サービングサイトにおいてＲＬＣインスタンスによって生成されるＲＬＣ  ＰＤＵは、二次サービングサイトにおいてＭＡＣインスタンスによって割り振られるトランスポートブロックサイズに適合しないことがある。ＲＬＣ  ＰＤＵを収容できるトランスポートブロック（たとえば、現在のチャネル条件のもとでは困難であり得る）をスケジューラが割り振るまで、そのようなＲＬＣ  ＰＤＵの遅延された送信を避けるために、送信が遅延され得る状況、および／または、ＲＬＣエンティティが一次サービングサイトに位置される場合でも、いくつかのセグメント化および／または制限されたＲＬＣ機能が二次サービングサイトにおいて実行され得る状況を避けるための、技法が規定され得る。
【０１５１】
たとえば、二次サービングサイトのＭＡＣインスタンスに到達すると遅延され得る比較的大きなＲＬＣ  ＰＤＵの生成を避けるために、一次サービングサイトにおけるＲＬＣエンティティは、最大のＲＬＣ  ＰＤＵサイズよりも大きなＲＬＣ  ＰＤＵを生成することを制約され得る。ＷＴＲＵにデータを送信するために使用されるＭＡＣインスタンスとは異なるサービングサイトに位置されるＲＬＣエンティティにおいて生成されるＲＬＣ  ＰＤＵに対する最大のＲＬＣ  ＰＤＵを確立することによって、二次サービングサイトのＭＡＣインスタンスによって設定されるトランスポートブロックサイズにＲＬＣ  ＰＤＵが適合しない確率が最小限にされ得る。ＲＬＣ  ＰＤＵを生成したＲＬＣエンティティを含まないサービングサイトによって送信されるＲＬＣ  ＰＤＵに対する最大のＲＬＣ  ＰＤＵのサイズは、ＲＬＣエンティティを含むサービングサイトから送信されるＲＬＣ  ＰＤＵに対する最大のＲＬＣ  ＰＤＵのサイズより小さくてよい。例では、ＲＬＣ  ＰＤＵを生成したＲＬＣエンティティを含むサービングサイトから送信されるＲＬＣ  ＰＤＵは、最大のＲＬＣ  ＰＤＵサイズに関して制約されなくてよい。
【０１５２】
例では、二次サービングサイトは完全なＲＬＣエンティティを含まないことがあるが、ＲＬＣセグメント化機能は、二次サービングサイトに、たとえば、二次サービングセルと関連付けられるＭＡＣインスタンスの上に位置されてよい。たとえば、一次サービングサイトの中のＲＬＣエンティティは、一次および／または二次サービングサイトの１つまたは複数から送信されるべきＲＬＣ  ＰＤＵを最初に生成するように構成され得る。一次サービングサイトにおけるＲＬＣエンティティは、一次サービングサイトに属するセルを通じて送信されるＲＬＣ  ＰＤＵのセグメント化機能を実行するように構成され得る。しかしながら、一次サービングサイトにおけるＲＬＣエンティティは、二次サービングサイトに属するセルを通じて送信されるべき、それが生成するＲＬＣ  ＰＤＵをセグメント化することを控えるように構成され得る。二次サービングサイトを介して送信されるＲＬＣ  ＰＤＵのためのＲＬＣセグメント化機能は、たとえば、それらのＲＬＣ  ＰＤＵを処理するための残りのＲＬＣ機能がネットワークの中の一次サービングサイトに位置される場合であっても、二次サービングサイトに位置され得る。二次サービングサイトは、一次サービングサイトによって生成されるＲＬＣ  ＰＤＵを受信することができ、二次サービングサイトと関連付けられるＭＡＣインスタンスを通じて送信されるべきＲＬＣ  ＰＤＵをセグメント化することができる。二次サービングサイトにおけるＲＬＣ  ＰＤＵのセグメント化は、一次サービングサイトに位置されるＲＬＣエンティティに対して透過的であり得る。
【０１５３】
ＲＬＣ状態ＰＤＵ（たとえば、ＲＬＣ状態報告を含むＲＬＣ制御ＰＤＵ）は、一次サービングサイトにおけるＲＬＣエンティティに送信され得る。例では、一次サービングサイトにおけるＲＬＣエンティティが、二次サービングサイトにおいてセグメント化されたＲＬＣ  ＰＤＵのためのＲＬＣ状態ＰＤＵを受信するとき、ＲＬＣ状態ＰＤＵは、二次サービングサイトに転送され、かつ／または二次サービングサイトによって処理され得る。例では、ＲＬＣエンティティが、二次サービングサイトにおいてセグメント化されたＲＬＣ  ＰＤＵに否定応答するＲＬＣ状態ＰＤＵを受信するとき、ＲＬＣエンティティは、セグメントの一部が肯定応答された場合であっても、元のＲＬＣ  ＰＤＵのセグメントが否定応答されている限り、元のＲＬＣ  ＰＤＵ全体を再送信することができる。このようにして、ＲＬＣ状態報告は、二次サービングサイトでのセグメント化の知識を何ら有することなく、一次サービングサイトで処理され得る。
【０１５４】
例では、ＲＬＣ  ＰＤＵを送信するＭＡＣインスタンス（たとえば、二次サービングサイトにおけるＭＡＣインスタンス）は、ＲＬＣ  ＰＤＵのセグメント化をサポートするように構成され得る。たとえば、ＲＬＣ  ＰＤＵは、一次サービングサイトのＲＬＣエンティティによって生成されてよく、二次サービングサイトにおけるセルのＭＡＣインスタンスに転送されてよい。ＲＬＣ  ＰＤＵが受信されると、ＭＡＣインスタンスは、たとえば、スケジューリングされたトランスポートブロックに利用可能な空間があるかどうかに基づいて、ＲＬＣ  ＰＤＵのセグメント化を実行するかどうかを決定することができる。ＭＡＣインスタンスは、ＲＬＣ  ＰＤＵのセグメント化および連結を実行することができる。受信側のＭＡＣインスタンスはＭＡＣインスタンスによって生成されたＲＬＣ  ＰＤＵのセグメントを再び組み立てることができるので、追加のセグメント化情報がＭＡＣヘッダに追加され得る。たとえば、セグメント化情報は、ヘッダを含むＭＡＣ  ＰＤＵが、完全なＲＬＣ  ＰＤＵに対応するＭＡＣ  ＳＤＵ、ＲＬＣ  ＰＤＵの最初のセグメントに対応するＭＡＣ  ＳＤＵ、ＲＬＣ  ＰＤＵの真中のセグメントに対応するＭＡＣ  ＳＤＵ、および／または、ＲＬＣ  ＰＤＵの最後のもしくは最終のセグメントに対応するＭＡＣ  ＳＤＵを含むかどうかの指示を提供することができる。ＭＡＣヘッダは、各ＭＡＣ  ＰＤＵのシーケンス番号を含み得る。ＷＴＲＵは、たとえば、ＭＡＣ  ＳＤＵが所与のＲＬＣ  ＰＤＵの最初の、真中の、または最終のセグメントに対応するかどうかを示す、シーケンス番号および／または追加のセグメント化情報に基づいて、ＭＡＣ  ＰＤＵを並べ替えてＭＡＣ  ＳＤＵを再び組み立てることができる。例では、ＭＡＣ  ＳＤＵは、シーケンス番号を提供されてよく、ＭＡＣヘッダは、所与のＭＡＣ  ＳＤＵのセグメント番号を示すことができる。
【０１５５】
二次サービングサイトのＭＡＣインスタンスからのＭＡＣ  ＰＤＵを受信すると、受信エンティティ（たとえば、ＷＴＲＵ）におけるＭＡＣインスタンスは、セグメント化されたＭＡＣ  ＳＤＵを再び組み立てて、セグメント化されていないＭＡＣ  ＳＤＵをＲＬＣエンティティに転送することができる。たとえば、受信されたＭＡＣ  ＰＤＵのシーケンス番号に基づいて、ＷＴＲＵは、受信されたＭＡＣ  ＰＤＵを並べ替え、かつ／またはＭＡＣ  ＰＤＵを解体することができる。ＭＡＣ  ＳＤＵのセグメント化がＭＡＣエンティティによって実行されたことをセグメント化エンティティが示す場合、ＷＴＲＵは、複数のＭＡＣ  ＰＤＵに含まれるセグメントをＭＡＣ  ＳＤＵへと再び組み立てることができる。
【０１５６】
ＲＬＣエンティティおよびＭＡＣエンティティは所与のネットワークノードにおいて同じ場所に位置されないことがあり（たとえば、ＲＬＣエンティティは一次サービングサイトにあることがあり、ＭＡＣエンティティは二次サービングサイトに位置されることがある）、一次サービングサイトと二次サービングサイトとの間のネットワークインターフェースは比較的大きな遅延と関連付けられ得るので、バッファリングおよび／またはフロー制御が、送信の連続性を確実にするために、二次サービングサイトと一次サービングサイトとの間で実装され得る。たとえば、二次ＭＡＣインスタンスに位置されるスケジューラが一次サービングサイトから転送されるＲＬＣデータＰＤＵの送信のためのリソースを適切にスケジューリングするために、フロー制御が実行され得る。たとえば、二次サービングサイトにおけるＭＡＣインスタンスは、一次サービングサイトにおけるＲＬＣエンティティからの１つまたは複数のＲＬＣ  ＰＤＵの送信に関連する情報を要求することができる。例として、ＭＡＣインスタンスは、ＷＴＲＵへの送信のためにＭＡＣインスタンスがスケジューリングしているデータのビットの数の指示、要求された数のビットがＷＴＲＵに送信されるのにかかるであろう時間の長さの指示、あるバッファサイズがＷＴＲＵに送信されるのにかかるであろう時間の長さの指示、ＷＴＲＵへの送信に利用可能な無線リソースの量の指示、ＷＴＲＵへの送信のためにサポートされる平均のデータレートの指示、および／または、ＷＴＲＵに送信されるべき利用可能なデータがあり得るかどうかを決定するための一次サービングサイトのポーリング要求の、１つまたは複数を要求することができる。
【０１５７】
一次サービングサイトにおけるＲＬＣエンティティは、データの量、データのタイプ、および／またはＷＴＲＵに送信されるべきデータの特性に関する情報を、二次サービングサイトのスケジューラ（たとえば、二次サービングサイトのＭＡＣインスタンスに位置される）に提供するように構成され得る。たとえば、一次サービングサイトは、ＷＴＲＵのための送信のためにバッファリングされるデータに関連する情報を、二次サービングサイトにおけるＭＡＣインスタンスに（たとえば、ネットワークインターフェースを使用して）送信することができる。一次サービングサイトは、ＷＴＲＵに送信されるべきＤＬデータ（たとえば、一次サービングサイトまたは二次サービングサイトのいずれかを介して送信されるべきデータ）のための全体のバッファ状態報告を、二次サイトのＭＡＣインスタンスに提供することができる。一次サービングサイトは、二次サービングサイトに送信／マッピングされる、ＷＴＲＵに送信されるべきＤＬデータのためのバッファ状態報告を、二次サイトのＭＡＣインスタンスに提供することができる。一次サービングサイトは、データが二次サービングサイトのセルを通じて送信されるべきであることを示す要求を、二次サイトのＭＡＣインスタンスに送信することができる。たとえば、要求は、二次サービングサイトを通じて送信されるべきバッファの全体の数、および／または望まれるビットレートを示し得る。
【０１５８】
異なるサービングサイトにおけるＭＡＣインスタンスは、データ送信を扱い処理するための異なる規則を実装し得る。たとえば、論理チャネルの多重化、電力制御、ＵＬ  ＰＵＳＣＨ送信を実行するための規則は、使用されるべきサイトに応じて異なり得る。
【０１５９】
例として、無線リンク監視（ＲＬＭ）は、一次サービングサイト（たとえば、ＷＴＲＵにおける）と関連付けられるＭＡＣインスタンスによって実行され得るが、二次サイト（たとえば、ＷＴＲＵにおける）と関連付けられるＭＡＣインスタンスは、ネットワークによって特別にそうするように構成されない限り、ＲＬＭの実行を控え得る。例では、一次ＭＡＣインスタンス上でＲＬＦを検出することは、ＲＲＣ接続の再確立につながり得るが、二次ＭＡＣインスタンスでＲＬＦを検出することは、ＲＲＣ接続の再確立につながらないことがある。例では、二次ＭＡＣインスタンスのためのＭＡＣリセットは、別のＭＡＣインスタンス（たとえば、一次ＭＡＣインスタンスおよび／または別の二次ＭＡＣインスタンス）のリセットにつながらないことがある。二次ＭＡＣインスタンスのためのＭＡＣリセットは、リセットされているＭＡＣインスタンスのみと関連付けられるＤＲＢを中断し得るが、リセットされているＭＡＣインスタンスと関連付けられ別のＭＡＣインスタンスとも関連付けられるＤＲＢはアクティブなままであってよく、それは、リセット手順の間に他のＭＡＣインスタンスを介してデータが送信され得るからである。
【０１６０】
ＭＡＣインスタンス固有のＤＲＸを使用するとき（たとえば、異なるＭＡＣインスタンスが異なるＤＲＸ構成を適用していることがある）、一次ＭＡＣのＤＲＸ状態は、二次ＭＡＣのＤＲＸ状態に対する先行権または優先権を有し得る。たとえば、ＷＴＲＵが２つのＭＡＣインスタンスにおいて同時にアップリンク送信を実行することを控えるように構成される場合、一次ＭＡＣインスタンスにおけるＤＲＸアクティブ時間にあるＷＴＲＵは、二次ＭＡＣインスタンスにおけるＤＲＸ非アクティブ状態にＷＴＲＵがあるはずであると暗示し得る。例では、ＳＲが、データが所与のＲＢ（たとえば、ＤＲＢ、ＳＲＢなど）に対して利用可能になったことに基づいてトリガされるとき、ＷＴＲＵは、問題とされるＲＢに対応するＭＡＣインスタンスを使用してＳＲ送信を実行することができる。例では、データが所与のＤＲＢに対して利用可能になったことに基づいてＳＲがトリガされるとき、ＷＴＲＵは、問題とされるＤＲＢに対応するＭＡＣインスタンスを使用してＳＲ送信を実行することができるが、ＳＲがＳＲＢのために送信されるべきデータに基づいてトリガされる場合、（たとえば、ＳＲＢがＳＲＢ３のような二次ＭＡＣインスタンスと関連付けられるときであっても）ＳＲ手順は一次ＭＡＣインスタンスで実行され得る。
【０１６１】
例では、サービングサイトの各々と関連付けられるＭＡＣインスタンスは、比較的互いに独立に動作し得る。たとえば、複数のＭＡＣインスタンス（またはエンティティ）が定義されてよく、このとき、各ＭＡＣインスタンスは、単一のサービングサイトと関連付けられるトランスポートチャネルを使用し得る。ＭＡＣインスタンスの各々は、独立のＭＡＣ構成、たとえば、パラメータ、状態変数、タイマー、ＨＡＲＱエンティティなどの独立のセットを使用し得る。独立したサイトごとのＭＡＣ動作は、ランダムアクセス手順、アップリンク時間整合の維持（たとえば、各ＭＡＣインスタンスは固有のアクティブ時間、ＤＲＸ関連のタイマー、ＤＲＸ関連のパラメータ、ＴＡＴタイマーなどを維持し得る）、Ｓｃｅｌｌのアクティブ化／非アクティブ化（たとえば、各ＭＡＣインスタンスはＰｃｅｌｌおよび／または１つまたは複数のＳｃｅｌｌを有し得る）、ＤＬ−ＳＣＨのデータ転送、ＵＬ−ＳＣＨのデータ転送（たとえば、スケジューリング要求、バッファ状態の報告、電力ヘッドルームの報告、論理チャネルの優先順位付けなど）、不連続受信（ＤＲＸ）動作、ＭＡＣ再構成手順、ＭＡＣリセット手順、半永続的なスケジューリング、および／または同様のものの、１つまたは複数を含む動作に当てはまり得る。
【０１６２】
例として、所与のサービングサイトにおけるＭＡＣインスタンスは、バッファ状態報告（ＢＳＲ）を実行するように構成され得る。バッファ状態報告のための異なる手順が、たとえばアップリンクで利用されるレイヤ２のアーキテクチャ／送信方式に基づいて適用され得る。
【０１６３】
例として、ＢＳＲ報告は、異なるＭＡＣインスタンスによって独立に実行され得る。たとえば、複数のＢＳＲ手順は、独立に、かつ／または同時に動作してよく、このとき、所与のＢＳＲ手順は所与のサービングサイト（たとえば、および／またはＭＡＣインスタンス）に対応し得る。所与のＭＡＣインスタンスと関連付けられるＢＳＲ手順は、サービングサイト／ＭＡＣインスタンスの論理チャネルスケジューリンググループに対して動作し／それと関連付けられ得る。所与のＭＡＣインスタンスと関連付けられるＢＳＲ手順の一部として生成されるＢＳＲ報告は、サービングサイト／ＭＡＣインスタンスと関連付けられるトランスポートチャネルのためのトランスポートブロックに含まれる、ＭＡＣ制御要素に含まれ得る。所与のＭＡＣインスタンスのためのＢＳＲ報告は、問題とされるＭＡＣインスタンスの送信／受信に関連する情報（たとえば、割り振られたＵＬリソース、ＵＲグラント、ＭＡＣ  ＰＤＵの送信／受信、パディングＢＳＲを生成することに適用可能な決定において考慮される情報、トリガされたＢＳＲの取り消し、ＢＳＲの値など）に基づいて、しかし、他のＭＡＣインスタンスの送信に関連する情報に基づかずに、生成され得る。ＢＳＲ再送信タイマー（たとえば、ｒｅｔｘＢＳＲ−Ｔｉｍｅｒ）および／または周期的なＢＳＲタイマー（たとえば、ｐｅｒｉｏｄｉｃＢＳＲ−Ｔｉｍｅｒ）のようなＢＳＲパラメータは、ＢＳＲパラメータが関連付けられるサービングサイトまたはＭＡＣインスタンスに応じて、異なる値を有し得る。独立したＢＳＲ報告は、１つまたは複数のＵＬ送信方式／レイヤ２の構造のために利用され得る。たとえば、独立したＢＳＲ報告は、分離されたＵＬ再送信方式／レイヤ２の構造が使用される場合に利用され得る。このようにして、ネットワーク側の異なるスケジューリングエンティティが、その対応するサービングサイト／ＭＡＣインスタンスのための論理チャネルスケジューリンググループに関するバッファ状態について認識させられ得る。
【０１６４】
例では、共通のＢＳＲ報告が、複数のＭＡＣインスタンスにわたって実行され得る。たとえば、単一の組み合わされたＢＳＲ手順が、複数のサービングサイトおよび／または論理チャネルにわたって動作し得る。組み合わされたＢＳＲ手順は、スケジューラと関連付けられるサービングサイトにおける送信に関連する情報、および／またはＷＴＲＵによって利用される他のサービングサイトにおける送信に関連する情報を、各スケジューラに提供することができる。
【０１６５】
たとえば、ＢＳＲがトリガされるときは常に、ＢＳＲは、各サービングサイトのために送信され得る。所与のサービングサイトのためのＢＳＲは、サービングサイトと関連付けられるトランスポートチャネルを通じて送信され得る。サービングサイトのためのＢＳＲは、そのサービングサイトに送信されるべきアップリンクデータに基づいて生成される情報を含み得る。サービングサイトと関連付けられる論理チャネルスケジューリンググループからの送信のためにデータが利用可能でなければ、ＢＳＲがトリガされていても、ＢＳＲは１つまたは複数のサービングサイトに送信されなくてよい。パディングＢＳＲは、たとえば、１つまたは複数のサービングサイトのためのトランスポートブロックの１つの中のパディングビットの数が十分である場合、そのサービングサイトのために送信され得る。サービングサイトのために送信されるＢＳＲの内容は、サービングサイトの対応する論理チャネルスケジューリンググループからのデータに基づいて決定され得る。所与の論理チャネルからのデータが１つよりも多くのサービングサイトのためのトランスポートブロック上に多重化される場合、ＢＳＲは、（たとえば、複数のＢＳＲの中のデータを複数のサイトへ報告することによって実際に送信されるべきデータよりも多くの利用可能なデータがあるように、ＷＴＲＵが見せないように）ＭＡＣ  ＰＤＵが異なるサービングサイトのために生成された後の状態を反映し得る。
【０１６６】
ＢＳＲを生成する目的での送信のために利用可能であると、ＷＴＲＵによって考えられるデータは、ＢＳＲがそれに対して生成されているＭＡＣインスタンスの論理チャネルスケジューリンググループと関連付けられる、ＲＬＣ  ＳＤＵ、ＲＬＣデータＰＤＵ、ＲＬＣデータＰＤＵのセグメント、および／またはＲＬＣ状態ＰＤＵの１つまたは複数を含み得る。ＰＤＣＰ  ＳＤＵおよび／またはＰＤＣＰ  ＰＤＵは、ＢＳＲ生成のために考えられなくてよい。ＢＳＲがそれに対して生成されているＭＡＣインスタンスの論理チャネルスケジューリンググループと関連付けられる、ＲＬＣ  ＳＤＵ、ＲＬＣデータＰＤＵ、および／またはＲＬＣ状態ＰＤＵを、送信のために利用可能であるものとして考えることによって、ＢＳＲ状態報告は、分割されたＲＬＣ送信方式／レイヤ２の構造において効果的に実装され得る。
【０１６７】
例では、ＢＳＲ生成の目的での送信に利用可能であると考えられるデータは、一部またはすべてのＰＤＣＰ  ＳＤＵおよび／またはＰＤＣＰ  ＰＤＵ、たとえば、リリース１１の手順により利用可能であると考えられ得るＰＤＣＰ  ＳＤＵおよび／またはＰＤＣＰ  ＰＤＵを含み得る。ＰＤＣＰ  ＳＤＵおよび／またはＰＤＣＰ  ＰＤＵの一部が利用可能であると考えられる場合、その一部は、より高次のレイヤによって提供される比率に対応し得る。その一部は、サービングサイト（またはＭＡＣインスタンス）の「リソース利用比率」と最小の値との大きい方に対応し得る。「リソース利用比率」は、対応するサービングサイト／ＭＡＣインスタンスと関連付けられるトランスポートチャネルのために所与の期間内に割り振られるＵＬリソースと、すべてのサービングサイト／ＭＡＣインスタンスと関連付けられるトランスポートチャネルのために同じ期間内に割り振られるすべてのＵＬリソースの合計との比率に対応し得る。例では、ＰＤＣＰ  ＳＤＵおよび／またはＰＤＣＰ  ＰＤＵは、ＰＤＣＰ  ＳＤＵおよび／またはＰＤＣＰ  ＰＤＵが、それのために送信が生成されている特定のサービングサイト／ＭＡＣインスタンスと関連付けられる場合、ＢＳＲ生成手順において送信に利用可能であると考えられ得る。他のサイト（たとえば、生成されているＢＳＲと関連付けられないサイト）と関連付けられるＰＤＣＰ  ＳＤＵおよび／またはＰＤＣＰ  ＰＤＵは、別のサービングサイトのＢＳＲの計算において送信に利用可能であるとしてカウントされなくてよい。
【０１６８】
送信に利用可能であると考えられるデータは、所与の論理チャネルスケジューリンググループの中の論理チャネルのための送信に利用可能であると考えられるデータの総量の一部を含み得る。ＰＤＣＰ  ＳＤＵおよび／またはＰＤＣＰ  ＰＤＵの一部が利用可能であると考えられる場合、その一部は、より高次のレイヤによって提供される比率に対応し得る。その一部は、サービングサイト（またはＭＡＣインスタンス）の「リソース利用比率」と最小の値との大きい方に対応し得る。
【０１６９】
ＷＴＲＵは、スケジューリング要求（ＳＲ）をネットワークに送信するためのリソースの１つまたは複数のセットによって構成され得る。マルチレイヤ動作では、ＷＴＲＵは、複数のレイヤにおいてＳＲを実行するためのリソースを割り振られ得る（たとえば、第１のリソースは一次レイヤの中で利用可能であってよく、第２のリソースは二次レイヤの中で利用可能であってよい）。ＳＲをネットワークに送信するために使用され得るリソースの例は、ランダムアクセススケジューリング要求（ＲＡ−ＳＲ）のためのＰＲＡＣＨ構成であり得る。ＳＲを送信するために使用され得るリソースの別の例は、専用の物理アップリンク制御チャネル（ＰＵＣＣＨ）リソース（たとえば、専用ＳＲ（Ｄ−ＳＲ）リソース）をスケジューリング要求の送信のために所与のＷＴＲＵに割り振るＷＴＲＵによって（たとえば、ＲＲＣシグナリングを介して）受信される、受信されたＰＵＣＣＨ構成であってよい。ＰＵＣＣＨ構成は、ＷＴＲＵが所与のレイヤでＳＲを送信するために使用し得るＰＵＣＣＨ物理リソースの定期的な割振りを定義することができる。例では、ＷＴＲＵは、送信されるべきデータの１つまたは複数の特性に基づいて、ＳＲを実行するために使用するリソースを選択することができる。たとえば、ＳＲを送信するための適切なリソースを選択するために使用され得るデータ特性の例は、送信されるべきデータと関連付けられるベアラ（たとえば、ＤＲＢ、ＳＲＢなど）の識別情報を含み得る。ＳＲを送信するための適切なリソースを選択するために使用され得るデータ特性の別の例は、特定のレイヤ（たとえば、一次レイヤ、二次レイヤなど）との所与のベアラの関連付けを含み得る。
【０１７０】
例として、ＷＴＲＵは、一次レイヤのＰＣｅｌｌのためのＰＲＡＣＨ構成によって構成され得る。ＷＴＲＵはまた、二次レイヤのサービングセルのためのＰＲＡＣＨ構成によって構成され得る。さらに、ＷＴＲＵは、１つまたは複数のレイヤの中の、たとえば、二次レイヤのサービングセルの中のＰＵＣＣＨでＳＲを送信するための専用のリソースによって構成され得る。ＷＴＲＵは、一次レイヤと関連付けられ得る、第１のＤＲＢおよび／または第１のＳＲＢによって構成され得る。ＷＴＲＵは、二次レイヤと関連付けられ得る、第２のＤＲＢおよび／または第２のＳＲＢによって構成され得る。新たなデータがＷＴＲＵのために構成されたＲＢの１つまたは複数の送信に利用可能になり、ＳＲがトリガされる場合、ＷＴＲＵは、要求をトリガしたＲＢと関連付けられるレイヤに基づいて、ＳＲ手順を実行するために使用するリソースを選択することができる。たとえば、ＳＲが第１のＳＲＢ上のデータからトリガされた場合、ＷＴＲＵは、一次レイヤのＰＣｅｌｌ上でＲＡ−ＳＲを実行することができる。ＳＲが第２のＤＲＢと関連付けられるデータからトリガされた場合、ＷＴＲＵは、二次レイヤのサービングセル上でＤ−ＳＲおよび／またはＲＡ−ＳＲを実行することができる。
【０１７１】
例では、ＷＴＲＵは、二次レイヤでのＳＲ手順の失敗に続いて、一次レイヤのＰＣｅｌｌでのＳＲ手順を実行するように構成され得る。たとえば、二次レイヤと関連付けられるＲＢのための一次レイヤでＳＲを送信するとき、ＷＴＲＵは、（たとえば、ＳＲをトリガした）二次レイヤと関連付けられる両方のＲＢのために利用可能なデータと、ＢＳＲにおいて一次レイヤにマッピングされたＲＢと関連付けられる送信のために利用可能な任意のデータとの指示を送信することができる。例では、ＷＴＲＵは、二次レイヤでのＳＲの失敗に基づいて、二次レイヤと関連付けられる１つまたは複数のＲＢを一次レイヤに再び関連付けることができる。
【０１７２】
例では、ＷＴＲＵがＳＲの失敗をどのように扱うかは、失敗したＳＲ手順のために使用されたＳＲリソースをどのレイヤが含んでいたか（たとえば、一次レイヤ、二次レイヤなど）、および／または、失敗したＳＲ手順のために使用されたＳＲリソースのタイプ（たとえば、ＲＡ−ＳＲ、Ｄ−ＳＲなど）に基づき得る。たとえば、Ｄ−ＳＲ手順が二次レイヤのセルのＰＵＣＣＨリソースを使用して失敗したとＷＴＲＵが決定するとき、ＷＴＲＵは、二次レイヤのセルにおいてＲＡ−ＳＲ手順を開始するように構成され得る。たとえば、二次レイヤにおいてＲＡ−ＳＲのために使用されるセルは、失敗したＤ−ＳＲ手順のために使用されたものと同じセルであってよく、または二次レイヤの異なるセルであってよい（たとえば、ＷＴＲＵは最初に同じセルを、次いで二次レイヤの異なるセルを試すことができる）。ＲＡ−ＳＲが二次レイヤでも失敗するとＷＴＲＵが決定する場合、ＷＴＲＵは次いで、一次レイヤのＰＣｅｌｌでのＳＲ手順を開始することができる。一次レイヤのＰＣｅｌｌでのＳＲは、ＰＣｅｌｌにおけるＷＴＲＵに対するＳＲ構成に従って実行され得る。たとえば、ＷＴＲＵがＰＣｅｌｌにおいてＳＲを送信するための専用のＰＵＣＣＨリソースによって構成されている場合、Ｄ−ＳＲ手順が実行され得る。ＷＴＲＵがＰＣｅｌｌにおいてＳＲのための専用のＰＵＣＣＨリソースによって構成されていない場合、ＷＴＲＵはＲＡ−ＳＲ手順を開始することができる。一次レイヤのＰＣｅｌｌでのＳＲ手順が失敗する場合、ＷＴＲＵは、一次レイヤのＰＣｅｌｌとのＲＲＣ接続を再び確立することを試み得る。別の例では、二次レイヤで任意のＳＲ手順（たとえば、Ｄ−ＳＲまたはＲＡ−ＳＲ）が失敗すると、ＷＴＲＵは、（たとえば、二次レイヤにおいて異なるタイプのＳＲ手順をまず実行することを試みるのではなく）一次レイヤのＰＣｅｌｌにおいてＳＲ手順を実行することを試み得る。
【０１７３】
例では、ＷＴＲＵは、二次レイヤのＲＢと関連付けられているＳＲをトリガしたデータに基づいて、一次レイヤにおいてＳＲ手順（たとえば、ＲＡ−ＳＲ手順）を実行するように構成され得る。たとえば、一次レイヤにおけるＲＡ−ＳＲ手順は、二次レイヤにおいてＲＢと関連付けられるデータのために、ＳＲのために使用され得る。ＷＴＲＵは、データが二次レイヤにマッピングされたＲＢと関連付けられることを、ＲＡ−ＳＲ手順において示すことができる。例では、ＷＴＲＵは、二次レイヤにおけるＳＲの失敗に基づいて、モビリティ手順を開始することができる。たとえば、ＳＲ手順が二次レイヤにおいて失敗する場合、ＷＴＲＵは、ＳＲが失敗したレイヤと関連付けられるＲＢを異なるレイヤ（たとえば、一次レイヤ）に移す、１つまたは複数の無線ベアラのための再関連付け手順（たとえば、ＲＲＣ再構成手順）を実行するように構成され得る。例では、ＷＴＲＵは、（たとえば、ＳＲ手順のために）問題とされるレイヤのＰＲＡＣＨリソースを使用したＲＡＣＨが失敗すると、ＵＬ  ＲＬＦが所与のレイヤで発生したと決定することができる。たとえば、二次レイヤに対応するＳＲの失敗に対して、ＷＴＲＵは、異なるレイヤ（たとえば、一次レイヤ）でのベアラのモビリティ関連の手順を開始することができる。
【０１７４】
ＷＴＲＵは、異なるレイヤのタイミングの整合を維持するための異なる手順を利用することができる。たとえば、所与のセル（たとえば、ＰＣｅｌｌ）において利用されるタイミング整合（ＴＡ）手順は、ＴＡ手順がどのレイヤと関連付けられるかに基づき得る。たとえば、ＷＴＲＵは、二次レイヤの中の第２のセル（たとえば、二次レイヤの中のセル）と関連付けられる１つまたは複数の条件を検出したことに基づいて、第１のレイヤの第１のセル（たとえば、一次レイヤのＰＣｅｌｌ）におけるタイミング整合に関する様々な動作を実行することができる。たとえば、二次レイヤにおけるＳＲの失敗は、一次レイヤにおけるＴＡに関連する１つまたは複数の動作をトリガし得る。
【０１７５】
例として、ＷＴＲＵは、所与のレイヤと関連付けられるタイミング整合タイマー（ＴＡＴ）（たとえば、いくつかまたはすべての適用可能なＴＡＴ、たとえば複数のＴＡグループが構成される場合）を、そのレイヤにおけるＤ−ＳＲの失敗および／またはＲＡ−ＳＲの失敗を検出すると、満了したものと考えることができる。たとえば、ＷＴＲＵは、二次レイヤのＰＣｅｌｌのリソースを使用してＳＲ手順が失敗したと決定したことに基づいて、二次レイヤのＰＣｅｌｌのＴＡＴを満了したものと考えることができる。
【０１７６】
例では、第１のレイヤの第１のセルにおけるＴＡＴの満了（たとえば、または、ＷＴＲＵにＴＡＴを満了したものと見なさせるトリガ）は、異なるレイヤと関連付けられる別のセルで送信されるべき拡張されたＳＲ／ＢＳＲをトリガし得る。たとえば、二次レイヤの１つまたは複数のセル（たとえば、ＰＣｅｌｌ）と関連付けられるＴＡＴが満了した、かつ／または（たとえば、ＳＲの失敗に基づいて）満了したと見なされたと、ＷＴＲＵが決定すると、ＷＴＲＵは、ＢＳＲを一次レイヤのセル（たとえば、一次レイヤのＰＣｅｌｌ）に送信することができる。たとえば、一次レイヤを介して送信されるＢＳＲは、送信されるべき一次レイヤのＲＢと関連付けられる任意のデータに加えて、送信されるべき二次レイヤと関連付けられるＲＢのための任意のデータに関する情報を含み得る。
【０１７７】
例では、ＴＡＴの満了（たとえば、または、ＷＴＲＵにＴＡＴを満了したものと見なさせるトリガ）は、別のレイヤへのＲＢのモビリティおよび／またはＲＢの中断をトリガし得る。たとえば、ＷＴＲＵは、ＴＡＴが満了した（たとえば、またはＴＡＴが満了したと見なされた）セルを含むレイヤと関連付けられる１つまたは複数のＲＢを、異なるレイヤ（たとえば、一次レイヤに）の中の異なるセルに再び関連付けることができる。例では、ＲＢの関連付けは、二次レイヤに適用可能なすべてのＴＡＴが満了した、または満了したと見なされたときに実行され得る。そのような場合、ＴＡＴが二次レイヤの第１のセルで満了したが第２のセルのそのＴＡＴがまだ満了していなければ、ＷＴＲＵは、第２のセルのＴＡＴが満了するまで、または満了したと見なされるまで、別のレイヤへのＲＢのモビリティの実行を控えることができる。ＲＢが異なるレイヤと再び関連付けられる場合、１つまたは複数のＴＡＴが二次レイヤにおいて開始されると、または実行していると、ＷＴＲＵは、二次レイヤと再び関連付けられるように、移されたＲＢを再構成することができる。例では、ＲＢの中断は、二次レイヤに適用可能なすべてのＴＡＴが満了したとき、または満了したと見なされたとき、ＷＴＲＵによって実行され得る。そのような場合、ＴＡＴが二次レイヤの第１のセルで満了したが第２のセルのＴＡＴがまだ満了していない場合、ＷＴＲＵは、ＲＢを中断することを控えることができる。ＷＴＲＵが所与のレイヤと関連付けられるすべてのＴＡＴの満了に基づいてＲＢを中断する場合、二次レイヤに適用可能な少なくとも１つのＴＡＴが開始された、かつ／または現在実行していると、ＷＴＲＵが決定すると、ＷＴＲＵは、問題とされるＲＢをアクティブであると考えることができる。
【０１７８】
例では、ＴＡＴの満了（たとえば、または、ＷＴＲＵにＴＡＴを満了したものと見なさせるトリガ）は、満了されたＴＡＴと関連付けられるＭＡＣインスタンス／レイヤの非アクティブ化をトリガし得る。たとえば、二次レイヤの１つまたは複数のセル（たとえば、ＰＣｅｌｌ）と関連付けられるＴＡＴが満了した、または満了したと見なされたと、ＷＴＲＵが決定する場合、ＷＴＲＵは、問題とされるＭＡＣインスタンスのいくつかまたはすべてのセルを非アクティブ化することができる。例では、ＴＡＴの満了（たとえば、ＷＴＲＵにＴＡＴを満了したものと見なさせるトリガ）は、１つまたは複数のレイヤ固有の無線ベアラを中断するようにＷＴＲＵにトリガし得る。たとえば、二次レイヤの１つまたは複数のセル（たとえば、ＰＣｅｌｌ）と関連付けられるＴＡＴが満了した、または満了したと見なされたと、ＷＴＲＵが決定する場合、ＷＴＲＵは、問題とされるレイヤと関連付けられる１つまたは複数の無線ベアラを中断することができる。例では、ＴＡＴの満了（たとえば、または、ＷＴＲＵにＴＡＴを満了したものと見なさせるトリガ）は、１つまたは複数のレイヤ固有のベアラを異なるレイヤに移す／再び関連付けるモビリティ手順を実行するように、ＷＴＲＵをトリガし得る。たとえば、二次レイヤの１つまたは複数のセル（たとえば、ＰＣｅｌｌ）と関連付けられるＴＡＴが満了した、または満了したと見なされたと、ＷＴＲＵが決定する場合、ＷＴＲＵは、異なるレイヤ（たとえば、一次レイヤ）と再び関連付けられるように無線ベアラを再構成するために、モビリティ手順を開始することができる。
【０１７９】
例では、ＴＡＴの満了（たとえば、または、ＷＴＲＵにＴＡＴを満了したものと見なさせるトリガ）は、アクティブなＭＡＣインスタンス／レイヤの切替えをトリガし得る。たとえば、二次レイヤの１つまたは複数のセル（たとえば、ＰＣｅｌｌ）と関連付けられるＴＡＴが満了した、または満了したと見なされたと、ＷＴＲＵが決定する場合、ＷＴＲＵは、たとえば、一次ＭＡＣインスタンスが非アクティブ化されている場合、一次ＭＡＣインスタンスの１つまたは複数のセル（たとえば、ＰＣｅｌｌ）をアクティブ化するための手順を開始することができる。
【０１８０】
レイヤ１（たとえば、ＰＨＹレイヤ）および／またはレイヤ２（たとえば、ＭＡＣ、ＲＲＣなど）に基づく、動的な無線リソース管理（ＲＲＭ）の制御が、マルチレイヤＲＲＭを調整するために実行され得る。たとえば、各レイヤのための物理レイヤのリソースの制御および割振りは複雑であることがあり、利用される制御プレーンのアーキテクチャのタイプ（たとえば、分散された制御プレーン、調整された制御プレーン、集約された制御プレーンなど）に依存し得る。たとえば、ＷＴＲＵは、ＳＲＢが単一のレイヤ（たとえば、一次レイヤ）で終端され、かつ／または、１つまたは複数のレイヤがレイヤのためのサービングサイトで終端されるＳＲＢを有し得ないように、二重接続によって構成され得る。そのような場合、ＲＲＭをサポートするための構成情報および他の制御データが、ＲＣＮＣ（たとえば、ＭｅＮＢにおいて位置され得る）、別のレイヤのサービングサイト（たとえば、ＭｅＮＢ）、および／または問題とされるレイヤのサービングサイト（たとえば、ＳＣｅＮＢ）の１つまたは複数によって、レイヤ（たとえば、二次レイヤ／ＳＣｅＮＢレイヤ）に対して決定され得る。構成情報は、レイヤ間の１つまたは複数のインターフェース（たとえば、Ｘ２ｂｉｓ）を通じて、ＳＲＢが終端する適切なネットワークノードに提供され得る。たとえば、ＳＲＢはＭｅＮＢで終端するが、ＳＲＢのための制御情報は他のサービングサイト（たとえば、ＳＣｅＮＢ）に提供され得るように、ＷＴＲＵが構成され得る。
【０１８１】
しかしながら、いくつかの状況では、レイヤ間通信／インターフェースのレイテンシがＲＲＭに対して問題となり得る。たとえば、二次レイヤ（たとえば、ＳＣｅＮＢと関連付けられる）におけるＲＲＭおよび／または再構成は、ＳＲＢが終端され得るマクロレイヤのサービングサイト（たとえば、ＭｅＮＢ）と二次レイヤのサービングサイト（たとえば、ＳＣｅＮＢ）との間のインターフェースが、比較的高いレイテンシと関連付けられることがあり、かつ／または比較的大きな遅延をもたらし得るという事実によって、複雑にされ得る。ＭＡＣインスタンスの再構成およびレイヤのＰＨＹ構成のレイテンシを低減しながら、（たとえば、リソースの割振りに関する）スケジューラの柔軟性をそれでも提供することは、送信時間間隔（ＴＴＩ）のバンドリング、Ｄ−ＳＲに対するＰＵＣＣＨの割振り、ＣＱＩの報告、ハイブリッド自動再送要求（ＨＡＲＱ）フィードバック（たとえば、ＨＡＲＱフォーマットを含む）、サウンディング参照信号（ＳＲＳ）リソースの割振り、構成参照信号などの１つまたは複数のような、いくつかのスケジューリング機能に関連があり得る。たとえば、ｓｐｓ−Ｃｏｎｆｉｇ、ｍａｃ−ＭａｉｎＣｏｎｆｉｇ（たとえば、ｔｔｉＢｕｎｄｌｉｎｇ、ｄｒｘ−Ｃｏｎｆｉｇなどを含む）、ｐｈｙｓｉｃａｌＣｏｎｆｉｇＤｅｄｉｃａｔｅｄ（たとえば、ｐｕｃｃｈ−ＣｏｎｆｉｇＤｅｄｉｃａｔｅｄ、ｃｑｉ−ＲｅｐｏｒｔＣｏｎｆｉｇ、ｓｏｕｎｄｉｎｇＲＳ−ＵＬ−ＣｏｎｆｉｇＤｅｄｉｃａｔｅｄ、ｓｃｈｅｄｕｌｉｎｇＲｅｑｕｅｓｔＣｏｎｆｉｇ、ｃｑｉ−ＲｅｐｏｒｔＣｏｎｆｉｇ−ｒ１０、ｃｓｉ−ＲＳ−Ｃｏｎｆｉｇ−ｒ１０、ｓｏｕｎｄｉｎｇＲＳ−ＵＬ−ＣｏｎｆｉｇＤｅｄｉｃａｔｅｄＡｐｅｒｉｏｄｉｃ−ｒ１０、ｃｓｉ−ＲＳ−ＣｏｎｆｉｇＮＺＰなどを含む）のような、１つまたは複数のＩＥに含まれるパラメータは、時間に敏感であることがあり、そのようなパラメータのシグナリングおよび／または構成の遅延は問題であり得る。
【０１８２】
例として、たとえば、サービングサイトの間のネットワーク内通信が高いレイテンシと関連付けられ、制御プレーン（たとえば、および／または特定のＳＲＢ）がレイヤの１つで終端される場合、再構成の瞬間（たとえば、適用されている、新たな構成が開始すべき時間）の同期は、マルチレイヤの設定では達成するのが難しいことがある。たとえば、（たとえば、ＳＣｅＮＢと関連付けられる）二次レイヤにおける接続に関する１つまたは複数の態様を再構成するＲＲＣ再構成メッセージをＷＴＲＵが受信する場合、ＷＴＲＵにおける、二次レイヤにおけるスケジューラと、二次レイヤと関連付けられＭＡＣインスタンスとの間のタイミングおよび／または同期は、困難であり得る。たとえば、ＷＴＲＵは、それ以降新たな構成が有効であると想定される、固定された時間的な点を決定するように構成され得る。
【０１８３】
タイミングおよび同期は、たとえば、ネットワークがあるＷＴＲＵから別のＷＴＲＵにリソースを再び割り振ることを試みている場合には、ネットワーク側でも問題であることがあり、それは、ネットワークが、そのようなリソースがそれから所与のＷＴＲＵへの割振りに利用可能であり得る、最初の可能な場合を決定する必要があり得るからである。たとえば、ネットワークは、ＴＴＩのバンドリングを非アクティブ化すること、Ｄ−ＳＲのためのＰＵＣＣＨリソースを解放すること、ＣＱＩ報告インスタンスを割り振ること、ＨＡＲＱフィードバック（たとえば、ＨＡＲＱフォーマットを含む）を受信すること、新たなＤＲＸ構成をいつ適用するか決定すること、ＳＲＳリソースを解放すること、参照信号を修正すること、および／または同様のことを目的に、リソースが所与のＷＴＲＵにおいて利用可能であり得るときを決定することを試み得る。たとえば、ネットワークは、ｓｐｓ−Ｃｏｎｆｉｇ、ｍａｃ−ＭａｉｎＣｏｎｆｉｇ（たとえば、ｔｔｉＢｕｎｄｌｉｎｇ、ｄｒｘ−Ｃｏｎｆｉｇなどを含む）、ｐｈｙｓｉｃａｌＣｏｎｆｉｇＤｅｄｉｃａｔｅｄ（たとえば、ｐｕｃｃｈ−ＣｏｎｆｉｇＤｅｄｉｃａｔｅｄ、ｃｑｉ−ＲｅｐｏｒｔＣｏｎｆｉｇ、ｓｏｕｎｄｉｎｇＲＳ−ＵＬ−ＣｏｎｆｉｇＤｅｄｉｃａｔｅｄ、ｓｃｈｅｄｕｌｉｎｇＲｅｑｕｅｓｔＣｏｎｆｉｇ、ｃｑｉ−ＲｅｐｏｒｔＣｏｎｆｉｇ−ｒ１０、ｃｓｉ−ＲＳ−Ｃｏｎｆｉｇ−ｒ１０、ｓｏｕｎｄｉｎｇＲＳ−ＵＬ−ＣｏｎｆｉｇＤｅｄｉｃａｔｅｄＡｐｅｒｉｏｄｉｃ−ｒ１０、ｃｓｉ−ＲＳ−ＣｏｎｆｉｇＮＺＰなどを含む）のようなＩＥに含まれる１つまたは複数のパラメータの適用をＷＴＲＵがいつ開始できるか、かつ／または開始するであろうかを、決定することを試み得る。半永続的なスケジューリング（ＳＰＳ）のリソースのアクティブ化および非アクティブ化のタイミングは、ＰＨＹレイヤの制御シグナリングを使用して制御され得る（たとえば、ＰＤＣＣＨ命令を介してアクティブ化および非アクティブ化され得る）。
【０１８４】
たとえば、ＷＴＲＵおよび１つまたは複数のサービングサイトは、パラメータのセットのために１つまたは複数の事前構成を確立するように構成されてよく、パラメータの各々の事前構成されたセットにインデックスを割り当てることができ、明示的な制御シグナリングおよび／または暗黙的な規則を利用してアクティブな構成を切り替える（たとえば、パラメータの所与のセットをアクティブ化および／または非アクティブ化する）ことができる。たとえば、ＷＴＲＵおよび／または異なるレイヤのサービングサイトは、それに対して構成が確立されているレイヤ（たとえば、ＳＣｅＮＢサービングサイトを伴う二次レイヤ）においてＳＲＢの終端を伴うＲＲＣコンポーネントを導入および／または利用する必要なく、所与のレイヤおよび／またはスケジューラのための（たとえば、ＳＣｅＮＢのための）、物理レイヤのリソースの、局所的な、柔軟な、かつ／または動的な管理を利用することができる。
【０１８５】
たとえば、ＲＲＭのための静的パラメータ（たとえば、これは、１つまたは複数のＳＲＢがサービングサイトにおけるＲＲＣコンポーネントで終端されるレイヤのために使用され得る）を構成するためにＲＲＣシグナリングに依存するのではなく、またはそのことに加えて、それによって、（たとえば、ＳＣｅＮＢの中の）所与のレイヤのためのスケジューラは、様々なＲＲＭ構成を（たとえば、ＲＲＣシグナリングまたは同様のものを介して）事前構成することができ、（たとえば、暗黙的な規則に基づいて、トリガ事象に基づいて、ＰＨＹまたはＭＡＣシグナリングを介するなどして）どの事前構成された割振りを使用するかをシグナリングすることができる。
【０１８６】
ＲＲＭパラメータの複数のセットを構成するために、様々な技法が使用され得る。本明細書で使用されるとき、ＲＲＭパラメータという用語は、ＴＴＩのバンドリング、Ｄ−ＳＲ、ＤＲＸ、ＳＲのためのＰＵＣＣＨの割振り、ＣＱＩの報告、ＨＡＲＱフィードバック（たとえば、ＨＡＲＱフォーマットを含む）、ＳＲＳリソースの割振り、構成参照信号、他のＰＨＹレイヤのパラメータ、および／または同様のものに関連するパラメータの１つまたは複数を指し得る。たとえば、ＲＲＭパラメータは、ｓｐｓ−Ｃｏｎｆｉｇ、ｍａｃ−ＭａｉｎＣｏｎｆｉｇ（たとえば、ｔｔｉＢｕｎｄｌｉｎｇ、ｄｒｘ−Ｃｏｎｆｉｇなどを含む）、ｐｈｙｓｉｃａｌＣｏｎｆｉｇＤｅｄｉｃａｔｅｄ（たとえば、ｐｕｃｃｈ−ＣｏｎｆｉｇＤｅｄｉｃａｔｅｄ、ｃｑｉ−ＲｅｐｏｒｔＣｏｎｆｉｇ、ｓｏｕｎｄｉｎｇＲＳ−ＵＬ−ＣｏｎｆｉｇＤｅｄｉｃａｔｅｄ、ｓｃｈｅｄｕｌｉｎｇＲｅｑｕｅｓｔＣｏｎｆｉｇ、ｃｑｉ−ＲｅｐｏｒｔＣｏｎｆｉｇ−ｒ１０、ｃｓｉ−ＲＳ−Ｃｏｎｆｉｇ−ｒ１０、ｓｏｕｎｄｉｎｇＲＳ−ＵＬ−ＣｏｎｆｉｇＤｅｄｉｃａｔｅｄＡｐｅｒｉｏｄｉｃ−ｒ１０、ｃｓｉ−ＲＳ−ＣｏｎｆｉｇＮＺＰなどを含む）のようなＩＥに含まれ得る情報の１つまたは複数の項目を含み得る。加えて、ＲＲＭパラメータ／構成の様々なサブセットが、独立に／別々に処理され、かつ／または扱われ得る。たとえば、ＳＰＳパラメータのセットは、物理レイヤの構成パラメータのセットとは別々に事前構成され得る。同様に、ＤＲＸパラメータのセットは、ＣＱＩ報告パラメータのセットとは別々に扱われ得る。１つまたは複数の異なる制御機能に関連するパラメータは、事前構成グループへとグループ化され得る（たとえば、ＤＲＸパラメータはＴＴＩパラメータとグループ化され、ＣＱＩ報告パラメータはＤ−ＳＲ構成パラメータとグループ化され得る、など）。本明細書で使用されるとき、ＲＲＭパラメータという用語は、上で説明された（または同様の）１つまたは複数のパラメータを、単独で、または様々な組合せで指すために使用され得る。ＲＲＭ構成という用語は、事前構成のためにグループ化され得る、かつ／または一緒にアクティブ化され得る、１つまたは複数のＲＲＭパラメータのグループを指し得る。
【０１８７】
たとえば、ＷＴＲＵは、ＲＲＭパラメータの１つまたは複数のセットを構成するＲＲＣシグナリング（たとえば、ＲＲＣ接続再構成メッセージ）を受信することができる。ＷＴＲＵは、パラメータの１つまたは複数のインデックス付けされたセットを伴う構成を受信することができる。たとえば、ＷＴＲＵは、物理レイヤの構成パラメータ（たとえば、ｐｈｙｓｉｃａｌＣｏｎｆｉｇＤｅｄｉｃａｔｅｄ）の１つまたは複数のセット、および／または、ＭＡＣ構成パラメータの１つまたは複数のセット（たとえば、ｍａｃ−ＭａｉｎＣｏｎｆｉｇ）によって事前構成され得る。たとえば、各構成は、別個の項目（たとえば、ｄｅｆａｕｌｔＣｏｎｆｉｇ、および０個より多いａｌｔｅｒｎａｔｉｖｅＣｏｎｆｉｇ）としてグループ化され得る。例では、各々の受信された構成がインデックス値と関連付けられてよく、インデックス値は、構成が受信されるとき、および／または暗黙的に決定され得るときに割り当てられ得る。たとえば、各々の構成値は、増加するインデックス番号の場合（たとえば、メッセージ中の最初の構成はインデックス０を有し、２番目の構成はインデックス１を有するなど）、順番に提供され得る。構成の１つまたは複数は、デフォルトの構成であり得る。たとえば、受信される再構成メッセージは、パラメータ（たとえば、構成）のどの受信されたセットがデフォルトの構成である、かつ／もしくは最初の構成である、かつ／もしくはインデックス０を割り当てられた構成であると考えられるかを明示的に示すことができ、かつ／または、セルにおいて適用される最初の構成がデフォルトの構成であると考えられてよい。受信されたＲＲＭ構成は、あるセルに固有であってよく、複数のセルにわたって共通であってもよい。受信されたＲＲＭ構成は、あるレイヤに固有であってよく、または複数のレイヤにわたって共通であってよい。パラメータの複数のセット（たとえば、ＲＲＭ構成の複数のセット）を受信すると、ＷＴＲＵは、デフォルトのセットに対応するパラメータを適用することによって、再構成を完了することができる。
【０１８８】
例として、ＷＴＲＵは、１つまたは複数の仮想セルとしてグループ化されたパラメータのセットを伴う構成を受信することができる。たとえば、ＷＴＲＵは、ＲＲＭパラメータの１つまたは複数のセット、たとえば、物理レイヤの構成の１つまたは複数のセットを受信することができる。構成は、構成が仮想セルに対応するように受信され得る。仮想セルは、従来のセルと同様の構成と関連付けられ得るが、構成は、動的にアクティブ化および／または非アクティブ化されてよい。たとえば、ＷＴＲＵは、所与のｓＣｅｌｌＩｎｄｅｘ、所与のｐｈｙｓＣｅｌｌＩｄ、所与のｄｌ−ＣａｒｒｉｅｒＦｒｅｑ、および／または同様のもののための、複数の仮想セル構成（たとえば、各セットが異なる仮想セルに対応する、ＲＲＭパラメータの複数のセット）を受信することができる。受信された仮想セル構成は、所与のセルにおいて適用され得る複数の可能性のある構成に対応し得る。例では、各仮想セルの構成および／またはＲＲＭパラメータの各セットは、識別の目的で、ｖｉｒｔｕａｌＣｅｌｌＩｄを割り当てられ得る。識別子（たとえば、ｖｉｒｔｕａｌＣｅｌｌＩｄ）は、明示的にシグナリングされてよく、かつ／または、暗黙的に決定されてよい。たとえば、各仮想セルの構成は、増加する識別番号の場合（たとえば、メッセージ中の最初の構成はｖｉｒｔｕａｌＣｅｌｌＩｄ０を有し、２番目の構成はｖｉｒｔｕａｌＣｅｌｌＩｄ１を有するなど）、順番に提供され得る。仮想セル構成の１つまたは複数は、デフォルトの構成であり得る。たとえば、受信された再構成メッセージは、受信されたどの仮想セル構成がデフォルトの構成であると、かつ／または第１の構成であると、かつ／またはｖｉｒｔｕａｌＣｅｌｌＩｄ０を割り当てられた構成であると考えられるかを明示的に示してよく、かつ／または、セルにおいて適用される最初の仮想セル構成がデフォルトの構成であると考えられてよい。仮想セル構成はあるセルに固有であってよく、または複数のセルにわたって共通であってよい。仮想セル構成はあるレイヤに固有であってよく、または複数のレイヤにわたって共通であってよい。仮想セル構成を受信すると、ＷＴＲＵは、デフォルトの仮想セル構成に対応するパラメータを適用することによって、再構成を完了することができる。
【０１８９】
ＲＲＭ構成および／もしくは仮想セル構成をアクティブ化すること、ＲＲＭ構成および／もしくは仮想セル構成を非アクティブ化すること、ＲＲＭ構成および／もしくは仮想セル構成を変更すること、ＲＲＭ構成および／もしくは仮想セル構成を除去すること、ならびに／または同様のことを行うために、制御シグナリングが使用され得る。たとえば、制御シグナリングは、レイヤの中の１つまたは複数のセル（たとえば、場合によっては、レイヤの中のセルのグループまたはサブセット）、レイヤの中の特定のタイプのセル（たとえば、ＰＣｅｌｌ、ＳＣｅｌｌなど）、タイミング整合グループ（ＴＡＧ）などに適用可能であり得る。
【０１９０】
たとえば、ＲＲＭ構成および／もしくは仮想セル構成をアクティブ化すること、ＲＲＭ構成および／もしくは仮想セル構成を非アクティブ化すること、ＲＲＭ構成および／もしくは仮想セル構成を変更すること、ＲＲＭ構成および／もしくは仮想セル構成を除去すること、ならびに／または同様のことを行うために、物理レイヤのシグナリングが使用され得る。例として、レイヤのアクティブ化、ＰＣｅｌｌのアクティブ化、ＳＣｅｌｌのアクティブ化などのために使用される物理レイヤのシグナリングは、適用されるべき適切なＲＲＭ構成および／または仮想セル構成の指示を含み得る。例では、別個の物理レイヤのシグナリングが、どのＲＲＭ構成および／または仮想セル構成が、セルにおいて、セルを含むレイヤにおいて、セルを含むレイヤの中の別のセルにおいて、別のレイヤにおいて、別のレイヤの別のセルにおいて、ＴＡＧにおいて、および／または同様のものにおいて適用されるべきかを示すために使用され得る。
【０１９１】
たとえば、所与のセル、セルの所与のグループ、所与のレイヤなどのための複数のＲＲＭ構成および／または複数の仮想セル構成によって構成されると、ＷＴＲＵは、たとえばＰＤＣＣＨおよび／または増強されたＰＤＣＣＨ（ｅＰＤＣＣＨ）上で、所与のＲＲＭ構成および／または仮想セル構成をアクティブ化する制御シグナリングを受信することができる。たとえば、ＷＴＲＵは、ダウンリンク制御情報（ＤＣＩ）フィールドにおいて、かつ／または他の物理レイヤのシグナリングを介して、所与のＲＲＭ構成および／または仮想セル構成に対応するインデックスおよび／またはｖｉｒｔｕａｌＣｅｌｌＩｄを受信することができる。
【０１９２】
たとえば、ＷＴＲＵは、１つまたは複数のセルのためのＲＲＭ構成および／または仮想セル構成をアクティブ化するＤＣＩを受信することができ、ＷＴＲＵは、ＤＣＩの中で示される明示的なインデックスおよび／または仮想セルの識別情報、ＤＣＩが成功裏に復号された検索空間の識別情報（たとえば、各検索空間および／または検索空間の部分は所与のインデックスおよび／または仮想セルに暗黙的にマッピングされ得る）、ＤＣＩを復号するために使用される無線ネットワーク一時識別子（ＲＮＴＩ）（たとえば、各ＲＲＭ構成および／もしくは仮想セル構成はＲＮＴＩを割り当てられてよく、かつ／または、どのＲＮＴＩが使用されるかに基づいて暗黙的なマッピングが仮定され得る）、ＤＣＩと関連付けられる最初の制御チャネル要素（ＣＣＥ）（または最後のＣＣＥ、またはＤＣＩを復号するために使用される範囲の中のいくつかの他のＣＣＥ）の識別情報（たとえば、ＣＣＥは、ＲＲＭ構成および／または仮想セル構成に暗黙的にマッピングされ得る）、および／または同様のことの１つまたは複数に基づいて、どのＲＲＭ構成および／または仮想セル構成を適用するかを決定することができる。
【０１９３】
物理レイヤのシグナリングは、たとえば、シグナリングフォーマットに対応するインデックスおよびまたは仮想セルの識別情報を含めることによって、ＲＲＭ構成および／または仮想セル構成のアクティブ化および／または非アクティブ化を示し得る。ＷＴＲＵがデフォルトではないＲＲＭ構成および／または仮想セル構成を使用して動作している場合、デフォルトではないＲＲＭ構成および／または仮想セル構成が非アクティブ化および／または除去され、ＷＴＲＵは、異なるＲＲＭ構成および／または仮想セル構成が明示的に示されない限り、問題とされるレイヤのためのデフォルトのＲＲＭ構成および／または仮想セル構成（たとえば、インデックス／ｖｉｒｔｕａｌＣｅｌｌＩｄ０を伴う構成）を使用すると暗黙的に決定することができる。
【０１９４】
再構成を確認するためにフィードバックがＷＴＲＵによって送信され得る。たとえば、ＷＴＲＵは、フィードバックを送信して、再構成の成功した完了、および／または物理レイヤのシグナリングが成功裏に受信されたことを示すことができる。たとえば、ＷＴＲＵは、ＲＲＭ構成および／または仮想セル構成をアクティブ化および／または非アクティブ化するために使用される、受信された物理レイヤのシグナリングのためのＨＡＲＱ  ＡＣＫ／ＮＡＣＫを送信することができる。たとえば、肯定的なフィードバック（たとえば、ＡＣＫ）は、ＲＲＭ構成および／または仮想セル構成を変更した、物理レイヤのシグナリングの成功した受信を示し得る。たとえば、ＨＡＲＱ  ＡＣＫ／ＮＡＣＫのフィードバックは、制御シグナリングの成功した受信の後の固定された時間に送信され得る。ＡＣＫ／ＮＡＣＫのフィードバックは、構成を変更した制御シグナリングの（たとえば、サブフレームｎの中の）ＲＲＭ構成および／または仮想セル構成を変更した物理レイヤのシグナリングの受信のときに以前適用可能であったＲＲＭ構成および／または仮想セル構成を使用して、送信され得る。たとえば、物理レイヤの制御シグナリングがサブフレームｎにおいて受信された場合、フィードバックは、サブフレームｎ＋４で送信され得る。
【０１９５】
例では、ＲＲＭ構成および／または仮想セル構成をアクティブ化および／または非アクティブ化するために使用される、受信された物理レイヤのシグナリングのためのＨＡＲＱ  ＡＣＫ／ＮＡＣＫに対するフィードバックは、物理レイヤの制御シグナリングにおいて示されるＲＲＭ構成および／または仮想セル構成を使用して送信され得る。たとえば、ＡＣＫ／ＮＡＣＫのフィードバックは、サブフレームｎ＋（ｒｅｃｏｎｆｉｇｕｒａｔｉｏｎＤｅｌａｙ）において、新たなＲＲＭ構成および／または仮想セル構成を使用して送信され得る。ｒｅｃｏｎｆｉｇｕｒａｔｉｏｎＤｅｌａｙは、構成可能な態様（たとえば、物理レイヤのアクティブ化シグナリングで示されてよく、かつ／またはＲＲＭ／仮想セル構成のセットにより事前構成され得る）であってよく、または、何らかの固定された処理遅延（たとえば、１５ｍｓ）と等価であってよい。例では、ＲＲＭ構成および／または仮想セル構成をアクティブ化および／または非アクティブ化するために使用される物理レイヤのシグナリングは、ＡＣＫ／ＮＡＣＫのフィードバックの送信のための特定のリソースを示し得る。例では、ＷＴＲＵは、ＲＲＭ構成および／または仮想セル構成をアクティブ化および／または非アクティブ化するために使用される物理レイヤのシグナリングが成功裏に受信された（たとえば、本明細書で説明される方法を使用して）かどうかを示す第１のフィードバックと、（たとえば、本明細書で説明される方法を使用した）制御シグナリングによって示されるような再構成の成功した完了を示すための第２のフィードバックとを送信することができる。例では、新たなＲＲＭ構成および／または仮想セル構成に対する成功した再構成の確認は、ランダムアクセスプリアンブルの送信によって実行され得る。たとえば、ＷＴＲＵが新たなＲＲＭ構成および／または仮想セル構成を成功裏に適用すると、ＷＴＲＵはＲＡＣＨ手順を開始することができる。ｍｓｇ３は、アクティブ化されたＲＲＭ構成および／または仮想セル構成を示すＭＡＣ  ＣＥを含み得る。
【０１９６】
ＭＡＣシグナリングのようなレイヤ２のシグナリングが、ＲＲＭ構成および／もしくは仮想セル構成をアクティブ化すること、ＲＲＭ構成および／もしくは仮想セル構成を非アクティブ化すること、ＲＲＭ構成および／もしくは仮想セル構成を変更すること、ＲＲＭ構成および／もしくは仮想セル構成を除去すること、ならびに／または同様のことを行うために使用され得る。たとえば、レイヤのアクティブ化、ＰＣｅｌｌのアクティブ化、ＳＣｅｌｌのアクティブ化などのために使用されるＭＡＣシグナリングはまた、適用されるべき適切なＲＲＭ構成および／または仮想セル構成の指示を含み得る。
【０１９７】
たとえば、ＷＴＲＵは、所与のＲＲＭ構成および／または仮想セル構成をアクティブ化するＭＡＣ制御要素（ＣＥ）を受信することができる。たとえば、ＷＴＲＵは、ＭＡＣ  ＣＥのフィールドの中の所与のＲＲＭ構成および／または仮想セル構成に対応する、インデックスおよび／またはｖｉｒｔｕａｌＣｅｌｌＩｄを受信することができる。例では、所与のＲＲＭ構成および／または仮想セル構成をアクティブ化するために使用されるＭＡＣ  ＣＥはビットマップを含んでよく、ビットマップの各ビットは、所与のＲＲＭ構成および／または仮想セル構成に対応し得る。たとえば、ビットマップの最初のビットはインデックス／仮想セルの識別情報０に対応してよく、ビットマップの２番目のビットマップはインデックス／仮想セルの識別情報１に対応してよく、以下同様である。１は、対応するＲＲＭ構成および／または仮想セル構成がアクティブ化されていることを示してよく、０は、対応するＲＲＭ構成および／または仮想セル構成が非アクティブ化されていることを示してよい（またはその逆でもよい）。
【０１９８】
例では、ＷＴＲＵは、レイヤをアクティブ化および／または非アクティブ化すること、レイヤの中のセルをアクティブ化および／または非アクティブ化すること、レイヤの中のセルのグループをアクティブ化および／または非アクティブ化することなどを行う、ＭＡＣアクティブ化／非アクティブ化のＣＥを受信することができる。ＭＡＣアクティブ化／非アクティブ化のＣＥは、アクティブ化されたセル、セルのグループ、および／またはレイヤのための、所与のＲＲＭ構成および／または仮想セル構成に対応する明示的なインデックスおよび／またはｖｉｒｔｕａｌＣｅｌｌＩｄを含み得る。本明細書で説明されるようなビットマップも使用され得る。
【０１９９】
例では、ＷＴＲＵは、特定のセル、セルのグループ、および／またはレイヤのためのＭＡＣ  ＲＲＭＣｏｎｆｉｇ  ＣＥを受信することができる。ＭＡＣ  ＲＲＭＣｏｎｆｉｇ  ＣＥは、構成されたセル、セルのグループ、および／またはレイヤのための所与のＲＲＭ構成および／または仮想セル構成に対応する明示的なインデックスおよび／またはｖｉｒｔｕａｌＣｅｌｌＩｄを含み得る。本明細書に説明されているようなビットマップも使用され得る。
【０２００】
使用されるシグナリング方法とは関係なく、ＷＴＲＵがデフォルトではないＲＲＭ構成および／または仮想セル構成を使用して動作している場合、デフォルトではないＲＲＭ構成および／または仮想セル構成は（たとえば、ＭＡＣシグナリングを介して）非アクティブ化および／または除去され、ＷＴＲＵは、異なるＲＲＭ構成および／または仮想セル構成が明示的に示されない限り、問題とされるセル／レイヤのセル／グループ（たとえば、インデックス／ｖｉｒｔｕａｌＣｅｌｌＩｄ０を伴う構成）のための、デフォルトのＲＲＭ構成および／または仮想セル構成を使用すると暗黙的に決定することができる。
【０２０１】
ＭＡＣシグナリングを介して受信される再構成を確認するために、フィードバックがＷＴＲＵによって送信され得る。たとえば、ＷＴＲＵは、フィードバックを送信して、再構成の成功した完了、および／またはＭＡＣ  ＣＥが成功裏に受信されたことを示すことができる。例として、フィードバックは、（たとえば、Ｌ２／ＭＡＣシグナリングが受信されたトランスポートブロックのためのＨＡＲＱ  ＡＣＫの送信の後の固定された時間）ＭＡＣ  ＣＥおよび／またはＰＵＣＣＨに含まれ得る。例では、新たなＲＲＭ構成および／または仮想セル構成に対する成功した再構成の確認が、ランダムアクセスプリアンブルの送信によって実行され得る。たとえば、ＷＴＲＵが新たなＲＲＭ構成および／または仮想セル構成を成功裏に適用すると、ＷＴＲＵはＲＡＣＨ手順を開始することができる。ｍｓｇ３は、アクティブ化されたＲＲＭ構成および／または仮想セル構成を示すＭＡＣ  ＣＥを含み得る。
【０２０２】
暗黙的な規則が、ＲＲＭ構成および／もしくは仮想セル構成をアクティブ化すること、ＲＲＭ構成および／もしくは仮想セル構成を非アクティブ化すること、ＲＲＭ構成および／もしくは仮想セル構成を変更すること、ＲＲＭ構成および／もしくは仮想セル構成を除去すること、ならびに／または同様のことを行うために使用され得る。たとえば、所与のセル、セルのグループ、レイヤなどのための複数のＲＲＭ構成および／または仮想セル構成によって事前構成されると、ＷＴＲＵは、ＲＲＭ構成および／または仮想セル構成をアクティブ化および／または非アクティブ化し得る、事象またはトリガを決定することができる。
【０２０３】
たとえば、ＷＴＲＵは、ＷＴＲＵによる使用のために事前構成された、セル、セルのグループ、レイヤなどをアクティブ化する制御シグナリング（たとえば、ＭＡＣアクティブ化／非アクティブ化のＣＥ）を受信することができる。ＷＴＲＵは、問題とされるセル、セルのグループ、レイヤなどのためのデフォルトのＲＲＭ構成および／または仮想セル構成が適用されるべきであると、逆のことに対する明示的なシグナリングがなければ、暗黙的に決定することができる。
【０２０４】
ＷＴＲＵは、アクティブなＲＲＭ構成および／または仮想セル構成のための（たとえば、デフォルトではないＲＲＭ構成および／または仮想セル構成のための）有効性タイマーを維持するように構成され得る。たとえば、ＷＴＲＵは、ＲＲＭ構成および／もしくは仮想セル構成のアクティブ化を受信すると、かつ／または、ＲＲＭ構成および／もしくは仮想セル構成をアクティブ化する明示的な制御シグナリングを受信すると、所与のＲＲＭ構成および／または仮想セル構成のための有効性タイマーを開始することができる。ＷＴＲＵは、所与のセル、セルのグループ、レイヤなどのためのＲＲＭ構成および／または仮想セル構成を、そのようなＲＲＭ構成および／または仮想セル構成の有効性タイマーが満了すると、非アクティブ化することができる。例では、デフォルトの構成のための有効性タイマーはなくてよい。有効性タイマーは、ＲＲＭ構成および／または仮想セル構成を再アクティブ化するシグナリングを受信すると、再開され得る。
【０２０５】
例では、セル、セルのグループ、レイヤなどのためのＴＡＴの満了は、ＲＲＭ構成および／または仮想セル構成を、非アクティブ化および／または除去することができる。たとえば、ＷＴＲＵは、適用可能なＴＡＴが満了すると、所与のセル、セルのグループ、レイヤなどのための、ＲＲＭ構成および／または仮想セル構成を非アクティブ化するように構成され得る。例では、ＴＡＴの満了は、ＷＴＲＵに、デフォルトではないＲＲＭ構成および／または仮想セル構成を非アクティブ化させ得るが、デフォルトのＲＲＭ構成および／または仮想セル構成を非アクティブ化させ得ない。
【０２０６】
ＷＴＲＵは、問題とされるセル、セルのグループ、レイヤなどに対する無線リンク失敗の条件を検出すると、所与のセル、セルのグループ、レイヤなどのためのＲＲＭ構成および／または仮想セル構成を非アクティブ化することができる。例では、無線リンク失敗の検出は、ＷＴＲＵに、デフォルトではないＲＲＭ構成および／または仮想セル構成を非アクティブ化させ得るが、デフォルトのＲＲＭ構成および／または仮想セル構成を非アクティブ化させ得ない。
【０２０７】
ＷＴＲＵは、問題とされるセル、セルのグループ、レイヤなどがＤＲＸ（たとえば、長いＤＲＸ）の中にあること、およびｚ個のＤＲＸ期間が経過したことを決定すると、所与のセル、セルのグループ、レイヤなどのためのＲＲＭ構成および／または仮想セル構成を非アクティブ化することができ、ここでｘは構成の態様であり得る。例では、問題とされるセル、セルのグループ、レイヤなどがＤＲＸ（たとえば、長いＤＲＸ）の中にあること、およびｚ個のＤＲＸ期間が経過したと決定することは、ＷＴＲＵに、デフォルトではないＲＲＭ構成および／または仮想セル構成を非アクティブ化させ得るが、デフォルトのＲＲＭ構成および／または仮想セル構成を非アクティブ化させ得ない。
【０２０８】
ＷＴＲＵは、問題とされるセル、セルのグループ、レイヤなどを（たとえば、暗黙的、かつ／または明示的に）非アクティブ化すると（たとえば、それが問題のセルまたはレイヤを非アクティブ化するとき）、所与のセル、セルのグループ、レイヤなどのためのＲＲＭ構成および／または仮想セル構成を非アクティブ化することができる。例では、問題とされるセル、セルのグループ、レイヤなどの非アクティブ化は、ＷＴＲＵに、デフォルトではないＲＲＭ構成および／または仮想セル構成を非アクティブ化させ得るが、デフォルトのＲＲＭ構成および／または仮想セル構成を非アクティブ化させ得ない。
【０２０９】
ＷＴＲＵは、デフォルトではないＲＲＭ構成および／または仮想セル構成を暗黙的および／または明示的に非アクティブ化すると（たとえば、いくつかの他のＲＲＭ構成および／または仮想セル構成が明示的に示されない限り）、デフォルトのＲＲＭ構成および／または仮想セル構成に戻ることができる。ＵＥは、有効な構成をＷＴＲＵが欠いていることを示す、かつ／または異なる構成が現在使用されている（たとえば、デフォルトの構成）ことを示す、制御シグナリング（たとえば、ＲＲＣメッセージ、アクティブな構成を示すＭＡＣ  ＣＥ）を使用することができる。
【０２１０】
異なるＲＲＭ構成および／または仮想セル構成への再構成の完了のタイミングが規定され得る。たとえば、ＷＴＲＵは、ｘ個のサブフレームの中で再構成を完了することを試み得る。値ｘは固定されていてよく（たとえば、１５ｍｓの処理時間）、かつ／または、値ｘはＲＲＭ構成および／または仮想セル構成の一部として構成されていてよい。例では、ＲＲＭ構成および／または仮想セル構成をアクティブ化する適用可能な制御シグナリング（たとえば、Ｌ１／Ｌ２シグナリング）が受信されるサブフレームｎから始まる、遅延が決定され得る。例では、適用可能な制御シグナリング（たとえば、Ｌ１／Ｌ２シグナリング）のためのフィードバックが送信される時間から始まる、遅延が決定され得る。例では、成功した再構成の確認が送信される時間から始まる、遅延が決定され得る。
【０２１１】
場合によっては、期間［ｎ，ｎ＋ｘ］の間に、ＷＴＲＵはＰＤＣＣＨおよび／またはｅＰＤＣＣＨを受信しないことがある。例では、ＷＴＲＵは、それがその送受信機を再構成することが可能になるとすぐに、新たなＲＲＭ構成および／もしくは仮想セル構成を使用し始めることができ、ＰＤＣＣＨおよび／もしくはｅＰＤＣＣＨを受信し始めることができ、かつ／または、問題とされる制御シグナリングの受信の瞬間において適用可能な構成を使用してアップリンク送信を実行することができる。例では、ＷＴＲＵが、制御シグナリングの受信の肯定応答（たとえば、サブフレームｎ＋４）の送信の後、新たなＲＲＭ構成および／または仮想セル構成を使用し始めることを許可され得る。
【０２１２】
例では、本明細書で説明される方法の１つまたは複数は、ＳＲＢの終端を伴わないノードにおいてスケジューラによる柔軟なＲＲＭ制御を提供するために、組み合わされ得る。たとえば、ＷＴＲＵは、ＲＲＣ接続再構成メッセージを受信することができる。ＲＲＣ接続再構成メッセージは、ＭｅＮＢにおけるＲＲＣエンティティで終端されるＳＲＢと関連付けられ／を介して送信され得る。ＲＲＣ接続再構成メッセージは、二次レイヤと関連付けられる１つまたは複数のセル（たとえば、二次レイヤのためのサービングサイトはＳＣｅＮＢであり得る）を追加し、修正し、除去することなどができる。再構成メッセージは、二次レイヤにおいて追加および／または修正されている１つまたは複数のセルのための（たとえば、および場合によっては削除されたセルのための）複数のＲＲＭ構成および／または仮想セル構成を含み得る。様々なＲＲＭ構成および／または仮想セル構成がインデックスを付けられてよく、かつ／または、ＲＲＭ構成および／または仮想セル構成の中の１つまたは複数のＲＲＭパラメータがインデックスを付けられてよい。ＲＲＭ構成および／または仮想セル構成の１つがデフォルトの構成であると考えられてよく、かつ／または、ＲＲＭ構成および／または仮想セル構成の中の１つまたは複数のＲＲＭパラメータがデフォルトのパラメータ値であると考えられてよい。最初に構成されたＲＲＭ構成および／または仮想セル構成がデフォルトの構成であると考えられてよく、かつ／または、最初に構成されたＲＲＭパラメータがデフォルトのパラメータであると考えられてよい。デフォルトのＲＲＭ構成および／もしくは仮想セル構成ならびに／またはデフォルトのＲＲＭパラメータは、たとえば、それらをインデックス０と関連付けることによって、かつ／または、それらを最初に載せることによって、明示的に示され得る。仮想セルを使用した構成の態様のグループ化である。たとえば、複数のサービングセルの構成が、所与のキャリア周波数に対して与えられ得る。
【０２１３】
ＷＴＲＵは、適用すべき１つまたは複数のＲＲＭ構成および／もしくは仮想セル構成、ならびに／または、適用すべき１つまたは複数のＲＲＭパラメータのためのインデックスを示し得る、レイヤ１（たとえば、ＰＨＹ）および／またはレイヤ２（たとえば、ＭＡＣ）シグナリング（たとえば、ＰＤＣＣＨ上のＤＣＩ、ＭＡＣ  ＣＥなど）を受信することができる。ＷＴＲＵは、（たとえば、サブフレームｎ＋４の中の）現在のＲＲＭ構成および／または仮想セル構成に従ってＰＵＣＣＨ上でＨＡＲＱ  ＡＣＫを送信することによって、そのような制御シグナリング（たとえば、場合によっては、フィードバックの中に構成インデックスの指示を含む）のサブフレームｎにおける受信に肯定応答することができる。ＷＴＲＵによるそのような制御シグナリング（たとえば、構成インデックスを伴う）の受信は、対応するＲＲＭ構成および／または仮想セル構成（たとえば、および／またはそのＲＲＭパラメータ）をアクティブ化し得る。ＷＴＲＵは、問題とされるシグナリングの受信（たとえば、サブフレームｎ＋４、サブフレームｎ＋１５などにおける）から所与の時間（たとえば、固定された、かつ／またはシグナリングされた）の後、ＰＤＣＣＨおよび／またはｅＰＤＣＣＨの復号を再開することができる。例では、仮想セルのアクティブ化／非アクティブ化は、グループ化の方法として使用され得る。
【０２１４】
ネットワークの観点からは、ＳＣｅＮＢは、１つまたは複数のＲＲＭ構成および／または仮想セル構成のためのいくつかの構成値をＭｅＮＢに提供することができる。ＳＣｅＮＢは、使用されるべきインデックス付け方法を示し得る。たとえば、そのような構成は、ＳＣｅＮＢとＭｅＮＢとの間のインターフェース（たとえば、Ｘ２ｂｉｓのような修正されたＸ２）で転送され得る。ＳＣｅＮＢは、ＲＲＭ構成および／または仮想セル構成を伴うＲＲＣ接続再構成メッセージを準備して、ＷＴＲＵに転送されるべきＭｅＮＢへのＲＲＣ接続再構成メッセージを送信することができる。二次レイヤと関連付けられるＭＡＣインスタンスにおけるスケジューラは次いで、Ｌ１シグナリングおよび／またはＬ２シグナリングを使用して、１つまたは複数のＲＲＭの態様に対する構成値を動的に切り替えることができる。
【０２１５】
ＷＴＲＵが異なるスケジューラと関連付けられる複数のレイヤまたはサービングサイトを利用して動作するように構成されるとき、無線ベアラは、単一のＭＡＣインスタンスおよび／または複数のＭＡＣインスタンスと独占的に関連付けられ得る。所与のレイヤ／ＭＡＣインスタンスと関連付けられる１つまたは複数のサービングセルは、たとえば、劣悪な無線リンク条件、再構成の失敗、モビリティの失敗、無線リンクの失敗、および／または他の理由で失敗し得る。加えて、所与のレイヤ／ＭＡＣインスタンスと関連付けられる１つまたは複数のサービングセルによって構成されるＷＴＲＵは、異なるネットワークエンティティ（たとえば、セルのような論理エンティティまたはｅＮＢのような物理エンティティ）と関連付けられ得るサービングセルの異なるセットにハンドオーバーされ得る。１つまたは複数のサービングサイト／ＭＡＣインスタンスにわたる無線リンクの喪失に対処するための、かつ／または、サービングサイトに固有の方式で（たとえば、特定のレイヤ／ＭＡＣインスタンスと関連付けられるサービングセルのセットに適用される）モビリティに対処するための、方法が説明される。モビリティ事象の間のサービスの連続性を確実にするために、ＭＡＣインスタンスの効率的な管理のための方法およびシステムが開示される。たとえば、１つまたは複数の無線ベアラ（たとえば、ＳＲＢおよび／またはＤＲＢ）が、モビリティ事象が実行されているレイヤ／ＭＡＣと関連付けられるときに、モビリティ事象を実行するための方法およびシステムが説明される。
【０２１６】
例として、ＷＴＲＵは、第１のｅＮＢへの接続を確立することができる。たとえば、第１のｅＮＢはＭｅＮＢであり得る。第１のｅＮＢへの接続は一次レイヤであると考えられてよく、かつ／または、第１のｅＮＢは第１のサービングサイトおよび／または一次サービングサイトであると考えられてよい。第１のサービングサイトとの最初のＲＲＣ接続手順の間のＷＴＲＵの能力の交換の一部として、ＷＴＲＵは、たとえば、リリース１１の接続手順に従って第１のサービングサイトへの接続を確立するために、ＷＴＲＵの能力の第１のセットを提供することができる。加えて、第１のサイトへの最初の接続手順の一部として、ＷＴＲＵは、ＷＴＲＵの能力の第２のセットを提供することができ、ＷＴＲＵの能力の第２のセットは、第２のレイヤまたはサービングサイトへの接続を確立するためにＷＴＲＵによってサポートされる接続情報と関連付けられ得る。ＭｅＮＢおよび別のｅＮＢ（たとえば、ＳＣｅＮＢ）は続いて、それぞれの能力に従って、たとえば複数のＭＡＣインスタンスを使用して、複数のサービングサイトにアクセスするようにＷＴＲＵを構成するように調整することができる。
【０２１７】
例では、第１のｅＮＢ（たとえば、一次レイヤ／第１のサービングサイトと関連付けられるＭｅＮＢ）への接続を確立するとき、ＷＴＲＵは、ＷＴＲＵが二重接続をサポートするかどうかの指示を、たとえば、ＷＴＲＵの能力情報の一部として含み得る。二重接続がサポートされることをＷＴＲＵが示す場合、ＷＴＲＵは、第１のサービングサイトとの接続を確立するときに二次サービングサイトにアクセスするための関連付けられるＷＴＲＵの能力を含み得る。第１のサービングサイトへと成功裏に接続すると、ＷＴＲＵは、たとえば、ＳＣｅＮＢへの接続を最初に確立するとき、ＷＴＲＵの能力の第２のセットをＳＣｅＮＢに提供することができる。ＭｅＮＢおよびＳＣｅＮＢは続いて、ＷＴＲＵによって提供される能力情報に従って、それらのそれぞれのパラメータを使用して、サービングサイトの各々に対するＷＴＲＵのための接続を構成することができる。
【０２１８】
たとえばリリース１１の手順を使用して一次サービングサイトへの接続（たとえば、ＲＲＣ接続）を確立した後、二次レイヤの最初の構成は、種々の方式であり得る。たとえば、第１のｅＮＢ（たとえば、ＭｅＮＢ、一次レイヤ、第１のサービングサイト、第１のＭＡＣインスタンスを介した接続など）に接続されるＷＴＲＵは、第２のｅＮＢ（たとえば、ＳＣｅＮＢ、二次レイヤ、第２のサービングサイト、第２のＭＡＣインスタンスを介した接続など）からの１つまたは複数のセルにより動作するように構成され得る。たとえば、ＷＴＲＵは、セルの第２のセットがＷＴＲＵの構成のために二次レイヤを形成するように構成され得るように、制御プレーンのシグナリング（たとえば、ＲＲＣシグナリング）を受信することができる。二次レイヤの構成は、専用のリソースおよび／または専用のＲＲＣメッセージを使用して受信されたＲＲＣシグナリングを使用して実行され得る。
【０２１９】
例として、二次サービングサイトの接続の最初の構成は、再構成手順を使用して実行され得る。ＷＴＲＵは、一次レイヤによって再構成手順を実行することができ、再構成手順は二次サービングサイトへの接続を確立するために使用され得る。したがって、一次サービングサイトからのシグナリングが、二次レイヤを使用して動作するようにＷＴＲＵを構成するために使用され得る。二次レイヤを構成するシグナリングは、たとえば、一次レイヤと関連付けられるＲＲＣ接続が二次レイヤを構成するために使用される場合、一次レイヤのリソースを介して受信され得る。ＲＲＣ接続再構成手順が使用され得る。たとえば、ＷＴＲＵは、二次サービングサイトを使用して動作するようにＷＴＲＵを構成する一次サービングサイトによって、ＲＲＣ接続再構成手順を実行することができる。
【０２２０】
二次サービングセルの最初の構成は、一種のモビリティ事象であり得る。たとえば、一次サービングサイトとのＲＲＣ接続を確立した後で、一次サービングサイトと関連付けられるリソースが、モビリティ手順を実行するために使用され得る。モビリティ手順の間、ＷＴＲＵは、一次サービングサイトについて、その構成、接続、および／または動作状態を維持することができるが、二次レイヤの１つまたは複数のサービングセルをその構成に追加することができる。たとえば、ＲＲＣ接続再構成手順が実行されてよく、このとき、モビリティ制御情報要素がＷＴＲＵに送信される（たとえば、ハンドオーバー命令がＷＴＲＵに送信され得る）。ＷＴＲＵが一次サービングサイトのセルから何らかの他のセルへのハンドオーバーを実行すべきであることを意味するようにハンドオーバー命令をＷＴＲＵが解釈するのではなく、ハンドオーバー命令は、一次サービングサイトのセルに加えて使用されるように、二次サービングサイトの１つまたは複数のセルを構成することができる。ハンドオーバー命令は、そのハンドオーバー命令が、一次サービングサイトのセルからのＷＴＲＵのハンドオーバーをトリガするためのものではなく、二重接続を確立するためのものであるということの指示を含み得る。一次レイヤのリソースで受信されるモビリティ関連のシグナリングは、ターゲットｅＮＢ（たとえば、ＳＣｅＮＢ）における二次レイヤの中の一次セル（ＰＣｅｌｌ）を構成することができる。二次レイヤのＰＣｅｌｌとの接続を確立した後で、ＷＴＲＵは、二次サービングサイトと関連付けられるＳＣｅｌｌのような、追加のサービングセルを追加するＲＲＣ接続再構成メッセージをターゲットｅＮＢ（たとえば、ＳＣｅＮＢ）から受信することができる。
【０２２１】
二次レイヤ／サービングサイトの最初の構成（たとえば、一次サービングサイトの再構成および／または一次サービングサイトにおけるモビリティ事象としての）は、無線ベアラの再割当てを含み得る。たとえば、二次サービングサイトへの接続を確立するために、一次サービングサイトによって接続再構成手順および／またはモビリティ手順を実行するとき、１つまたは複数の既存の無線ベアラ（たとえば、一次サービングサイトの送信と以前に関連付けられていた無線ベアラ）が、二次レイヤ／サービングサイトに移され得る。無線ベアラは、二次サービングサイトへと独占的に移されてよく、かつ／または、それらが一次サービングサイトと二次サービングサイトの両方と関連付けられるように移されてよい。
【０２２２】
セキュリティが一次レイヤに対してアクティブ化されると、二次レイヤの追加が、実行され得る。たとえば、二次サービングサイトのＰＣｅｌｌを追加するために、ＷＴＲＵは、一次サービングサイトへのＷＴＲＵ接続と関連付けられるセキュリティコンテキストがアクティブ化されるまで待機することができる。たとえば、アクセス層（ＡＳ）セキュリティがアクティブ化されると、かつ／または、少なくとも１つのＤＲＢを伴うＳＲＢ２が第１のｅＮＢ（たとえば、一次レイヤ）と関連付けられる接続のために確立／セットアップされる（たとえば、かつ、中断されない）と、二次サービングサイトの構成が実行され得る。
【０２２３】
例では、共通のセキュリティコンテキストが複数のサービングサイトにわたって利用されてよく、ベアラの識別情報はＷＴＲＵ固有であり得る。二次レイヤが、（たとえば、制御プレーンおよび／またはユーザプレーンの１つまたは複数に対して）一次レイヤまたは何らかの他のアクティブなサービングサイトのそれと共通のセキュリティコンテキストを実装する場合、二次レイヤの構成は、ベアラの識別情報のための共通の識別情報空間（たとえば、ｓｒｂ−Ｉｄｅｎｔｉｔｙおよび／またはｄｒｂ−Ｉｄｅｎｔｉｔｙ）を使用して実行され得る。たとえば、１つまたは複数のサービングサイトが同じベアラの識別情報を利用する場合、利用されるベアラの識別情報のいずれもが異なるＰＤＣＰエンティティを伴う複数のレイヤ／サービングサイトにおいて使用されないように、送信方式が確立され得る。そうすることによって、ＷＴＲＵは、異なるＰＤＣＰ  ＰＤＵが同じセキュリティ鍵および同じシーケンス番号を使用して送信されるという状況（たとえば、そのような状況は、ＷＴＲＵの中のＰＤＣＰレイヤにおける処理／識別の困難さにつながり得る）を避けることができる。
【０２２４】
例では、別個のセキュリティコンテキストが異なるサービングサイトに対して利用されてよく、ベアラの識別情報はレイヤ固有であってよい。たとえば、レイヤと一致する別個のセキュリティコンテキストが利用される場合、セキュリティが二次レイヤにおいてアクティブではない間に再構成手順（たとえば、二次レイヤを最初に構成するために使用される）が実行され得る。二次レイヤが別個のセキュリティコンテキストを実装する場合（たとえば、制御プレーンおよび／またはユーザプレーンの１つまたは複数に対して）、二次レイヤの構成は、セキュリティがまだ開始／アクティブ化されていない（たとえば、二次レイヤの最初の構成に対して）とき、および／または失敗したとき（たとえば、１つまたは複数のＲＢを別のレイヤに移す再構成に対して）のいずれかに、実行され得る。レイヤ固有のセキュリティモード命令は、二次レイヤにおけるセキュリティをアクティブ化するために使用され得る。たとえば、レイヤ固有のＫｅｎｂが変更されるときは常に、および／または、ＮＡＳ  ＣＯＵＮＴが変更されるときに、セキュリティのアクティブ化の手順が実行されてよく、かつ／または、セキュリティモード命令が所与のレイヤに対して送信されてよい。
【０２２５】
ネットワークにおける現在の負荷、ならびに／または、ＷＴＲＵへ、および／もしくはＷＴＲＵから送信されるべきデータの量に応じて、ＷＴＲＵは、一次レイヤおよび０個以上の二次レイヤによって構成され得る。ＷＴＲＵは、セルの領域を定義するために、レイヤ固有である測定情報によって、および／またはセル固有のオフセットによって構成され得る。ＷＴＲＵは、測定オブジェクト（たとえば、ｍｅａｓＯｂｊ）によって構成され得る。この測定オブジェクトは、セル固有および／またはレイヤ固有であってよい。測定オブジェクトは、たとえばＷＴＲＵ構成に応じて、１つまたは複数の他の事象構成（たとえば、ｅｖｅｎｔＣｏｎｆｉｇｕｒａｔｉｏｎ）と関連付けられ得る。事象構成は、１つまたは複数のＷＴＲＵの挙動をトリガする１つまたは複数の基準を含み得る。たとえば、測定オブジェクトに関して、ＷＴＲＵは、測定オブジェクトに関連するＷＴＲＵ測定に基づいてＷＴＲＵが動作を実行するようにトリガされるような条件を確立する、１つまたは複数の事象構成（たとえば、基準）によって構成され得る。例として、測定オブジェクトは、一次および／または二次サービングサイトのサービングセルのための測定を確立することができ、事象構成は、測定オブジェクトと関連付けられる１つまたは複数の閾値および／またはオフセット量を示し得る。問題とされる測定が構成された閾値を上回る場合、構成された閾値を下回る場合、所与のオフセット値を超える場合などは、ＷＴＲＵは、事象構成と関連付けられる事象を実行するようにトリガされ得る。二次セルの最初の構成は、測定が規定された基準を満す場合にＷＴＲＵが一次および／または二次レイヤで実行すべき動作を確立する、二次サービングサイトのセルのための測定オブジェクトと１つまたは複数の事象構成との間の、１つまたは複数の関連付けを含み得る。測定オブジェクトは、所与の測定オブジェクトまたは構成を指すためにネットワークによって使用される測定識別情報（ｍｅａｓＩｄ）を使用して、１つまたは複数の事象構成と関連付けられ得る。
【０２２６】
たとえば、所与のレイヤのための測定オブジェクトは、レイヤの所与のサービングセルのために構成され得る。事象構成は、サービングセルの品質が第１の閾値より良くなっていること（たとえば、第１の挙動をトリガし得る条件）、サービングセルの品質が第２の閾値より悪くなっていること（たとえば、第１の挙動を終わらせ得る、かつ／または第２の挙動をトリガし得る条件）などに基づいて、ＷＴＲＵによって実行されるべき動作を確立することができる。１つまたは複数の測定オブジェクトおよび１つまたは複数の事象構成は、セル範囲拡張（ＣＲＥ）の領域を定義するために使用され得る。ＣＲＥの領域は、マクロセル（たとえば、ＭｅＮＢと関連付けられる）および１つまたは複数のスモールセル（たとえば、１つまたは複数のＳＣｅＮＢと関連付けられる）に関して確立され得る。ＭｅＮＢのＣＲＥの領域は、ＷＴＲＵがＭｅＮＢのカバレッジエリアの中にありＳＣｅＮＢの１つまたは複数のスモールセルのカバレッジの中にもある、領域と関連付けられ得る。ＷＴＲＵがＣＲＥの中にある間、マクロセルからのトラフィックは、スモールセルの１つまたは複数にオフロードされ得る。ＣＲＥは、１つまたは複数のレイヤにおけるセルの測定に基づいて定義され得る。ＷＴＲＵは、それがまだマクロセルに接続されている間の、１つまたは複数のスモールセルの測定（たとえば、サービングセルの品質が閾値を上回るかどうか、閾値を下回るかどうかなど）に基づいて、それがＣＲＥの中にあるかどうかを決定するように構成され得る。ＷＴＲＵの挙動は、ＷＴＲＵがＣＲＥの領域のカバレッジの中にあるかどうか、ＷＴＲＵがＣＲＥの領域に入った（たとえば、セルの中心から、またはセルの中心に向かって）ことを検出するかどうか、ＷＴＲＵがＣＲＥの領域を離れた（たとえば、セルの中心から、またはセルの中心に向かって）ことを検出するかどうか、および／または同様のことの１つまたは複数に基づいて定義され得る。
【０２２７】
第１のサービングサイトまたはレイヤと関連付けられる第１のセルにおいて検出される条件は、二次サービングサイトまたはレイヤにおいてあるＷＴＲＵの挙動をトリガし得る。たとえば、異なるレイヤの中の近くのセルが、現在のレイヤのサービングセルよりも（たとえば、規定されたオフセットの分）良くなると、ＷＴＲＵは、第１の機能を実行し、かつ／または第２の機能を実行することを止めるようにトリガされ得る。同様に、異なるレイヤの中の近くのセルが現在のレイヤのサービングセルよりも（たとえば、規定されたオフセットの分）悪くなると、ＷＴＲＵは、第２の機能を実行し、かつ／または第１の機能を実行することを止めるようにトリガされ得る。
【０２２８】
ＷＴＲＵは、１つまたは複数のオフセット値（たとえば、挙動をトリガするために、近くのセルが現在のサービングセルの値をそれだけ上回りまたは下回り得る値）、および／または、１つまたは複数の絶対的な閾値（たとえば、測定が所与の挙動をトリガする特定のレベル）によって構成され得る。マルチレイヤ動作に関しては、一次レイヤと関連付けられるセルおよび／または二次レイヤと関連付けられるセルで実行される測定に関するある基準が満たされる場合、ＷＴＲＵは、特定のレイヤに関連する１つまたは複数の動作を実行する（たとえば、別のセル／レイヤにおける制御シグナリングの復号を開始する、セル／レイヤをアクティブ化する、など）ことができる。したがって、従来の測定報告のトリガの代わりに（かつ／またはそれに加えて）、所与の測定は、他のレイヤにおける他の挙動をトリガし得る。たとえば、二重接続によって構成されるＷＴＲＵは、第１のレイヤにおける測定によって構成されてよく、一次レイヤにおける測定に関するある基準が満たされていることに基づいて、二次レイヤのサービングセルに関連する動作（たとえば、二次レイヤにおけるセルの測定）を実行するようにトリガされ得る。たとえば、ＷＴＲＵがＣＲＥの領域の中にあるが二次セルの品質が低下していることを示す（たとえば、ＷＴＲＵがスモールセルの端に向かって動いていることを示す）ために、測定基準が確立され得る。そのような測定基準は、二次レイヤにおける使用のために構成された少なくとも１つのベアラの再確立に対する要求を送信するようにＷＴＲＵをトリガするために使用され得る。
【０２２９】
例では、ＷＴＲＵは、それがＣＲＥの領域の中にあるが二次レイヤと関連付けられるセルの品質が低下しているかどうかを決定することを試みるように構成され得る。たとえば、二次サービングセルの品質が閾値を下回るように落ちているが依然としてＣＲＥの領域の中にあることをＷＴＲＵが検出する場合（たとえば、ＷＴＲＵがセルの端に向かって動いていることを示す）に、ＷＴＲＵが、異なるセルにおける制御シグナリングの受信を開始するようにトリガされ得るように、測定が構成され得る。たとえば、異なるセルは、ＷＴＲＵがそれに対して事前構成されたがＷＴＲＵにおいてアクティブ化されていなかった、異なるＳＣｅＮＢと関連付けられ得る。ＷＴＲＵは、異なるレイヤのアクティブ化／非アクティブ化の間にセッションの連続性を維持することを試みるために、他のセルで制御シグナリング（たとえば、ＲＲＣシグナリング）を受信することを試み始めることができる。たとえば、ＷＴＲＵがスモールセルの端に向かって動いていることを測定が示すことがあり、ＷＴＲＵは、マクロセルにおける制御シグナリングの受信を開始するようにトリガされることがある。マクロセルはスモールセルよりも大きなカバレッジエリアを有し得るので、ＷＴＲＵは、スモールセルのセルの端に動いているとき、マクロセルを介して制御シグナリングを受信する可能性がより高くなり得る。マクロセルにおける制御シグナリングの受信の開始は、（たとえば、スモールセルレイヤの現在のサービングセルを通じた）ネットワークへの測定報告の送信に加えて、かつ／またはその後に実行され得る。
【０２３０】
使用のために１つまたは複数の二次セルを構成するために、再構成手順が利用され得る。たとえば、ＲＲＣ接続再構成手順が、一次レイヤと交換された制御シグナリングを使用して二次レイヤを構成するために、ＷＴＲＵによって利用され得る。二次サービングサイトおよび／または二次ＭＡＣインスタンス（たとえば、二次レイヤと呼ばれる）と関連付けられるセルの第２のセットの構成は、ＲＲＣ接続再構成手順の一部として実行され得る。たとえば、二次レイヤにおいて１つまたは複数のセルのための構成を確立するために使用される制御シグナリングは、ｍｏｂｉｌｉｔｙＣｏｎｔｒｏｌＩｎｆｏ情報要素（たとえば、一次レイヤのセルを介して受信される）を伴わない、ＲＲＣ接続再構成メッセージを含み得る。たとえば、ＷＴＲＵは、たとえば一次レイヤと関連付けられるセルからの送信を介して、かつ／または、一次レイヤと関連付けられるＳＲＢを通じて（たとえば、スモールセルレイヤのための最初の構成の場合）、ＲＲＣＣｏｎｎｅｃｔｉｏｎＲｅｃｏｎｆｉｇｕｒａｔｉｏｎメッセージを受信することができる。例では、二次レイヤがすでに確立されている場合、ＲＲＣＣｏｎｎｅｃｔｉｏｎＲｅｃｏｎｆｉｇｕｒａｔｉｏｎメッセージは、二次レイヤと関連付けられるセルからの送信で、かつ／または二次レイヤと関連付けられるＳＲＢを通じて受信され得る（たとえば、二次レイヤのための、１つまたは複数のＲＢの、追加、除去、再関連付け、および／またはあるレイヤから他のレイヤへの移動のための、などのＰＨＹ／ＭＡＣパラメータの再構成）。
【０２３１】
例では、二次レイヤを構成するためのＲＲＣＣｏｎｎｅｃｔｉｏｎＲｅｃｏｎｆｉｇｕｒａｔｉｏｎメッセージを再使用するのではなく、新たなＲＲＣメッセージが、二次レイヤと関連付けられるＭＡＣインスタンスを構成するために確立され得る。たとえば、ＲＲＣＣｏｎｎｅｃｔｉｏｎＲｅｃｏｎｆｉｇｕｒａｔｉｏｎＳｅｃｏｎｄａｒｙＬａｙｅｒメッセージが、二次レイヤを最初に構成および／または再構成するために定義され得る。ＲＲＣＣｏｎｎｅｃｔｉｏｎＲｅｃｏｎｆｉｇｕｒａｔｉｏｎメッセージが利用される場合、一次レイヤではなく、または一次レイヤに加えて二次レイヤを構成／再構成するために、再構成が実行されていることを示す指示が、メッセージに含まれ得る。二次レイヤのための構成情報は、二次レイヤと関連付けられるサービングサイト（たとえば、ＳＣｅＮＢ）によってサービスされるセルの第２のグループに適用可能であり得る。二次レイヤのセルは、他のレイヤのセルとは独立にスケジューリングされ得る。二次レイヤのための構成は、ＰＣｅｌｌおよび０個以上のＳＣｅｌｌのための構成情報を含み得る。例では、所与のレイヤのセルは、同じタイミングアドバンスグループ（Timing Advance Group）と関連付けられ得る。
【０２３２】
再構成メッセージが二次レイヤを最初に構成するために使用されるか、かつ／または二次レイヤを再構成するために使用されるかにかかわらず、再構成メッセージは、ＷＴＲＵが二次レイヤにおける動作に対して適用できる１つまたは複数のパラメータを含み得る（たとえば、パラメータは、そのようなＲＲＣメッセージの既存のパラメータに追加するものであり得る）。たとえば、二次レイヤを構成／再構成するために使用されるＲＲＣＣｏｎｎｅｃｔｉｏｎＲｅｃｏｎｆｉｇｕｒａｔｉｏｎメッセージは、二次レイヤの１つまたは複数のサービングセルのための専用の無線リソース構成（たとえば、二次サービングサイトのセルのためのｒａｄｉｏＲｅｓｏｕｒｃｅＣｏｎｆｉｇＤｅｄｉｃａｔｅｄ  ＩＥ）を含み得る。たとえば、専用の無線リソース構成は、二次レイヤのＰＣｅｌｌのためのものであり得る。例では、二次レイヤを構成／再構成するために使用されるＲＲＣＣｏｎｎｅｃｔｉｏｎＲｅｃｏｎｆｉｇｕｒａｔｉｏｎメッセージは、追加されるべき（かつ／または修正されるべき）１つまたは複数の二次レイヤの指示および／またはリスト（たとえば、追加されているレイヤを特定し得るｓＬａｙｅｒＣｅｌｌＴｏＡｄｄＭｏｄＬｉｓｔ  ＩＥ）を含み得る。例では、二次レイヤを構成／再構成するために使用されるＲＲＣＣｏｎｎｅｃｔｉｏｎＲｅｃｏｎｆｉｇｕｒａｔｉｏｎメッセージは、二次レイヤのセルに対応する、追加すべき（かつ／または修正すべき）１つまたは複数のサービングセルのリスト（たとえば、追加／修正すべきＰＣｅｌｌのための情報を示すｐＣｅｌｌＴｏＡｄｄＭｏｄＬｉｓｔおよび／または追加／修正すべきＳＣｅｌｌのためのｓＣｅｌｌＴｏＡｄｄＭｏｄＬｉｓｔ）を含み得る。たとえば、（たとえば、ｓＬａｙｅｒＣｅｌｌＴｏＡｄｄＭｏｄＬｉｓｔ  ＩＥを介して）示される各レイヤに対して、（たとえば、ｐＣｅｌｌＴｏＡｄｄＭｏｄＬｉｓｔおよび／またはｓＣｅｌｌＴｏＡｄｄＭｏｄＬｉｓｔを介して）追加すべきセルのリストが提供され得る。
【０２３３】
例では、二次レイヤを構成／再構成するために使用されるＲＲＣＣｏｎｎｅｃｔｉｏｎＲｅｃｏｎｆｉｇｕｒａｔｉｏｎメッセージは、セキュリティ鍵の導出のための１つまたは複数のパラメータを含み得る。たとえば、再構成メッセージは、二次レイヤとともに使用するための新たなセキュリティ鍵が導出されるべきかどうか、および／またはセキュリティ鍵を導出するために使用されるべき方法の指示、を示すことができる。例では、二次レイヤを構成／再構成するために使用されるＲＲＣＣｏｎｎｅｃｔｉｏｎＲｅｃｏｎｆｉｇｕｒａｔｉｏｎメッセージは、レイヤの識別情報の指示（たとえば、ｌａｙｅｒ−ｉｄｅｎｔｉｔｙ  ＩＥ、ｍａｃ−ｉｎｓｔａｎｃｅＩｄｅｎｔｉｔｙ  ＩＥなど）を含み得る。レイヤの識別情報は、（たとえば、ＢＥＡＲＥＲパラメータのようなセキュリティ入力の目的で）二次レイヤの１つまたは複数のＳＲＢのための識別情報を導出するために使用され得る。たとえば、所与のＳＲＢに対して、暗号化および完全性の保護のために入力として使用される５ビットのＢＥＡＲＥＲパラメータを導出するために、ＲＲＣによってより低次のレイヤに提供される値は、たとえば０をパディングされたＭＳＢを伴う、対応するｓｒｂ−Ｉｄｅｎｔｉｔｙ＋２×ｌａｙｅｒ−ｉｄｅｎｔｉｔｙの値であってよい。例として、一次レイヤは識別情報０を割り振られ得る。二次レイヤの識別情報は、構成シーケンスに基づいて暗黙的に導出され得る。例では、二次レイヤを構成／再構成するために使用されるＲＲＣＣｏｎｎｅｃｔｉｏｎＲｅｃｏｎｆｉｇｕｒａｔｉｏｎメッセージは、二次レイヤと関連付けられている１つまたは複数の関連付けられるＲＢ（たとえば、１つまたは複数のＤＲＢおよび／またはＳＲＢ）の指示を含み得る。ベアラが異なるレイヤにわたって分割され得る場合、二次レイヤを構成／再構成するために使用されるＲＲＣＣｏｎｎｅｃｔｉｏｎＲｅｃｏｎｆｉｇｕｒａｔｉｏｎメッセージは、二次レイヤと関連付けられるサービスアクセスポイントの識別情報を含み得る（たとえば、そのような指示はまた、ベアラが所与のレイヤに固有であっても提供され得る）。
【０２３４】
ＲＲＣＣｏｎｎｅｃｔｉｏｎＲｅｃｏｎｆｉｇｕｒａｔｉｏｎメッセージを受信すると、ＷＴＲＵは、たとえば再構成メッセージの内容に基づいて、様々な機能を実行することができる。たとえば、ＷＴＲＵは、二次レイヤのために第１のセルを追加し、追加のセルを二次レイヤに追加し、二次レイヤからセルを除去することなどができる。例として、再構成メッセージが１つまたは複数の二次レイヤ、および／または二次レイヤの１つまたは複数のセルの追加を示す場合、ＷＴＲＵは、二次レイヤのためのセルの最初の構成を実行することができる。例として、追加されるべきセルが所与の二次レイヤに対して構成および追加される最初のセルである場合、ＷＴＲＵは、たとえば、再構成メッセージに含まれ得るｒａｄｉｏＲｅｓｏｕｒｃｅＣｏｎｆｉｇＤｅｄｉｃａｔｅｄで提供されるｍａｃ−ＭａｉｎＣｏｎｆｉｇ  ＩＥを使用して、二次ＭＡＣインスタンスを作成することができる。ＷＴＲＵは、新たに作成された二次ＭＡＣインスタンスを識別情報と関連付けることができる。たとえば、識別情報の明示的な指示が再構成メッセージで提供されてよく、かつ／または、実体化された（たとえば、構成された）ＭＡＣインスタンスのカウンタをインクリメントしたことに基づいて暗黙的に作成され得る。ＷＴＲＵは、二次ＭＡＣインスタンスと関連付けられる物理レイヤを（たとえば、場合によっては別個の送受信機チェーンを使用して）構成することができる。たとえば、物理レイヤのためのパラメータは、ＭＡＣインスタンスに適用可能な構成に含まれるｒａｄｉｏＲｅｓｏｕｒｃｅＣｏｎｆｉｇＤｅｄｉｃａｔｅｄ  ＩＥに含まれ得る（たとえば、ｐｈｙｓｉｃａｌＣｏｎｆｉｇＤｅｄｉｃａｔｅｄ）。ＷＴＲＵは、新たに作成されたレイヤにおける使用のために構成された第１のセルを、二次レイヤのためのＰＣｅｌｌであると暗黙的に考えることができる。ＷＴＲＵは、（たとえば、セルが問題とされるレイヤのＰＣｅｌｌとして構成される場合）新たに追加されるレイヤのための構成されたセルのダウンリンクと同期することができる。追加されているセルが二次レイヤのために構成されている第１のセルではない場合、ＷＴＲＵは、セルのために受信されたあらゆる構成を既存のＭＡＣインスタンスに適用することができ、新たなＭＡＣインスタンスを作成することを控えることができる。
【０２３５】
二次レイヤからセルを除去または削除するために、再構成メッセージが使用され得る。たとえば、セルが除去されるべきであることを再構成が示す場合、ＷＴＲＵは、示されたセルを除去し、ＭＡＣインスタンスの構成を更新することができる。二次ＭＡＣインスタンスが再構成メッセージの処理の完了の後に０個のセルによって構成される（たとえば、レイヤのためのセルの各々が除去された）場合、ＷＴＲＵは、対応する二次ＭＡＣインスタンスをその構成から除去することができる。
【０２３６】
例では、ｍｏｂｉｌｉｔｙＣｏｎｔｒｏｌＩｎｆｏ  ＩＥを伴わないＲＲＣ接続再構成メッセージの使用は、新たなレイヤの追加のためではなく、二次レイヤのための既存の接続を修正することと関連付けられ得る（たとえば、ＷＴＲＵがすでに二重接続のために構成されており１つまたは複数の二次レイヤが修正されているとき、ｍｏｂｉｌｉｔｙＣｏｎｔｒｏｌＩｎｆｏ  ＩＥを伴わない再構成メッセージの使用が発生する）。たとえば、ＷＴＲＵが、ｍｏｂｉｌｉｔｙＣｏｎｔｒｏｌＩｎｆｏ  ＩＥを含むＲＲＣ接続再構成メッセージにおいて二次レイヤのための最初の構成を以前に受信していない場合、ＷＴＲＵは、以前に構成されなかったレイヤに適用可能であるｍｏｂｉｌｉｔｙＣｏｎｔｒｏｌＩｎｆｏ  ＩＥを伴わない再構成メッセージに含まれるＲＲＣ構成を、廃棄すると決定することができる。
【０２３７】
たとえば、二次レイヤの構成は、ｍｏｂｉｌｉｔｙＣｏｎｔｒｏｌＩｎｆｏ  ＩＥを含むＲＲＣ接続再構成手順に基づいて確立され得る。セルおよび／または二次ＭＡＣインスタンスの第２のセットの構成（たとえば、二次レイヤ）は、ＲＲＣ接続再構成手順の一部として実行され得る。ｍｏｂｉｌｉｔｙＣｏｎｔｒｏｌＩｎｆｏ情報要素を含むＲＲＣ接続再構成メッセージは、ハンドオーバー命令と呼ばれ得る。ハンドオーバー命令が、二次レイヤを追加するために使用されるタイプのシグナリングである（たとえば、かつ、ｍｏｂｉｌｉｔｙＣｏｎｔｒｏｌＩｎｆｏ  ＩＥを伴わないＲＲＣ接続再構成メッセージが既存のレイヤ構成を修正するために使用される）場合、ＷＴＲＵは、ハンドオーバー命令を受信すると、新たなレイヤを追加するために本明細書で説明される動作の１つまたは複数を実行する（たとえば、新たなレイヤへのＰＣｅｌｌの追加、二次ＭＡＣインスタンスの作成、二次ＭＡＣインスタンスを識別情報と関連付ける、物理レイヤを構成する、新たなレイヤのＰＣｅｌｌと同期する、など）ことができる。加えて、ハンドオーバー命令が、二次レイヤを追加するために使用されるタイプのシグナリングである（たとえば、かつ、ｍｏｂｉｌｉｔｙＣｏｎｔｒｏｌＩｎｆｏ  ＩＥを伴わないＲＲＣ接続再構成メッセージが既存のレイヤ構成を修正するために使用される）場合、ハンドオーバー命令は、新たなレイヤを追加するために本明細書で説明される構成パラメータの１つまたは複数（たとえば、新たなレイヤのセルのための専用の無線リソース構成、追加すべき１つまたは複数のレイヤのリスト、レイヤのための１つまたは複数のサービングセルのリスト、セキュリティ鍵の導出のためのパラメータ、レイヤの識別情報、関連付けられるＲＢの指示など）を含み得る。
【０２３８】
ＷＴＲＵは、ハンドオーバー命令を含む再構成手順がレイヤの追加のためのものであるという指示を受信することができる。ＷＴＲＵは、ハンドオーバー命令が新たなレイヤを追加している場合、現在構成されているサービングセルのためのその構成情報を維持することができる。レイヤを追加するためにハンドオーバー命令が使用されていることの指示は、ＷＴＲＵが他のどのレイヤのためにその現在の構成を維持すべきかを明示的に示し得る。
【０２３９】
ＷＴＲＵが再構成手順の間に一次レイヤを再構成することに失敗する場合、ＷＴＲＵは、一次レイヤと１つまたは複数の二次レイヤの両方に対応するあらゆる構成を解放し消去することができる。ＷＴＲＵは、レガシーの手順により、たとえば、異なるセルを再選択すること、再確立手順を開始すること、ＩＤＬＥモードに移ること、および／または同様のことによって、再構成失敗の取り扱いを実行することができる。
【０２４０】
二次レイヤを最初に構成するために最初に使用されるＲＲＣ手順を成功裏に完了すると、かつ／または、１つまたは複数の二次レイヤを再構成するＲＲＣ手順を成功裏に完了すると、ＷＴＲＵは、ＲＡＣＨ再構成を自律的にトリガすることができ、再構成の後およびアクティブ化時間の後にＲＡＣＨ命令を監視することができ、かつ／またはＲＡＣＨを介して１つまたは複数のセルをアクティブ化することができる。
【０２４１】
たとえば、ＷＴＲＵは、二次レイヤを成功裏に追加および／または再構成すると、ＲＡＣＨ再構成を自律的にトリガするように構成され得る。ＷＴＲＵは、二次レイヤのためのＲＡＣＨ手順を開始することができる。例では、ＵＥは、ＲＡＣＨ手順が実行されるべきであるという指示を、レイヤのための再構成メッセージで受信することができる。例では、（たとえば、ＭｅＮＢから）ＷＴＲＵが一次レイヤのリソースを使用して新たなレイヤを構成する再構成メッセージを受信する場合、ＲＡＣＨ手順が実行され得るが、再構成が二次レイヤを介して実行される場合は、ＲＡＣＨ手順が実行され得ない。ＲＡＣＨ手順は、再構成手順において（たとえば、ハンドオーバー命令または他の再構成メッセージにおいて）提供される専用のＰＲＡＣＨ構成を使用して実行され得る。例では、再構成メッセージにおけるＰＲＡＣＨ構成の存在は、再構成手順が完了するとＷＴＲＵがＲＡＣＨ手順を開始すべきであることの指示であり得る。ＲＡＣＨ手順は、新たに追加されたまたは再構成された二次レイヤのサービングセルのアップリンクリソースを使用して実行され得る。ＲＡＣＨ手順は、二次レイヤのＰＣｅｌｌを介して実行され得る。ＲＡＣＨ手順は、二次レイヤのＳＣｅｌｌで実行され得る。新たに追加された／再構成されたレイヤのどのセルがＲＡＣＨ手順のために使用されるべきかは、再構成メッセージで示され得る。ＲＡＣＨ手順が実行されるべきサービングセルと関連付けられるＴＡＴは、再構成手順の後に、停止されるか、または実行していないと考えられ得る。
【０２４２】
例では、ＷＴＲＵは、再構成手順の後および／または二次レイヤのためのアクティブ化時間の後に、ＲＡＣＨ命令を監視することができる。たとえば、ＷＴＲＵは、二次レイヤを追加および／または修正する再構成手順が完了すると、二次レイヤのサービングセルのためのＰＤＣＣＨ上でのＲＡＣＨ命令を監視し始めることができる。ＷＴＲＵは、構成および／または事前に定義されたアクティブ化時間の後に、ＰＤＣＣＨを監視し始めることができる。ＲＡＣＨ命令について監視されるべきサービングセルは、新たに作成された／再構成された二次レイヤのＰＣｅｌｌであってよく、かつ／または、新たに作成された／再構成された二次レイヤのＳＣｅｌｌであってよい。新たに追加された／再構成されたレイヤのどのセルがＲＡＣＨ命令について監視されるべきかは、再構成メッセージで示され得る。ＲＡＣＨ手順が実行されるべき（たとえば、それを通じてＲＡＣＨ命令が受信される）サービングセルと関連付けられるＴＡＴは、再構成手順の後に、停止されるか、または実行していないと考えられ得る。
【０２４３】
例では、新たに作成される／再構成されるレイヤのセルは、最初は非アクティブ化されていると考えられ得る。レイヤがアクティブ化すると、ＷＴＲＵは、アクティブ化されているレイヤのセルに対するＲＡＣＨ手順を実行するように構成され得る。たとえば、ＷＴＲＵは、非アクティブ化された状態を、新たに追加された／再構成されたレイヤのセルの各々に関連付けることを決定することができる。例では、レイヤのＳＣｅｌｌは、最初は非アクティブ化され得るが、レイヤのＰＣｅｌｌは、レイヤのための構成を受信すると、アクティブ化されると考えられ得る。新たに追加された／再構成されたレイヤのセルをアクティブ化する制御シグナリングの受信は、新たに追加された／再構成されたレイヤのセルのＲＡＣＨ手順を実行するように、かつ／またはそのＰＤＣＣＨの監視を開始するように、ＷＴＲＵをトリガし得る。たとえば、二次レイヤの１つまたは複数のセルをアクティブ化する制御シグナリング（たとえば、ＭｅＮＢからの）の受信（たとえば、二次レイヤのすべてのセルが非アクティブ化状態にある間に受信される）は、アクティブ化されているレイヤのセルのためのＲＡＣＨ手順を実行するように、かつ／またはそのためのＰＤＣＣＨを監視し始めるように、ＷＴＲＵをトリガすることができる。
【０２４４】
ＷＴＲＵは、ネットワーク内の独立のｅＮＢおよび／または独立のＲＲＣエンティティから、ＲＲＣシグナリングを送信および／または受信するように構成され得る。たとえば、ＬＴＥリリース１１の手順に従って、ＲＲＣ手順が開始されるとき、ＷＴＲＵは、ＲＲＣ手順を完了するために許容される最大の時間を許容され得る。たとえば、ＷＴＲＵがＲＲＣ手順を完了するためにかかり得る最大の時間の長さの典型的な値は、ＲＲＣ手順に応じて、１５ｍｓから２０ｍｓの範囲にあり得る。ＲＲＣはまた、たとえば、第１のＲＲＣ手順が進行中でありまだ完了されていない間に第２の手順を開始するＲＲＣメッセージが受信されるとき、ＲＲＣメッセージの連続的な受信をサポートする。そのような場合、ＷＴＲＵは、ＲＲＣメッセージを順番に処理することができる。ＷＴＲＵが単一のｅＮＢへの接続を有するとき、ネットワークは、ＷＴＲＵの処理およびタイミングの要件が最小限にされるように、ＲＲＣシグナリングの適切な調整を確実にすることができる。
【０２４５】
同じｅＮＢが両方のメッセージを送信するとき、ｅＮＢは、ＲＲＣ手順の組合せに対する全体の遅延を決定することが可能であり得る。遅延は、ｅＮＢがＷＴＲＵにいくつのＲＲＣメッセージを送信するかとは独立に決定され得る。この状況では、ｅＮＢにおけるタイミングの不確実さはあり得ず、同期はｅＮＢによって完全に制御され得る。
【０２４６】
二重接続が構成される（たとえば、ＷＴＲＵが複数のレイヤに接続される、かつ／または複数のレイヤに接続することを試みる）とき、ｅＮＢが完全には調整されない場合には競合があり得る。たとえば、ＷＴＲＵは、それぞれのＲＲＣ手順を各々開始する制御シグナリングを複数のｅＮＢから受信することができる。受信された制御シグナリングは、異なる送信経路を（たとえば、ＭｅＮＢのＵｕおよびＳＣｅＮＢのＵｕ）通じて送信され得る。たとえば、ＲＲＣメッセージを送信するために利用される経路は、シグナリングがＭｅＮＢまたはＳＣｅＮＢのためのＷＴＲＵ構成に適用可能であるかどうかに依存し得る。そのような場合、ＷＴＲＵが（たとえば、ＳＣｅＮＢとの）第２のＲＲＣ手順をトリガするＲＲＣメッセージを受信し得るが、ＷＴＲＵがすでに進行中の（たとえば、ＭｅＮＢとの）ＲＲＣ手順を有することの（またはその逆の）、より高い可能性がある。
【０２４７】
ＷＴＲＵが異なるｅＮＢ（たとえば、ＳＣｅＮＢおよびＭｅＮＢ）からＲＲＣメッセージを受信するとき、ＷＴＲＵとの手順の同期および完了を第２のｅＮＢが確実にすることは困難であり得る。たとえば、手順の完了の前に遅延を決定することは難しいことがあり、それは、ＷＴＲＵが第１のｅＮＢによって開始される別のＲＲＣ手順をすでに実行していることがあるからである。第２のｅＮＢは、ＷＴＲＵが実行している他のＲＲＣ手順を認識していないことがある。加えて、たとえば、２つのＲＲＣ手順の間に依存関係（または対話）がある場合、ＷＴＲＵがＲＲＣ手順を並列に（たとえば、順番にではなく）実行することは難しいことがある。たとえば、競合する手順、関連する同期、タイミングの不確実さ、追加の遅延などの１または複数において、問題が生じ得る。
【０２４８】
たとえば、異なるＲＲＣ手順のための、ＷＴＲＵによる、衝突するＲＲＣ  ＰＤＵの受信があり得る。例では、ＷＴＲＵは、第２のレイヤと関連付けられ得る別のＲＲＣ手順よりも、第１のレイヤと関連付けられ得る１つまたは複数のＲＲＣ手順を優先するように構成され得る。たとえば、ＷＴＲＵは、優先順位を各メッセージと関連付けることによって、同じサブフレームの中の（または重複し得る処理の枠の中の）複数のＲＲＣ  ＰＤＵの受信を扱うことができる。優先順位は、たとえば、ＷＴＲＵが増大する優先順位の順序で関連付けられる手順を順番に実行できるように、事前に定義された規則に従って割り当てられ得る。たとえば、所与のＲＲＣ手順および／または所与のＲＲＣメッセージに割り当てられた優先順位は、ＲＲＣ  ＰＤＵが関連付けられるレイヤの識別情報（たとえば、一次レイヤ／ＭｅＮＢは二次レイヤ／ＳＣｅＮＢよりも高い優先順位を有し得る）、ＷＴＲＵがそれを通じてＲＲＣ  ＰＤＵを受信するＳＲＢの識別情報（たとえば、ＳＲＢ０、ＳＲＢ１、ＳＲＢ２はＳＲＢ３よりも高い優先順位を有し得る）、ＲＲＣ  ＰＤＵが関連付けられる手順のタイプ（たとえば、ハンドオーバー命令のようなモビリティ事象は再構成手順よりも高い優先順位を有し得る）、および／または同様のものに基づき得る。
【０２４９】
例では、衝突するＲＲＣ  ＰＤＵの受信の場合、ＷＴＲＵは、遅延の要件に基づいて、同期するＲＲＣ  ＰＤＵを優先順位付けるように構成され得る。たとえば、ＷＴＲＵは、その完了がＲＡＣＨ手順をトリガし得る手順と関連付けられるＲＲＣ  ＰＤＵに、より低い優先順位を割り当てることができる。より高い優先順位を有する手順のタイミングは維持されてよいが、第２の手順はそれでも、より低い優先順位のＲＲＣ手順の完了の後に実行されるＲＡＣＨ手順がＷＴＲＵおよびネットワークを同期し得る場合、タイミングの不確実さをもたらすことなく実行され得る。
【０２５０】
例では、別のＲＲＣ手順が進行中である間のＲＲＣ  ＰＤＵを受信すると、ＷＴＲＵは、手順の１つを優先し、他のＲＲＣ手順を中断／中止するように構成され得る。たとえば、ＷＴＲＵは、より優先順位が高いと決定されたＲＲＣメッセージを受信することに基づいて、進行中の手順を中断または中止することができる。たとえば、ＷＴＲＵは、２つの受信されたＲＲＣ  ＰＤＵおよび／または進行中の手順と受信されたＲＲＣ  ＰＤＵが競合すると決定することができ、この場合、ＷＴＲＵは、ＲＲＣ  ＰＤＵのためのＲＲＣ手順失敗論理および／または最も低い優先順位を有する手順を開始することができる。例では、ＷＴＲＵは、その完了がそのような競合の場合にはＲＡＣＨ手順をもたらし得る手順を、中断することができる。
【０２５１】
たとえば、２つ以上のＲＲＣ  ＰＤＵが、同時に、またはほぼ同時に受信され得る。例として、ＷＴＲＵは、同じサブフレームで、かつ／またはある長さの時間の中で、複数のＲＲＣ  ＰＤＵを受信することがある。第１のＲＲＣ  ＰＤＵは第１のｅＮＢ／レイヤに適用可能な手順と関連付けられてよく、第２のＲＲＣ  ＰＤＵは第２のｅＮＢ／レイヤに適用可能な手順と関連付けられてよい。そのような競合の場合、ＷＴＲＵは、ＲＲＣ手順の並列の処理、ＲＲＣ手順の順次的な処理を実行することができ、かつ／または、ＲＲＣ手順の１つまたは複数のための失敗手順を省略または実行することができる。
【０２５２】
たとえば、ＷＴＲＵは、ＲＲＣ手順が並列に実行され得るように、両方のメッセージを処理することができる。たとえば、ＷＴＲＵは、ＲＲＣ手順が互いに独立である場合、ＲＲＣ手順を並列に実行すると決定することができる。たとえば、ＷＴＲＵは、両方の手順が異なるＲＲＣの態様（たとえば、異なるパラメータ、異なるＲＢ、異なるＭＡＣインスタンス、異なる送受信機コンポーネント、および／またはそれらの独立の組合せ）を再構成することと、再構成が互いに競合しないこととを決定することができる。ＷＴＲＵは、両方の手順が本来独立である（たとえば、測定構成および専用のリソースの再構成）と決定したことに基づいて、ＲＲＣ手順を並列に実行することができる。たとえば、ＷＴＲＵは、手順を完了するための処理要件（たとえば、最大の遅延に関する）が、各手順が別々に実行された場合と同じであると、決定することがある。それ以外の場合、ＷＴＲＵは、ネットワークとの同期を（たとえば、ＲＡＣＨ手順を実行することによって）実行するように構成され得る。たとえば、二重接続の構成が原因で、タイミングの不確実さがＲＲＣ手順についてＭｅＮＢとＳＣｅＮＢの両方に対してもたらされる場合、ＷＴＲＵは、ＷＴＲＵの対応する物理レイヤのパラメータを修正する１つまたは複数のＲＲＣ手順のための、および／または、再構成される物理レイヤの各々のための、ＲＡＣＨ手順を実行するように構成され得る。
【０２５３】
例では、ＷＴＲＵは、２つ以上のＲＲＣ手順の順次的な処理を実行するように構成され得る。ＷＴＲＵは、ＲＲＣ手順が順次的に実行されるように、受信されたメッセージを順番に処理することができる。たとえば、ＷＴＲＵは、両方のＲＲＣ手順が互いに独立であると決定したことに基づいて、ＲＲＣ手順を順番に実行すると決定することができる。ＷＴＲＵは、ＲＲＣ手順と関連付けられるｅＮＢの識別情報、ＲＲＣ手順と関連付けられるＳＲＢの識別情報、受信されるＲＲＣ  ＰＤＵのタイプ、ＲＲＣ手順のタイプ、および／または同様のものの１つまたは複数に基づいて、どの手順を優先する（たとえば、最初に実行する）かを決定することができる。
【０２５４】
たとえば、ＷＴＲＵは、ＲＲＣ手順と関連付けられるｅＮＢ（および／またはレイヤ／Ｕｕインターフェース）の識別情報に応じて、どのＲＲＣ手順を優先する／最初に実行するかを決定することができる。たとえば、ＷＴＲＵは、ＭｅＮＢと関連付けられるＲＲＣ  ＰＤＵの処理を、ＳＣｅＮＢのそれよりも優先することができる。
【０２５５】
たとえば、ＷＴＲＵは、手順と関連付けられるＳＲＢの識別情報に応じて、どのＲＲＣ手順を優先するか／最初に実行するかを決定することができる。たとえば、ＷＴＲＵは、それを通じてＲＲＣ  ＰＤＵが受信されるＳＲＢが、進行中の手順を開始したＲＲＣ  ＰＤＵのそれと同じであるか、または異なるかを決定することができる。例では、第１のｅＮＢおよび第２のｅＮＢのために使用されるＳＲＢのセットが異なる場合、いくつかのＳＲＢが他のＳＲＢよりも優先され得る。たとえば、所与のＷＴＲＵのためのＳＲＢが異なるレイヤ／ＭＡＣインスタンスにわたって同じ識別情報空間を共有した場合、ＷＴＲＵは、手順のためのＳＲＢの識別情報に基づいて、どの手順を優先するかを直接決定することができる。そうではなく、第１のレイヤのためのＳＲＢが第２のレイヤのそれと異なる場合、ＷＴＲＵは、ＳＲＢの識別情報とｅＮＢとの間の関連付けに基づいて、どのＲＲＣ手順を優先するかを決定することができる（たとえば、ＷＴＲＵは、各ｅＮＢのためのＳＲＢ０、１、および／または２を有してよく、優先順位はＳＲＢの識別情報にまず基づいてよく、ＳＲＢの識別情報が同じ場合は、レイヤの識別情報に基づいてよい）。たとえば、ＷＴＲＵは、ＳＲＢ０、ＳＲＢ１、および／またはＳＲＢ２と関連付けられるＲＲＣ  ＰＤＵの処理を、ＳＲＢ３と関連付けられるＲＲＣ  ＰＤＵよりも優先することができる。
【０２５６】
ＷＴＲＵは、異なるｅＮＢのためのＷＴＲＵ構成と関連付けられるＲＲＣ  ＰＤＵの受信のために使用される多重化の方法に応じて、どのＲＲＣ手順を優先する／最初に実行するかを決定することができる。たとえば、ＷＴＲＵは、異なるｅＮＢのための構成に関するＲＲＣ  ＰＤＵ（またはＰＤＵの中の情報要素）の多重化を可能にする機能に基づいて、所与のＲＲＣ手順と関連付けられる優先順位を決定することができる。たとえば、ＲＲＣ  ＰＤＵのトランスポートのために使用されたＵｕインターフェースの識別情報が、優先順位を確立するために使用され得る。ＲＲＣ  ＰＤＵフォーマット（たとえば、ＲＲＣ  ＰＤＵおよび／またはＲＲＣ  ＰＤＵに含まれるタイプの情報要素において受信される指示のような）が、ＲＲＣの優先順位を確立するために使用され得る。ＷＴＲＵがＲＲＣ  ＰＤＵを受信したサブフレームの識別情報が、（たとえば、ＷＴＲＵのダウンリンクがｅＮＢの間で時間多重化される場合）ＲＲＣ手順を扱うための優先順位を決定するために使用され得る。
【０２５７】
ＷＴＲＵは、受信されたＲＲＣ  ＰＤＵのタイプに応じて、どのＲＲＣ手順を優先する／最初に実行するかを決定することができる。たとえば、ＷＴＲＵは、ＲＲＣ  ＰＤＵが新たなＲＲＣ手順を開始するか、または進行中の手順のためのＰＤＵであるかに応じて、所与のＲＲＣ  ＰＤＵと関連付けられる優先順位を決定することができる。ＷＴＲＵは、新たなＲＲＣ手順を開始するＲＲＣ  ＰＤＵよりも、進行中の手順のためのＲＲＣ  ＰＤＵを優先するように構成され得る。例では、ｅＮＢ／レイヤのいずれかのためのＷＴＲＵ構成に適用可能なＲＲＣ  ＰＤＵがトランスポート経路のいずれかで受信され得る（たとえば、異なるレイヤと関連付けられるＲＣ手順のためのＲＲＣ  ＰＤＵが同じトランスポート経路で受信され得る）場合、進行中の手順は新たに開始された手順よりも優先され得る。たとえば、ＷＴＲＵは、新たな手順を開始するＲＲＣ  ＰＤＵよりも、進行中の手順と関連付けられるＲＲＣ  ＰＤＵを優先することができる。
【０２５８】
ＷＴＲＵは、受信されたＲＲＣ  ＰＤＵと関連付けられる手順のタイプに応じて、どのＲＲＣ手順を優先する／最初に実行するかを決定することができる。たとえば、ＷＴＲＵは、ＲＲＣ  ＰＤＵが関連付けられるＲＲＣ手順のタイプに基づいて、ＲＲＣ  ＰＤＵと関連付けられる優先順位を決定することができる。たとえば、ＷＴＲＵは、二次レイヤの再構成と関連付けられるＲＲＣ  ＰＤＵよりも、モビリティ事象またはセキュリティ事象と関連付けられるＲＲＣ  ＰＤＵを優先することができる。
【０２５９】
ＷＴＲＵは、より高い優先順位の別のＲＲＣ手順と競合する、ＲＲＣ手順のための失敗手順を省略および／または開始するように構成され得る。たとえば、ＷＴＲＵは、別のＲＲＣ手順が第２のＲＲＣ  ＰＤＵと関連付けられるＲＲＣ手順を無効にする、かつ／もしくはそれと競合し、他のＲＲＣ手順が第２のＲＲＣ  ＰＤＵと関連付けられるＲＲＣ手順よりも高い優先順位を有すると決定したことに基づいて、第２のＲＲＣ  ＰＤＵが無視されるべきであること、および／または、ＷＴＲＵが第２のＲＲＣ  ＰＤＵと関連付けられるＲＲＣ手順のための失敗論理に進むべきであることを、決定することができる。たとえば、ＷＴＲＵは、手順が互いに依存すると決定したことに基づいて、ＲＲＣ  ＰＤＵと関連付けられるＲＲＣ手順に対して、ＲＲＣ  ＰＤＵを省略し、または失敗論理を開始することができる。たとえば、ＷＴＲＵは、ＳＣｅＮＢと関連付けられる構成を除去しＲＲＣ接続のために別のセルへのハンドオーバーを実行するようにＷＴＲＵに指示する、ｍｏｂｉｌｉｔｙＣｏｎｔｒｏｌＩｎｆｏ  ＩＥ（たとえば、ハンドオーバー命令）を伴うＲＲＣ再構成メッセージを受信することができる。ＷＴＲＵはまた、ＳＣｅＮＢを再構成することが意図されるＲＲＣ再構成命令（たとえば、ＳＣｅＮＢの物理レイヤ構成のような）を受信することができる。そのような場合、ＷＴＲＵは、モビリティ手順（たとえば、ハンドオーバー命令と関連付けられる）を処理および実行して、ＳＣｅＮＢのための再構成手順が無効であると決定することができる。例では、ＷＴＲＵは、第２の手順を実行することの失敗を示すメッセージを送信することができ、このメッセージは失敗の原因の指示（たとえば、「ＭｅＮＢによるオーバーライド」）を含み得る。
【０２６０】
同様の優先順位に基づく規則は、ＷＴＲＵにより開始されるＲＲＣ手順のためにＷＴＲＵにおいて適用可能であり得る。たとえば、１つよりも多くのＲＲＣ手順がある所定の期間内にトリガされるべきであるとＷＴＲＵが決定するとき、ＷＴＲＵは、２つ以上のＷＴＲＵにより開始されるＲＲＣ手順についての競合をどのように扱うかを決定するために、優先順位の規則を利用することができる。
【０２６１】
例では、ＷＴＲＵは、別のＲＲＣ手順が進行中である間に、ＲＲＣ手順のための１つまたは複数のＲＲＣ  ＰＤＵを受信するように構成され得る。たとえば、進行中のＲＲＣ手順は第１のｅＮＢ／レイヤに適用可能であってよく、受信されたＲＲＣ  ＰＤＵは第２のｅＮＢ／レイヤに適用可能な手順と関連付けられ得る。そのような場合、２つ以上のＲＲＣＰＤＵが同時にもしくはほぼ同時に受信された場合にそうであったように、同様の規則が、ＲＲＣ手順の並列処理、ＲＲＣ手順の順次的な処理を実行すること、および／または、ＲＲＣ手順の１つまたは複数のための失敗手順を省略もしくは実行して、定義され得る。
【０２６２】
たとえば、ＷＴＲＵは、第２のＲＲＣ手順が進行中のＲＲＣ手順と並列に実行されるように、第２のｅＮＢ／レイヤのための構成に適用可能な受信されたＲＲＣ  ＰＤＵを処理することができる。たとえば、ＷＴＲＵは、ＲＲＣ手順が互いに独立である場合、ＲＲＣ手順を並列に実行すると決定し得る。たとえば、ＷＴＲＵは、両方の手順が異なるＲＲＣの態様（たとえば、異なるパラメータ、異なるＲＢ、異なるＭＡＣインスタンス、異なる送受信機コンポーネント、および／またはそれらの独立の組合せ）を再構成することと、再構成が互いに競合しないこととを決定し得る。ＷＴＲＵは、両方の手順が本来独立である（たとえば、測定構成および専用のリソースの再構成）決定したことに基づいて、ＲＲＣ手順を並列に実行することができる。たとえば、ＷＴＲＵは、手順を完了するための処理要件（たとえば、最大の遅延に関する）が、各手順が別々に実行された場合と同じであると、決定することができる。それ以外の場合、ＷＴＲＵは、ネットワークとの同期を（たとえば、ＲＡＣＨ手順を実行することによって）実行するように構成され得る。たとえば、二重接続の構成が原因で、タイミングの不確実さがＲＲＣ手順についてＭｅＮＢとＳＣｅＮＢの両方に対してもたらされる場合、ＷＴＲＵは、ＷＴＲＵの対応する物理レイヤのパラメータを修正する１つまたは複数のＲＲＣ手順のための、および／または、再構成される物理レイヤの各々のための、ＲＡＣＨ手順を実行するように構成され得る。
【０２６３】
例では、ＷＴＲＵは、進行中の手順が完了されると第２のメッセージを処理するように構成され得るので、ＲＲＣ手順は順番に実行される。たとえば、ＷＴＲＵは、両方のＲＲＣ手順が互いに独立であること決定したことに基づいて、ＲＲＣ手順を順番に実行すると決定することができる。例では、ＷＴＲＵは、他のＲＲＣ  ＰＤＵが、ＲＲＣ手順と関連付けられるｅＮＢの識別情報、ＲＲＣ手順と関連付けられるＳＲＢの識別情報、受信されるＲＲＣ  ＰＤＵのタイプ、ＲＲＣ手順のタイプ、および／または同様のものの１つまたは複数に基づいて優先順位付けられるべきであるように、進行中の手順が中断されるべきであると決定することができる。
【０２６４】
たとえば、ＷＴＲＵは、ＲＲＣ手順と関連付けられるｅＮＢ（および／またはレイヤ／Ｕｕインターフェース）の識別情報に応じて、どのＲＲＣ手順を優先する／最初に実行するかを決定することができる。たとえば、ＷＴＲＵは、ＭｅＮＢと関連付けられる手順を、ＳＣｅＮＢのそれよりも優先することができる。たとえば、ＷＴＲＵは、新たな手順がＭｅＮＢ／一次レイヤのためのものであり進行中の手順がＳＣｅＮＢ／二次レイヤのためのものである場合、新たな手順を開始することを選んで進行中の手順を中断する（または中止する、または失敗とともに完了する）ことができる。
【０２６５】
たとえば、ＷＴＲＵは、手順と関連付けられるＳＲＢの識別情報に応じて、どのＲＲＣ手順を優先する／最初に実行するかを決定することができる。ＷＴＲＵは、それに対するＲＲＣ  ＰＤＵが受信されるＳＲＢは、進行中の手順を開始したＲＲＣ  ＰＤＵと関連付けたより高い優先順位であると決定することがある。たとえば、ＷＴＲＵは、ＳＲＢ０、ＳＲＢ１、またはＳＲＢ２と関連付けられるＲＲＣ  ＰＤＵの処理を、ＳＲＢ３と関連付けられるＲＲＣ  ＰＤＵから開始されたＲＲＣ手順よりも優先することができる。
【０２６６】
ＷＴＲＵは、受信されたＲＲＣ  ＰＤＵと関連付けられる手順および進行中のＲＲＣ手順のタイプに応じて、どのＲＲＣ手順を優先する／最初に実行するかを決定することができる。たとえば、ＷＴＲＵは、モビリティ事象またはセキュリティ事象と関連付けられるＲＲＣ  ＰＤＵを、二次レイヤの再構成と関連付けられる進行中の手順の完了よりも優先することができる。
【０２６７】
ＷＴＲＵは、受信されより高い優先順位を有すると決定されたＲＲＣ  ＰＤＵと競合する進行中のＲＲＣ手順を省略し、かつ／またはそれのための失敗手順を開始するように構成され得る。ＷＴＲＵは、より高い優先順位のＲＲＣ手順が進行中である場合、より低い優先順位と関連付けられるＲＲＣ  ＰＤＵを無視するように構成され得る。たとえば、ＷＴＲＵは、第２のＲＲＣ  ＰＤＵが無視されるべきであること、かつ／または、ＷＴＲＵが、別のＲＲＣ手順が第２のＲＲＣ  ＰＤＵと関連付けられるＲＲＣ  手順を無効にし、および／もしくはそれと競合すると決定したことに基づいて、第２のＲＲＣ  ＰＤＵと関連付けられるＲＲＣ手順のための失敗論理に進むべきであることと、他のＲＲＣ手順が第２のＲＲＣ  ＰＤＵと関連付けられるＲＲＣ  手順よりも高い優先順位を有することとを決定することができる。たとえば、ＷＴＲＵは、手順が互いに依存すると決定したことに基づいて、ＲＲＣ  ＰＤＵを省略し、または、ＲＲＣ  ＰＤＵと関連付けられるＲＲＣ手順のための失敗論理を開始することができる。たとえば、ＷＴＲＵは、ＳＣｅＮＢと関連付けられる構成を除去しＲＲＣ接続のために別のセルへのハンドオーバーを実行するようにＷＴＲＵに指示する、ｍｏｂｉｌｉｔｙＣｏｎｔｒｏｌＩｎｆｏ  ＩＥ（たとえば、ハンドオーバー命令）を伴うＲＲＣ再構成メッセージを受信したことに基づいて、進行中のモビリティ手順を有し得る。そのような場合、ＷＴＲＵは、モビリティ手順（たとえば、ハンドオーバー命令と関連付けられる）を処理して実行し、ＳＣｅＮＢのための再構成手順が無効であると決定することができる。例では、ＷＴＲＵは、第２の手順を実行することの失敗を示すメッセージを送信することができ、そのメッセージは、失敗の原因（たとえば、「ＭｅＮＢによるオーバーライド」）の指示を含み得る。
【０２６８】
例では、ＷＴＲＵは、進行中の手順が別のレイヤのために受信されたＲＲＣ  ＰＤＵと競合し、進行中のＲＲＣ手順の完了が問題とされるｅＮＢとの同期事象をもたらすであろう（たとえば、ＲＲＣ手順の完了がＲＡＣＨ手順をもたらすであろう）場合、進行中のＲＲＣ手順を中断することができる。
【０２６９】
ＷＴＲＵは、二次レイヤのための再構成が失敗すると、かつ／または、（たとえば、複数のＲＲＣ手順の間での競合が原因で）再構成失敗手順を開始すると決定すると、１つまたは複数の動作を実行するように構成され得る。ＷＴＲＵは、再構成メッセージを解釈および／または復号することの失敗、再構成手順の間に提供された構成を成功裏に適用することの失敗、新たな構成を使用してランダムアクセスを成功裏に実行することの失敗、受信された構成がＷＴＲＵの能力を超えたと決定すること（たとえば、受信された構成がＷＴＲＵの能力に基づいて適用され得ない）、制御プレーンのシグナリングが競合することの検出、ＲＬＦを検出すること、および／または同様のことの１つまたは複数に基づいて、所与のレイヤの再構成が失敗したことを決定することができる。ＷＴＲＵが、それが二次レイヤおよび／またはＭＡＣインスタンスのために１つまたは複数の（またはすべての）サービングセルを構成するのに成功しなかったと決定する場合、ＷＴＲＵは様々な動作を実行することができる。たとえば、ＲＲＣ接続再構成手順が失敗したとＷＴＲＵが決定する場合、ＷＴＲＵは、（たとえば、二次レイヤおよび／または単一のレイヤのための再構成が失敗した場合）二次レイヤのための以前の構成に戻ることができる。例では、ＷＴＲＵは、（たとえば、すべての二次レイヤのためのモビリティが失敗した場合）一次レイヤに戻り、二次レイヤのための構成を利用するのを止めることができる。ＷＴＲＵは、たとえば、それに対する再構成が失敗した二次レイヤと関連付けられる無線ベアラ（たとえば、ＤＲＢ、場合によってはＳＲＢではなくＤＲＢ）を再確立するために、一次レイヤにおけるＲＲＣ接続再確立手順を開始することができる。たとえば、ＷＴＲＵは、それに対する再構成の失敗が発生した二次レイヤと関連付けられるすべてのＤＲＢ、および／または、失敗した再構成手順の対象であった二次レイヤの特定のＤＲＢのための、再確立手順を実行することができる。例として、ＷＴＲＵは、なぜ再構成の失敗が発生したかの指示をネットワークに送信することができる。たとえば、再構成の失敗が、それがＷＴＲＵによって実装されている（たとえば、別のレイヤのための）別のＲＲＣ手順と競合したために発生した場合、ＷＴＲＵは、たとえば、「ＷＴＲＵの能力が超過された」または何らかの同様の／他の原因として原因を示すことによって、競合が発生したことを示すことができる。ＷＴＲＵは、二次レイヤのための再構成手順が失敗したと決定すると、マクロレイヤへの測定報告の送信を開始することができる。たとえば、報告は、再構成に失敗したレイヤのための１つまたは複数の測定結果を含み得る。例として、ＷＴＲＵは、ＷＴＲＵが二次レイヤのＰＣｅｌｌのための構成を成功裏に適用することに失敗した場合、ＷＴＲＵが二次レイヤを構成することに失敗したと決定することができる。たとえば、ＷＴＲＵは、それがＰＣｅｌｌと成功裏に同期することに失敗したこと、かつ／または、それがＰＣｅｌｌ上でランダムアクセスを成功裏に実行することに失敗したかどうかを決定することができる。そのような失敗は、ＷＴＲＵに、再構成が失敗であると考えさせ得る。
【０２７０】
ＷＴＲＵは、たとえば、１つまたは複数のレイヤを成功裏に再構成することの失敗に基づいて、ＲＲＣ接続再確立手順を実行するように構成され得る。次の例は、ＲＲＣ接続（または二次レイヤ）再確立手順のために使用され得る。たとえば、ＷＴＲＵは、二次レイヤのいくつかまたはすべてのサービングセル（たとえば、二次レイヤのＰＣｅｌｌ）が無線リンクの問題を経験していると決定することができる。ＷＴＲＵは、二次レイヤのＤＲＢのための送信が成功しないであろうこと、またはもはや可能ではないであろうことを示し得る、失敗の条件を検出することができる。たとえば、ＤＲＢが二次レイヤと独占的に関連付けられ、二次レイヤの１つまたは複数のセルが無線リンクの問題を経験している（たとえば、ＲＬＦが宣言された）場合、ＷＴＲＵは、それがベアラを使用して通信することが不可能であろうと決定することができる。例として、再確立手順は、ＱｏＳがもはや満たされ得ないＤＲＢに対して実行され得るが、ＱｏＳがまだ満たされ得るＤＲＢに対しては実行されなくてよい。ＲＲＣ再確立は、ＳＲＢ（たとえば、ＳＲＢ３）のために実行され得る。たとえば、再確立手順は、手順の完了の後で二次レイヤがまだ問題とされるＲＢのために使用されることを再確立手順が示す場合、二次レイヤと関連付けられるＳＲＢのために実行され得る。再確立手順は、一次レイヤ（たとえば、一次レイヤのＰＣｅｌｌ）が無線リンクの失敗を経験しているとき、および／または、二次レイヤ（たとえば、二次レイヤのＰＣｅｌｌ）が無線リンクの失敗を経験しているときであり得る。
【０２７１】
たとえば、ＷＴＲＵは、１つまたは複数の失敗の条件を検出したことに基づいて、所与のレイヤのために再確立手順が実行されるべきであると決定することができる。失敗の条件の例は、ＤＬ  ＲＬＦ、ＵＬ  ＲＬＦ、二次レイヤに対するハンドオーバーの失敗、セキュリティの失敗（たとえば、完全性の検証の失敗）、構成および／もしくは再構成手順が失敗したというより低次のレイヤ（たとえば、ＭＡＣ）からの指示、二次レイヤの再構成と関連付けられる再構成の失敗、ならびに／または、他の失敗の状況の１つまたは複数を含み得る。失敗の条件が所与のレイヤに対して検出されている場合、ＷＴＲＵは、失敗の条件にないレイヤのセルにおける再確立要求を開始することを試み得る。たとえば、再確立は、ＷＴＲＵによる使用のために構成されたが、非アクティブ化された／アイドル状態にあり得る、レイヤのセルに対するものであり得る。例では、ＷＴＲＵは、失敗が検出されたレイヤとは異なる、構成されたアクティブなレイヤにおいて再確立を実行することを試み得る。たとえば、再確立手順のために使用されるセルが以前に非アクティブであった場合、ＷＴＲＵはまず、通常の動作を再開し、かつ／または問題とされるセルをアクティブ化することができる。たとえば、非アクティブなレイヤは一次レイヤのセル（たとえば、ＰＣｅｌｌ）であってよい。例では、再確立要求が二次レイヤのセルに対して開始され得る。
【０２７２】
たとえば、所与のレイヤ（たとえば、二次レイヤ）のセルにおける失敗を検出すると、ＷＴＲＵは、たとえば、一次レイヤのセルおよび／または異なる二次レイヤのセルにおいて、再確立手順を開始することができる。ＷＴＲＵは、再確立が実行されているレイヤと関連付けられる１つまたは複数のＤＲＢ（たとえば、失敗した二次レイヤと関連付けられるＤＲＢ）を中断することができる。例では、ＷＴＲＵは、再確立が実行されているレイヤのすべてのセルを解放することができる。ＷＴＲＵは、それに対する再確立が実行されているレイヤに対応するＭＡＣインスタンスをリセット（たとえば、および／または破壊）することができる。たとえば、ＷＴＲＵは、ＲＲＣメッセージ（たとえば、「レイヤの失敗」を示すＲＲＣ接続再確立（または同様の）メッセージ）の送信を開始することができ、このＲＲＣメッセージは、それに対する再確立が実行されているレイヤの識別情報（たとえば、ｒｅｅｓｔａｂｌｉｓｈｍｅｎｔＣａｕｓｅの中の）を含み得る。再確立手順が事象構成に基づいてトリガされた場合、ＷＴＲＵは、ｍｅａｓＩＤ、ならびに／または、「低下している品質」および／もしくは「不十分な品質」の指示を含み得る。ＷＴＲＵが、非アクティブ化された／アイドル状態にあるレイヤを介して再確立を実行する場合、ＷＴＲＵは、たとえば、ＷＴＲＵの識別情報および／またはコンテキスト識別情報のような識別情報を含み得る。たとえば、識別情報は、再確立が実行されているレイヤ、および／またはそれを通じて再確立手順が実行されているレイヤの構成において、ＷＴＲＵに割り当てられる値であり得る。例として、識別情報は、再確立が実行されているレイヤ、および／またはそれを通じて再確立手順が実行されているレイヤの構成において、ＷＴＲＵに割り当てられるＣ−ＲＮＴＩであり得る。
【０２７３】
ＷＴＲＵは、ＲＲＣ接続再構成メッセージを受信することができる。再構成メッセージは、失敗の条件が検出されなかったレイヤに（たとえば、一次レイヤに）１つまたは複数のＤＲＢを再び関連付けることができる。ＷＴＲＵは、失敗したレイヤに対応するＭＡＣインスタンスのための構成を破壊および／または除去することができる。例では、再構成メッセージは、失敗したレイヤのＤＲＢ（たとえば、および／またはＳＲＢ）を、新たな二次レイヤおよび／または一次レイヤに再び関連付けることができる。ＷＴＲＵは、失敗したレイヤに対応するＭＡＣインスタンスを新たな二次レイヤのために再使用することができ、かつ／または、新たに構成された二次レイヤのために新たなＭＡＣインスタンスを実体化することができる。ＲＢの再関連付けのために一次レイヤが使用されるべきか二次レイヤが使用されるべきかは、再構成メッセージに含まれるレイヤの識別情報を使用して示され得る。
【０２７４】
ＷＴＲＵが再構成を実行するように構成される（たとえば、レイヤの再確立の実行に基づいて、モビリティ事象の発生に基づいて、レイヤのアクティブ化／非アクティブ化に基づいて、など）場合、ＷＴＲＵは、再構成されているレイヤと関連付けられるＤＲＢのために（および／または再構成されているレイヤのＳＲＢのために）ＰＤＣＰを再確立することができる。たとえば、ＰＤＣＰインスタンスがＷＴＲＵ固有である場合（たとえば、受信／送信ＰＤＣＰエンティティが一次レイヤにおけるモビリティ事象があると変更されるが、二次レイヤと関連付けられるモビリティ事象があると変更されないアーキテクチャなどにおいて）、ＷＴＲＵは、一次レイヤが再確立されるべきである場合に実行されるであろう、ＰＤＣＰ再確立手順のサブセットを実行することによって、ＰＤＣＰを再確立することができる。たとえば、ＷＴＲＵはＰＤＣＰの再確立を飛ばすことができ、これは、ＷＴＲＵが、ヘッダ圧縮プロトコルを、それをリセットすることなく続けることができること、セキュリティコンテキストを維持できること、および／または影響を受けずに順序付け情報を続けることができることを意味する。例では、ＷＴＲＵは、構成される場合、ＰＤＣＰ状態報告をアップリンクにおいて送信することができる。ＷＴＲＵは、問題とされるＤＲＢ（および／または、適用可能であれば、ＳＲＢ）のためのＲＬＣを再確立することができる。
【０２７５】
二次レイヤの失敗に基づく再構成手順が成功裏に完了すると、ＷＴＲＵは、失敗したレイヤのためのＤＲＢの再確立が成功したと決定することができる。ＷＴＲＵは、たとえば再構成手順によって設定されるような異なるレイヤ上で、失敗したレイヤのためのあらゆる中断されたＲＢの使用を再開することができる。ＷＴＲＵは、再構成されたＤＲＢをそれが再開したときにまだ成功裏に送信／受信されなければならないユーザプレーンのデータを示す状態報告を含み得る。ＷＴＲＵは、それがアップリンク無線リンクの失敗を決定する場合、二次レイヤのＤＲＢに対する再確立要求を実行することができる。例では、二次レイヤのＤＲＢのための再確立は、二次レイヤのＰＣｅｌｌのために実行され得るが、二次レイヤのＳＣｅｌｌのために実行されなくてよい。
【０２７６】
異なるサービングサイトが、比較的互いに独立にＷＴＲＵにアクセスおよびサービスを提供することが可能であるので、そのようなアーキテクチャの中でのＷＴＲＵの挙動は、単一のデータ経路のアーキテクチャにおけるＷＴＲＵの挙動とは異なり得る。たとえば、ＷＴＲＵは、第１の一次サービングサイト（ＭｅＮＢ）に接続され得る。ＷＴＲＵは、リリース１１と同様の方式で、一次サービングサイトとのＲＲＣ接続を確立することができる。接続プロセスの間、ＷＴＲＵは、ＷＴＲＵが複数のサービングサイトでの接続をサポートすることを示す指示を、ネットワークに送信することができる。指示を受信したことに基づいて、ネットワークは、１つまたは複数の二次サービングサイトにアクセスするようにＷＴＲＵを事前構成することができる。たとえば、一次サービングサイトは、ＲＲＣ接続再構成メッセージをＷＴＲＵに送信することができる。ＲＲＣ接続再構成メッセージは、再構成が追加のＭＡＣインスタンスを追加するためのものであること、および／または追加の送信レイヤを追加するためのものであることの指示を含み得る。
【０２７７】
ＷＴＲＵは、１つまたは複数のレイヤのための構成情報を記憶することができる。しかしながら、受信された構成が有効であり得るとしても、ＷＴＲＵと事前構成されたサービングサイトとの間の実際の接続は非アクティブ化され得る。ＷＴＲＵによって記憶される構成情報は、ＷＴＲＵが、構成を除去し、変更し、かつ／または解放するメッセージを受信するまで、記憶されてよく、かつ／または有効なままであってよい。例では、記憶された構成情報は、ある設定された期間有効であってよく、その期間の指示が構成の一部であってよい。ＷＴＲＵは、規定された事象が発生するまで（たとえば、セルの再選択が一次レイヤで発生するまで）、有効であると考えられてよい。たとえば、記憶された構成情報は、モビリティ事象が発生する（たとえば、ＷＴＲＵが、異なるＰＬＭＮ、異なるトラッキングエリアなどに動く）まで、有効であると考えられてよい。
【０２７８】
一次レイヤの構成は、二次レイヤの構成とは異なる期間、有効であり得る。たとえば、事象が、二次レイヤの構成を無視するように、しかし一次レイヤの構成を無視しないように（またはその逆）、ＷＴＲＵをトリガし得る。ネットワークは、１つまたは複数のレイヤ（たとえば、一次レイヤ、二次レイヤなど）のための構成情報によって、１つまたは複数のレイヤをアクティブ化することなく、ＷＴＲＵを「事前構成」または「準備」することができる。ネットワークは次いで、ＷＴＲＵが１つまたは複数の事前構成されたレイヤをアクティブ化すべきであることを示すために、シグナリングをＷＴＲＵに送信することができる。ＷＴＲＵは、第１のレイヤの構成を第２のレイヤの構成よりも優先することができる。たとえば、ＷＴＲＵは、別のレイヤが失敗した場合（たとえば、二次レイヤ）、接続の再確立および／またはモビリティのような機能のために、一次レイヤ（たとえば、マクロレイヤに対応し得る、かつ／またはＭｅＮＢによってサービスされ得る）の構成を優先することができる。
【０２７９】
複数のレイヤのための構成情報は、複数のＭＡＣインスタンスを利用するようにＷＴＲＵを構成することができる。ＷＴＲＵが異なるサービングサイトをアクセスすることを試みている状況に応じて、ＷＴＲＵは、任意の所与の時間的な瞬間において、異なる数のアクティブ化サービングサイトを維持するように構成され得る。たとえば、ＷＴＲＵは、任意の所与の時間において、単一のＭＡＣインスタンス（またはレイヤ）をアクティブな状態で有し得る。単一のＭＡＣインスタンス（またはレイヤ）が任意の所与の時間においてアクティブである構成は、単一のＭＡＣ接続と呼ばれ得る。ＷＴＲＵは、たとえば、いずれのレイヤが所与の時間の瞬間において最良の接続を提供しても、単一のアクティブレイヤを維持することができる。たとえば、スモールセルレイヤは、スループットの向上を達成するために使用されてよく、かつ／または、マクロレイヤからトラフィックをオフロードするために使用されてよい。スモールセルレイヤがマクロレイヤのオフロードのために使用されている場合、ＷＴＲＵは、二次レイヤをアクティブ化してそれにアクセスした後、一次レイヤを非アクティブ化することができる。
【０２８０】
たとえば、上で述べられたように、ＷＴＲＵはまず、マクロレイヤに接続することができる。１つまたは複数の可能性のある二次レイヤのための事前構成情報を受信した後、ＷＴＲＵは、二次レイヤをアクティブ化し、二次サービングサイトにアクセスするのを開始することができる。ＷＴＲＵは次いで、二次サービングサイトへの接続を維持しながら、一次サービングサイトへの接続を非アクティブ化することができる。このようにして、ＷＴＲＵは、スモールセルレイヤにおける連続的なサービスを維持しながら、マクロレイヤから効果的にオフロードされ得る。
【０２８１】
例では、一次レイヤが非アクティブである場合、かつ／または、データの送信および／もしくは受信のために使用されない場合、一次レイヤのための構成／コンテキストはＷＴＲＵに記憶され得るが、ＷＴＲＵは、送信のために一次レイヤのための構成／コンテキストを利用することを控えることができる。一次レイヤのためのサービングセルと関連付けられる一次レイヤの構成（ｃｏｎｆｉｇｕｒａｔｉｏｎ）および／または構成（ｃｏｎｆｉｇｕｒａｔｉｏｎｓ）は、アイドルである、または非アクティブ化されていると考えられ得るが、後続の再アクティブ化および使用のためにメモリに保存されてよい。ＷＴＲＵは、１つまたは複数のレイヤを非アクティブ化し、かつ／または、１つまたは複数のレイヤをアクティブ化する、制御シグナリングを受信することができる。例では、あるレイヤの非アクティブ化は、異なるレイヤをアクティブ化するようにＷＴＲＵをトリガすることができる。
【０２８２】
マクロレイヤが非アクティブ化される期間の間、ＷＴＲＵは、マクロレイヤのサービングサイトを監視し続けることができる。たとえば、モビリティ関連の手順および／またはＷＴＲＵ  ＲＲＣ接続が、一次サービングサイトへのＷＴＲＵの接続と関連付けられ得る。オフロードされたデータの転送は、１つまたは複数のアクティブな二次サービングサイトを介して実行され得る。マクロレイヤが再アクティブ化される（たとえば、モビリティまたは他の制御手順を実行するために、データを送信および／または受信するために、など）場合に、ＷＴＲＵがそれでもマクロサービングサイトにアクセスすることが可能であることを確実にするために、ＷＴＲＵは、マクロサービングサイト（たとえば、ＭｅＮＢ）を測定し続けることができる。ＷＴＲＵは、１つまたは複数のトリガに基づいて監視を実行することができる。たとえば、マクロサービングサイトに対する（たとえば、および／または、１つまたは複数の他の非アクティブ化されたレイヤに対する）測定を実行することの決定は、１つまたは複数のトリガに基づき得る。そのような測定を実行するためのトリガは、以下でより詳細に説明される。同様に、ＷＴＲＵ上で実行される品質測定に関連する情報を含む測定報告を送信するためのトリガが、定義され得る。測定報告を送信するためのトリガは、測定を実行するためのトリガと同じであってよく、または異なっていてよい。説明および簡潔さのために、測定を実行するためのトリガおよび測定報告を送信するためのトリガの例が、本明細書では一緒に説明され得る。しかしながら、測定の実行および測定の報告をトリガするために、トリガの様々な組合せが使用され得ることが企図される。たとえば、アクティブレイヤのサービングセルの品質が閾値を下回って落ちることのような第１のトリガが、別のレイヤの非アクティブ化されたサービングセル上で測定を実行するように、ＷＴＲＵをトリガし得る。別のレイヤのサービングセルの品質が閾値の上にあること、および／または、所定の閾値だけ、アクティブなレイヤの現在のサービングセルより良好であることのような、第２のトリガが、ＷＴＲＵに、非アクティブ化されたレイヤのサービングサイトの測定をネットワーク（たとえば、アクティブなサービングサイト）へ報告させ得る。アクティブなサービングサイトは、測定情報を使用して、１つまたは複数の非アクティブ化されたレイヤをアクティブ化するようにＷＴＲＵに指示することができる。たとえば、一次サービングサイトは、事前構成された非アクティブ化された二次レイヤがアクティブ化されるべきであることを示す、ＭＡＣシグナリング（たとえば、ＭＡＣ  ＣＥ）をＷＴＲＵに送信することができる。ＭＡＣシグナリングは、他のレイヤがアクティブ化すると、１つまたは複数のレイヤ（たとえば、現在アクティブ化されている一次レイヤ）が非アクティブ化されるべきであることを示すことができ、かつ／または、ＷＴＲＵは、他のレイヤをアクティブ化することに基づいて、アクティブなレイヤを非アクティブ化することを暗黙的に決定することができる。
【０２８３】
さらに、ネットワークからの明示的なシグナリングによってトリガされる、レイヤのアクティブ化および非アクティブ化ではなく、またはそれらに加えて、１つまたは複数の事前構成されたレイヤは、ＷＴＲＵによって自律的にアクティブ化および／または非アクティブ化され得る。たとえば、非アクティブ化されたサービングサイトの測定報告をネットワークに送信することではなく、またはそれに加えて、ＷＴＲＵは、測定をローカルに評価して、非アクティブ化されたレイヤがアクティブ化されるべきかどうか、および／または、アクティブ化されたレイヤが非アクティブ化されるべきかどうかを決定することができる。ＷＴＲＵは、レイヤがアクティブ化または非アクティブ化されるべきかどうかを評価するために、ネットワークと同様の基準を使用することができ、ＷＴＲＵの自律的なアクティブ化および／または非アクティブ化のためのトリガは、ＷＴＲＵに測定または非アクティブ化されたレイヤを実行させ、かつ／または、測定報告をネットワーク（たとえば、アクティブなサービングサイト）へ送信させるために説明されるトリガと同様であり得る。したがって、説明および簡潔さのために、ＷＴＲＵにレイヤを自律的にアクティブ化および／または非アクティブ化させるためのトリガが、測定を実行し、かつ／または測定報告を送信するための、ＷＴＲＵに対するトリガと組み合せて説明され得る。しかしながら、了解され得るように、トリガの第１のセットがＷＴＲＵに測定を実行させることができ、トリガの第２のセットがＷＴＲＵに測定を報告させることができ、トリガの第３のセットがＷＴＲＵにレイヤを自律的にアクティブ化および／または非アクティブ化させることができるように、そのようなトリガの様々な組合せが実装され得る。トリガの第１の、第２の、および／または第３のセットは各々異なっていてよく、部分的に重複していてよく、かつ／または完全に重複していてよい（たとえば、測定を実行するためのトリガは、測定報告に対するトリガと同じであってよい）。トリガの様々な組合せが、本明細書で一緒に説明されるが、本開示の企図される範囲の中にある。
【０２８４】
例では、ＷＴＲＵは、所与の時間において、１つよりも多くのＭＡＣインスタンス（またはレイヤ）をアクティブ化または使用するように構成され得る。たとえば、第１のＭＡＣインスタンスが、アクティブであり、一次レイヤを通じた送信／受信のために構成されてよく、第２のＭＡＣインスタンスが、アクティブであり、二次レイヤを通じた送信／受信のために構成されてよい。異なるＭＡＣインスタンスが、何らかの時間的な点で同時にアクティブであり得るが、単一のＭＡＣインスタンスは、他の時間的な点でアクティブであり得る。
【０２８５】
ＷＴＲＵは、レイヤの非アクティブ化を実行することができる。たとえば、ＷＴＲＵは、所与のレイヤの所与のセル（たとえば、レイヤの中の一次セル（ＰＣｅｌｌ）、レイヤの中の二次セル（ＳＣｅｌｌ）など）、所与のレイヤの複数のセル、および／または所与のレイヤのすべてのセルを非アクティブ化する、制御シグナリングを受信することができる。ＷＴＲＵは、たとえば、ＷＴＲＵがレイヤと関連付けられる複数のセルからのデータを送信および／または受信することができるように、異なるレイヤにおいてキャリアアグリゲーションを実行するように構成され得る。しかしながら、複数のデータ経路を使用するレイヤ化された送信とは異なり、キャリアアグリゲーションは、統合されているセル／キャリアから送信される送信の各々が同じエンティティによってスケジューリングされ得る、または、調整された方式で独立のエンティティによってスケジューリングされ得る（たとえば、スケジューリングするエンティティの間に低レイテンシの通信インターフェースがあり得る）という点で、特徴づけられ得る。異なるレイヤまたはデータ経路を通じた送信のために、独立のスケジューリングエンティティは、厳しい調整を欠いており、かつ／または、そのレイテンシがレイヤにわたってＷＴＲＵのスケジューリングを調整することを困難および／または非現実的にする通信リンクを介して通信することがある。ＰＣｅｌｌは、レイヤの一次セルを指すことがあり、これは、レイヤのためのキャリアアグリゲーションがそれを通じて構成または確立されるセルであり得る。各レイヤは追加で、レイヤと関連付けられるキャリアアグリゲーションのセル／キャリアであり得る、１つまたは複数のＳＣｅｌｌを追加で利用することができる。ＰＣｅｌｌは、ＳＣｅｌｌ上での送信をスケジューリングするために使用されてよく、かつ／または、送信は、ＳＣｅｌｌを介して直接スケジューリングされ得る。ＷＴＲＵは、たとえば、問題とされるセルのためのスケジューリングの不活動の期間の後でタイマーが満了すると、ＰＣｅｌｌおよび／またはＳＣｅｌｌを自律的に非アクティブ化するように構成され得る。
【０２８６】
ＲＲＣ接続を形成することは、ＷＴＲＵとネットワークとの間の１つまたは複数のシグナリング無線ベアラ（ＳＲＢ）を確立し得るので、たとえば、確立されたＳＲＢの各々は、第１の無線インターフェースまたは第２の無線インターフェースの１つまたは複数に割り当てられ得る。ＷＴＲＵによって受信される制御データは、１つまたは複数のＲＲＣプロトコルデータユニット（ＰＤＵ）に含まれ得る。ＲＲＣ  ＰＤＵは、１つまたは複数のＳＲＢの１つと関連付けられ得る。例では、ＲＲＣ  ＰＤＵは、関連付けられるＳＲＢとは関係なく、第１の無線インターフェースまたは第２の無線インターフェースのいずれかを通じて受信され得る。別の例では、ＲＲＣ  ＰＤＵは、対応するＳＲＢと関連付けられる、割り当てられた無線インターフェースを通じて受信され得る。ＲＲＣ接続はネットワークによって制御され得る。ネットワークは、ＲＲＣ接続を制御する無線クラウドネットワークコントローラ（ＲＣＮＣ）を備え得る。ＷＴＲＵは、ＷＴＲＵがマルチスケジューリング動作をサポートすることを示す指示を、ネットワークに送信することができる。
【０２８７】
例では、ＷＴＲＵは、ＭｅＮＢと関連付けられる１つまたは複数のＳＲＢまたはＭｅＮＢ（たとえば、マクロ（ＳＲＢ）と呼ばれ得る）によってサービスされるセル、ＳＣｅＮＢと関連付けられる１つまたは複数のＳＲＢまたはＳＣｅＮＢによってサービスされるセル（たとえば、ｓｃ（ＳＲＢ）と呼ばれ得る）、ＭｅＮＢと関連付けられる１つまたは複数のデータ無線ベアラ（ＤＲＢ）またはＭｅＮＢによってサービスされるセル（たとえば、マクロ（ＤＲＢ）と呼ばれ得る）、および、ＳＣｅＮＢと関連付けられる１つまたは複数のＤＲＢまたはＳＣｅＮＢによってサービスされるセル（たとえば、ｓｃ（ＤＲＢ）と呼ばれ得る）を使用して、動作するように構成され得る。例では、ＷＴＲＵは、ＭｅＮＢとのマクロ（ＳＲＢ）を確立し、ＳＣｅＮＢとのｓｃ（ＳＲＢ）およびｓｃ（ＤＲＢ）を確立することができる。
【０２８８】
たとえば、ＷＴＲＵにおけるＭＡＣインスタンスは、二次レイヤのために構成されアクティブであってよく、ユーザプレーン（たとえば、ｓｃ（ＤＲＢ））と制御プレーン（たとえば、ｓｃ（ＳＲＢ））のデータの両方のために使用され得る。いくつかの状況では、送信および／または受信は、ＳＣｅＮＢを使用して頻繁に実行され得るので、二次レイヤが、データおよび制御プレーンのデータの送信／受信、および／または物理レイヤの手順を実行するための、主のレイヤであると考えられ得る。データ送信の大半がＳＣｅＮＢを介して送信されるときでも、ＷＴＲＵはそれでも、たとえば制御プレーンのデータのために使用され得る（たとえば、いずれかのレイヤを介して送信され得るトラフィックのために、一次レイヤのみを通じて送信され得るトラフィックのために、など）一次レイヤのためのＭＡＣインスタンスを構成した可能性がある。いくつかの状況では、一次レイヤのＭＡＣインスタンスは、二次レイヤのＭＡＣインスタンスと同じ時間においてアクティブであってよく、これは、二重ＭＡＣ接続と呼ばれ得る。マクロ（ＳＲＢ）は、比較的重要性の高い制御情報の送信のために利用され得るので、いくつかの例では、ＷＴＲＵは、マクロ（ＳＲＢ）データがタイムリーに配信されることを確実にするために、一次レイヤ（および／または一次レイヤ全体）のＰＣｅｌｌを非アクティブ化することを控えるように構成され得る。しかしながら、他の例では、そのような制御情報は二次レイヤを介して配信可能であり得るので、不活動の期間の間、一次レイヤは、電力およびネットワークリソースを節約するために、非アクティブ化されてよく、かつ／またはＩＤＬＥモードの原理に従って動作してよい。ＷＴＲＵは、二次レイヤがアクティブである場合、および／または一次レイヤが非アクティブ化された場合であっても、制御チャネル（たとえば、ランダムアクセスチャネル（ＲＡＣＨ）命令のためのＰＤＣＣＨ、ページングチャネルなど）を定期的または間欠的に監視するように構成され得る。
【０２８９】
例では、ＷＴＲＵは、一次レイヤを使用して（たとえば、マクロ（ＳＲＢ）を介して）制御プレーンのデータを、二次レイヤを介して（たとえば、ｓｃ（ＤＲＢ）を介して）ユーザプレーンのデータを交換するように構成され得る。そのような状況は、たとえば、ＷＴＲＵがデータ転送のためにＭｅＮＢからＳＣｅＮＢにオフロードされた場合であり得る。一次レイヤのために構成されアクティブであるＭＡＣインスタンスは、アクティブなままであるために使用されてよく、制御情報の送信のために使用されてよい。ＭＡＣインスタンスは、二次レイヤのために構成されアクティブであってよく、ユーザプレーンのデータを転送するために使用されてよい。マクロ（ＳＲＢ）は、比較的重要性の高い制御情報の送信のために利用され得るので、いくつかの例では、ＷＴＲＵは、マクロ（ＳＲＢ）データがタイムリーに配信されることを確実にするために、一次レイヤ（および／または一次レイヤ全体）のＰＣｅｌｌを非アクティブ化することを控えるように構成され得る。しかしながら、他の例では、そのような制御情報は二次レイヤを介して配信可能であり得るので、不活動の期間の間、一次レイヤは非アクティブ化されてよく、かつ／または、電力およびネットワークリソースを節約するために、ＩＤＬＥモードの原理に従って動作してよい。ＷＴＲＵは、二次レイヤがアクティブである場合、および／または一次レイヤが非アクティブ化された場合であっても、制御チャネル（たとえば、ランダムアクセスチャネル（ＲＡＣＨ）命令のためのＰＤＣＣＨ、ページングチャネルなど）を定期的または間欠的に監視するように構成され得る。
【０２９０】
データおよび制御情報がどのようにＷＴＲＵに転送されるか（たとえば、一次および／または二次レイヤの１つまたは複数を介して）に関係なく、ＷＴＲＵは、ＭＡＣインスタンスを非アクティブ化した後であっても、レイヤ／ＭＡＣインスタンスの各々のための構成情報を維持または記憶するように構成され得る。たとえば、ＷＴＲＵは、一次レイヤの非アクティブ化の後でも、一次レイヤのための構成を記憶するように構成され得る。このようにして、ＷＴＲＵは、それが非アクティブ化された場合でも、マクロレイヤに迅速に戻ることが可能であり得る。マクロレイヤへと迅速に戻ることは、二次レイヤにおける無線リンクの失敗（ＲＬＦ）からの高速な回復を可能にでき、スモールセル間でのハンドオーバーの状況における無線リンクの失敗の回避を容易にできる。
【０２９１】
ＲＲＣシグナリングが、一次レイヤおよび／または二次レイヤの動作を構成するために利用され得る。レイヤ構成は、ＰＨＹ構成情報、ＭＡＣ構成情報、ＲＬＣ構成情報、ＰＤＣＰ構成情報、無線ベアラ（ＲＢ）構成情報、セル無線ネットワーク一時識別子（Ｃ−ＲＮＴＩ）情報などの１つまたは複数を含み得る。一次レイヤのために提供される構成情報は、一次レイヤにおける送信および受信の手順をＷＴＲＵが実行することを可能にする、構成情報の完全なセット（たとえば、ＰＨＹ構成情報、ＭＡＣ構成情報、ＲＬＣ構成情報、ＰＤＣＰ構成情報、ＲＢ構成情報、Ｃ−ＲＮＴＩ情報など）を含み得る。例では、ＷＴＲＵはまた、二次レイヤにおける送信および受信のための構成情報のサブセットによって構成され得る。たとえば、ＷＴＲＵは、ＭＡＣ構成情報、ＲＬＣ構成情報、ＰＤＣＰ構成情報、および、二次レイヤにおいて使用されるべきＰＨＹレイヤのリソース／構成情報のサブセットによって構成され得る。残りのＰＨＹレイヤのリソース／構成情報のような他の構成情報（たとえば、ＰＵＣＣＨ構成情報などのような）は、二次レイヤをアクティブ化するために、送信される再構成メッセージに含まれ得る。このようにして、ＷＴＲＵは、二次レイヤを使用するための構成情報の大半によって事前構成されてよく、ある構成情報は、（たとえば、構成が一次レイヤにおいて利用されている現在の構成と競合しないことを確実にするために）アクティブ化に際して提供され得る。
【０２９２】
一次レイヤの構成は、そのレイヤの上でのＳＲＢとＤＲＢの両方の動作と関連付けられる完全な構成情報を含んでよく、または、構成のサブセット（たとえば、ＳＲＢのみ）を含んでよい。構成のサブセットは、ＷＴＲＵが、ＳＲＢと関連付けられるデータを受信すること、ＲＲＣ再構成メッセージを受信することの１つまたは複数を実行すること、ハンドオーバーを実行すること、および／または再構成手順を実行することを可能にし得る。
【０２９３】
ＷＴＲＵは、二次レイヤのための構成（および／または、最初の事前構成の一部として提供されなかったＰＨＹ情報のような残りの構成情報）を受信することに際して、二次レイヤをアクティブ化すると暗黙的に決定するように構成されてよく、アクティブなレイヤとして二次レイヤを使用し始めてよい。ＷＴＲＵは、一次レイヤがより後の時間において再アクティブ化され得るように、二次レイヤのアクティブ化に際して一次レイヤのための構成を記憶することができる。別の例では、ＷＴＲＵは、別のレイヤがアクティブなレイヤであることをネットワークが明示的に示すまで、一次レイヤがアクティブなレイヤであると暗黙的に想定する（かつ、後での使用のために非アクティブなレイヤのコンテキストをメモリに記憶する）ことができる。非アクティブなレイヤのためにＷＴＲＵに記憶されるコンテキストは、ネットワークによって明示的に削除されるまで有効であると考えられ得る。構成情報は、定義された期間有効であると考えられ得る。二次レイヤのための構成情報は、異なる二次レイヤへ変更すると、かつ／または、一次レイヤへ変更すると、削除され得る。
【０２９４】
二次レイヤを使用して動作するとき、ＷＴＲＵは、一次レイヤのコンテキスト／構成情報を記憶し、一次レイヤを、非アクティブ化されている、かつ／またはアイドルモードにあると考えることができる。例では、一次レイヤを完全に非アクティブ化するのではなく、ＷＴＲＵは、一次レイヤのコンテキストを有効に保つための、独立した不連続受信（ＤＲＸ）の構成を有し得る。ＤＲＸ期間の間、ＷＴＲＵは、送信のために、一次レイヤと関連付けられるセルを定期的に確認する（たとえば、ＰＤＣＣＨを読み取る）ことができる。ＷＴＲＵは、それが異なるレイヤをアクティブに監視／利用している場合でも、ＤＲＸ周期のアクティブな期間の間、非アクティブ化されているレイヤを監視することができる。ＷＴＲＵはまた、どのレイヤがＲＲＣ構成情報を受信するときに最初にアクティブであるかについて、明示的な指示を提供され得る。したがって、ＲＲＣ接続再構成情報は、複数のレイヤのための構成情報を含んでよく、レイヤのいずれが最初にアクティブであるかをさらに示してよい。ＷＴＲＵは次いで、アクティブなレイヤの構成を使用して受信および送信の手順を実行しながら、後での使用のために、非アクティブなレイヤのための構成情報を記憶することができる。
【０２９５】
１つまたは複数のトリガが、ＷＴＲＵに、一次レイヤをアクティブ化させ、非アクティブなレイヤをアクティブ化させ、かつ／または、１つまたは複数のレイヤのための品質情報を報告させ得る。たとえば、ＷＴＲＵがアクティブなレイヤとしての二次レイヤで動作している間、ＷＴＲＵは、ＲＲＣ再構成メッセージを受信するために、（たとえば、ユーザプレーンおよび／もしくは制御プレーンの送信ならびに／または受信のために）一次レイヤを使用する（またはそれに戻る）ようにトリガされ得る。たとえば、ＲＲＣ再構成メッセージは、ＷＴＲＵがハンドオーバーを実行すべきであることを示してよく、ＷＴＲＵが無線リンクの失敗を避けるのを助けるように設計されてよく、一次レイヤに対する高速な再確立の実行を容易にしてよく、かつ／または同様のことを行ってよい。一次レイヤへの切替えは一時的であってよく（たとえば、ＷＴＲＵは制御プレーンのデータを受信した後に戻り得る）、ＷＴＲＵは、制御プレーンのデータを受信するために、一次レイヤのＰＣｅｌｌを利用するように構成され得る。
【０２９６】
例では、レイヤを切り替え、所与のレイヤをアクティブ化し、かつ／または所与のレイヤを非アクティブ化するようにＷＴＲＵをトリガする、明示的で動的なシグナリングを、ＷＴＲＵはネットワークから受信することができる。たとえば、ＰＤＣＣＨ命令および／またはＭＡＣ制御ＰＤＵ（たとえば、ＭＡＣ制御要素（ＣＥ））が、レイヤを切り替え、レイヤをアクティブ化し、かつ／またはレイヤを非アクティブ化するようにＷＴＲＵに示すために使用され得る。例として、ＷＴＲＵは、ＷＴＲＵが現在アクティブなＭＡＣインスタンス（たとえば、レイヤ）を非アクティブ化し、かつ／または異なるＭＡＣインスタンス／レイヤをアクティブ化すべきであることを示す、ＰＤＣＣＨ命令またはＭＡＣ制御ＰＤＵを受信することができる。明示的なアクティブ化の指示が、どのレイヤがアクティブ化されるべきかを明示的に示してよく、または、ＷＴＲＵが、どのレイヤがアクティブ化されるべきかを暗黙的に決定してよい。
【０２９７】
非アクティブ／アイドルレイヤ（たとえば、一次レイヤ）をアクティブ化し、非アクティブ／アイドルレイヤ（たとえば、一次レイヤ）に切り替え、かつ／または所与のレイヤを非アクティブ化すると決定するために、様々な暗黙的な基準がＷＴＲＵによって使用され得る。たとえば、ＷＴＲＵは、様々な基準を検出したことに基づいて、以前に非アクティブであったものを監視し始める（たとえば、非アクティブなレイヤのための記憶されているＣ−ＲＮＴＩを使用して、非アクティブなレイヤのＰＤＣＣＨを読み取ること、または監視することを始める）ことができる。例では、ＷＴＲＵが暗黙的なトリガを検出したことに基づいて、非アクティブなレイヤの何らかの処理／監視を開始することができ、ＷＴＲＵは、レイヤに切り替えることまたはレイヤを完全にアクティブ化することを、そのようにするための明示的な指示がネットワークから（たとえば、ＰＤＣＣＨ命令またはＭＡＣ制御ＰＤＵを介して）受信されるまで、控えるように構成され得る。
【０２９８】
たとえば、ＷＴＲＵによって観察されるようなダウンリンク品質が、非アクティブなレイヤを監視し始める（たとえば、部分的に監視する）こと、および／または、非アクティブなレイヤのダウンリンク品質の指示をネットワークに報告することを決定するための、暗黙的な基準として使用され得る。非アクティブなレイヤのための測定報告を送信するようにＷＴＲＵをトリガするために、次の基準が説明され得るが、そのようなトリガはまた、非アクティブなレイヤを監視すること（たとえば、非アクティブなレイヤにおけるセルのＰＤＣＣＨを監視すること）始めるようにＷＴＲＵをトリガするために使用され得る。加えて、そのような基準はまた、レイヤをアクティブ化および／または非アクティブ化するようにＷＴＲＵをトリガするために、適用可能であり得る。
【０２９９】
たとえば、ＷＴＲＵは、それが構成情報を受信したが現在アクティブではない、１つまたは複数のレイヤのダウンリンク品質を監視することができる。ＷＴＲＵに非アクティブなレイヤと関連付けられるセル上で測定を実行させる、１つまたは複数のトリガがあり得る（たとえば、そのようなトリガはまた、ＷＴＲＵに、送信のためのセルを監視することを開始させ、様々なセルをアクティブ化および／もしくは非アクティブ化させ、ならびに／または同様のことをさせ得る）。たとえば、ＷＴＲＵは、測定報告がトリガされる（たとえば、別のレイヤ／セルのために、または非アクティブなレイヤ／セルのために）任意の時間に、非アクティブなレイヤと関連付けられるセル上で測定を実行するように構成され得る。例では、ＷＴＲＵは、規定された事象が発生したこと（たとえば、ハンドオーバー、構成において示される事象など）に基づいて、非アクティブなレイヤと関連付けられるセルで測定を実行するように構成され得る。
【０３００】
ＷＴＲＵは、測定報告がアクティブなレイヤ（たとえば、二次レイヤ）においてトリガされ、アクティブなレイヤの品質が所定の閾値を下回る（たとえば、ＷＴＲＵがアクティブなレイヤにおけるカバレッジを失っていることを示す）とき、非アクティブなレイヤ（たとえば、一次レイヤ）と関連付けられるセルで測定を実行するように構成され得る。たとえば、ＷＴＲＵは、アクティブなレイヤの参照信号受信電力（ＲＳＲＰ）の測定が閾値を下回って落ちること、アクティブなレイヤの参照信号受信品質（ＲＳＲＱ）の測定が閾値を下回って落ちること、アクティブなレイヤと関連付けられるセルの決定されたチャネル品質インジケータ（ＣＱＩ）が閾値を下回ること、アクティブなレイヤのサービングセルに対する（たとえば、ＳＣｅＮＢのためのサービングセルの）決定されたＣＱＩが閾値を下回ること、アクティブなレイヤの非サービングセル（たとえば、ＳＣｅＮＢと関連付けられるいくつかの他のセル）に対する決定されたＣＱＩが閾値を上回ること、および／または、（たとえば、無線リンク条件の低下を検出することに際して）ＷＴＲＵがＴ３０１タイマーを開始することの１つまたは複数に基づいて、アクティブなレイヤの品質が低下していること、かつ／または測定が非アクティブなレイヤで実行されるべきであることを、決定することができる。
【０３０１】
例では、ＷＴＲＵは、現在アクティブなレイヤ（たとえば、二次レイヤ）における最良のセル（たとえば、最高の品質のセル）が変わったことを示す測定報告に基づいて、非アクティブなレイヤ（たとえば、一次レイヤ）と関連付けられるセルで測定を実行するように構成され得る。ＷＴＲＵは、一次レイヤにおける最良のセル（たとえば、最高の品質のセル）が変わったことを示す測定報告に基づいて、非アクティブなレイヤと関連付けられるセルで測定を実行するように構成され得る。例では、ＷＴＲＵは、測定報告がトリガされているまたは送信されていること、およびアクティブなＭＡＣインスタンスが同期していないことに基づいて（たとえば、Ｔ３１０の開始に際して、かつ／またはＴ３１１の開始に際して）、非アクティブなレイヤ（たとえば、一次レイヤ）と関連付けられるセルで測定を実行するように構成され得る。ＷＴＲＵは、アクティブなレイヤの品質が閾値を下回る間、所定の期間内にハンドオーバー命令を受信するのに失敗したことに基づいて、非アクティブなレイヤ（たとえば、一次レイヤ）と関連付けられるセルで測定を実行するように構成され得る。
【０３０２】
例では、ＷＴＲＵは、アクティブなレイヤにおける非同期の条件を検出したことに基づいて、かつ／または、アクティブなレイヤにおける所定の数の非同期の条件を検出したことに基づいて、非アクティブなレイヤ（たとえば、一次レイヤ）と関連付けられるセルで測定を実行するように構成され得る。ＷＴＲＵは、非同期の条件がネットワークにより構成された期間の間アクティブなレイヤで検出されたことに基づいて、かつ／または、非同期の条件が所定の枠内で所与の回数検出されたことに基づいて、非アクティブなレイヤ（たとえば、一次レイヤ）と関連付けられるセルで測定を実行するように構成され得る。例では、ＷＴＲＵは、アクティブなレイヤにおいてＤＬ  ＲＬＦおよび／またはＵＬ  ＲＬＦの１つまたは複数を検出したことに基づいて、非アクティブなレイヤ（たとえば、一次レイヤ）と関連付けられるセルで測定を実行するように構成され得る。例では、ＷＴＲＵは、ＷＴＲＵが現在アクティブなレイヤとのタイミング整合を失ったこと（たとえば、タイミング整合タイマー（ＴＡＴ）の満了、たとえばこのとき、複数のタイミングアドバンスグループが問題とされるレイヤのために構成される場合、アクティブなレイヤのＰＣｅｌｌのＴＡＴが満了する）に基づいて、非アクティブなレイヤ（たとえば、一次レイヤ）と関連付けられるセルで測定を実行するように構成され得る。例では、ＷＴＲＵは、スケジューリング要求（ＳＲ）の失敗を検出したことに基づいて、非アクティブなレイヤ（たとえば、一次レイヤ）と関連付けられるセルで測定を実行するように構成され得る。たとえば、ＷＴＲＵは、現在アクティブなレイヤでのＲＲＣ接続再確立手順を実行することを試みる前に、非アクティブなレイヤ（たとえば、一次レイヤ）で接続を再確立することを試み得る。例では、ＷＴＲＵは、非アクティブなレイヤの品質が構成された期間閾値を上回ることに基づいて、非アクティブなレイヤ（たとえば、一次レイヤ）と関連付けられるセルで測定を実行するように構成され得る。例では、ＷＴＲＵは、一次レイヤのサービングセルの品質またはアクティブなレイヤのサービングセルの品質が閾値を下回り、レイヤの他のセルが閾値を上回らないこと（たとえば、アクティブなレイヤがカバレッジを失っている）に基づいて、非アクティブなレイヤと関連付けられるセルで測定を実行するように構成され得る。
【０３０３】
例では、ＷＴＲＵは、アクティブなレイヤのための非アクティブ化命令（たとえば、これは、一次レイヤの暗黙的なアクティブ化であり得る）を受信したことに基づいて、非アクティブなレイヤ（たとえば、一次レイヤ）と関連付けられるセルで測定を実行するように構成され得る。例では、ＷＴＲＵは、ＷＴＲＵがＲＲＣ再構成メッセージ（たとえば、このメッセージはアクティブなレイヤを構成解除または非アクティブし得る）を受信したことに基づいて、非アクティブなレイヤ（たとえば、一次レイヤ）と関連付けられるセルで測定を実行するように構成され得る。例では、ＷＴＲＵは、アクティブなレイヤ（たとえば、二次レイヤ）上のチャネルの品質の変化の推定される割合が構成された期間閾値よりも高い（かつ／または高くなる）ことに基づいて、非アクティブなレイヤ（たとえば、一次レイヤ）と関連付けられるセルで測定を実行するように構成され得る。たとえば、チャネルの変化の割合は、アクティブな（たとえば、二次）レイヤから送信される参照信号を測定することによって推定され得る。チャネルの変化の割合の他の尺度は、チャネルのドップラースプレッドおよび／またはチャネルのドップラーシフトの絶対値に基づき得る。チャネルの変化の推定される割合は、チャネルのコヒーレンス時間の逆数に比例し（かつ基づき）得る。例では、ＷＴＲＵは、現在アクティブな（たとえば、二次）レイヤ上での減衰が平均された経路損失の変化の推定される割合が構成された期間閾値よりも高い（または高くなる）ことに基づいて、非アクティブなレイヤ（たとえば、一次レイヤ）と関連付けられるセルで測定を実行するように構成され得る。たとえば、減衰が平均された経路損失の変化の割合は、最初の時間枠の参照信号の時間平均された受信された電力レベルを、以前の時間枠のそれから差し引くことによって推定され得る。例では、ＷＴＲＵは、最大の数の再送信が到達されたことの指示をＲＬＣから受信したことに基づいて、非アクティブなレイヤ（たとえば、一次レイヤ）と関連付けられるセルで測定を実行するように構成され得る。例では、ＷＴＲＵは、ＭＡＣからのランダムアクセスの問題の指示を受信したことに基づいて、非アクティブなレイヤ（たとえば、一次レイヤ）と関連付けられるセルで測定を実行するように構成され得る。
【０３０４】
ＷＴＲＵは、非アクティブなレイヤの測定をトリガするために使用される条件の１つまたは複数を検出したことに基づいて、記憶されているＣ−ＲＮＴＩを使用して、一次レイヤまたは非アクティブなレイヤと関連付けられるＰＤＣＣＨを監視し始めることができる。しかしながら、例では、ＷＴＲＵは、切替えまたはアクティブ化が実行されるべきであることを示す明示的な指示が（たとえば、ＰＤＣＣＨ命令および／またはＭＡＣ制御ＰＤＵを介して）受信されない限り、非アクティブなレイヤに切り替えること、および／または非アクティブなレイヤの完全なアクティブ化を実行することを控えることができる。
【０３０５】
ＷＴＲＵは、測定を実行するときに使用するパラメータを決定するために使用される、測定構成によって構成され得る。たとえば、測定構成は、レイヤの中のすべてのセルに対して共通であってよく、（たとえば、クラスタが利用される場合）クラスタの中のすべてのセルについて共通であってよく、レイヤごとにサービングセルと非サービングセルに対して別々に構成されてよく、かつ／または、所与のレイヤの中の各セルに対して別々に構成されてよい。たとえば、ＷＴＲＵは、ＣＱＩ測定のための、異なるセル／レイヤに対する対応するゼロ電力のチャネル状態情報参照信号（ＣＳＩ−ＲＳ）によって構成され得る。ＷＴＲＵは、測定が平均化期間にわたって実行されフィルタリングされるように、平均化期間によって構成され得る。ＷＴＲＵは、報告が送信されるべきであるノード（たとえば、ＭｅＮＢ、ＳＣｅＮＢなど）の識別情報によって構成され得る。ＷＴＲＵは、測定を報告するために使用する周期によって構成されてよく、かつ／または、非定期的な報告を送信するための１つまたは複数のトリガ（たとえば、報告をトリガするためのチャネル品質の閾値）によって構成され得る。
【０３０６】
レイヤ固有の測定構成が、ネットワークによってＷＴＲＵに提供され得る。たとえば、受信された構成または構成パラメータは、どのレイヤに構成が適用可能かを明示的に示し得る。例では、測定構成は、測定構成が適用可能であるクラスタＩＤを示し得る。測定構成は、ＷＴＲＵが所与のレイヤでそれに対する測定報告を実行できる、かつ／または、ＷＴＲＵが監視できる、セルのリストを含み得る。測定構成は、別のレイヤのアクティブ化および／または非アクティブ化に基づいて、レイヤの中のセルを測定するために使用されるべき測定周期を示し得る。たとえば、第１のレイヤの中のセルのアクティブ化は、近くのセルに対してより頻繁な測定（たとえば、高速な測定周期）をトリガし得る。測定構成は、構成されたスモールセルに対する近くのセルである、ホワイトリストに載せられたセルのリストを含み得る。例では、スモールセルがアクティブ化される（たとえば、スモールセルレイヤがアクティブ化される）場合、ＷＴＲＵは、測定周期ｍｅａｓＣｙｃｌｅＳＣｅｌｌ（たとえば、非アクティブ化された状態でＳＣｅｌｌのために通常使用される測定周期）を使用するのを止めることができ、異なる（たとえば、より高速な）測定周期を使用することができる。例では、第１のセルのアクティブ化は、より小さな値へのｍｅａｓＣｙｃｌｅＳＣｅｌｌのスケールダウンをトリガし得る。
【０３０７】
ＷＴＲＵは、それが現在監視している各セル、セルのサブセット、および／またはセルの１つまたは複数のクラスタのための測定情報を報告するように構成され得る。たとえば、どのセルを測定するかは、報告をトリガしたセルおよび／または測定が報告されているセルのクラスタ識別情報に基づいて決定され得る。たとえば、ＷＴＲＵは、所与のクラスタの中のセルのための測定報告をどの事象がトリガするかを決定するために、ブラックリスト／ホワイトリストによって構成され得る。たとえば、測定報告は、そのトリガすることが異なるクラスタのセルと関連付けられる基準に基づく場合（たとえば、クラスタ間のモビリティのために測定するとき）、第１のクラスタの中のセルに対してトリガされ得る。例では、ＷＴＲＵは、クラスタの中の任意のセルに対して測定がトリガされる場合にＷＴＲＵがクラスタの中のセルの各々を測定するように、クラスタの識別情報によって構成され得る。
【０３０８】
ＷＴＲＵは、定期的に、かつ／または非定期的に（たとえば、ネットワークの要求のときに）、非アクティブなセルを測定するためのトリガを検出したことに基づいて、品質測定の報告を送信することができる。報告は、一次および／または二次レイヤの中のネットワークノードに送信され得る。たとえば、ＷＴＲＵが非アクティブなレイヤ／セルの測定をトリガするために使用され得るトリガを検出する場合、ＷＴＲＵは測定報告をネットワークに送信することができ、その測定報告は何が報告をトリガしたかを示し得る。測定報告は、たとえば、定期的な報告の送信をトリガするために使用されるようにタイマーを構成および設定することによって、ＷＴＲＵによって定期的に送信され得る。ネットワークは、測定報告に対する要求を送信することができる。非定期的な測定要求が、たとえば、ＰＤＣＣＨ命令、ＭＡＣ制御ＰＤＵ、および／またはＲＲＣ測定要求の１つまたは複数を使用して、ＷＴＲＵに送信され得る。非定期的な要求は、一次レイヤ（たとえば、ＭｅＮＢと関連付けられる）および／または二次レイヤ（たとえば、ＳＣｅＮＢと関連付けられる）から受信され得る。たとえば、ＭｅＮＢは、任意のレイヤ（たとえば、一次レイヤおよび／または二次レイヤ）に属するセルに対する測定報告を要求することができる。例として、ＳＣｅＮＢは、ＷＴＲＵが測定報告を（たとえば、ＲＲＣを介して）ＭｅＮＢに送信すべきであることを示す測定要求を送信することができる。ＳＣｅＮＢは、無線リンク品質の低下を検出したことに基づいて（たとえば、ＵＬ  ＲＬの品質、二次レイヤのために受信されたＣＱＩ報告が閾値を下回ることなどに基づいて）、要求を送信することができる。測定報告に対する要求は、ＰＨＹ、ＭＡＣ、および／またはＲＲＣシグナリングを使用することによって送信され得る。例では、要求は、ＳＣｅＮＢによって、たとえばＭＡＣ  ＣＥの使用によって送信され得る。
【０３０９】
ＷＴＲＵは、ＲＲＣメッセージ、ＭＡＣ制御メッセージ、および／またはレイヤ１（ＰＨＹ）メッセージの１つまたは複数を使用して、セル／レイヤの品質の測定および／または指示を提供することができる。たとえば、選択された測定は、ＲＲＣ測定報告を通じて、かつ／またはＲＲＣ確立／再確立要求の一部として、送信され得る。ＭＡＣ制御メッセージ（たとえば、ＭＡＣ制御要素）は、測定を送信するために使用され得る。たとえば、ＭＡＣ  ＣＥは、測定と関連付けられるセルＩＤとともに、各々の報告されたセルのための測定情報を送信するために使用され得る（たとえば、この測定は、ＳＣｅｌｌＩｎｄｅｘを使用してセルと関連付けられ得る）。レイヤ１（ＰＨＹ）の報告が利用される場合、報告はＰＵＣＣＨを介して送信され得る。
【０３１０】
各々の報告されるレイヤ／セルに対して、ＷＴＲＵは、報告されているすべてのセルのＲＳＲＰ、報告するホワイトリスト上のセルのＲＳＲＰ、および／または、それに対する報告が実行される規定されたクラスタの中のセルのＲＳＲＰの、１つまたは複数を送信することができる。例では、各々の報告されるレイヤ／セルに対して、ＷＴＲＵは、報告されているすべてのセルのＲＳＲＱ、報告するホワイトリスト上のセルのＲＳＲＱ、および／または、それに対する報告が実行される規定されたクラスタの中のセルのＲＳＲＱの、１つまたは複数を送信することができる。報告は、セルのために測定されたＣＱＩ値、報告をトリガしたセルの識別情報、失敗を経験しているレイヤによってサービスされるＤＲＢのリスト、および／または、同期している／同期していないことの指示の１つまたは複数を含み得る。
【０３１１】
ＷＴＲＵは、種々の方式で測定報告を送信するように、ネットワークによって構成および／または要求され得る。たとえば、ＷＴＲＵが一次レイヤを介して報告を送信するように構成され、一次レイヤに失敗がある場合、報告は別のアクティブなレイヤで送信され得る。たとえば、報告はアクティブなスモールセルに送信されてよく、そのスモールセルノードは、バックホールリンクを使用してそれをＭｅＮＢに転送することができる。例では、ＷＴＲＵは、マクロｅＮＢと関連付けられ得る一次レイヤに測定を報告するように構成され得る。例では、報告は、一次レイヤとアクティブな二次レイヤおよび／またはすべてのアクティブなレイヤの両方に送信され得る。例では、報告は一次レイヤ（たとえば、マクロレイヤ）へのＲＲＣメッセージを介したものであってよく、ＭｅＮＢは報告を利用し得る他のレイヤに情報を転送することができる。測定報告は、要求がそこから受信されたノードと同じノードに送信され得る。測定報告が送信されるべきノードは、受信された測定報告構成によって構成され、かつ／または示され得る。測定報告がＲＲＣを通じて実行され、次いで二次ＲＲＣが二次レイヤによって利用される（たとえば、ＳＣｅＮＢを介して接続される）場合、適切なＳＲＢが測定情報を送信するために選択され得る。
【０３１２】
例では、無線リンク条件がスモールセルレイヤにおいて構成された閾値を下回って落ちたことをＷＴＲＵが検出する場合、ＷＴＲＵは、別のレイヤで測定報告をＭｅＮＢに送信することができる。たとえば、アクティブなスモールセルレイヤのＣＱＩが構成された閾値より小さい場合、ＷＴＲＵは、無線条件に関する指示をネットワークに送信するようにトリガされ得る。
【０３１３】
別の例では、測定情報を一次レイヤに送信するためのトリガは、たとえばＭＡＣ  ＣＥの使用による、スモールセルのｅＮＢによって送信される明示的なシグナリングの受信であってよい。たとえば、ＷＴＲＵ  ＣＱＩ測定値が閾値を下回って落ちたことをＳＣｅＮＢが検出する場合、それは、別のレイヤ（たとえば、マクロレイヤ）で非定期的なＲＲＣ測定報告をＭｅＮＢに送信するためのトリガをＷＴＲＵ  ＲＲＣに送信することができる。例では、ＳＣｅＮＢは、ＭｅＮＢへのバックホールを通じて指示を直接送信し、または、ＷＴＲＵからマクロに測定報告を転送することができる。
【０３１４】
例では、測定構成は、ホワイトリストに載せられたセルのリストを含み得る。たとえば、ホワイトリストに載せられたセルは、構成されたスモールセルの近くのセルであるセルのリストであり得る。スモールセル／スモールセルレイヤがアクティブ化される場合、近くのセルは、構成パラメータｍｅａｓＣｙｃｌｅＳＣｅｌｌ（たとえば、非アクティブ化された状態におけるＳＣｅｌｌのための測定周期）によって規定される測定頻度を使用するのを止めることができ、異なる（たとえば、より高速な）測定周期を使用し始めることができる。例では、１つのセルのアクティブ化が、より小さな値への測定周期の頻度のスケールダウン（たとえば、ｍｅａｓＣｙｃｌｅＳＣｅｌｌのスケールダウン）をトリガし得る。例では、ＳＣｅＮＢは、非定期的なＣＱＩ測定報告が（たとえば、ＲＲＣを通じて）ＭｅＮＢに送信されることを要求するための命令をＷＴＲＵに送信することができる。たとえば、非定期的なＣＱＩ測定は、ＳＣｅＮＢがアップリンクチャネルの条件の低下を検出する場合にトリガされ得る。
【０３１５】
測定を実行および／または報告するためのトリガの１つまたは複数がＷＴＲＵによって検出されるとき、ＷＴＲＵは、トリガを検出したことに基づいて、レイヤをアクティブ化および／または非アクティブ化すると決定することができる。たとえば、測定を実行または報告するためのトリガを検出したことに基づいて一次レイヤのＭＡＣインスタンスをアクティブ化すると決定すると、ＷＴＲＵは、二次ＭＡＣインスタンスをアクティブなものとして維持することができる。別の例では、一次レイヤをアクティブ化すると、ＷＴＲＵは、二次レイヤを非アクティブ化することができる。例では、測定を実行および／または報告するためのトリガの１つまたは複数は、二次レイヤをアクティブ化するようにＷＴＲＵをトリガし得る。例では、測定を実行および／または報告するためのトリガの１つまたは複数は、無線リンクの品質が低下した二次レイヤを非アクティブ化するようにＷＴＲＵをトリガすることができる。例では、測定を実行および／または報告するためのトリガの１つまたは複数を検出したことに基づいて所与のレイヤを直接アクティブ化または非アクティブ化するのではなく、ＷＴＲＵは、トリガが検出されたことを示す指示をネットワークに送信することができる。ＷＴＲＵは次いで、非アクティブなレイヤ（たとえば、一次レイヤ）をアクティブ化し、かつ／またはアクティブなレイヤ（たとえば、二次レイヤ）を非アクティブ化するための、明示的な指示を待機することができる。たとえば、一次レイヤを切り替えまたはアクティブ化するための指示は、一次レイヤのＰＤＣＣＨ／ＭＡＣを通じてＷＴＲＵに送信され得る。ＷＴＲＵは、測定の実行／報告のトリガの１つまたは複数を検出した後、ある構成された期間、記憶されている構成を使用して一次レイヤのＰＤＣＣＨを監視することができる。タイマーが満了し、指示が受信されない場合、ＷＴＲＵは、アクティブなレイヤとしての二次レイヤとともに動作し続けることができる。この指示はまた、二次レイヤのＰＤＣＣＨ／ＭＡＣを通じて、またはＲＲＣメッセージを介して送信され得る。
【０３１６】
測定を実行および／または報告するためのトリガの１つまたは複数がＷＴＲＵによって検出されるとき、ＷＴＲＵは、ＲＲＣ手順、たとえばＲＲＣ接続再確立手順を開始することができる。ＲＲＣ手順は、１つまたは複数のレイヤが非アクティブ化および／またはアクティブ化されるべきであることをネットワークに示すために利用され得る。たとえば、測定を実行および／または報告するためのトリガの１つまたは複数に際して、ＷＴＲＵは、たとえば記憶されている構成を使用して、一次ＭＡＣインスタンスをアクティブ化することができる。ＷＴＲＵは、たとえばＲＡＣＨ（たとえば、ＲＡ−ＳＲ）を使用して、一次レイヤにおけるスケジューリング要求を開始することができる。スケジューリングされることに際して、ＷＴＲＵは、コンテキストの識別情報、ＷＴＲＵの識別情報、および／または、ＷＴＲＵの識別情報を決定するためにネットワークによって利用され得る他の情報の１つまたは複数と、セルにアクセスするための対応する構成とを含み得る、ＲＲＣメッセージ（たとえば、ＲＲＣ接続再確立要求）を送信することができる。識別情報は、ＷＴＲＵによって以前に受信されたような、一次レイヤの構成の一部であった可能性がある。
【０３１７】
ＷＴＲＵは、ＲＲＣメッセージに応答して、構成／適合メッセージを受信することができる。たとえば、構成／適合メッセージは、ＷＴＲＵが、一次レイヤにおける使用のために事前構成された、セキュリティのコンテキスト、Ｃ−ＲＮＴＩ、ＰＨＹのパラメータ、ＭＡＣのパラメータ、ＲＬＣのパラメータ、ＰＤＣＰのパラメータなどの１つまたは複数を再使用すべきであることを示し得る。例では、構成／適合メッセージが、異なるパラメータを明示的に提供しない、または、事前構成されたパラメータが廃棄されるべきであることを示さない場合、ＷＴＲＵは、以前に提供され記憶されたパラメータを有効であると想定することができる。構成／適合メッセージは、一次レイヤのための記憶されている構成の少なくとも一部を補強または上書きし得る、追加の構成パラメータを含み得る。ＷＴＲＵは次いで、ＤＲＢが一次レイヤと再び関連付けられ得るように、構成された（たとえば、アクティブな、かつ／または中断された）ＤＲＢに関連するモビリティ手順を実行することができる。ＲＲＣ手順が成功しない場合、ＷＴＲＵは、一次レイヤのための記憶されている構成を解放し、ＲＲＣ再確立手順を開始し、最初のアクセスを実行し、かつ／またはアイドルモードに移ることができる。
【０３１８】
ＷＴＲＵは、一次レイヤのアクティブ化に際して、様々な動作を実行するように構成され得る。たとえば、ＷＴＲＵがトリガ（たとえば、測定、測定の報告、レイヤのアクティブ化／非アクティブ化などを開始するための説明されたトリガのような）を検出する場合、ＷＴＲＵは、二次レイヤにおける通常の動作を続けながら、事前構成された構成情報を使用して、一次レイヤのＰＤＣＣＨの監視を開始すると決定することができる。例では、ＷＴＲＵは、一次レイヤのＰＤＣＣＨを監視し始めると決定すると、二次レイヤを監視するのを止めることができる。例では、ＷＴＲＵは、ＷＴＲＵが一次レイヤをアクティブ化すべきであることを示す明示的なＰＤＣＣＨ命令をＷＴＲＵが受信するまで、一次レイヤを完全にアクティブ化するのを待機する（たとえば、代わりにＰＤＣＣＨを監視することを続ける）ことができる。たとえば、ＰＤＣＣＨ命令は、ＷＴＲＵに対して、それが一次レイヤのためのリソースの事前構成されたセットを使用して一次レイヤをアクティブ化すべきであることを示し得る。ＰＤＣＣＨ命令は、一次レイヤにおける最初のＵＬアクセスのために使用する専用のＲＡＣＨリソース／プリアンブルによって、ＷＴＲＵを構成することができる。例では、ＰＤＣＣＨ命令は、ＲＡＣＨ手順のためのＰＤＣＣＨ命令に対応し得る。ＷＴＲＵは、ＲＡＣＨ手順のためのＰＤＣＣＨ命令が、一次レイヤをアクティブ化するためのＷＴＲＵに対するトリガに対応すると、決定することができる。ＰＤＣＣＨ命令はまた、二次レイヤを通じて受信されてよく、一次レイヤをアクティブ化するためのＷＴＲＵに対するトリガとして使用されてよい。
【０３１９】
一次レイヤをアクティブ化すると決定したことに基づいて、ＷＴＲＵは、事前構成された構成情報を使用して、一次レイヤと関連付けられるＭＡＣインスタンスをアクティブ化および実体化することができる。アクティブ化手順の一部として、ＷＴＲＵは、一次レイヤへのＵＬアクセスを開始することを試み得る。たとえば、ＷＴＲＵは、一次セルにおけるランダムアクセス手順を開始することができる。事前構成された構成情報および／または動的なレイヤアクティブ化メッセージ（たとえば、ＰＤＣＣＨ命令）の１つまたは複数は、最初のアクセス手順の使用に対する専用のＲＡＣＨプリアンブル／リソース、および／または、一次レイヤにおいて使用されるべき専用のＣ−ＲＮＴＩの１つまたは複数を含み得る。
【０３２０】
ＷＴＲＵは、たとえば、最初のランダムアクセス手順の一部として、一次レイヤを通じてＵＬメッセージをネットワークに送信することができる。ＵＬメッセージは、以前にアクティブであったレイヤにおいて利用されるベアラのためのバッファ状態報告（ＢＳＲ）、以前のレイヤの識別情報または指示、以前のレイヤで利用されるベアラのためのＰＤＣＰ状態報告、ＷＴＲＵの識別情報（たとえば、一次レイヤのＣ−ＲＮＴＩ、何らかの他の固有のＷＴＲＵ  ＩＤ）、ＲＲＣ再確立メッセージ（たとえば、以前のレイヤにおける失敗の理由、およびまたは他の情報を示す）、および／または、レイヤを切り替えレイヤ間でベアラを転送することをＷＴＲＵが要求していることを示す何らかの他のＲＲＣメッセージ（たとえば、これは、無線ベアラ、他のレイヤの中に位置される各ベアラのためのバッファ状態報告、ＷＴＲＵ  ＩＤ、ＰＤＣＰコンテキストおよび状態報告、ならびに／または以前のレイヤのＩＤなどを示し得る）の１つまたは複数を含み得る。ＷＴＲＵが一次レイヤでＤＲＸを利用していた場合、ＷＴＲＵは、アクティブ時間またはより短いＤＲＸ周期に移ることができ、かつ／または、ＷＴＲＵは、それがアクティブ時間の受信に移ったことの指示を送信することができる。ＷＴＲＵはＳＲを送信することができ、ＳＲの送信は、ＷＴＲＵがアクティブ時間の中にありそれがレイヤを切り替えることを試みていることの、暗黙的な指示であり得る。
【０３２１】
一次レイヤのアクティブ化に際し、ＷＴＲＵは、二次レイヤをアクティブなものとして維持することができ、または、二次レイヤを非アクティブ化することができる。二次レイヤの非アクティブ化は、ＷＴＲＵが二次ＭＡＣレイヤの動作を一時的に中断することであり得る。二次レイヤが非アクティブ化されている間、ＷＴＲＵは、物理レイヤの送信および／または受信を実行しなくてよい。ＷＴＲＵは、ネットワークからの明示的な指示に際して、かつ／または二次レイヤのハンドオーバーに際して、二次レイヤの構成を削除することができる。ＷＴＲＵが二次レイヤを非アクティブ化する場合、それは、ＭＡＣインスタンスを削除し、二次レイヤと関連付けられるＰＨＹリソースを解放することができる。別の例では、一次レイヤのアクティブ化に際し、ＷＴＲＵは、二次レイヤをアクティブなものとして維持することができ、二次レイヤ上での通常の受信／送信手順を続けることができる。
【０３２２】
一次レイヤのアクティブ化に際し、ＷＴＲＵは、１つまたは複数のベアラモビリティ手順を実行して、１つまたは複数のベアラまたはデータフローを異なるデータ経路（たとえば、一次レイヤ）に転送するように構成され得る。たとえば、１つまたは複数のＳＲＢのセットは、一次レイヤのアクティブ化に際して構成されてよく、一次ＭＡＣインスタンスにマッピングされてよい。一次レイヤのアクティブ化に際して使用するＳＲＢ構成は、ＷＴＲＵに記憶されている事前構成された構成情報に含まれ得る。例では、一次レイヤのアクティブ化に際してＷＴＲＵによって利用される制御プレーンとユーザプレーンのベアラの両方が、ＷＴＲＵにおける一次レイヤのための構成情報として事前構成され記憶され得る。例では、二次レイヤからのＲＢのサブセットは、一次レイヤに切り替えられ再マッピングされ得る。
【０３２３】
二次レイヤにおいて以前アクティブであった無線ベアラは、一次レイヤに転送されてよく、二次レイヤにとどまってよく、かつ／または解放されてよい。たとえば、ネットワークは、あるレイヤから他のレイヤへの無線ベアラの再構成およびモビリティ動作を実行するように構成され得る。例として、一次レイヤがアクティブ化される場合、ＷＴＲＵは、二次レイヤでの無線ベアラの送信／受信を中断できるが、今後の使用のためにそのレイヤのためのベアラのコンテキストを保持／記憶することができる。別の例では、一次レイヤがアクティブ化されるとき、ＷＴＲＵは、二次レイヤのベアラをアクティブに保ち、それらのベアラの受信／送信手順を続けながら、また、マクロレイヤでのデータを送信／受信することができる。たとえば、ＷＴＲＵは、マクロレイヤのアクティブ化に際して、マクロレイヤを介して制御プレーンのデータを受信する（たとえば、しかしユーザプレーンのデータを受信しない）ように構成されてよく、または、（たとえば、事前構成情報においてネットワークによって構成されるような）新たにアクティブ化されたマクロレイヤで制御プレーンのデータとデープレーンのデータの両方を受信することができる。ＷＴＲＵは、マクロレイヤと二次レイヤのいずれかを通じてＲＲＣ再構成メッセージを受信すると、二次レイヤから一次レイヤに無線ベアラを移すことができる。たとえば、ＲＲＣ再構成メッセージは、一次レイヤがアクティブ化されＲＡＣ手順が開始されるとき、メッセージ４の一部として受信され得る。
【０３２４】
ＷＴＲＵは、一次レイヤを最初にアクティブ化するとき、部分的な再構成／無線ベアラのモビリティを実行する（たとえば、ＳＲＢを転送するがＤＲＢを転送しない）ことができる。ＷＴＲＵは、１つまたは複数のベアラが転送されるべきであることを示すネットワークからの明示的な指示（たとえば、ＰＤＣＣＨ命令、ＭＡＣ制御、または成功したランダムアクセス応答）を受信すると、部分的な再構成／無線ベアラモビリティを実行する（たとえば、ＳＲＢを転送するがＤＲＢを転送しない）ことができる。ＷＴＲＵは、一次レイヤへの完全な無線ベアラのモビリティを、一次レイヤのための事前構成情報においてそうするように構成される場合、実行することができる。
【０３２５】
例では、ＷＴＲＵは、二次レイヤから一次レイヤへの無線ベアラのモビリティを自律的に開始し、二次レイヤのコンテキストを削除することができる。自律的なモビリティは、事前構成された情報に基づいてよく、かつ／または、ＷＴＲＵは、二次レイヤがアクティブなままであるべきであることをネットワークが明示的に示さない限り、一次レイヤがアクティブ化される場合、二次レイヤが非アクティブ化されるべきであると、想定することができる。ＤＲＢおよび／またはＳＲＢの切替えが実行されると、ネットワークにより制御される手順とＷＴＲＵの自律的な手順のいずれかを介して、ＷＴＲＵは、ＲＲＣ手順（たとえば、ＲＲＣ接続再確立手順）の前に、ＲＢ再構成を適用および／または確認することができる。
【０３２６】
上で述べられたように、ＷＴＲＵは、種々の理由で複数のデータ経路の接続を利用することができる。たとえば、データスループットの向上を達成する（たとえば、ＷＴＲＵに対して利用可能なリソースのレイヤ間のアグリゲーションを可能にする）ため、ＷＴＲＵの自律的なモビリティを可能にする（たとえば、任意の所与の時間の瞬間において最高の品質の接続を提供し得る様々なレイヤのセルをＷＴＲＵが決定しそれにアクセスすることを可能にする）ため、ＷＴＲＵが接続の欠陥を回復することを可能にするため（たとえば、ＷＴＲＵがＲＬＦおよび／または所与のレイヤの品質の低下を検出する場合、ＷＴＲＵは、たとえば再確立手順を実行する必要なく、別のレイヤに切り替えることができる）、および／またはネットワークにより制御されるモビリティ（たとえば、あるレイヤから別のレイヤへのトラフィックのオフロードおよび／または他のネットワーク管理の理由）のために、複数のサービングサイトが利用され得る。異なるサービングサイトへの接続は様々な理由で確立され得るので、二次サービングサイトおよび／または非アクティブ化されたレイヤにアクセスするためのトリガおよび／または手順は、複数のサービングサイトの接続の目的に応じて異なり得る。たとえば、二次サービングサイトへのアクセスが、データスループットの向上を達成する目的である場合、ＷＴＲＵは、二次サービングサイトのアクティブ化に際して、アクティブ化された状態に一次サービングサイトを維持することができる。しかしながら、ＷＴＲＵがマクロレイヤのオフロードの目的で二次サービングサイトをアクティブ化している場合、ＷＴＲＵは、二次レイヤをアクティブ化することに際して、一次レイヤを非アクティブ化することができる。同様に、測定を実行すること、測定報告を送信すること、ならびに／または、レイヤをアクティブ化および／もしくは非アクティブ化することのためのトリガは、複数のサービングサイトの動作を実行する目的に応じて異なり得る。
【０３２７】
例として、二重のサイトの接続がＷＴＲＵに対するスループットの向上を達成するために使用される場合を考える。この例では、複数のサービングサイトは、ＷＴＲＵによって送信および／または受信されるデータの量を増やすために、ＷＴＲＵによって実質的に同時に使用され得る。たとえば、ＷＴＲＵは最初、単一のレイヤを伴うＲＲＣ＿ＣＯＮＮＥＣＴＥＤ状態にあり得る。ＷＴＲＵは、第２のレイヤの１つまたは複数のセルにアクセスするようにＷＴＲＵを構成する、再構成メッセージを受信することができる。再構成が第２のレイヤをアクティブ化することができ、または、再構成が後続のアクティブ化のためにレイヤを事前構成することができる。たとえば、再構成が「二重接続」のためにＷＴＲＵを構成しながら、追加されたレイヤの１つまたは複数のセルを非アクティブ化された状態に残す場合、ＷＴＲＵは、非アクティブ化されたレイヤのセルで測定を実行するための測定構成を受信することができる。事前構成は、測定報告をアクティブなレイヤに送信し、かつ／または事前構成されたレイヤを自律的にアクティブ化するようにＷＴＲＵをトリガし得る状況を示す、情報を含み得る。たとえば、受信された構成において受信されるトリガ、および／または何らかの暗黙的に決定されたトリガを検出したことに基づいて、ＷＴＲＵは、アクティブなサービングサイト（たとえば、ＲＲＣエンティティ）が非アクティブ化されたレイヤの１つまたは複数のセルを続いて（たとえば、ＲＲＣによって）再構成でき、かつ／または（たとえば、ＭＡＣ  ＣＥによって）アクティブ化できるように、品質測定をネットワーク（たとえば、アクティブ化されたレイヤ）に報告するための１つまたは複数の手順を開始することができる。例では、測定報告を送信することをトリガされるのではなく、またはそれに加えて、ＷＴＲＵは、再構成において示される、かつ／または暗黙的に決定される、１つまたは複数のトリガを検出したことに基づいて、非アクティブ化されたレイヤの１つまたは複数のセルを自律的にアクティブ化するように構成され得る。たとえば、ＷＴＲＵは、アクティブ化をネットワークに通知し、アップリンクのタイミング整合を取得し、専用のリソースを取得し（たとえば、スケジューリングを要求し）、かつ／またはセルにアクセスするための構成を確立するために、アクティブ化されるべきセルにおいてＲＡＣＨ手順を開始することができる。ＷＴＲＵは、全体のデータスループットを向上させるために、実質的に同時に、両方のレイヤをアクティブなものとして維持することができる。
【０３２８】
例では、ＷＴＲＵは、ＷＴＲＵの自律的なモビリティの一部として、複数のレイヤにアクセスするように構成され得る。たとえば、二次サービングサイトがＳＣｅＮＢに対応する場合、二次サービングサイトのカバレッジエリアは（たとえば、ＭｅＮＢと比較して）比較的小さいことがある。しかしながら、複数のＳＣｅＮＢが比較的小さいエリアの中のＷＴＲＵによってアクセス可能であり得るように、ＳＣｅＮＢがクラスタの中で展開され得る。この場合、ＷＴＲＵは、どのサービングサイトが所与の時点においてＷＴＲＵに対する最高の品質のアクセスを提供できるかを決定するために、様々なＳＣｅＮＢを監視するように構成され得る。これらのサービングサイトのためのセルのカバレッジエリアは比較的限られていることがあるので、ＷＴＲＵは、マクロセルの展開における場合よりも頻繁に、カバレッジエリアの中に入り、かつ／またはカバレッジエリアの外に出ることがある。したがって、ネットワークにより制御されるモビリティ（たとえば、ネットワークにより制御されるハンドオーバー、ネットワークにより制御されるレイヤのアクティブ化など）のみに依存するのではなく、ＷＴＲＵは、いくつかの自律的なモビリティ手順を実行するように構成され得る。たとえば、ＷＴＲＵは、第１の（たとえば、スモールセル）レイヤから第２の（たとえば、スモールセル）レイヤに自律的に切り替え、非アクティブ化された（たとえば、スモールセル）レイヤをアクティブ化し、アクティブ化された（たとえば、スモールセル）レイヤを非アクティブ化し、かつ／または同様のことを行うように構成され得る。
【０３２９】
たとえば、ＷＴＲＵは最初、１つまたは複数のレイヤにアクセスする間、ＲＲＣ＿ＣＯＮＮＥＣＴＥＤ状態にあってよい。ＷＴＲＵは、現在アクティブではないレイヤの１つまたは複数のセルにアクセスするようにＷＴＲＵを構成した再構成メッセージを、受信することがあり、かつ／または以前に受信した可能性がある。たとえば、ＷＴＲＵは、ＭｅＮＢと関連付けられる一次レイヤおよび第１のＳＣｅＮＢと関連付けられる第１の二次レイヤに接続され得る。ＷＴＲＵは、他のＳＣｅＮＢと関連付けられる複数の他の二次サービングサイトのための事前構成を有し得る。ＷＴＲＵは、１つまたは複数の非アクティブ化されたレイヤのセルで測定を実行するための測定構成によって構成され得る。事前構成は、事前構成されたレイヤを自律的にアクティブ化し、かつ／または現在アクティブなレイヤを非アクティブ化するようにＷＴＲＵをトリガし得る状況を示す情報を含み得る。たとえば、非アクティブ化されたスモールセルレイヤが現在のスモールセルレイヤよりも高品質である（たとえば、非アクティブ化されたレイヤのセル品質が、オフセットおよび／または所定の閾値だけ、アクティブ化されたレイヤのそれよりも大きい）ことを示す基準を検出したことに基づいて、ＷＴＲＵは、非アクティブ化されたレイヤに基づく１つまたは複数のセルを自律的にアクティブ化し、かつ／または現在接続されているスモールセルレイヤを非アクティブ化するように構成され得る。例として、スモールセルはスモールセルのクラスタの一部であってよく、ＷＴＲＵは、クラスタの中のスモールセルの間での自律的なモビリティを実行することをネットワークによって認可され得る。ＷＴＲＵは、アクティブ化をネットワークに通知し、アップリンクのタイミング整合を取得し、専用のリソースを取得し（たとえば、スケジューリングを要求し）、かつ／またはセルにアクセスするための構成を確立するために、アクティブ化されるべきセルにおいてＲＡＣＨ手順を開始することができる。
【０３３０】
例では、ＷＴＲＵは、１つまたは複数のレイヤが低い無線品質を経験している期間に接続を維持するために、複数のレイヤにアクセスするように構成され得る。たとえば、ＷＴＲＵは、所与のレイヤにおける無線リンクの失敗がＷＴＲＵのネットワークとの通信を妨げることを避けるために、または別様に、ネットワークとのその接続を維持するために、何らかの形式のＷＴＲＵの自律的なモビリティを実行するように構成され得る。たとえば、ＷＴＲＵは、アクティブなレイヤにおけるセル（たとえば、ＰＣｅｌｌ）の失敗が悪化した（たとえば、ＷＴＲＵが無線リンクの問題を検出する、ＷＴＲＵがＵＬ  ＲＬＦおよび／またはＤＬ  ＲＬＦを決定する、測定された信号品質が閾値を下回って落ちる、など）ことを決定することができ、ＷＴＲＵは、セッションの連続性を維持するために、別のレイヤにおいて１つまたは複数の動作を行うことができる。たとえば、ＷＴＲＵは最初、１つまたは複数のレイヤにアクセスする間、ＲＲＣ＿ＣＯＮＮＥＣＴＥＤ状態にあり得る。ＷＴＲＵは、現在アクティブではないレイヤの１つまたは複数のセルにアクセスするようにＷＴＲＵを構成した再構成メッセージを受信することがあり、かつ／または以前に受信した可能性がある。ＷＴＲＵは、それが自律的にアクティブ化するように構成され得る、複数の他のサービングサイトのための事前構成を有し得る。ＷＴＲＵは、アクティブなレイヤの１つまたは複数のセル（たとえば、ＰＣｅｌｌ）でＲＬＭを実行することができる。ＵＥは、それが、無線リンクの問題、同期していないという条件、ＵＬ  ＲＬＦ、ＤＬ  ＲＬＦ、および／または同様のものの１つまたは複数のような、欠陥（たとえば、問題とされるセルへの接続の喪失）を経験していると決定することができる。不利なチャネル条件を検出したことに基づいて、ＷＴＲＵは、手順を開始して、（たとえば、以前に非アクティブ化された場合）一次レイヤの１つ（または複数のセル）および／または何らかの他の非アクティブ化されたレイヤを自律的にアクティブ化し、ＲＡＣＨ手順を開始して、他のレイヤの失敗をネットワークに通知し、一次レイヤのＵＬのタイミング整合を取得し、一次レイヤにおいて専用のリソースを取得し、そのようなリソースの構成を取得し、かつ／または失敗と関連付けられるレイヤのための再構成手順を開始することができる。ＷＴＲＵは、失敗したレイヤにマッピングされたリソースを再構成する一次レイヤ（たとえば、ＲＲＣエンティティと関連付けられるレイヤ）からのモビリティ制御情報（たとえば、再構成またはＨＯ命令）を伴う、または伴わない、ＲＲＣ再構成を受信することができる。たとえば、リソースは、一次レイヤおよび／または異なる二次レイヤに移され得る。
【０３３１】
例では、ＷＴＲＵは、複数のレイヤにわたるネットワークにより制御されたモビリティをサポートするために、複数のレイヤにアクセスするように構成され得る。たとえば、ＷＴＲＵは、サービングサイトがネットワークにより制御された接続の管理を実行できるように、それが新たなレイヤを検出するとき（たとえば測定に基づいて）、ネットワークに知らせるように構成され得る。たとえば、ＷＴＲＵは最初、単一のレイヤを伴うＲＲＣ＿ＣＯＮＮＥＣＴＥＤ状態にあり得る。ＷＴＲＵは、第２のレイヤの１つまたは複数のセルにアクセスするようにＷＴＲＵを構成する、再構成メッセージを受信することができる。再構成は第２のレイヤをアクティブ化することができ、または、再構成は後続のアクティブ化のためにレイヤを事前構成することができる。たとえば、再構成が「二重接続」のためにＷＴＲＵを構成しながら、追加されたレイヤの１つまたは複数のセルを非アクティブ化された状態に残す場合、ＷＴＲＵは、非アクティブ化されたレイヤのセルで測定を実行するための測定構成を受信することができる。受信された測定構成は、セルが利用可能および／または適切であると考えられるべきかどうかを決定するための基準を示し得る。セルがその基準を満たす場合、ＷＴＲＵは、そのレイヤのセルの測定を報告するように構成され得る。ネットワークは、報告された測定を使用して、たとえば、ＷＴＲＵがセルにアクセスし始めるべきであることを示すモビリティ制御情報（たとえば、再構成および／またはＨＯ命令）を伴う、または伴わない、ＲＲＣ再構成を送信することによって、ＷＴＲＵのモビリティをトリガすることができる。
【０３３２】
ＷＴＲＵは、サービングサイトの１つまたは複数のサービングセルのためにモビリティ手順を実行するように構成され得る。たとえば、二次サービングサイトのサービングセルは、たとえばネットワーク側におけるＲＲＣエンティティが一次サービングサイトに位置される場合、一次サービングサイトのサービングセルのそれとは異なるモビリティ手順の対象であり得る。例では、１つまたは複数のＲＢ（たとえば、ＤＲＢ、ＳＲＢなど）のためのモビリティ手順は、ＲＢが第１のサービングサイトから第２のサービングサイトに移されるように実行され得る。例示的な使用事例として、ＲＢは第１の二次サービングサイトにマッピングされることがあり、ＷＴＲＵは、それが異なる二次サービングサイト（たとえば、異なるＳＣｅＮＢによってサービスされるサービングサイト）においてより良好なカバレッジを発見し得るように、移ることがある。ＷＴＲＵが第１の二次サービングサイトにマッピングされた１つまたは複数のベアラを異なる二次サービングサイトに移す（たとえば、ＭｅＮＢによってサービスされる一次サービングサイトへの一定の接続を維持しながら）ときの、ユーザプレーンおよび／または制御プレーンのモビリティのための方法およびシステムが開示される。
【０３３３】
サービングサイトの間のＲＢのモビリティが有益であり得る可能なアーキテクチャの例として、ネットワーク側におけるＰＤＣＰインスタンスおよびＲＬＣインスタンスが一次サービングサイトの中に位置され得る（たとえば、二次サービングサイトの中のＰＤＣＰインスタンスおよび／または二次サービングサイトの中のＲＬＣインスタンスはないことがある）場合を考える。そのような状況では、所与のＲＢに対して、ＤＬ−ＳＣＨおよび／またはＵＬ−ＳＣＨは、一次サービングサイトと二次サービングサイトの両方で利用可能であってよく（たとえば、これはプールされたＲＢと呼ばれ得る）、かつ／または、ＤＬ−ＳＣＨおよび／またはＵＬ−ＳＣＨは、二次サービングサイトと関連付けられる送信に利用可能であり得るが、一次サービングサイトでは利用可能ではないことがある（たとえば、それでも、ＲＢのマッピングに対する他の状況も適用可能であり得る）。別の例では、ネットワーク側におけるＰＤＣＰインスタンスは、一次サービングサイトに位置され得るが（たとえば、二次サービングサイトの中のＰＤＣＰインスタンスはなくてよい）、一次サービングサイトと二次サービングサイトの各々においてＲＬＣインスタンスがあってよい。同様に、一次サービングサイトと二次サービングサイトの各々において、それぞれＰＤＣＰインスタンスおよびＲＬＣインスタンスがあってよい。いずれの場合でも、所与のＲＢに対して、ＤＬ−ＳＣＨおよび／またはＵＬ−ＳＣＨが二次サービングサイトにおいて利用可能であり得るが、一次サービングサイトにおいて利用可能であり得ない、状況または構成があり得る。所与のＲＢに対して、一次サービングサイトへの送信が利用不可能であり得る他のアーキテクチャがあり得る。
【０３３４】
少なくともいくつかのタイプのＳＣｅＮＢに対しては、カバレッジエリアが比較的限られ得る（たとえば、ＭｅＮＢよりも小さいカバレッジエリア）ことが想定されるので、モバイルＷＴＲＵは、二次サービングサイトのための１つまたは複数のサービングセルのカバレッジに入り、かつ／またはそこから出ることがある。そのような場合、ＳＣｅＮＢの間、かつ／またはＳＣｅＮＢとＭｅＮＢの間で１つまたは複数のベアラを移すために、ハンドオーバー手順が定義され得る。これらのハンドオーバーは、（たとえば、ＷＴＲＵのコンテキスト全体が第１のサービングサイトから第２のサービングサイトに転送され得る）真のＷＴＲＵのハンドオーバーではないことがあり、それは、たとえば集約された制御エンティティの場合、ＲＲＣ接続が変更されないことがある（たとえば、かつ／または、調整された制御エンティティまたは分散された制御エンティティの場合、一次ＲＲＣ接続が変更されないことがある）からである。ＲＣＮＣ／ＭｅＮＢへのＲＲＣ接続が変更され得ないときの、ＳＣｅＮＢにマッピングされるＲＢのためのモビリティ変更の制御のための、方法およびシステムが開示される。例として、ＳＣｅＮＢのモビリティ（たとえば、第１の二次サービングサイトから第２の二次サービングサイトへの１つまたは複数のＲＢのモビリティ）は、「ユーザプレーンのモビリティ」および／または「データ無線ベアラのハンドオーバー」として説明され得る。
【０３３５】
たとえば、ＳＣｅＮＢのモビリティをサポートするために、ＷＴＲＵは、１つまたは複数のターゲットセルを測定および／または検出するように構成され得る。ＷＴＲＵは、ネットワークによって構成されてよく、かつ／または、第１のサービングサイトにおけるソースセルと第２のサービングサイトにおけるターゲットセルとの間のハンドオーバーを自律的に制御することができる。ＷＴＲＵは、無損失の動作をサポートし、送信されるデータの重複を最小化／除去するために、ＵＬおよびＤＬデータのフローを管理するように構成され得る。
【０３３６】
たとえば、一次サービングサイト（たとえば、ＭｅＮＢと関連付けられるサービングサイト、および／または、ＲＲＣインスタンス／一次ＲＲＣインスタンスがネットワーク側で維持されるサービングサイト）は、二次サービングサイトのためのベアラおよび／または接続のモビリティを制御するように構成され得る。たとえば、集約された制御アーキテクチャが利用される場合、一次サービングサイトは、ＷＴＲＵのためのＲＲＣ接続を使用して、１つまたは複数の二次サービングサイトにおけるＲＢのモビリティを制御するように構成され得る。ＲＣＮＣおよび／またはＭｅＮＢは、ＷＴＲＵ、ソースの二次サービングサイト、および／またはターゲットの二次サービングサイトと、二次サービングサイトのモビリティを調整するように構成され得る。
【０３３７】
たとえば、一次サービングサイト（たとえば、ＲＣＮＣおよび／またはＭｅＮＢ）は、一次サービングサイトに報告された測定事象に基づいて、ＳＣｅＮＢのモビリティをトリガするように構成され得る。ＷＴＲＵは、本明細書で説明されるような測定事象について検出し報告するように、ＲＣＮＣおよび／またはＭｅＮＢによって構成され得る。たとえば、ＷＴＲＵは、可能性のあるＳＣｅＮＢのスモールセルおよび／またはＭｅＮＢのマクロセルの品質と、それが現在アクセスしているＳＣｅＮＢのスモールセルを比較するように構成され得る。
【０３３８】
例では、一次サービングサイト（たとえば、ＲＣＮＣおよび／またはＭｅＮＢ）は、ＷＴＲＵからのＣＱＩ報告、および／または、ＳＣｅＮＢからＭｅＮＢに中継されるＳＲＳの受信品質に基づいて、ＳＣｅＮＢのモビリティをトリガするように構成され得る。ＷＴＲＵは、一次サービングサイトおよび／または二次サービングサイトにＣＱＩを報告するように構成され得る。ＷＴＲＵは、たとえば、ＷＴＲＵが現在アクティブにそこへ送信および／またはそこから受信していない可能性がある、１つまたは複数のセルを含む、複数のスモールセルのためのＳＲＳを送信することができる。
【０３３９】
例では、ＷＴＲＵにおけるＳＣｅＮＢのモビリティは、ＲＣＮＣおよび／またはＭｅＮＢによってトリガされるＲＲＣ再構成手順によって開始され得る。ＲＲＣ再構成手順は、ＷＴＲＵが一次サービングサイトへのＷＴＲＵ接続を修正することなくいくつかのＤＲＢのための制限されたモビリティ手順を実行すべきであることを示す（たとえば、再構成がＳＣｅＮＢのモビリティのためのものであることを示す）、１つまたは複数の情報要素を含むシグナリングを、ＭｅＮＢがＷＴＲＵに送信することを含み得る。たとえば、１つまたは複数のデータフロー（たとえば、ＤＲＢ）が、第１の二次サービングサイトと関連付けられる二次サービングセルから、第２の二次サービングサイトと関連付けられる異なる二次サービングセルへと再ルーティングされ得る。再構成メッセージに含まれる情報の量およびタイプは、データ経路がどのようにネットワークの中で分割されるか（たとえば、ＲＬＣの上、ＰＤＣＰの上など）に依存し得る。たとえば、再構成メッセージは、移されるべき１つまたは複数の無線ベアラの識別情報、ターゲットのサービングサイトのＳＡＰの識別情報、移されているＲＢの送信および受信のシーケンス番号などの１つまたは複数を明示的に示し得る。再構成メッセージングは、新たな二次サービングサイトにおけるターゲットセルにアクセスするためのアクセス情報を示し得る。たとえば、アクセス情報は、専用のランダムアクセス構成および／またはターゲットセルの他のシステム情報を含み得る。例では、ＷＴＲＵはすでに、ターゲットのサービングサイトにマッピングされている１つまたは複数のベアラを有することがあり、再構成手順は、別のサービングサイトからターゲットのサービングサイトへ追加のベアラを移すためのものであり得る。
【０３４０】
一次サービングサイト（たとえば、ＲＣＮＣおよび／またはＭｅＮＢ）は、１つまたは複数の可能性のあるターゲットの二次サービングサイト（たとえば、ＳＣｅＮＢ）のための構成情報によってＷＴＲＵを事前構成することができる。ＷＴＲＵは、異なる二次サービングサイト（たとえば、ＳＣｅＮＢ）と関連付けられる可能性のあるターゲットセルのためのアクセス情報によって事前構成され得るので、モビリティ手順は、ハンドオーバーを構成し実行するために、ＲＲＣシグナリング手順を使用することによって実行され得る。たとえば、ＷＴＲＵのセルの切替えは、１つまたは複数のＳＣｅＮＢと関連付けられるセルを有効および／または無効にする（たとえば、アクティブ化および／または非アクティブ化する）ことによって実行され得る。たとえば、ＭＡＣ制御シグナリング（たとえば、ＭＡＣ  ＣＥ）は、複数の事前構成された二次サービングサイトのセルの間でのセルの切替えを開始するために使用され得る。さらに、二次サービングサイトの間でのモビリティについて例が説明され得るが、開示される方法およびシステムは、１つまたは複数の二次サービングサイト（たとえば、ＳＣｅＮＢ）と一次サービングサイト（たとえば、ＭｅＮＢ）との間でデータフローを切り替えることに等しく適用可能であり得る。
【０３４１】
例では、二次サービングサイトはデータフローのモビリティをトリガすることがあり、かつ／または、データフローのモビリティを実行する際に一次サービングサイトを支援することがある。たとえば、調整された制御アーキテクチャおよび／または分散された制御アーキテクチャが利用される場合、いくつかのＲＲＣ接続機能は二次サービングサイトにおいて制御され得る。そのような状況では、二次サービングサイト（たとえば、ＳＣｅＮＢ）は、二次サービングサイト（たとえば、ＳＣｅＮＢ）のモビリティをトリガし、かつ／もしくは制御するように構成されてよく、かつ／または、二次サービングサイト（たとえば、ＳＣｅＮＢ）のモビリティで一次サービングサイト（たとえば、ＭｅＮＢ）を支援してよい。たとえば、調整された制御アーキテクチャおよび／または分散された制御アーキテクチャでは、１つまたは複数のＳＲＢは、二次サービングサイト（たとえば、ＳＣｅＮＢ）がＷＴＲＵへの直接の制御シグナリング経路によって構成され得るように、二次サービングサイトによって管理され得る。二次サービングサイトは、制御経路を利用して、ＳＣｅＮＢのモビリティの目的（たとえば、二次サービングサイトのアクティブ化および／または非アクティブ化）で使用され得る制御シグナリング（たとえば、ＭＡＣ制御シグナリング）を送信することができる。
【０３４２】
二次サービングサイト（たとえば、ＳＣｅＮＢ）は、測定事象を構成し、ＷＴＲＵから測定報告を受信することができる。ＷＴＲＵは、測定事象について検出し報告するように、二次サービングサイトによって構成され得る。たとえば、ＷＴＲＵは、可能性のあるＳＣｅＮＢのスモールセルおよび／またはＭｅＮＢのマクロセルの品質を、それが現在アクセスしているＳＣｅＮＢのスモールセルと比較するように構成され得る。
【０３４３】
二次サービングサイトが、ＲＲＣ測定報告および／または他の情報（たとえば、リソース利用率、トラフィックのバランスなど）に基づいて、二次サービングサイトのモビリティをトリガすることを決定した場合、二次サービングサイト（たとえば、ＳＣｅＮＢ）は、１つまたは複数のデータフロー（たとえば、ＤＲＢおよび／またはＳＲＢ）を別の二次サービングサイト（たとえば、ＳＣｅＮＢ）と関連付けられるターゲットセルへハンドオーバーするようにＷＴＲＵに指示するために、ＲＲＣ再構成メッセージをＷＴＲＵに送信することができる。例では、二次サービングサイト（たとえば、ＳＣｅＮＢ）は、（たとえば、Ｘ２ｂｉｓインターフェースを通じて）望まれるモビリティ手順を一次サービングサイト（たとえば、ＭｅＮＢ）に知らせることができ、一次サービングサイトは、二次サービングサイトのモビリティをトリガする再構成手順を実行することができる。
【０３４４】
二次サービングサイトのモビリティ手順を受けるデータフローのためのデータを扱うための、方法およびシステムが定義され得る。たとえば、ＷＴＲＵが、異なる二次サービングサイト（たとえば、ＳＣｅＮＢ）と関連付けられるセルの間の、または、一次サービングサイト（たとえば、ＭｅＮＢ）と二次サービングサイト（ＳＣｅＮＢ）との間の「二次サービングサイトのハンドオーバー」を実行する場合、ＷＴＲＵは、移されているデータフローと関連付けられるデータが、データ損失を避け、かつ／または送信されるデータの重複を最小化／除去するために適切に扱われるように、ＵＬおよびＤＬのデータ送信を管理するように構成され得る。転送されるデータフローに対する二次サービングサイトのモビリティの悪影響を最小化するために利用される技法は、一次サービングサイト（たとえば、ＲＣＮＣおよび／またはＭｅＮＢ）と二次サービングサイト（たとえば、ＳＣｅＮＢ）との間で分割されるレイヤ２に依存し得る。たとえば、データ損失を避け、かつ／またはデータの重複／再送信を最小化するための様々な技法は、データフローのためのプロトコルスタックがＭＡＣの上で分割されるか、ＲＬＣの上で分割されるか、またはＰＤＣＰの上で分割されるかに依存し得る。たとえば、分割がＰＤＣＰの上である場合、Ｘ２およびＰＤＣＰ  ｅＮＢのモビリティのハンドオーバーに関連する手順が使用され得る。分割がＲＬＣの上、かつ／またはＭＡＣの上である場合、データを転送し、ターゲットセルにおけるＵＬおよび／またはＤＬの送信を調整するために、１つまたは複数の追加の技法が利用され得る。
【０３４５】
レイヤ２の分割がＲＬＣの上および／またはＭＡＣの上である場合、一次サービングサイト（たとえば、ＲＣＮＣおよび／またはＭｅＮＢ）とＳＣｅＮＢとの間で転送されるＳＤＵは、固有のシーケンス番号によって特定され得る。一次サービングサイトと二次サービングサイトとの間で転送されるＳＤＵに対する固有のシーケンス番号の使用は、データ損失を避け、ＤＬおよび／またはＵＬにおける送信の適切なシーケンスを維持することができる。たとえば、レイヤ２の分割がＲＬＣの上である場合、ＰＤＣＰ  ＰＤＵのシーケンス番号が使用され得る。レイヤ２の分割がＭＡＣの上である場合、ＲＬＣのシーケンス番号が使用され得る。シーケンス番号は、Ｘ２ｂｉｓインターフェースを通じて送信されるＳＤＵに割り当てられ得る。
【０３４６】
ＳＣｅＮＢのモビリティの間の送信を扱うために使用され得る方法は、二次サービングサイトのＤＬ送信のためのフロー制御の取扱いと統合され得る。たとえば、ＤＬフロー制御の実装が、二次サービングサイト（たとえば、ＳＣｅＮＢ）においてバッファリングされるデータを最小化するために使用され得るので、たとえば、Ｘ２ｂｉｓを通じて送信され返信されるデータが最小化され得る。たとえば、枠に基づく送信方式および／または信用に基づく送信方式が、送信されるデータパケットを特定するために使用され得る。枠に基づく送信方式および／または信用に基づく送信方式は、ＷＴＲＵによって成功裏に肯定応答されたデータおよび肯定応答されなかったデータを特定するために、二次サービングサイトのモビリティに際して再使用され得る。
【０３４７】
二次サービングサイトのモビリティ事象が発生する場合、肯定応答されていないデータは、ターゲットの二次サービングサイト（たとえば、ＳＣｅＮＢ）に転送され得る。ソースの二次サービングサイト（たとえば、ＳＣｅＮＢ）は、一次サービングサイト（たとえば、ＲＣＮＣおよび／またはＭｅＮＢ）が適切なＳＤＵをターゲットの二次サービングサイト（たとえば、ＳＣｅＮＢ）に転送できるように、肯定応答されていないＳＤＵをターゲットの二次サービングサイト（たとえば、ＳＣｅＮＢ）に転送し、かつ／または、肯定応答されていないシーケンス番号および／もしくは最後のシーケンス中の配信されたシーケンス番号を一次サービングサイト（たとえば、ＲＣＮＣおよび／またはＭｅＮＢ）に示すことができる。
【０３４８】
レイヤ２がＲＬＣの上で分割され、二次サービングサイトのモビリティがトリガされる場合、ＤＬにおいて、二次サービングサイト（たとえば、ＳＣｅＮＢ）によるＤＬのスケジューリングの制限を避けるために、十分なＰＤＣＰ  ＰＤＵが事前生成され得る。一次サービングサイト（たとえば、ＲＣＮＣおよび／またはＭｅＮＢ）におけるＤＬ  ＰＤＣＰエンティティは、これらのＰＤＣＰ  ＰＤＵの送信状態を認識していないことがある。一次サービングサイトは、ＰＤＣＰ  ＰＤＵの送信状態を決定して、二次サービングサイトのモビリティ事象の間の送信のレイテンシを低減するように構成され得る。
【０３４９】
たとえば、二次サービングサイト（たとえば、ＳＣｅＮＢ）は、ＤＬ  ＲＬＣ  ＳＤＵを、ＷＴＲＵによってＲＬＣレイヤにおいて肯定応答されていない一次サービングサイト（たとえば、ＲＣＮＣおよび／またはＭｅＮＢ）に返すことができる。成功裏に受信されなかったＲＬＣ  ＳＤＵのシーケンス番号および／または最後のシーケンス中の配信されたＲＬＣ  ＳＤＵのシーケンス番号が、一次サービングサイトに示され得る。シーケンス番号は、二次サービングサイト（たとえば、ＳＣｅＮＢ）のモビリティが発生するときの送信状態を示し得る。
【０３５０】
ＲＬＣ  ＳＤＵのシーケンス番号を示すことは、二次サービングサイト（たとえば、ＳＣｅＮＢ）がピアＲＬＣエンティティによって肯定応答されたＲＬＣ  ＳＤＵを一次サービングサイト（たとえば、ＲＣＮＣおよび／またはＭｅＮＢ）に示すときに実行されてよく、このことは、ＲＬＣにおける（たとえば、ＲＣＮＣおよび／またはＭｅＮＢにおける）ＤＬデータのバッファリングを維持し得る。枠に基づく転送プロトコル、信用に基づく実装、および／または同様のもののような方法が、ＲＬＣ  ＳＤＵのフローを制御するために使用され得る。一次サービングサイト（たとえば、ＲＣＮＣおよび／またはＭｅＮＢ）は、ＲＬＣ  ＳＤＵの配信状態を認識していることがある。ＲＬＣ  ＳＤＵの配信状態は、ターゲットの二次サービングサイト（たとえば、ＳＣｅＮＢ）へのＤＬデータの配信を調整するために、二次サービングサイト（たとえば、ＳＣｅＮＢ）のモビリティに際して使用され得る。示されるシーケンス番号は、ＰＤＣＰのシーケンス番号、または、一次サービングサイト（たとえば、ＲＣＮＣおよび／またはＭｅＮＢ）と二次サービングサイト（たとえば、ＳＣｅＮＢ）との間でのデータのフローを制御するために使用される他のシーケンス番号であり得る。
【０３５１】
ネットワークにおけるＵＬデータの取扱いのために、二次サービングサイト（たとえば、ＳＣｅＮＢ）は、シーケンス中の受信されたＲＬＣ  ＳＤＵを一次サービングサイト（たとえば、ＲＣＮＣおよび／またはＭｅＮＢ）に転送することができる（たとえば、自動的に転送することができる）。二次サービングサイト（たとえば、ＳＣｅＮＢ）は、二次サービングサイト（たとえば、ＳＣｅＮＢ）のモビリティに際して、非順次的なＲＬＣ  ＳＤＵを転送することができる。
【０３５２】
ＷＴＲＵにおけるＵＬデータの取扱いは、ネットワークにおけるＤＬデータの取扱いと同様であり得る。成功裏に肯定応答されていないＲＬＣ  ＳＤＵがＰＤＣＰに示され得る。これは、ＰＤＣＰへのＲＬＣ  ＳＤＵの成功したＲＬＣ送信の指示を提供することと組み合わされ得る。
【０３５３】
上で述べられたように、ＳＣｅＮＢの間でのモビリティについて、二次サービングサイトのモビリティのための手順が本明細書で説明されてきたが、方法は、ＳＣｅＮＢとＭｅＮＢとの間のモビリティのために使用され得る。
【０３５４】
例では、二次サービングサイト（たとえば、ＳＣｅＮＢ）のモビリティは、ＭＡＣの上で分割されるレイヤ２によって実行され得る。二次サービングサイト（たとえば、ＳＣｅＮＢ）のモビリティがトリガされる場合、すでに二次サービングサイト（たとえば、ＳＣｅＮＢ）に提供された未処理のデータは、一次サービングサイト（たとえば、ＲＣＮＣおよび／またはＭｅＮＢ）の中のＲＬＣインスタンスによって扱われ得る。ＤＬでは、十分なＲＬＣ  ＰＤＵが、二次サービングサイト（たとえば、ＳＣｅＮＢ）によるＤＬのスケジューリングの制限を避けるために事前生成され得る。一次サービングサイト（たとえば、ＲＣＮＣおよび／またはＭｅＮＢ）の中のＤＬ  ＲＬＣエンティティは、ＲＬＣ  ＰＤＵの送信状態を認識していないことがある。送信状態を決定し、送信のレイテンシを低減するための方法が使用され得る。
【０３５５】
二次サービングサイト（たとえば、ＳＣｅＮＢ）のモビリティに際して、二次サービングサイト（たとえば、ＳＣｅＮＢ）は、二次サービングサイト（たとえば、ＳＣｅＮＢ）においてバッファリングされる未処理のＲＬＣ  ＰＤＵの送信状態および／またはサポートされるＲＬＣインスタンスのための最後に送信されたＭＡＣ  ＳＤＵを特定することができる。送信状態は、どのＭＡＣ  ＳＤＵがＭＡＣによって処理され送信されたか、および／または、どのＭＡＣ  ＳＤＵがＷＴＲＵによってＨＡＲＱ肯定応答されたかであり得る。
【０３５６】
ＭＡＣ  ＳＤＵの送信状態を示すことと、一次サービングサイト（たとえば、ＲＣＮＣおよび／またはＭｅＮＢ）と二次サービングサイト（たとえば、ＳＣｅＮＢ）との間でＭＡＣ  ＳＤＵを転送することとを組み合わせるための、方法が使用され得る。たとえば、二次サービングサイト（たとえば、ＳＣｅＮＢ）は、ＤＬのスケジューリングを制約することを避けるために、十分なバッファリングされたＭＡＣ  ＳＤＵを維持することができる。一次サービングサイト（たとえば、ＲＣＮＣおよび／またはＭｅＮＢ）は、事前生成されたＲＬＣ  ＰＤＵの量を制限することができる。ＲＣＮＣと二次サービングサイト（たとえば、ＳＣｅＮＢ）との間のＭＡＣ  ＳＤＵのフローは、たとえば、枠に基づく転送プロトコルおよび／または信用に基づく方式を使用して制御され得る。
【０３５７】
ＭＡＣ  ＳＤＵは、ＲＬＣのシーケンス番号、および／または、一次サービングサイト（たとえば、ＲＣＮＣおよび／またはＭｅＮＢ）と二次サービングサイト（たとえば、ＳＣｅＮＢ）との間でのデータのフローを制御するために使用される他のシーケンス番号によって、一次サービングサイト（たとえば、ＲＣＮＣおよび／またはＭｅＮＢ）に対して特定され得る。ＷＴＲＵは、たとえば、ターゲットセルにおけるＭＡＣの初期化があると、二次サービングサイト（たとえば、ＳＣｅＮＢ）のモビリティが原因で転送される、各々の再ルーティングされるＲＬＣ  ＡＭインスタンスのための状態報告を生成することができる。ＲＬＣ  ＵＭについて、一次サービングサイト（たとえば、ＲＣＮＣおよび／またはＭｅＮＢ）は、本明細書で説明されるシーケンス番号の指示を使用して、ターゲットの二次サービングサイト（たとえば、ＳＣｅＮＢ）においてどこでＤＬ送信を開始するかを決定することができる。
【０３５８】
ＲＬＣ  ＡＭについて、ターゲットセルにおけるＲＬＣ状態報告が、どこで送信がターゲットセルにおいて開始すべきか（たとえば、ＵＬデータの取扱いのために）を決定するために使用され得る。この状態報告は、二次サービングサイト（たとえば、ＳＣｅＮＢ）のモビリティが完了すると、一次サービングサイト（たとえば、ＲＣＮＣおよび／またはＭｅＮＢ）によって生成（たとえば、自動的に生成）され得る。ＲＬＣ  ＵＭについて、ＷＴＲＵは、ソースの二次サービングサイト（たとえば、ＳＣｅＮＢ）のセルにおいてどこで送信が止まったかを認識していることがあり、二次サービングサイト（たとえば、ＳＣｅＮＢ）のターゲットセルにおけるその点から送信を再開することができる。ＷＴＲＵは、ソースの二次サービングサイト（たとえば、ＳＣｅＮＢ）のセルにおけるＨＡＲＱフィードバックを利用して、どこでＵＬ送信を開始するかをより良好に見積もることができる。
【０３５９】
マルチスケジューラの原理をサポートするために、ＲＬＦおよび再確立手順が、不利なチャネル条件の期間の間、一次および／または二次サービングサイトにおいて実装され得る。たとえば、ＷＴＲＵは、単一のＭＡＣインスタンスと関連付けられる１つまたは複数のＤＲＢ／ＳＲＢを有し得る。ＲＬＭが二次ＭＡＣインスタンス（たとえば、ＳＣｅＮＢと関連付けられる）のために構成される場合、ＷＴＲＵは、ＭＡＣインスタンスのために構成された１つまたは複数のサービングセル（たとえば、ＰＣｅｌｌ、すべてのサービングセルなど）でＲＬＦが発生したと決定することができる。ＲＬＦが発生したと決定すると、ＷＴＲＵは、ＲＬＦが発生していないＭＡＣインスタンス（たとえば、ＭｅＮＢと関連付けられる一次ＭＡＣインスタンス）を使用して、アップリンク制御シグナリング（たとえば、ＲＲＣ）を送信することができる。ＲＲＣシグナリングは、ＲＲＣ接続再確立要求（または同様の）を含んでよく、ＳＲＢ１および／または一次ＭＡＣインスタンスに対応するデータ経路を通じて送信されてよい。再確立要求は、送信が一次ＭＡＣインスタンスを通じて送信されたとしても、再確立が一次ＭＡＣインスタンスのためのものではないことを示し得る。たとえば、再確立要求は、失敗した、かつ／またはＳＲＢ３を通じて送信され得る、ＭＡＣインスタンスの指示を含み得る。ＷＴＲＵは、問題とされるＤＲＢ／ＳＲＢ（たとえば、失敗した二次ＭＡＣインスタンスにマッピングされるＤＲＢおよび／またはＳＲＢ３）を中断することができる。ＷＴＲＵは、失敗したＭＡＣインスタンスをリセットすることができる。ＷＴＲＵは、失敗したＭＡＣインスタンスのＰＣｅｌｌおよび／またはＳＣｅｌｌを解放することができる。ＷＴＲＵは、それが、問題とされるＲＢの１つまたは複数をＭＡＣインスタンス（たとえば、以前のＭＡＣインスタンスおよび／または新たなＭＡＣインスタンス）と再び関連付けるＲＲＣ接続再構成メッセージを受信するとき、中断されるＤＲＢの１つまたは複数のためのＰＤＣＰおよび／またはＲＬＣを再確立することができる。ＷＴＲＵは、１つまたは複数の中断されたＤＲＢを再開することができる。ＷＴＲＵは、たとえば、ＲＢが二次ＭＡＣインスタンスと再び関連付けられる場合、中断されたＳＲＢを再開することができる。
【０３６０】
ＤＲＢのモビリティのために、ＷＴＲＵは、単一のＭＡＣインスタンスと関連付けられる１つまたは複数のＤＲＢ／ＳＲＢを有し得る。ＷＴＲＵは、所与のＭＡＣインスタンスのサービングセルの１つまたは複数が除去され得るようにＷＴＲＵを再構成する、ＲＲＣ接続再構成を受信することができる。ＷＴＲＵは、問題とされるＭＡＣインスタンスをリセットすることができる。ＷＴＲＵは、それが、問題とされるＲＢの１つまたは複数をＭＡＣインスタンスと再び関連付ける制御シグナリングを受信するまで、問題とされるＤＲＢおよびＳＲＢ（たとえば、もしあれば）を中断することができる。ＷＴＲＵは、問題とされるＤＲＢおよびＳＲＢ（たとえば、もしあれば）のためのＰＤＣＰを再確立することができる。ＷＴＲＵは、問題とされるＤＲＢおよびＳＲＢ（たとえば、もしあれば）のためのＲＬＣを再確立することができる。
【０３６１】
測定報告は様々なレイヤのセルにわたって実行されてよく、所与のレイヤの中のセルの測定は他のレイヤの１つまたは複数のセルを通じて報告されてよい。ＷＴＲＵが測定を実行および／または報告するのを支援するために、スモールセル（たとえば、ＳＣｅＮＢ）は、スモールセルでブロードキャストされる同期信号および参照信号がマクロセルの検出および測定の目的で使用される信号（たとえば、一次同期信号（ＰＳＳ）／二次同期信号（ＳＳＳ）、セル固有の参照信号など）と異なり得るように構成され得る。たとえば、同期信号および／または参照信号は、スモールセルからのブロードキャストのために定義され得る。ＷＴＲＵは、新たに定義された同期信号および参照信号をサポートするセルを、検出および／または測定するように構成され得る。たとえば、ＷＴＲＵは、スモールセルの動作と関連付けられる同期信号および／または参照信号を検出することに基づいて、セルがスモールセルであると決定することができる。
【０３６２】
たとえば、ＷＴＲＵが測定構成を受信するとき、ＷＴＲＵは、スモールセルの動作と関連付けられる同期信号および／もしくは参照信号が所与の周波数の中に存在することがあり、かつ／またはある測定対象として測定されるべきであることを通知され得る。測定構成は、従来のタイプの信号が示される周波数において存在し得るかどうかをＷＴＲＵに示し得る。測定構成は、スモールセルの動作と関連付けられる同期信号および／または参照信号を検出する際にＷＴＲＵを支援する、追加の情報を含み得る。たとえば、測定構成は、スモールセルの動作と関連付けられる同期信号および／もしくは参照信号が送信／受信され得るとき、１つまたは複数の期間、ならびに／または、スモールセルの動作と関連付けられる同期信号および／もしくは参照信号の１つまたは複数の特性を示し得る。
【０３６３】
たとえば、測定構成は、スモールセルの動作と関連付けられる同期信号および／または参照信号が送信／受信され得る期間を示し得る。同期信号および／または参照信号の送信のタイミングに関する指示は、フレーム番号および／またはサブフレーム番号に応じたものであり得る。たとえば、フレーム番号および／またはサブフレーム番号は、一次レイヤのフレーム／サブフレームに対応し得る。スモールセルの動作と関連付けられる同期信号および／または参照信号の送信は、定期的に繰り返すサブフレームのパターンとして発生し得る。たとえば、構成情報は、パターンが繰り返される頻度を示し得る。
【０３６４】
例では、測定構成は、スモールセルの動作と関連付けられる１つまたは複数の同期信号および／または参照信号のための１つまたは複数の特性を示し得る。たとえば、測定構成は、スモールセルの動作と関連付けられる同期信号および／または参照信号の生成のために使用される、インデックスおよび／または識別子（たとえば、ｚａｄｏｆｆ−ｃｈｕ基本シーケンスインデックス）を示し得る。例では、測定構成は、ＷＴＲＵが構成された周波数において発見することを予期し得るセルのタイプおよび／または信号のタイプの指示を含み得る。たとえば、セルのタイプおよび／または信号のタイプは、セルと関連付けられるアクセス技術のタイプ、セルにおいて達成可能な持続されるデータレート、セルの現在の状態（たとえば、混雑している、アクセス可能など）、および／または同様のことの１つまたは複数の指示として使用され得る。スモールセルの動作と関連付けられる同期信号および／または参照信号を生成するために使用される、セルおよび／またはインデックスのタイプは、セルのリソースを動作させ、または使用するために、ＷＴＲＵが満たすべき１つまたは複数の条件を示すものであり得る。たとえば、スモールセルの動作と関連付けられる同期信号および／または参照信号を生成するために使用されるセルおよび／またはインデックスのタイプは、セルにアクセスするために存在すべき能力、セルの中にある間にＷＴＲＵが動作し得る最大の速度、セルにおけるチャネル条件の変化の割合に関する情報、および／または同様のものの１つまたは複数を示すことができる。
【０３６５】
ＷＴＲＵは、スモールセルの動作と関連付けられる同期信号および／または参照信号を送信する１つまたは複数の検出されたスモールセルで実行された測定の測定結果を報告することができる。たとえば、ＷＴＲＵは、スモールセルの動作と関連付けられる同期信号および／または参照信号をブロードキャストするセルを検出した後で、スモールセルで実行される測定を報告することができる。ＷＴＲＵは、受信された電力または品質が所与の閾値を上回ることのようなトリガを検出することに基づいて、スモールセルの測定、ならびに／または、スモールセルの動作と関連付けられる同期信号および／もしくは参照信号の測定情報を報告するように構成され得る。例では、ＷＴＲＵがスモールセルの動作に関連する測定を報告するための構成されたトリガを検出する場合であっても、ＷＴＲＵは、ＷＴＲＵがセルのリソースを動作させまたは使用するための１つまたは複数の条件を満たさない限り、測定を報告することを控えることができる。たとえば、スモールセルの動作と関連付けられる同期信号および／または参照信号は、セルにおいて動作するためにＷＴＲＵが持つべき１つまたは複数の能力を示し得る。ＷＴＲＵは、ＷＴＲＵが測定報告のトリガを検出しＷＴＲＵがセルにアクセスするための基準を満たす場合、セルのための測定を報告することができる。
【０３６６】
ＷＴＲＵは、測定報告に、スモールセルに関する情報の１つまたは複数の項目を含め得る。たとえば、測定報告は、測定されている信号の識別子、測定されているセルの識別子、測定される信号のタイプの指示、測定されるセルのタイプの指示、検出される信号の性質の指示、および検出されるセルの特性の指示、および／または同様のものの１つまたは複数を含み得る。測定報告は、検出された／測定された信号が従来のタイプであるかどうか、または、スモールセルの動作と関連付けられる同期信号および／もしくは参照信号を示し得る。測定報告は、ＷＴＲＵが検出されたセルにおいて動作できるかどうかを示す情報を含み得る。測定報告に含まれ得る他の情報は、チャネルの変化の割合、ＷＴＲＵのモビリティ状態、所与の期間にＷＴＲＵによって経験される最近のモビリティ事象の数（たとえば、モビリティを伴う再構成手順の数、再確立手順の数などのような）、および／または同様のことに関する測定結果の１つまたは複数を備え得る。
【０３６７】
モビリティ状態推定（ＭＳＥ）がＷＴＲＵによって実行され得る。たとえば、ＭＳＥ手順の一部として、ＷＴＲＵは、期間内にＷＴＲＵによって実行されるハンドオーバー（たとえば、および／またはセルの再選択）の数を決定する／数えることができる。期間内に実行されるハンドオーバー（たとえば、および／またはセルの再選択）の数に基づいて、ＷＴＲＵは、それ自身のモビリティ状態を決定することができる。たとえば、ＷＴＲＵは、それが、低い、中間の、または高いモビリティ状態で動作していると決定することができる。ＭＳＥにおいて決定される状態は、Ｔｒｅｓｅｌｅｃｔｉｏｎタイマーのような、１つまたは複数のモビリティ変数をスケーリングするために使用され得る。たとえば、Ｔｒｅｓｅｌｅｃｔｉｏｎタイマーの値は、より移動の少ないＷＴＲＵに対してはより大きな値にスケーリングされてよく、より移動の多いＷＴＲＵに対してはより短い値にスケーリングされてよい。
【０３６８】
独立のモビリティ状態は、一次および二次レイヤと関連付けられ得る。たとえば、一次レイヤは、ＷＴＲＵのための第１のモビリティ状態と関連付けられてよく、二次レイヤは、ＷＴＲＵが二重接続を使用して動作している場合、ＷＴＲＵのための第２のモビリティ状態と関連付けられてよい。たとえば、各レイヤの中のＭＳＥは、各レイヤにおけるモビリティに関与する再構成の数を別々に数えることによって、決定され得る。ＷＴＲＵは、独立のＭＳＥ値を維持し、かつ／または、各々の構成されたレイヤのためのＭＳＥに関する独立の決定を実行することができる。ＷＴＲＵは、そのレイヤのために独立に決定されたＭＳＥに基づいて、所与のレイヤと関連付けられる１つまたは複数のパラメータをスケーリングするように構成され得る。たとえば、所与のレイヤのための１つまたは複数の構成されたハンドオーバーパラメータ（たとえば、タイムトゥトリガ（time-to-trigger）（ＴＴＴ））は、そのレイヤのためのＭＳＥの決定に基づいてスケーリングされ得る。所与のレイヤに対応する１つまたは複数の測定対象と関連付けられる事象は、そのレイヤのためのＭＳＥに従ってスケーリングされ得る。例では、ＷＴＲＵは、そのレイヤのためのＭＳＥ情報を決定するとき、レイヤのＰＣｅｌｌと関連付けられる事象を測定することができるが、レイヤのためのＭＳＥを決定するときにそのレイヤのためのＳＣｅｌｌを考慮することを控えることができる。
【０３６９】
例では、ＷＴＲＵはまた、たとえばレイヤごとに、ＭＳＥ情報を決定するために、他のモビリティ関連の事象を数えることができる。たとえば、所与の一次レイヤに対して、かつ／または二次レイヤに対して、ＷＴＲＵは、ＤＬ無線リンクの失敗の数、ＵＬ無線リンクの失敗の数、二次レイヤのためのＭＡＣ再構成の数、所与のレイヤに対して発見される固有のセルの数、二次レイヤのセルのための規定された期間よりも長い間規定された閾値を上回る無線条件をＷＴＲＵが検出したかどうか、および／または同様のことの１つまたは複数のカウントを維持することができる。このカウントは、レイヤのためのＭＳＥ情報を決定するためにＷＴＲＵによって使用され得る。カウントがＭＳＥのために測定される時間の長さは、セルの特性（たとえば、セルのサイズなど）に応じたものであり得る。
【０３７０】
ＷＴＲＵは、１つまたは複数の自律的なモビリティ手順を実行するように構成され得る。たとえば、ＷＴＲＵは、二次レイヤと関連付けられる複数のサービングセルの中での動作のために構成され得る。二次レイヤの中でのＷＴＲＵによる使用のために構成される１つまたは複数のセルは、非アクティブ化された状態にあり得る。ＷＴＲＵは、二次レイヤの中のセル（たとえば、アクティブ化されたおよび／または非アクティブ化されたセル）の測定を実行するように構成され得る。二次レイヤの中のアクティブなおよび／または非アクティブ化されたセルのそのような測定は、１つまたは複数の自律的なモビリティ事象を実行するようにＷＴＲＵをトリガし得る。例として、ＷＴＲＵは、ＷＴＲＵ送信のバッファ情報に基づいて、自律的なモビリティの目的で、測定を実行し始めるようにトリガされ得る。たとえば、１つまたは複数のバッファが、所定の閾値よりも大きなデータの量を含む場合、ＷＴＲＵは、自律的なモビリティの目的で測定を実行し始めることができる。
【０３７１】
たとえば、ＷＴＲＵは、二次レイヤの非アクティブ化されたセルと関連付けられる１つまたは複数の測定された品質が、たとえば、構成されたオフセット値より大きな分、二次レイヤのアクティブ化されたセルの１つまたは複数の測定品質より良くなったと決定することができる。二次レイヤのアクティブ化されたセルと二次レイヤの非アクティブ化されたセルの間で（たとえば、オフセット値と）測定を比較するのではなく、またはそれに加えて、ＷＴＲＵは、自律的なモビリティを実行するために、二次レイヤの非アクティブ化されたセルの測定を閾値と比較することができる。たとえば、ＷＴＲＵは、二次レイヤの非アクティブ化されたセルと関連付けられる測定が閾値よりも良くなった／大きくなったと決定することができる。
【０３７２】
非アクティブ化されたセルの測定された品質がアクティブ化されたセルの測定された品質を（たとえば、オフセット値よりも大きな分）超える、かつ／または、非アクティブ化されたセルの測定された品質が閾値を超える場合、ＷＴＲＵは、非アクティブ化されたセルへの物理レイヤの接続を確立するための手順を開始するように構成され得る（たとえば、ＷＴＲＵは、ＷＴＲＵの二次レイヤの構成の中のセルに接続する、かつ／またはそれをアクティブ化することを試み得る）。そのような手順は、非アクティブ化されたセルを休眠モードからアクティブモードに移すための手順を含み得る。たとえば、ＷＴＲＵは、手順アクセスを開始し、かつ／または、以前に非アクティブ化されたセルへの接続を作成することができる。そのような手順は、接続確立手順と同様であり得る。たとえば、ＵＥは、以前に非アクティブであったセルのアップリンクリソースに対するＲＡＣＨ手順を実行することができる。ＲＡＣＨ手順は、専用のＰＲＡＣＨシグナリングを使用して実行され得る。たとえば、専用のＲＡＣＨパラメータは、ＷＴＲＵがアクセスすることを試みているセルをサービスするｅＮＢが、ＷＴＲＵを一意に特定することを可能にし得る。ＲＡＣＨを介してセルにアクセスすることを試みるのではなく、またはそれに加えて、ＷＴＲＵは、問題とされるｅＮＢにＲＲＣシグナリングを送信することができる。ＲＡＣＨおよび／またはＲＲＣ手順が成功裏に完了すると、ＷＴＲＵは、セルを移し、それがアクティブ化された状態にあると考えることができる。例では、ＷＴＲＵは、（たとえば、二次レイヤの）その以前のセルを、たとえば以前のセルがもはや十分な品質ではない場合、非アクティブ化された状態に移すことができる。例では、ＷＴＲＵは、制御シグナリングを送信して、二次レイヤの中のセルのＷＴＲＵの自律的なアクティブ化をＭｅＮＢに通知することができる。ＷＴＲＵはまた、適用可能であれば、二次レイヤの中のその以前のセルの非アクティブ化を示し得る。ＭｅＮＢは、パケットおよびＷＴＲＵの二重接続に関する他の情報の適切なルーティングのために対応するＳＣｅＮＢと調整することができる。
【０３７３】
ＷＴＲＵは、再構成シグナリングの受信に基づいて、１つまたは複数の無線ベアラを構成／再構成するように構成され得る（たとえば、再構成シグナリングはモビリティに関連していることがあり、または関連していないことがある）。たとえば、ＲＲＣＣｏｎｎｅｃｔｉｏｎＲｅｃｏｎｆｉｇｕｒａｔｉｏｎメッセージを受信すると、ＷＴＲＵは、一次および／または二次無線ベアラと関連付けられるＲＢに関連する様々な動作を実行することができる。たとえば、再構成メッセージが、二次レイヤのための少なくとも１つのＳＲＢの追加を示す（たとえば、調整された制御プレーンの場合にはＳＲＢ０、ＳＲＢ１、および／またはＳＲＢ２、分散された制御プレーンの場合にはＳＲＢ３が、集約された制御プレーンに対して適用可能ではないことがある、など）場合、ＷＴＲＵは、その現在の接続に基づいて、様々な動作を実行するように構成され得る。たとえば、ＷＴＲＵが単一のＲＲＣ接続を有しＲＲＣ接続が一次レイヤとのものである（たとえば、分散された制御プレーンにおけるように）場合、ＷＴＲＵは、二次レイヤに追加されるべきＳＲＢの識別情報が、再構成メッセージの中のｓｒｂ−Ｉｄｅｎｔｉｔｙの値（たとえば、もしあれば）とは独立に、ＳＲＢ３（たとえば、ＩＮＴＥＧＥＲ（３））であると暗黙的に決定することができる。
【０３７４】
追加されているＳＲＢが二次レイヤのための第１のＳＲＢである場合、および、二次レイヤが制御プレーンのために別個のセキュリティコンテキストを実装する場合、ＷＴＲＵは、二次レイヤのために導出されそれに対して適用可能である、完全性保護アルゴリズムおよびＫｒｒｉｎｔ鍵に従って、より低次のレイヤ（たとえば、ＰＤＣＰ）を構成することができ、かつ／または、二次レイヤのために導出されそれに対して適用可能である、暗号化アルゴリズムおよびＫｕｐｅｎｃ、Ｋｒｒｃｅｎｃ鍵に従って、より低次のレイヤ（たとえば、ＰＤＣＰ）を構成することができる。ＷＴＲＵは、二次レイヤのためのセキュリティモードアクティブ化の手順が成功裏に完了するまで、そのセキュリティを非アクティブである（たとえば、開始されない）ものと考えることができる。追加されているＳＲＢが二次レイヤのための第１のＳＲＢである場合、および、二次レイヤが制御プレーンのためのマクロレイヤ（および／またはセキュリティがすでにアクティブ化されている任意の他のレイヤ）と共通のセキュリティコンテキストを実装する場合、ＷＴＲＵは、マクロレイヤ（たとえば、または共有されるセキュリティを伴う他のレイヤ）のセキュリティコンテキスト（たとえば、鍵）を二次レイヤに適用し、二次レイヤに対して開始されたものとしてセキュリティを考えることができる。ＷＴＲＵは、新たに追加されたＳＲＢを二次レイヤのためのＭＡＣインスタンスに関連付けることができる。たとえば、対応するベアラのための制御プレーンのデータは、対応するＭＡＣインスタンスと関連付けられる論理チャネルを使用して送信され得る。
【０３７５】
二次レイヤのための少なくとも１つのＤＲＢの追加を受信された再構成メッセージが示す場合、および／または、少なくとも１つのＤＲＢが第１のレイヤ（たとえば、一次レイヤ）から第２のレイヤ（たとえば、二次レイヤ）に、またはその逆方向に移されることを再構成メッセージが示す場合、ＷＴＲＵは、様々な動作を実行して、所与のレイヤにベアラ構成を追加し、または移すことができる。たとえば、二次レイヤがユーザプレーンのためのマクロレイヤと（および／またはセキュリティがすでにアクティブ化されている別のレイヤと）共通のセキュリティコンテキストを実装する場合、ＷＴＲＵは、ｄｒｂ−ｉｄｅｎｔｉｔｙのために新たな値を適用することができる。二次レイヤがユーザプレーンのためのマクロレイヤと（および／またはセキュリティがすでにアクティブ化されている別のレイヤと）共通のセキュリティコンテキストを実装する場合、ＷＴＲＵは、マクロレイヤ（たとえば、または共有されたセキュリティを伴う他のレイヤ）に適用可能な暗号化アルゴリズムおよびＫｕｐｅｎｃ鍵に従って、より低次のレイヤ（たとえば、ＰＤＣＰ）を構成することができる。二次レイヤがユーザプレーンのために別個のセキュリティコンテキストを実装する場合、ＷＴＲＵは、二次レイヤのために導出されそれに対して適用可能な暗号化アルゴリズムおよびＫｕｐｅｎｃ鍵に従って、より低次のレイヤ（たとえば、ＰＤＣＰ）を構成することができる。ＷＴＲＵは、追加された、かつ／または転送されたＤＲＢを、二次レイヤと関連付けられるＭＡＣインスタンスに関連付けるように構成され得る。たとえば、対応するベアラのための任意のユーザプレーンのデータは、二次レイヤのためのＭＡＣインスタンスと関連付けられる論理チャネルを使用して送信され得る。同様の技法が、レイヤの間でＤＲＢを移すことのために説明されるように、レイヤの間でＳＲＢを移すことのために適用され得る。
【０３７６】
少なくとも１つのＤＲＢが再び関連付けられる／第１のレイヤ（たとえば、一次レイヤ）から第２のレイヤ（たとえば、二次レイヤ）に、またはその逆方向に移されることを再構成が示す場合、ＷＴＲＵは、問題とされるＤＲＢのためのＰＤＣＰを再確立し、問題とされるＤＲＢのためのＲＬＣを再確立し、問題とされるＤＲＢの使用をそれが中断されていた場合（たとえば、再確立の場合）には再開するように構成されてよく、かつ／または、ＤＲＢと関連付けられるＰＤＣＰが、肯定応答されていないＰＤＣＰ  ＳＤＵの再送信を扱う（たとえば、ＰＤＣＰ状態報告に基づいて）ように構成されてよい。
【０３７７】
所与のレイヤにおける無線ベアラのモビリティは、現在のセキュリティ更新の機構を適用することができる。たとえば、レイヤ固有のセキュリティがＷＴＲＵにおいて適用される場合、制御／ユーザプレーンのアーキテクチャに応じて、セキュリティ更新を適用することは、ＲＲＣ接続およびＭＡＣインスタンスの変化に応じたＫＥＹ変更の動作をもたらし得る。たとえば、鍵は、ＲＲＣ接続とＭＡＣインスタンスの両方が異なるｅＮＢに変更されるときに（たとえば、マクロレイヤにおけるモビリティおよび／またはスモールセルレイヤにおけるモビリティのいずれかにおいて）変更され得る。例では、レイヤにわたる無線ベアラのモビリティは、ベアラが同じセキュリティコンテキストを維持することをもたらし得る。たとえば、マクロレイヤ固有のセキュリティが適用される場合、制御／ユーザプレーンのアーキテクチャに応じて、ＫＥＹ変更の動作は、ＲＲＣ接続およびＲＲＣ接続のタイプ（たとえば、それが一次／マクロレイヤであるか二次／スモールセルレイヤであるか）の変化に応じたものであってよい。たとえば、鍵は、マクロセルと関連付けられるＲＲＣ接続が異なるｅＮＢに変更されるときに、移されるベアラのために変更されてよいが、それ以外の場合には変更されなくてよい。無線ベアラのモビリティは、無線ベアラのモビリティ事象が原因で、再キーイングを適用することをもたらし得る。たとえば、ＷＴＲＵ固有のセキュリティが適用される場合、制御／ユーザプレーンのアーキテクチャに応じて、ＫＥＹ変更の動作は、ＲＲＣ接続の変化、ＲＲＣ接続のタイプ（たとえば、それが一次／マクロレイヤであるか二次／スモールセルレイヤであるか）の変化、および／またはＭＡＣインスタンスの変化に従ったものであり得る。たとえば、鍵は、ＲＲＣ接続と関連付けられるノードの変化（たとえば、マクロセルレイヤからスモールセルレイヤへの、または逆方向の）、ＭＡＣインスタンスが異なるｅＮＢに変更されること、および／または同様のことのいずれかに基づいて、移されるベアラのために変更される。
【０３７８】
ＷＴＲＵとＳＣｅＮＢとの間の安全な通信を確実にするための例が説明され得る。本明細書で説明される例は、アーキテクチャに適用可能であってよくＰＤＣＰプロトコルは少なくとも１つの無線ベアラのためにＳＣｅＮＢにおいて終端されるが、例は他のアーキテクチャにも適用可能であってよい。たとえば、ＰＤＣＰは、１つまたは複数のデータ無線ベアラ（ＤＲＢ）および／または１つまたは複数のシグナリング無線ベアラ（たとえば、ＳＲＢ３）のためにＳＣｅＮＢにおいて終端され得る。たとえば、ＳＣｅＮＢにおけるＰＤＣＰインスタンスと関連付けられるＳＲＢは、ＷＴＲＵとＳＣｅＮＢとの間の接続を管理する制御プレーンメッセージを搬送するように構成され得る。ＷＴＲＵとＳＣｅＮＢとの間の接続を扱うための制御プロトコルは、二次ＲＲＣと呼ばれ得る。二次ＲＲＣは、ＷＴＲＵとＳＣｅＮＢとの間の接続のためのモビリティを提供するように構成されてもされなくてもよい。
【０３７９】
ＷＴＲＵおよびＳＣｅＮＢの中のピアＰＤＣＰエンティティは、１つまたは複数のセキュリティ鍵を利用し得る。たとえば、ＷＴＲＵおよびＳＣｅＮＢの中のピアＰＤＣＰエンティティは、たとえば、ＳＣｅＮＢとＷＴＲＵの間の二次ＲＲＣメッセージの完全性保護および暗号化のために、それぞれ、ＫRRCint(s)およびＫRRCenc(s)を利用することができる。ＷＴＲＵおよびＳＣｅＮＢの中のピアＰＤＣＰエンティティは、ＳＣｅＮＢとＷＴＲＵとの間で転送されるユーザデータ（ＤＲＢ）の暗号化のためにＫUPenc(s)を利用することができる。
【０３８０】
上記のセキュリティ鍵を導出するための例が説明される。例では、ＭｅＮＢにおいて使用されるのと同じ鍵がＳＣｅＮＢにおいて使用されてよく、ＢＥＡＲＥＲの計算が変化し得る。たとえば、ＷＴＲＵとＳＣｅＮＢとの間に適用される１つまたは複数のセキュリティ鍵は、ＷＴＲＵとＭｅＮＢとの間に適用される１つまたは複数のセキュリティ鍵と同一であり得る。たとえば、同じセキュリティ鍵は、ＭｅＮＢとＳＣｅＮＢの各々において同じ目的で使用され得る。ＷＴＲＵは、どのＭＡＣインスタンス（またはサービングサイト／レイヤ）に無線ベアラがマッピングされるかに関係なく、任意の無線ベアラに対して同じセキュリティ鍵を適用することができる。
【０３８１】
セキュリティを損なうことなくセキュリティ鍵の再使用を可能にするために、暗号化動作のための入力として使用される５ビットのＢＥＡＲＥＲパラメータは、対応するＭＡＣインスタンス（またはサービングサイト／レイヤ）が同じかどうかに関係なく、ＷＴＲＵのために構成された無線ベアラの任意のペアに対して異なり得る。たとえば、無線ベアラをシグナリングするためのものを含めて、異なるレイヤと関連付けられるＲＢは異なるＲＢの識別情報を割り当てられ得る。例では、構成されたＲＢの識別情報のパラメータとは異なる５ビットのベアラの識別情報入力パラメータ（たとえば、ＢＥＡＲＥＲ）が、暗号化のために使用され得る。たとえば、暗号化するために使用される５ビットのベアラの識別情報入力パラメータは、ベアラが関連付けられるＲＢの識別情報およびレイヤの識別情報に基づいて選択され得る。たとえば、ＢＥＡＲＥＲパラメータは、ベアラがＭｅＮＢと関連付けられる場合、ＲＢの識別情報に設定されてよく、ベアラがＳＣｅＮＢと関連付けられる場合、ＲＢの識別情報＋１６に設定されてよい。別の例では、ＢＥＡＲＥＲパラメータは、ＲＢの識別情報とレイヤの識別情報の合計（たとえば、これは、ベアラがＭｅＮＢと関連付けられるかＳＣｅＮＢと関連付けられるかに応じて異なる値をとり得る）に設定されてよい。別の例では、ＢＥＡＲＥＲパラメータは、ベアラがＭｅＮＢと関連付けられる場合、ＲＢの識別情報に設定されてよく、ベアラがＳＣｅＮＢと関連付けられる場合、ＲＢの識別情報＋３１に設定されてよい。
【０３８２】
例では、セキュリティを損なうことなくセキュリティ鍵の再使用を可能にするために、暗号化動作のための入力として使用される３２ビットのＣＯＵＮＴパラメータは、ＷＴＲＵに対する使用のために構成される無線ベアラの任意のペアに対して異なるように構成され得る。たとえば、ＣＯＵＮＴパラメータは、対応するＭＡＣインスタンス（またはサービングサイト／レイヤ）が同じかどうかに関係なく、各ベアラに対して異なり得る。例として、ＷＴＲＵは、その上にデータが暗号化されている無線ベアラに対応するＰＤＣＰエンティティのＣＯＵＮＴとは異なる、暗号化のための３２ビットのＣＯＵＮＴ入力パラメータを利用することができる。たとえば、ＣＯＵＮＴ入力パラメータは、その上にデータが暗号化されている無線ベアラに対応するＰＤＣＰエンティティのＣＯＵＮＴと、ＲＢがどのレイヤと関連付けられるかを示す別のパラメータとに応じて選択され得る。たとえば、ＣＯＵＮＴパラメータは、ベアラがＭｅＮＢと関連付けられる場合、無線ベアラのＰＤＣＰエンティティと関連付けられるＰＤＣＰ  ＣＯＵＮＴに設定されてよく、ベアラがＳＣｅＮＢと関連付けられる場合、ＣＯＵＮＴ値は、ＰＤＣＰエンティティのＣＯＵＮＴ＋オフセットに設定されてよい。たとえば、オフセットは２31−１に設定され得る。別の例では、ＣＯＵＮＴパラメータは、ベアラのための対応するＰＤＣＰエンティティのためのＣＯＵＮＴとレイヤの識別情報（たとえば、これは、ベアラがＭｅＮＢと関連付けられるかＳＣｅＮＢと関連付けられるかに応じて異なる値をとり得る）の合計に設定され得る。別の例では、ＣＯＵＮＴパラメータは、対応するＰＤＣＰエンティティのためのＣＯＵＮＴ、ＲＢの識別情報、およびレイヤの識別情報の合計（たとえば、またはそれらパラメータに基づく合計以外の何らかの他の関数）に設定され得る。別の例では、ＣＯＵＮＴパラメータは、ベアラがＭｅＮＢと関連付けられる場合、ベアラのためのＰＤＣＰエンティティのＣＯＵＮＴ値に設定されてよく、ベアラがＳＣｅＮＢと関連付けられる場合、ベアラのためのＰＤＣＰエンティティのＣＯＵＮＴ値＋ＲＢの識別情報の合計に設定されてよい。
【０３８３】
ＳＣｅＮＢは、二次レイヤの構成の前および／または間に、バックホールシグナリングを通じて（たとえば、Ｘ２ｂｉｓインターフェースを通じて）ＭｅＮＢから直接関連する鍵を取得することができる。例では、ＳＣｅＮＢは、ＭｅＮＢから単一のＫｅＮＢ鍵を取得し、ＫｅＮＢに基づいて、暗号化および完全性保護のための異なる鍵を導出することができる。この例では、ＳＣｅＮＢによって使用されるＫｅＮＢ鍵は、ＭｅＮＢによって使用されるＫｅＮＢ鍵と同一であり得る。
【０３８４】
ＳＣｅＮＢは、ＭｅＮＢとは異なる鍵を使用し得る。例では、ＷＴＲＵとＳＣｅＮＢとの間に適用されるセキュリティ鍵は、同じ目的（たとえば、ＤＲＢの暗号化、ＳＲＢの暗号化、ＳＲＢの完全性保護など）でＷＴＲＵとＭｅＮＢの間に適用されるセキュリティ鍵とは異なり得る。ＷＴＲＵは、２つのセットのセキュリティ鍵を同時に適用するように構成され得る。鍵の第１のセット（たとえば、ＫUPenc、ＫRRCint、ＫRRCencなど）は、ＭｅＮＢに対応するＭＡＣインスタンスにマッピングされる無線ベアラに適用され得るが、鍵の第２のセット（たとえば、ＫUPenc(s)、ＫRRCint(s)、ＫRRCenc(s)など）からの１つまたは複数の鍵は、ＳＣｅＮＢに対応するＭＡＣインスタンスにマッピングされる無線ベアラに適用され得る。
【０３８５】
たとえば、ＷＴＲＵは、ＭｅＮＢと関連付けられる無線ベアラのために使用される鍵と、同じＫｅＮＢを使用するＳＣｅＮＢと関連付けられる無線ベアラのために使用される鍵とを導出するように構成され得る。たとえば、ＷＴＲＵは、第１のセットのアルゴリズムタイプを区別するもの（たとえば、ＲＲＣ−ｅｎｃ−ａｌｇ、ＲＲＣ−ｉｎｔ−ａｌｇ、ＵＰ−ｅｎｃ−ａｌｇ）を使用して鍵のＭｅＮＢセット（たとえば、ＫUPenc、ＫRRCint、ＫRRCencなど）を導出することができ、ＷＴＲＵは、アルゴリズムタイプを区別するものの第２のセット（たとえば、ＲＲＣ−ｅｎｃ−ａｌｇ(s)、ＲＲＣ−ｉｎｔ−ａｌｇ(s)、ＵＰ−ｅｎｃ−ａｌｇ(s)）を使用して鍵のＳＣｅＮＢセット（たとえば、ＫUPenc(s)、ＫRRCint(s)、ＫRRCenc(s)など）を導出することができる。
【０３８６】
例では、ＷＴＲＵは、ＫｅＮＢ（たとえば、ＭｅＮＢに対応するベアラと関連付けられる鍵を導出するため）から、値ＫｅＮＢ(s)（たとえば、ＳＣｅＮＢに対応するベアラと関連付けられる鍵を導出するために使用される）を導出するように構成され得る。たとえば、ＷＴＲＵは、一次レイヤおよび二次レイヤのためにそれぞれ、２つの現在アクティブな鍵（ＫｅＮＢおよびＫｅＮＢ(s)）を維持することができる。鍵ＫｅＮＢ(s)に基づいて、ＷＴＲＵは、ＳＣｅＮＢに対応するベアラと関連付けられる第２のセットの鍵（たとえば、ＫUPenc(s)、ＫRRCint(s)、ＫRRCenc(s)など）の１つまたは複数を導出することができる。二次レイヤの最初の構成に際して、ＷＴＲＵは、一次（マクロ）レイヤにおいて使用される現在アクティブなＫｅＮＢ鍵から鍵ＫｅＮＢ(s)を導出することができる。
【０３８７】
ＫｅＮＢからのＫｅＮＢ(s)の導出は、水平方向の鍵導出アルゴリズムに基づいて、たとえば、二次レイヤを構成した受信された再構成メッセージにおいて示されるような、二次レイヤのサービングセルの物理レイヤの識別情報／物理セルの識別情報（ＰＣＩ）および周波数ＥＡＲＦＣＮ−ＤＬに基づいて実行され得る。例では、導出は、垂直方向の鍵導出アルゴリズムに基づいて実行され得る。たとえば、垂直方向の鍵導出は、再構成メッセージがｎｅｘｔＨｏｐＣｈａｉｎｉｎｇＣｏｕｎｔ（ＮＣＣ）パラメータを含む場合、および、このパラメータがＫｅＮＢと関連付けられるＮＣＣとは異なる場合に、実行され得る。したがって、ＫｅＮＢ(s)と関連付けられるＮＣＣは、ＫｅＮＢと関連付けられるＮＣＣとは異なり得る。
【０３８８】
ネットワーク側において、ＭｅＮＢは、ＫｅＮＢからＫｅＮＢ(s)の値を導出して、二次レイヤの構成の準備において、バックホールシグナリングを通じてＫｅＮＢ(s)をＳＣｅＮＢに提供することができる。ＭｅＮＢは、後続の再構成において、さらなる鍵の導出のためにＫｅＮＢ(s)を記憶することができる。
【０３８９】
例では、ＫｅＮＢ(s)は、パラメータＵＬ  ＮＡＳ  ＣＯＵＮＴ(s)に基づいて導出され得る。たとえば、ＷＴＲＵは、二次レイヤにおける鍵の導出の目的で使用される追加のＵＬ  ＮＡＳ  ＣＯＵＮＴ(s)からＫｅＮＢ(s)鍵を導出することができる。たとえば、ＵＬ  ＮＡＳ  ＣＯＵＮＴ(s)は、一次レイヤのＵＬ  ＮＡＳ  ＣＯＵＮＴにオフセットを適用することによって導出され得る。たとえば、ＫｅＮＢ(s)を導出するために、ＵＬ  ＮＡＳ  ＣＯＵＮＴは、（ＵＬ  ＮＡＳ  ＣＯＵＮＴ＋オフセット）と置き換えられてよく、このときオフセットは、ＵＬ  ＮＡＳ  ＣＯＵＮＴ値の再使用を防ぐのに十分大きくてよい。別の例では、ＵＬ  ＮＡＳ  ＣＯＵＮＴ(s)は、８ビットのシーケンス（たとえば、上位ビットにおける単なる８個の０ではない）を伴うＵＬ  ＮＡＳ  ＣＯＵＮＴの２４ビットの内部表現をパディングすることによって、ＭｅＮＢのＵＬ  ＮＡＳ  ＣＯＵＮＴから導出され得る。別の例では、追加のＵＬ  ＮＡＳ  ＣＯＵＮＴ(s)は、ＭｅＮＢのＵＬ  ＮＡＳ  ＣＯＵＮＴに何らかの変換関数を適用することによって導出され得る。たとえば、ＵＬ  ＮＡＳ  ＣＯＵＮＴ(s)は、２×ＵＬ  ＮＡＳ  ＣＯＵＮＴ＋０または２×ＵＬ  ＮＡＳ  ＣＯＵＮＴ＋１などに設定され得る。別の例では、ＭｅＮＢレイヤのＫｅＮＢは、（２×ＮＡＳ  ｃｏｕｎｔ＋１）を使用して導出され得るが、ＳＣｅＮＢレイヤのＫｅＮＢ(s)は、（２×ＵＬ  ＮＡＳ  ＣＯＵＮＴ＋１）を使用して導出され得る。別の例では、ＭｅＮＢのＵＬ  ＮＡＳ  ＣＯＵＮＴおよびＳＣｅＮＢのＵＬ  ＮＡＳ  ＣＯＵＮＴ(s)は、ＵＬ  ＮＡＳ  ＣＯＵＮＴとレイヤの識別情報（たとえば、ベアラがＭｅＮＢと関連付けられるかＳＣｅＮＢと関連付けられるかに応じて異なる値をとり得る）の合計に設定され得る。追加のＵＬ  ＮＡＳ  ＣＯＵＮＴ(s)の計算のこれらの例はＵＬ  ＮＡＳ  ＣＯＵＮＴに関して表現されるが、ＵＬ  ＮＡＳ  ＣＯＵＮＴ(s)を導出するための同様の例はＤＬ  ＮＡＳ  ＣＯＵＮＴに関して表現され得る。
【０３９０】
例では、ＫｅＮＢ(s)は、追加のパラメータＫａｓｍｅ(s)から導出され得る。たとえば、ＷＴＲＵは、二次レイヤにおける鍵の導出の目的で使用される追加の鍵（たとえば、Ｋａｓｍｅ(s)鍵）からＫｅＮＢ(s)鍵を導出することができる。Ｋａｓｍｅ(s)鍵はＭＭＥに記憶されてよく、Ｋａｓｍｅを導出するために使用される方法と同様の方法を使用して、ＵＥとＭＭＥの両方で導出され得る。ＷＴＲＵは、ＫｅＮＢ(s)の垂直方向の鍵の導出の目的で、追加のＮＨ(s)鍵およびＮＣＣ(s)パラメータを維持することができる。ネットワーク側において、ＫｅＮＢの導出の目的で使用されるＮＨとＮＣＣのペアに加えて、ＭＭＥは、追加のＮＨ(s)鍵およびＮＣＣ(s)パラメータをターゲットｅＮＢに提供することができる。ＭｅＮＢの変化を伴う再構成があると、ＷＴＲＵは、ＮＣＣパラメータとＮＣＣ(s)パラメータの両方を提供されてよく、それにしたがって、そのＮＨ鍵およびＮＨ(s)鍵を更新することができる。ＮＨ(s)鍵は、ＫｅＮＢ(s)鍵を導出するために使用されない場合であっても、更新され得る。
【０３９１】
Ｋａｓｍｅ(s)は、いくつかの方法で導出され得る。たとえば、ＷＴＲＵは、二次レイヤにおける鍵の導出の目的で使用される追加の認証ベクトルからＫａｓｍｅ(s)を導出することができる。例として、ＷＴＲＵは、認証および鍵一致（ＡＫＡ）手順の間に、ＭＭＥから追加の乱数（たとえば、ＲＡＮＤ(s)）および追加の認証番号（たとえば、ＡＵＴＮ(s)）を受信することができる。ＷＴＲＵは次いで、ＲＡＮＤ(s)と追加のＡＵＴＮ(s)に含まれるＳＱＮ(s)とを使用して、追加の（ＣＫ(s)，ＩＫ(s)）ペアを生成し、ＷＴＲＵは次いでこのペアを、追加のＫａｓｍｅ(s)の生成のために使用し得る。ＭＭＥはまた、たとえば、ＮＡＳセキュリティモード命令メッセージの一部として、追加のＫＳＩ(s)（鍵セット識別子）をＷＴＲＵに送信することができる。
【０３９２】
例では、ＷＴＲＵは、「偽の」または仮想的なサービングネットワークＩＤ(s)（ＳＮ  ＩＤ(s)）または二次ＳＮ  ＩＤ(s)を使用して、追加のＫａｓｍｅ(s)を導出することができる。たとえば、ＷＴＲＵは、ネットワーク（たとえば、ＭＭＥ）から追加のＳＮ  ＩＤ（たとえば、ＳＮ  ＩＤ(s)）を受信することができる。例では、ＷＴＲＵは、追加のＳＮ  ＩＤ（たとえば、ＳＮ  ＩＤ(s)）を生成することができ、追加のＳＮ  ＩＤ（たとえば、ＳＮ  ＩＤ(s)）をネットワークに通信することができる。例では、ＷＴＲＵおよびネットワークは、たとえば事前確立の規則またはアルゴリズムに基づいて、追加のＳＮ  ＩＤ（たとえば、ＳＮ  ＩＤ(s)）を独立に生成することができる。
【０３９３】
例では、ＷＴＲＵは、ＭＭＥとの追加のＡＫＡ手順（たとえば、ＡＫＡ(s)）を実行することができる。追加のＡＫＡ手順は、既存のＡＫＡ手順の簡略化されたバージョンであってよく、このとき、ＷＴＲＵは、追加のＣＫ(s)およびＩＫ(s)を計算することができ、ＲＥＳの計算（たとえば、認証の試みに対する応答）を飛ばすことができる。ＷＴＲＵは次いで、追加のＫａｓｍｅ(s)の生成のために、追加のＣＫ(s)、ＩＫ(s)を使用することができる。ＭＭＥはまた、追加のＫａｓｍｅ(s)を生成するための追加のＫＳＩ（たとえば、ＫＳＩ(s)）をＵＥに送信することができる。
【０３９４】
ＥＭＭ−ＩＤＬＥからＥＭＭ−ＣＯＮＮＥＣＴＥＤへ移行すると、ＷＴＲＵがすでに２つのＫａｓｍｅ鍵（たとえば、ＭｅＮＢのためのＫａｓｍｅおよびＳＣｅＮＢのためのＫａｓｍｅ(s)）によって構成されているとき、ＷＴＲＵおよびＭＭＥは、種々の方法でレイヤ固有のＫａｓｍｅの使用を調整することができる。たとえば、ＷＴＲＵは、最初のＮＡＳメッセージ（たとえば、サービス要求メッセージ）に２つのＫＳＩを含めることができる。ＷＴＲＵは、最初のＮＡＳメッセージにおいて、ｅＮＢレイヤへのＫＳＩのマッピングを示し得る。レイヤへのＫＳＩのマッピングが示されない場合、ＷＴＲＵは、たとえば、ＫｅＮＢの「ブラインドマッチング」を行うことによって、どのＫASMEがどのｅＮＢレイヤにマッピングされるか（たとえば、ＭＭＥにおいてどのＫASMEがどのＫｅＮＢを導出するために使用されるか）を続いて決定することができる。ＷＴＲＵが接続を有するｅＮＢからのＡＳセキュリティモード命令（たとえば、ＲＲＣ  ＳｅｃｕｒｉｔｙＭｏｄｅＣｏｍｍａｎｄメッセージ）を受信すると、ＷＴＲＵは、最初のＮＡＳメッセージに含まれる２つのＫＳＩによって特定される２つのレイヤに固有のＫASME（ｓ）を使用して、２つのＫｅＮＢおよび関連付けられるＲＲＣ完全性鍵を導出することができる。ＷＴＲＵは、２つのＫｅＮＢの各々から導出されたＲＲＣ完全性鍵を使用することによって、ＲＲＣセキュリティモード命令メッセージの完全性を繰り返し検証することができる。ＷＴＲＵは、ＷＴＲＵが現在のＲＲＣ接続を有するｅＮＢへとＭＭＥによって割り当てられるＫｅＮＢとして、ＡＳセキュリティモード命令の完全性を成功裏に検証するために使用されるＲＲＣ完全性鍵を生成するために使用されるＫｅＮＢを、考えることができる。同様に、ＷＴＲＵは、サービング要求手順の後に受信される最初のＮＡＳメッセージに対して「ブラインドマッチング」の原理を使用して、ＮＡＳ完全性および暗号化鍵を生成するためにＭＭＥによって使用されているＫASMEを決定することができる。たとえば、ＷＴＲＵは、ＷＴＲＵがサービス要求メッセージにおいて最初にｅＮＢレイヤにマッピングされるＫＳＩを示す場合でも、「ブラインドマッチング」を実行して、ｅＮＢレイヤに対するＫａｓｍｅの関連付けを決定することができる。
【０３９５】
例では、ＷＴＲＵは、最初のＮＡＳメッセージ、たとえばサービス要求メッセージに、１つのＫＳＩを含めることができる。たとえば、ＷＴＲＵとネットワークの両方が、ＫＳＩはＭｅＮＢレイヤのためのものであると想定し得る。別の例では、ＷＴＲＵとネットワークの両方が、ＫＳＩはＳＣｅＮＢレイヤにマッピングするものであると想定し得る。例では、ＷＴＲＵとコアネットワークの両方が、ＫＳＩはＵＥがＲＲＣ接続を有するｅＮＢレイヤにマッピングすると想定し得る。例では、ネットワークは、適切なｅＮＢレイヤへのＫＳＩのマッピングを、ＷＴＲＵに明示的にシグナリングすることができる。新たな手順（たとえば、新たなＮＡＳ手順）が、ｅＮＢレイヤへのＫＳＩのマッピングを確立するために、コアネットワークとＷＴＲＵとの間で実行され得る。ＭＭＥは、この手順の実行をトリガし得る。例では、ＷＴＲＵは、ＡＳセキュリティモード命令メッセージからｅＮＢレイヤへのＫａｓｍｅのマッピングを導出することができる。
【０３９６】
モビリティ事象を伴う後続の再構成に際して（かつ／または、ｍｏｂｉｌｉｔｙＣｏｎｔｒｏｌＩｎｆｏ  ＩＥがメッセージに含まれるとき）、ＷＴＲＵがすでにＫｅＮＢおよびＫｅＮＢ（ｓ）から導出された現在アクティブな鍵の２つのセットを維持するとき、ＷＴＲＵは、１つまたは複数の方法に従って、一次レイヤ、二次レイヤ、または両方のための新たな鍵を導出することができる。
【０３９７】
例では、ＷＴＲＵは、最も新しく導出された鍵（たとえば、ＫｅＮＢとＫｅＮＢ(s)のいずれかに対応し得る）の指示を維持し得る。最も新しく導出された鍵は、再構成に際して、新たな鍵ＫｅＮＢ*またはＫｅＮＢ*(s)を導出するための基礎として使用され得る。後続の再構成手順の間の新たな鍵の導出の後で、導出の結果は、新たな最も新しく導出された鍵になり得る。再構成が２つの新たな鍵（たとえば、各レイヤに対して１つ）の導出を伴う場合、後続の（たとえば、第２の）新たな鍵は、第１の新たな鍵から導出され得る。鍵の導出の順序は、再構成メッセージにおいて示されてよく、または事前に定義されてよい（たとえば、一次レイヤが最初、または二次レイヤが最初など）。ＷＴＲＵは、この鍵のための対応するレイヤが後続の再構成において除去される場合であっても、最も新しく導出された鍵を記憶することができる。ネットワーク側において、ＭｅＮＢはまた、２つの鍵ＫｅＮＢおよびＫｅＮＢ（ｓ）と、２つの間でいずれが最も新しく導出された鍵かの指示とを記憶し得る。
【０３９８】
二次レイヤにおけるモビリティが原因の再構成のような再構成に際して、ＭｅＮＢは、最も新しく導出された鍵から新たな鍵ＫｅＮＢ*(s)を導出し、ＫｅＮＢ*(s)の値をターゲットＳＣｅＮＢに提供することができる。二次レイヤではなく一次レイヤにおけるモビリティを伴う再構成に際して、ＭｅＮＢは、最も新しく導出された鍵から新たな鍵ＫｅＮＢ*を導出し、ＫｅＮＢ*の値をターゲットＭｅＮＢおよび／またはターゲットＳＣｅＮＢに提供することができる。一次レイヤと二次レイヤの両方におけるモビリティを伴う構成に際して、ＭｅＮＢはまず、最も新しく導出された鍵から新たな鍵ＫｅＮＢ*を導出し、次いで、ＫｅＮＢ*から新たな鍵ＫｅＮＢ*(s)を導出することができる。ＭｅＮＢは、ＫｅＮＢ*およびＫｅＮＢ*(s)の値をターゲットＭｅＮＢに提供することができ、ターゲットＭｅＮＢは、ＫｅＮＢ*(s)の値をターゲットＳＣｅＮＢに提供することができる。この場合の新たな最も新しく導出された鍵は、ＫｅＮＢ*(s)であり得る。
【０３９９】
例では、一次レイヤにおけるモビリティを伴う再構成に際して、ＷＴＲＵは、その現在アクティブなＫｅＮＢ鍵から新たな鍵ＫｅＮＢ*を導出することができ、二次レイヤにおけるモビリティを伴う再構成に際して、ＷＴＲＵは、その現在アクティブなＫｅＮＢ(s)鍵から新たな鍵ＫｅＮＢ*(s)を導出することができる。したがって、現在アクティブなＫｅＮＢ鍵および／またはＫｅＮＢ(s)鍵のいずれかまたは両方が、どのレイヤが次の再構成に関与させられるかに応じて、さらなる鍵の導出のための基礎として使用され得る。同じ原理が、新たな鍵ＫｅＮＢ*(s)および／またはＫｅＮＢ*の導出のためにＭｅＮＢにおいて使用され得る。
【０４００】
例では、ＷＴＲＵは、ＳＲＢ１が（たとえば、ＭｅＮＢに対して）確立されるとき、かつＳＲＢ２の確立の前に、ＳＣｅＮＢレイヤのＡＳセキュリティをアクティブ化することができる。別の例では、ＷＴＲＵは、ＳＲＢ２が確立された後にＳＣｅＮＢレイヤのセキュリティをアクティブ化することができる。ＳＣｅＮＢのＡＳセキュリティのアクティブ化の一部として、ＵＥは、本明細書で説明される方法の１つまたは複数を使用して、ＫｅＮＢ(s)およびセキュリティ鍵の対応するセット（たとえば、ＫUPenc(s)、ＫRRCint(s)、ＫRRCenc(s)など）を導出することができる。
【０４０１】
上で説明された処理は、コンピュータおよび／またはプロセッサによる実行のためにコンピュータ可読媒体に組み込まれる、コンピュータプログラム、ソフトウェア、および／またはファームウェアにおいて実装され得る。コンピュータ可読媒体の例は、限定はされないが、電子信号（有線および／またはワイヤレス接続を通じて送信される）および／またはコンピュータ可読記憶媒体を含む。コンピュータ可読記憶媒体の例は、限定はされないが、読取り専用メモリ（ＲＯＭ）、ランダムアクセスメモリ（ＲＡＭ）、レジスタ、キャッシュメモリ、半導体メモリデバイス、限定はされないが内部のハードディスクおよびリムーバブルディスクのような磁気媒体、磁気光学媒体、ならびに／または、ＣＤ−ＲＯＭディスクおよび／もしくはデジタル多目的ディスク（ＤＶＤ）のような光学媒体を含む。ソフトウェアと関連のあるプロセッサが、ＷＴＲＵ、ＵＥ、端末、基地局、ＲＮＣ、および／または任意のホストコンピュータにおける使用のために、高周波送受信機を実装するために使用され得る。
【図１Ａ】
2020058082.tif 000003
【図１Ｂ】
2020058082.tif 000004
【図１Ｃ】
2020058082.tif 000005
【図１Ｄ】
2020058082.tif 000006
【図１Ｅ】
2020058082.tif 000007
【図２Ａ】
2020058082.tif 000008
【図２Ｂ】
2020058082.tif 000009
【図３】
2020058082.tif 000010
【図４】
2020058082.tif 000011
【図５】
2020058082.tif 000012
【図６】
2020058082.tif 000013
【図７】
2020058082.tif 000014
【図８】
2020058082.tif 000015
【図９】
2020058082.tif 000016
【図１０】
2020058082.tif 000017
【図１１】
2020058082.tif 000018
【図１２】
2020058082.tif 000019
【図１３】
2020058082.tif 000020
【図１４】
2020058082.tif 000021
【図１５】
2020058082.tif 000022
【図１６】
2020058082.tif 000023
【図１７】
2020058082.tif 000024
【図１８】
2020058082.tif 000025
【図１９】
2020058082.tif 000026
【図２０】
2020058082.tif 000027
【図２１】
2020058082.tif 000028
【図２２】
2020058082.tif 000029
【図２３】
2020058082.tif 000030
【図２４】
2020058082.tif 000031
【図２５】
2020058082.tif 000032
【図２６】
2020058082.tif 000033
【図２７】
2020058082.tif 000034
【図２８】
2020058082.tif 000035